(57)【要約】  センサシステムは、分析物濃度を測定するために使用することができる。センサシステムは、人物の皮膚に向かって面するように構成された遠位側部を有する基部を含むことができる。接着剤は、基部を皮膚に結合させることができる。経皮分析物測定センサは、基部に結合させることができ、および少なくとも部分的にホスト内に位置付けることができる。伝送機は、基部に結合させることができ、また、遠隔デバイスに分析物測定データを伝送することができる。
2020501620.tif 000002
【特許請求の範囲】
【請求項１】
分析物濃度を測定するためのセンサシステムであって、前記センサシステムが、
ホストの皮膚に向かって面するように構成された遠位側部を有する基部と、
前記基部に結合され、前記基部を前記皮膚に結合させるように構成された第１の接着剤と、
前記基部に結合され、分析物測定データを伝送するように構成された伝送機と、
前記基部に結合された経皮分析物測定センサと、
前記センサの非軸方向力に抵抗するように構成された折り畳み可能な支持部材であって、前記折り畳み可能な支持部材が、チャネルを備え、前記センサの一部分が、前記チャネルを通過し、前記チャネルが、前記センサが近位位置から遠位位置まで移動するときの前記センサの座屈力に抵抗するように構成される、折り畳み可能な支持部材と、
を備える、センサシステム。
【請求項２】
前記折り畳み可能な支持部材が、発泡体である、請求項１に記載のシステム。
【請求項３】
前記センサの前記一部分が、中心軸を備え、前記チャネルが、前記中心軸に対する前記センサの前記一部分の水平変位に抵抗するように構成され、前記発泡体が、前記システムが前記センサを近位位置から遠位位置まで移動させることに応じて圧縮するように構成される、請求項２に記載のシステム。
【請求項４】
前記基部が、遠位部分および近位部分を備え、前記システムが、前記システムが前記センサを近位位置から遠位位置まで移動させることに応じて圧縮するように構成された壁を有するチャネルを備え、前記チャネルが、前記センサの一部分が前記チャネル内に位置付けられるように、前記基部の前記遠位部分と前記近位部分との間に少なくとも部分的に位置付けられ、前記チャネルの前記壁が、前記センサの前記一部分の水平変位に抵抗するように構成される、請求項１に記載のシステム。
【請求項５】
前記壁が、前記近位部分が前記基部の前記遠位部分に向かって遠位に移動することに応じて圧縮するように構成された発泡体を備える、請求項４に記載のシステム。
【請求項６】
前記壁が、第１の材料を有する近位セクションと、第２の材料を有する中間セクションと、第３の材料を有する遠位セクションと、を備える、請求項５に記載のシステム。
【請求項７】
前記中間セクションが前記水平変位に抵抗するように構成されるように、前記第２の材料が、前記第１および第３の材料よりも剛性が高い、請求項６に記載のシステム。
【請求項８】
前記中間セクションが前記水平変位に抵抗するように構成されるように、前記第２の材料が、前記第１および第３の材料よりも硬い、請求項７に記載のシステム。
【請求項９】
前記第２の材料が、前記第１および第３の材料よりも圧縮性が低い、請求項７または８のいずれかに記載のシステム。
【請求項１０】
前記システムが、前記センサを前記近位位置から前記遠位位置まで移動させることに応じて、前記基部の前記近位部分を前記基部の前記遠位部分に固定するように構成されたインターロックをさらに備える、請求項４〜８のいずれかに記載のシステム。
【請求項１１】
前記基部に結合されたベローズをさらに備え、前記センサの少なくとも一部分が、前記ベローズの内部領域内に位置付けられる、請求項１に記載のシステム。
【請求項１２】
前記センサの前記一部分が、中心軸を備え、前記ベローズが、前記中心軸に対して前記一部分の水平変位に抵抗するように構成され、前記ベローズが、前記システムが前記センサを近位位置から遠位位置まで移動させることに応じて圧縮するように構成される、請求項１１に記載のシステム。
【請求項１３】
前記基部に結合され、前記ベローズを圧縮状態で固定するように構成されたインターロックをさらに備える、請求項１２に記載のシステム。
【請求項１４】
前記基部の遠位部分および近位部分をさらに備え、前記ベローズが、前記遠位部分を前記近位部分に結合させ、前記取り外し可能な干渉部材が、前記システムが前記センサを前記近位位置から前記遠位位置まで移動させることを阻止するように構成されるように、前記システムが、前記遠位部分と前記近位部分との間に位置付けられた取り外し可能な干渉部材をさらに備える、請求項１１〜１３のいずれかに記載のシステム。
【請求項１５】
前記折り畳み可能な支持部材に結合されたタブをさらに備え、前記システムが、前記タブを作動させて、前記折り畳み可能な支持部材を折り畳み、および、前記センサの少なくとも一部分を前記基部に対して遠位に移動させるように構成される、請求項１〜４および１１〜１３のいずれかに記載のシステム。
【請求項１６】
分析物濃度を測定するためのセンサシステムであって、前記センサシステムが、
ホストの皮膚に向かって面するように構成された遠位側部を有する基部と、
前記基部に結合され、前記基部を前記皮膚に結合させるように構成された第１の接着剤と、
前記基部に結合され、分析物測定データを伝送するように構成された伝送機と、
前記基部に結合された経皮分析物測定センサと、
を備え、
前記センサが、前記基部を前記皮膚から取り外した後に、前記第１の接着剤または前記基部に対して屈曲されるように構成される、センサシステム。
【請求項１７】
前記基部が、第１の部分および第２の部分をさらに備え、前記基部の前記第２の部分が、ヒンジによって前記基部の前記第１の部分に結合され、該ヒンジが、前記基部の前記第１および第２の部分の間の旋回角度を減少させることで、前記センサの一部分を前記基部の前記第１および第２の部分の間に配置するように構成される、請求項１６に記載のシステム。
【請求項１８】
前記ヒンジが、第１のチャネルに回転可能に結合された第１のピンを備え、該第１のチャネルが、前記基部の前記第１の部分が前記基部の前記第２の部分に対して回転するときに前記第１のピンを保持するように構成される、請求項１７に記載のシステム。
【請求項１９】
前記ヒンジが、第２の孔に回転可能に結合された第２のピンを備え、該第２の孔が、前記基部の前記第１の部分が前記基部の前記第２の部分に対して回転するときに前記第２のピンを保持するように構成され、
前記第１のピンが、第１の方向に突出し、前記第２のピンが、第２の方向に突出し、前記第１の方向が、前記第２の方向に対して反対である、請求項１８に記載のシステム。
【請求項２０】
前記第１の接着剤が、第１のセクションおよび第２のセクションを備え、前記第１のセクションが前記基部の前記第１の部分を前記皮膚に接着するように構成されるように、前記第１のセクションが、前記基部の前記第１の部分に結合され、前記第２のセクションが、前記基部の前記第２の部分を前記皮膚に接着するように構成されるように、前記第２のセクションが、前記基部の前記第２の部分に結合される、請求項１７に記載のシステム。
【請求項２１】
前記ヒンジが、前記センサの前記一部分が前記基部の前記第１および第２の部分の間に少なくとも部分的に閉じ込められる間に、前記第１の接着剤の前記第１のセクションが前記第１の接着剤の前記第２のセクションに向かって面することを可能にするように構成される、請求項２０に記載のシステム。
【請求項２２】
前記システムが、前記ヒンジを回転させることに応じて、前記センサの前記一部分を屈曲するように構成され、前記センサシステムが前記皮膚から取り外された後に、前記センサの前記一部分が、前記基部の前記第１および第２の部分の間で屈曲されて、前記センサの遠位先端部が組織を貫通することを防ぐ、請求項１７〜２１のいずれかに記載のシステム。
【請求項２３】
前記システムが、回転ばね付勢に応じて前記旋回角度を減少するように構成されるように、前記基部の前記第１の部分が、前記基部の前記第２の部分に対して回転方向にばね荷重される、請求項１７〜２１のいずれかに記載のシステム。
【請求項２４】
前記ねじりばねが、前記旋回角度を減少して、前記基部の前記第１および第２の部分の間に前記センサの前記一部分を配置するように構成されるように、前記ヒンジに結合されたねじりばねをさらに備える、請求項１７〜２１のいずれかに記載のシステム。
【請求項２５】
接着部分が前記センサの少なくとも一部分を前記基部に向かって屈曲するように構成され、前記センサの遠位先端部が、前記基部と前記接着部分との間に位置付けられる、請求項１６に記載のシステム。
【請求項２６】
前記センサの少なくとも一部分を前記基部に対して折り畳むように構成された接着部分をさらに備える、請求項２５に記載のシステム。
【請求項２７】
前記センサシステムが前記皮膚から取り外された後に、前記シートが、前記センサの前記遠位先端部が組織を貫通することを防ぐように、前記センサの遠位先端部を覆い、前記第１の接着剤に接着するシートをさらに備える、請求項２５に記載のシステム。
【請求項２８】
前記シートが、柔軟であるように構成される、請求項２７に記載のシステム。
【請求項２９】
前記第１の接着剤が、前記シートを前記基部に結合させる、請求項２８に記載のシステム。
【請求項３０】
前記シートが、第１の状態を備え、該第１の状態において、前記シートが、折り畳まれ、前記遠位先端部に対して近位に位置付けられ、前記遠位先端部を覆わず、およびユーザが前記シートを展開することを可能にするように構成されたタブを形成する、請求項２８に記載のシステム。
【請求項３１】
前記シートが、第２の状態を備え、該第２の状態において、前記シートが、前記第１の状態に対して少なくとも部分的に展開され、前記遠位先端部に対して少なくとも部分的に遠位に位置付けられ、および前記センサの前記遠位先端部は、前記シートと前記第１の接着剤との間に少なくとも部分的に閉じ込められる、請求項３０に記載のシステム。
【請求項３２】
前記シートが、柔軟シートであり、前記システムが、前記柔軟シートの第１の耐穿刺性よりも高い第２の耐穿刺性を有する第２のシートをさらに備え、前記第２のシートが、前記遠位先端部と前記柔軟シートとの間に位置付けられて、前記遠位先端部によって穿刺されることから前記柔軟シートを保護する、請求項２７に記載のシステム。
【請求項３３】
前記第１および第２の耐穿刺性が、前記センサの遠位先端部を使用して測定される、請求項３２に記載のシステム。
【請求項３４】
前記柔軟シートが前記遠位先端部の上に折り畳まれるときに、前記第２のシートが前記遠位先端部を変形するように構成されるように、前記第２のシートが、前記柔軟シートに結合される、請求項３２または３３のいずれかに記載のシステム。
【請求項３５】
前記柔軟シートが前記センサの少なくとも一部分を屈曲位置に保持し、前記柔軟シートが前記第１の接着剤に接着されるように、前記センサの遠位先端部が、柔軟シートと前記基部との間に少なくとも部分的に閉じ込められる、請求項１６に記載のシステム。
【請求項３６】
前記柔軟シートが、第１の状態および第２の状態を備え、
前記第１の状態において、前記センサシステムが前記皮膚に結合されたときに、前記柔軟シートが前記第１の接着剤に対して近位に位置付けられ、
前記第２の状態において、前記センサの前記遠位先端部が前記柔軟シートと前記基部との間に少なくとも部分的に閉じ込められたときに、前記柔軟シートが前記第１の接着剤に対して遠位に位置付けられる、請求項３５に記載のシステム。
【請求項３７】
分析物濃度を測定するためのセンサシステムであって、前記センサシステムが、
ホストの皮膚に向かって面するように構成された遠位側部を有する基部と、
前記基部に結合され、前記基部を前記皮膚に結合させるように構成された第１の接着剤と、
前記基部に結合され、分析物測定データを伝送するように構成された伝送機と、
前記基部に結合された経皮分析物測定センサと、
を備える、センサシステム。
【請求項３８】
前記基部が、前記センサの遠位先端部を前記基部の内部領域の中へ格納するように構成される、請求項３７に記載のシステム。
【請求項３９】
前記センサの前記遠位先端部を前記基部の前記内部領域の中へ格納するように構成されたばねをさらに備える、請求項３８に記載のシステム。
【請求項４０】
ラッチをさらに備え、前記ラッチが、前記伝送機を前記基部に結合するように構成された係止状態を備え、前記ラッチが、前記基部から前記伝送機を取り外すことを可能にするように構成された係止解除状態を備える、請求項３９に記載のシステム。
【請求項４１】
前記センサシステムが、前記皮膚から前記センサシステムを取り外すことに応じて、前記センサの少なくとも一部分を容器の中へ格納するように構成される、請求項３７に記載のシステム。
【請求項４２】
前記センサが、格納可能な遠位先端部を備える、請求項３７に記載のシステム。
【請求項４３】
前記基部が、前記遠位先端部の格納に応じて、前記遠位先端部を受容するように構成された内部領域を備える、請求項４２に記載のシステム。
【請求項４４】
前記基部に結合され、前記遠位先端部を格納するように構成されたばねをさらに備える、請求項４３に記載のシステム。
【請求項４５】
前記基部に結合され、前記基部に対して前記センサの一部分を屈曲するように構成された第２の接着剤をさらに備える、請求項３７に記載のシステム。
【請求項４６】
前記センサが、前記基部に対して遠位に位置付けられたセクションを備え、前記セクションが、第１の部分および第２の部分を備え、前記センサの前記第１の部分が、前記セクションの前記皮膚への挿入中に、前記第２の部分を直線構成に維持することを容易にするように構成され、前記センサの前記第１の部分が、生体内に位置付けられることに応じて軟化するように構成される、請求項３７に記載のシステム。
【請求項４７】
前記第１の部分が、前記挿入前の第１の耐座屈性、および生体内に位置付けられて４８時間後の第２の耐座屈性を備え、前記第２の耐座屈性が、前記第１の耐座屈性未満である、請求項４６に記載のシステム。
【請求項４８】
前記第２の耐座屈性が、前記第１の耐座屈性よりも少なくとも３０パーセント未満である、請求項４７に記載のシステム。
【請求項４９】
前記アームが、前記センサの遠位部分を格納すること、および前記センサの前記遠位部分を覆うことのうちの少なくとも１つを行うように構成されるように、前記基部に摺動可能に結合されたアームをさらに備える、請求項３７に記載のシステム。
【請求項５０】
プルタブを有するプルタブシステムをさらに備え、前記プルタブシステムが、前記プルタブを作動させることに応じて前記センサを格納するように構成される、請求項３７に記載のシステム。
【請求項５１】
プルタブを有するプルタブシステムをさらに備え、前記プルタブシステムが、前記プルタブを前記基部に対して移動することに応じて前記センサを格納するように構成される、請求項３７に記載のシステム。
【請求項５２】
前記プルタブシステムが、第１のチャネル、および前記第１のチャネルを前記プルタブに結合する中間部分をさらに備え、
前記プルタブが、前記基部から離れて突出し、前記センサの第１の部分が、前記第１のチャネルを通過し、前記プルタブシステムが、前記プルタブを引っ張ることで前記第１のチャネルを移動して、前記センサを格納するように構成される、請求項５０または５１のいずれかに記載のシステム。
【請求項５３】
前記基部が、第２のチャネルを備え、前記センサの第２の部分が、前記第２のチャネルを通過し、前記プルタブシステムが、前記プルタブを引っ張ることで、前記第２のチャンネルから前記センサシステムの内部領域の中へ前記センサの前記第２の部分を引っ張ることによって前記センサを格納するように構成される、請求項４９〜５２のいずれかに記載のシステム。
【請求項５４】
前記プルタブシステムが、前記皮膚から離れて配向された近位方向に対して垂直の±４５度以内である第１の方向に摺動するように構成されるように、前記プルタブシステムが、前記基部に摺動可能に結合される、請求項４８〜５２のいずれかに記載のシステム。
【請求項５５】
前記伝送機が、前記近位方向に対して垂直の±４５度以内である第２の方向に摺動するように構成されるように、前記伝送機が、前記基部に摺動可能に結合される、請求項５４に記載のシステム。
【請求項５６】
前記第２の方向が、前記第１の方向に平行の±４５度以内である、請求項５５に記載のシステム。
【請求項５７】
押しボタンを有する押しボタンシステムをさらに備え、前記押しボタンシステムが、前記ボタンを起動することに応じて前記センサを格納するように構成される、請求項３７に記載のシステム。
【請求項５８】
前記押しボタンシステムの少なくとも一部分が、前記基部から離れて突出し、前記押しボタンシステムが、前記押しボタンシステムの前記一部分を前記基部の中へ押圧することで、前記センサを前記センサシステムの内部領域の中へ移動させるセンサ格納特徴に係合するように構成される、請求項５７に記載のシステム。
【請求項５９】
前記センサ格納特徴が、センサ格納アーム、センサ格納チャネル、および前記センサを前記センサシステムの前記内部領域の中へ引っ張るセンサ格納フープのうちの少なくとも１つである、請求項５８に記載のシステム。
【請求項６０】
前記押しボタンシステムが、第１のアーム、および前記第１のアームを前記押しボタンに結合する中間部分をさらに備え、
前記押しボタンが、前記基部から離れて突出し、前記センサの前記第１の部分が、前記第１のアームのチャネルを通過し、前記押しボタンシステムが、前記ボタンを押すことで前記第１のアームを移動させて、前記センサを格納するように構成される、請求項５７に記載のシステム。
【請求項６１】
前記押しボタンシステムが、第１のチャネル、および前記第１のチャネルを前記押しボタンに結合する中間部分をさらに備え、
前記押しボタンが、前記基部から離れて突出し、前記センサの前記第１の部分が、前記第１のチャネルを通過し、前記押しボタンシステムが、前記ボタンを押すことで前記第１のチャネルを移動させて、前記センサを格納するように構成される、請求項５７に記載のシステム。
【請求項６２】
前記基部が、第２の孔を備え、前記センサの第２の部分が、前記第２の孔を通過し、前記押しボタンシステムが、前記センサの第３の部分をＵ字形状およびトーチャラス形状のうちの少なくとも１つを形成することにより、前記ボタンを押すことで前記センサの前記第２の部分を前記第２の孔から前記センサシステムの内部領域の中へ引っ張ることによって、前記センサを格納するように構成される、請求項６０または６１のいずれかに記載のシステム。
【請求項６３】
前記押しボタンシステムが、前記基部の前記遠位側部から離れて配向される近位方向に対して垂直の±４５度以内である第１の方向に摺動するように構成されるように、前記押しボタンシステムが、前記基部に摺動可能に結合される、請求項５７に記載のシステム。
【請求項６４】
前記伝送機が、前記近位方向に対して垂直の±４５度以内である第２の方向に摺動するように構成されるように、前記伝送機が、前記基部に摺動可能に結合される、請求項６３に記載のシステム。
【請求項６５】
前記第２の方向が、前記第１の方向に平行の±４５度以内である、請求項６４に記載のシステム。
【請求項６６】
前記皮膚から前記センサシステムを取り外すことで、前記アームが前記基部に対して摺動することに応じて前記センサを自動的に格納するように、前記基部に摺動可能に結合されたばね付勢アームをさらに備える、請求項３７のシステム。
【請求項６７】
前記基部が、第１の方向において前記皮膚に向かって面するように構成され、前記アームが、前記第１の方向に対して垂直の±２０度以内である第２の方向に摺動するように構成される、請求項６６に記載のシステム。
【請求項６８】
前記アームを前記第２の方向の移動させることが、前記アームの前記一部分が前記センサを前記センサシステムの内部領域の中へ格納させることを生じるように、前記センサの少なくとも一部分が、前記アームの一部分を通過する、請求項６７に記載のシステム。
【請求項６９】
前記基部に結合されたばねおよび解放ピンをさらに備え、前記解放ピンを取り外すことが、前記ばねが前記センサの少なくとも第１の部分を前記基部の中へ移動させることを生じるように、前記ばねが、圧縮状態および伸長状態のうちの少なくとも１つの状態である、請求項３７に記載のシステム。
【請求項７０】
前記基部に摺動可能に結合されたアームをさらに備え、前記センサの第２の部分が前記第１のチャネルおよび前記第２の孔を通過するように、前記アームが、前記基部の第２の孔と整列させた第１のチャネルを備え、前記ばねが、前記基部の第１の壁と前記アームの第２の壁との間で圧縮および伸長のうちの少なくとも１つであり、前記解放ピンが、前記基部の第３の孔を通過し、前記アームの一部分に干渉して、前記アームを移動させて、前記ばねが前記センサを格納することを防止する、請求項６９に記載のシステム。
【請求項７１】
前記皮膚から前記基部を取り外すことで、前記皮膚から前記第１の接着剤を結合解除するが、前記皮膚から前記第２の接着剤を結合解除せず、それが、前記第３の孔から前記解放ピンを取り外すように、前記解放ピンが、前記皮膚に適用するように構成された第２の接着剤を有する遠位面を備え、それが、前記ばねが前記アームを移動させて、前記センサを格納することを可能にする、請求項７０に記載のシステム。
【請求項７２】
前記基部に摺動可能に結合されたばね付勢アームをさらに備える、請求項３７に記載のシステム。
【請求項７３】
前記センサの第２の部分が前記アームと前記基部の間に位置付けられるために、前記皮膚から前記センサシステムを取り外すことが前記センサを屈曲するために前記アームを前記センサの第１の部分に接触させることを生じるように、前記ばね付勢アームが構成される、請求項７２に記載のシステム。
【請求項７４】
前記基部が、第１の方向において前記皮膚に向かって面するように構成され、前記センサシステムが、前記第１の方向に対して垂直の±２０度以内に配向されたばねをさらに備え、前記ばねが、前記センサシステムの内部領域内に位置付けられ、および前記アームに前記センサの前記第１の部分と衝突させるように構成される、請求項７２または７３のいずれかに記載のシステム。
【請求項７５】
前記基部が、第１の方向において前記皮膚に向かって面するように構成され、
前記センサの前記第２の部分が、前記第１の方向に対して垂直の±２０度以内に配向されるように、前記アームが、前記第１の方向に対して垂直の±２０度以内である第２の方向に摺動させるように構成される、請求項７２または７３のいずれかに記載のシステム。
【請求項７６】
前記センサが、前記基部の孔を通過し、前記センサの前記第１の部分が、前記基部の前記孔に対して遠位に位置付けられ、前記アームが、前記センサの前記第１の部分に向かってばね荷重され、前記アームを摺動させることで前記突起を前記センサの前記第１の部分と衝突させ、前記突起を前記基部の前記孔に対して直接遠位に位置付けるように、前記アームが、前記センサの前記第１の部分に向かって突出する突起を備える、請求項７０〜７３のいずれかに記載のシステム。
【請求項７７】
前記第２の接着剤が、前記アームが前記センサを屈曲させない第１の位置で前記アームを保持するように、および前記センサの前記第２の部分を前記アームと前記基部との間に位置付けるために、前記皮膚から前記第２の接着剤を結合解除することが前記アームに前記センサを屈曲することを生じるように、前記アームの前記突起が、前記アームを前記皮膚に結合させるように構成された第２の接着剤を備える、請求項７６に記載のシステム。
【請求項７８】
前記アームが、前記センサの遠位部分を格納すること、および前記センサの前記遠位部分を覆うことのうちの少なくとも１つを行うように構成されるように、前記基部に回転可能に結合されたアームをさらに備える、請求項３７に記載のシステム。
【請求項７９】
ヒンジによって前記基部に回転可能に結合されたアームをさらに備え、前記ヒンジが、前記皮膚から前記基部を結合解除することが前記ヒンジが回転することを生じ、前記アームが、前記センサの少なくとも第１の部分を屈曲させ、前記センサの少なくとも第２の部分を覆うように構成される、請求項３７に記載のシステム。
【請求項８０】
前記ねじりばねが、前記センサの前記第２の部分に向かう回転方向に前記アームを付勢するように、前記アームに結合されたねじりばねをさらに備える、請求項７９に記載のシステム。
【請求項８１】
前記ヒンジが、前記センサシステムの内部領域内に位置付けられ、前記アームが、前記センサの前記第２の部分を覆うように構成された一部分を備え、
前記センサシステムが、前記アームの前記一部分が前記内部領域内に位置付けられる第１の状態、および前記アームの前記一部分が前記基部に対して遠位に位置付けられる第２の状態を備える、請求項７０または８０のいずれかに記載のシステム。
【請求項８２】
前記センサシステムが、第１の部分および第２の部分をさらに備え、前記第２の部分が、ヒンジによって前記第１の部分に結合され、該ヒンジが、前記第１の部分と前記第２の部分との間の旋回角度を増加させることで前記センサを格納するように構成される、請求項３７に記載のシステム。
【請求項８３】
前記基部に結合され、また、前記旋回角度を増加させて前記センサを格納するように構成されたばねをさらに備える、請求項８２に記載のシステム。
【請求項８４】
前記ヒンジが、スリーブに回転可能に結合されたピンを備え、該スリーブが、前記第２の部分が前記第１の部分に対して回転するときに前記ピンを保持するように構成される、請求項８２または８３のいずれかに記載のシステム。
【請求項８５】
前記基部が、前記第１の部分および前記第２の部分を備え、前記第１の部分が、前記第１の接着剤を前記第２の部分に結合させる、請求項８２、８３、または８４に記載のシステム。
【請求項８６】
前記基部が、前記第１の部分を備え、前記第２の部分が、前記伝送機を備える、請求項８２、８３、または８４に記載のシステム。
【請求項８７】
前記センサの遠位部分が、前記基部の孔を通過し、前記旋回角度を増加させることで、前記センサの前記遠位部分を前記基部の前記孔を通して、前記センサシステムの前記第１および第２の部分の間の領域の中へ格納するように、前記センサの近位部分が、前記第２の部分に結合される、請求項８２〜８６のいずれかに記載のシステム。
【請求項８８】
前記基部が、左側半分および右側半分を備え、前記左側半分が、前記基部の前記孔を備え、前記右側半分が、前記ヒンジの少なくとも一部分を備える、請求項８７に記載のシステム。
【請求項８９】
前記第２の部分が、ユーザが、遠位に面する表面を把持して、前記第１の部分に対して前記第２の部分を回転させることを可能にするように構成されたリフトタブを備え、前記リフトタブが、前記ヒンジから離れて突出する突起を備える、請求項８２〜８８のいずれかに記載のシステム。
【請求項９０】
前記基部が、第１の部分および第２の部分をさらに備え、前記基部の前記第２の部分が、ヒンジによって前記基部の前記第１の部分に結合され、該ヒンジが、前記基部の前記第１および第２の部分の間の旋回角度を減少させることで、前記センサの一部分を前記基部の前記第１および第２の部分の間に配置するように構成される、請求項３７に記載のシステム。
【請求項９１】
前記ヒンジが、前記基部の前記第１の部分が前記基部の前記第２の部分に対して回転するときに、前記第１のピンを保持するように構成される第１のチャネルに回転可能に結合された前記第１のピンを備える、請求項９０に記載のシステム。
【請求項９２】
前記ヒンジが、前記基部の前記第１の部分が前記基部の前記第２の部分に対して回転するときに、前記第２のピンを保持するように構成される第２の孔に回転可能に結合された前記第２のピンを備え、
前記第１のピンが、第１の方向に突出し、前記第２のピンが、第２の方向に突出し、前記第１の方向が、前記第２の方向に対して反対である、請求項９１に記載のシステム。
【請求項９３】
前記第１の接着剤が、第１のセクションおよび第２のセクションを備え、前記第１のセクションが、前記基部の前記第１の部分を前記皮膚に接着するように構成されるように、前記第１のセクションが前記基部の前記第１の部分に結合され、前記第２のセクションが、前記基部の前記第２の部分を前記皮膚に接着するように構成されるように、前記第２のセクションが前記基部の前記第２の部分に結合される、請求項９０〜９２のいずれかに記載のシステム。
【請求項９４】
前記ヒンジが、前記センサの前記一部分が、前記基部の前記第１および第２の部分の間に少なくとも部分的に閉じ込められる間、前記第１の接着剤の前記第１のセクションが前記第１の接着剤の前記第２のセクションに向かって面することを可能にするように構成される、請求項９３に記載のシステム。
【請求項９５】
前記システムが、前記ヒンジを回転させることに応じて、前記センサの前記一部分を屈曲させるように構成され、前記センサシステムが前記皮膚から取り外された後に、前記センサの前記一部分が、前記基部の前記第１および第２の部分の間で屈曲されて、前記センサの遠位先端部が組織を貫通することを防止する、請求項９０〜９４のいずれかに記載のシステム。
【請求項９６】
前記システムが、回転ばね付勢に応じて前記旋回角度を減少するように構成されるように、前記基部の前記第１の部分が、前記基部の前記第２の部分に対して回転方向にばね荷重される、請求項９０〜９５のいずれかに記載のシステム。
【請求項９７】
前記ねじりばねが、前記旋回角度を減少して、前記基部の前記第１および第２の部分の間に前記センサの前記一部分を配置するように構成されるように、前記ヒンジに結合されたねじりばねをさらに備える、請求項９０〜９６のいずれかに記載のシステム。
【請求項９８】
前記センサの少なくとも一部分を前記基部に向かって屈曲させるように構成された、さらなる接着部分であって、前記センサの遠位先端部が、前記基部と前記接着部分との間に位置付けられる、請求項３７に記載のシステム。
【請求項９９】
前記センサの少なくとも一部分を前記基部に対して折り畳むように構成された接着部分をさらに備える、請求項３７に記載のシステム。
【請求項１００】
前記シートが、前記センサシステムが前記皮膚から取り外された後に、前記センサの前記遠位先端部が組織を貫通することを防止するように、前記センサの遠位先端部を覆い、前記第１の接着剤に接着するシートをさらに備える、請求項３７に記載のシステム。
【請求項１０１】
前記シートが、柔軟であるように構成される、請求項１００に記載のシステム。
【請求項１０２】
前記第１の接着剤が、前記シートを前記基部に結合させる、請求項１００〜１０１のいずれかに記載のシステム。
【請求項１０３】
前記シートが、第１の状態を備え、該第１の状態において、前記シートが、折り畳まれ、前記遠位先端部に対して近位に位置付けられ、前記遠位先端部を覆わず、およびユーザが前記シートを展開することを可能にするように構成されたタブを形成する、請求項１００〜１０２のいずれかに記載のシステム。
【請求項１０４】
前記シートが、第２の状態を備え、該第２の状態において、前記シートが、前記第１の状態に対して少なくとも部分的に展開され、前記遠位先端部に対して少なくとも部分的に遠位に位置付けられ、および前記センサの前記遠位先端部は、前記シートと前記第１の接着剤との間に少なくとも部分的に閉じ込められる、請求項１０３に記載のシステム。
【請求項１０５】
前記シートが、柔軟シートであり、前記システムが、前記柔軟シートの第１の耐穿刺性よりも高い第２の耐穿刺性を有する第２のシートをさらに備え、前記第２のシートが、前記遠位先端部と前記柔軟シートとの間に位置付けられて、前記柔軟シートが前記遠位先端部によって穿刺されることから保護する、請求項１００に記載のシステム。
【請求項１０６】
前記第１および第２の耐穿刺性が、前記センサの遠位先端部を使用して測定される、請求項１０５に記載のシステム。
【請求項１０７】
前記第２のシートが、前記柔軟シートが前記遠位先端部の上に折り畳まれるときに、前記第２のシートが前記遠位先端部を変形するように構成されるように、前記柔軟シートに結合される、請求項１０５または１０６のいずれかに記載のシステム。
【請求項１０８】
前記センサの遠位先端部が、前記柔軟シートが前記センサの少なくとも一部分を屈曲位置に保持し、前記柔軟シートが前記第１の接着剤に接着されるように、柔軟シートと前記基部との間に少なくとも部分的に閉じ込められる、請求項３７に記載のシステム。
【請求項１０９】
前記柔軟シートが、第１の状態および第２の状態を備え、
前記第１の状態において、前記センサシステムが前記皮膚に結合されたときに、前記柔軟シートが前記第１の接着剤に対して近位に位置付けられ、
前記第２の状態において、前記センサの前記遠位先端部が前記柔軟シートと前記基部との間に少なくとも部分的に閉じ込められたときに、前記柔軟シートが前記第１の接着剤に対して遠位に位置付けられる、請求項１０８に記載のシステム。
【請求項１１０】
前記基部の前記遠位側部が、前記センサが前記ホストから取り外された後に、前記センサの遠位端部を受容するように構成されたスロットを備える、請求項３７に記載のシステム。
【請求項１１１】
前記センサの第１の部分が、前記センサの前記遠位端部が前記スロット内に位置付けられるように屈曲され、前記センサの前記遠位端部が、前記第１の接着剤に対して近位に位置付けられる、請求項１１０に記載のシステム。
【請求項１１２】
前記基部が、孔を備え、前記センサの第２の部分が、前記孔を通過し、前記スロットが、前記孔に直接結合され、前記スロットが、前記孔に対して垂直の±２０度以内に配向される、請求項１１１に記載のシステム。
【請求項１１３】
前記センサシステムが、第１の部分および第２の部分をさらに備え、前記第１の部分が、前記第１の接着剤を前記第２の部分に結合させ、前記第２の部分が、前記第１の部分に回転可能に結合され、前記センサシステムが、前記第１の部分に対して前記第２の部分を回転させることに応じて前記センサを格納するように構成される、請求項３７に記載のシステム。
【請求項１１４】
前記第２の部分が、近位方向に平行の±２０度以内で回転軸を中心に前記第１の部分に回転可能に結合される、請求項１１３に記載のシステム。
【請求項１１５】
前記基部が、前記第１の部分を備え、前記第２の部分が、前記伝送機を備える、請求項１１３または１１４のいずれかに記載のシステム。
【請求項１１６】
前記第１の部分と前記第２の部分との間の内部領域をさらに備え、前記内部領域が、前記第１の部分に対して前記第２の部分を回転させることで前記センサの少なくとも一部分を、前記基部の孔を通して、前記内部領域の中へ格納するように構成される、請求項１１３〜１１５のいずれかに記載のシステム。
【請求項１１７】
前記内部領域が、前記第１の部分に対して前記第２の部分を回転することで、前記内部領域を前記第１の部分および前記第２の部分のうちの少なくとも１つに対して移動させるように構成される、請求項１１６に記載のシステム。
【請求項１１８】
前記基部が、遠位に面する孔を備え、前記センサが、前記第２の部分に結合された近位部分、および前記基部の前記孔を通過する遠位部分を備える、請求項１１３〜１１７のいずれかに記載のシステム。
【請求項１１９】
ユーザが前記第１の部分に対して前記第２の部分を回転させるためのトラクションを提供するように構成された、近位に面するくぼみをさらに備える、請求項１１３〜１１８のいずれかに記載のシステム。
【請求項１２０】
ユーザが前記第１の部分に対して前記第２の部分を回転させるためのトラクションを提供するように構成された、近位に面する突起をさらに備える、請求項１１３〜１１８のいずれかに記載のシステム。
【請求項１２１】
前記センサの遠位先端部が前記カバーの内部領域内に位置付けられるように、前記基部に結合されたカバーをさらに備える、請求項３７に記載のシステム。
【請求項１２２】
前記センサの遠位端部が前記ホストに進入することを可能にするように構成された第１の状態を有し、かつ、前記センサが前記ホストから取り外された後に前記センサの前記遠位端部を覆うように構成された第２の状態を有する、伸長可能なカバーをさらに備える、請求項３７に記載のシステム。
【請求項１２３】
前記第１の状態が、収縮状態であり、前記第２の状態が、伸長状態である、請求項１２２に記載のシステム。
【請求項１２４】
前記カバーが、前記センサの一部分が位置付けられるチャネルを有するシースである、請求項１２２または１２３のいずれかに記載のシステム。
【請求項１２５】
前記シースが、柔軟なシースである、請求項１２４に記載のシステム。
【請求項１２６】
前記カバーが、前記チャネルに沿って巻き上げられる、請求項１２４または１２５のいずれかに記載のシステム。
【請求項１２７】
前記センサシステムが前記ホストから取り外されることに応じて、前記カバーが前記第１の状態から広げられるように構成されるように、前記第２の状態が緩和状態である、請求項１２２〜１２６のいずれかに記載のシステム。
【請求項１２８】
前記センサシステムが前記ホストから取り外されることに応じて、前記カバーが前記第１の状態から広げられるように構成されるように、前記第１の状態が前記第２の状態よりも高い貯蔵機械的エネルギーを有する、請求項１２７に記載のシステム。
【請求項１２９】
前記カバーが、前記カバーを前記第１の状態から前記第２の状態に移動させることを可能にするために少なくとも部分的に展開するように構成された、拡張可能な部分を備える、請求項１２２のシステム。
【請求項１３０】
前記拡張可能な部分が、ひだ状の折り畳み可能な部分を備える、請求項１２９のシステム。
【請求項１３１】
前記拡張可能な部分が、前記センサの第１の部分が位置付けられるチャネルを備える、請求項１２９または１３０のいずれかに記載のシステム。
【請求項１３２】
前記カバーが、前記第１の状態において前記センサの第２の部分が位置付けられる遠位孔を備える、請求項１２９〜１３１のいずれかに記載のシステム。
【請求項１３３】
前記センサシステムが前記ホストから取り外されることに応じて、前記拡張可能な部分が前記第１の状態から拡張するように構成されるように、前記第１の状態が、前記第２の状態よりも高い貯蔵機械的エネルギーを有する、請求項１２９〜１３２のいずれかに記載のシステム。
【請求項１３４】
前記センサシステムが前記ホストから取り外された後に、前記キャップが、前記遠位端部が人物を貫通することを防止するように構成されるように、前記センサの遠位端部を覆うキャップをさらに備える、請求項３７に記載のシステム。
【請求項１３５】
前記キャップが、前記基部の前記遠位側部に結合される、請求項１３４に記載のシステム。
【請求項１３６】
前記キャップが、第１の中心軸を有するチャネルを備え、前記基部が、第２の中心軸を有する孔を備え、前記センサの一部分が、前記孔を通過し、前記チャネルの中へ入る、請求項１３４または１３５のいずれかに記載のシステム。
【請求項１３７】
前記第１の中心軸が、前記第２の中心軸と平行の２０度以内である、請求項１３６に記載のシステム。
【請求項１３８】
前記チャネルの前記第１の中心軸が、前記基部の前記孔を通過する、請求項１３６または１３７のいずれかに記載のシステム。
【請求項１３９】
前記基部に結合されたキャップをさらに備え、前記キャップが、前記第１の接着剤の少なくとも大部分を覆い、さらに前記キャップが、前記センサシステムが前記ホストから取り外され、および前記キャップが前記基部に結合された後に、前記遠位端部が人物を貫通することを防止するように構成されるように、前記キャップが前記センサの遠位端部を覆う、請求項３７に記載のシステム。
【請求項１４０】
前記キャップが、前記センサシステムの外周部の少なくとも一部分を過ぎて近位に突出する側壁を備える、請求項１３９に記載のシステム。
【請求項１４１】
前記基部を前記センサカバーに結合させることに応じて、前記伝送機を前記基部から結合解除することを可能にするように構成されたセンサカバーをさらに備える、請求項３７に記載のシステム。
【請求項１４２】
前記基部を前記センサカバーに結合させることに応じて、前記伝送機を前記基部から係止解除するように構成されたセンサカバーをさらに備える、請求項３７に記載のシステム。
【請求項１４３】
前記伝送機が前記基部から係止解除されると、前記伝送機が前記基部から結合解除されるように構成される、請求項１４２に記載のシステム。
【請求項１４４】
内部領域および突起を有するセンサカバーをさらに備え、前記基部の少なくとも一部分が、前記センサの遠位端部が前記基部と前記センサカバーとの間に位置付けられるように、前記センサカバーの前記内部領域内に位置付けられる、請求項３７に記載のシステム。
【請求項１４５】
前記突起が、前記突起が前記基部から前記伝送機をラッチ係合解除するように、前記基部の孔内に位置付けられる、請求項１４４に記載のシステム。
【請求項１４６】
第１のフレックスアームおよび壁をさらに備え、前記第１のフレックスアームが、第１の状態を備え、該第１の状態において、前記第１のフレックスアームが前記壁と干渉して前記伝送機を前記基部に係止する、請求項１４４に記載のシステム。
【請求項１４７】
前記第１のフレックスアームが前記伝送機を前記基部に係止しないように、前記第１のフレックスアームが前記壁に干渉しない第２の状態において、前記基部を前記センサカバーに結合させることで突起に前記第１のフレックスアームを第２の状態に移動させるように構成されるように、前記センサカバーが突起を備える、請求項１４６に記載のシステム。
【請求項１４８】
前記基部が、前記第１のフレックスアームを前記第２の状態に偏向させるために前記突起の少なくとも一部分が入る孔を備える、請求項１４７に記載のシステム。
【請求項１４９】
前記センサカバーが、筐体および第２のフレックスアームを備え、前記筐体が、内部領域を備え、前記基部の少なくとも一部分が、前記筐体の前記内部領域の内側に位置付けられ、前記第２のフレックスアームが屈曲し、前記突起を移動させて、前記基部の前記一部分を前記筐体の前記内部領域に挿入することを容易にするように構成されるように、前記第２のフレックスアームが前記突起を前記筐体に結合させる、請求項１４７または１４８のいずれかに記載のシステム。
【請求項１５０】
前記第２のフレックスアームが、前記基部を前記センサカバーに結合させることに応じて遠位方向に移動するように構成され、前記第１のフレックスアームが、前記基部を前記センサカバーに結合させることに応じて近位方向に移動するように構成され、さらに前記センサの遠位端部が前記基部と前記センサカバーとの間に位置付けられるように、前記センサの一部分が、前記基部を前記センサカバーに結合させることに応じて屈曲される、請求項１４９に記載のシステム。
【請求項１５１】
前記センサカバーが、第１の側部および第２の側部を備え、前記第１の側部が、前記第２の側部に対して垂直の±３０度以内に配向され、前記第１の側部が、前記基部の前記一部分が挿入される第１の孔を備え、前記第２の側部が、前記伝送機の近位表面へのアクセスを提供して、前記伝送機を前記基部から取り外すことを容易にするように構成された第２の孔を備える、請求項１４９に記載のシステム。
【請求項１５２】
レールをさらに備え、前記レールが、前記基部を前記伝送機に摺動可能に結合する、請求項１４４〜１５１のいずれかに記載のシステム。
【請求項１５３】
前記基部を前記センサカバーに結合させることに応じて前記基部から前記伝送機をラッチ係合解除するように構成されたセンサカバー、および前記基部を前記伝送機にラッチ係合するように構成された第１のフレックスアームを備え、
前記センサカバーが、前記第１のフレックスアームを偏向させて、前記基部から前記伝送機をラッチ係合解除するように構成された第２のフレックスアームを備える、請求項３７に記載のシステム。
【請求項１５４】
前記センサカバーが、遠位に面する壁を備え、前記第２のフレックスアームの突起が前記基部の孔の中へ押圧されて、前記第１のフレックスアームを偏向するように、前記基部に結合された少なくとも一部分が、前記遠位に面する壁に対して押圧される、請求項１５３に記載のシステム。
【請求項１５５】
前記基部に結合された入れ子式アセンブリをさらに備え、前記入れ子式アセンブリが、遠位位置から近位位置まで移動して、前記センサの第２の部分を格納するように構成されるように、前記センサの少なくとも第１の部分が、前記入れ子式アセンブリの一部分と前記基部の遠位側部との間に位置付けられる、請求項３７のシステム。
【請求項１５６】
前記基部が、近位に面する開口部を有する内部チャネルを備え、前記入れ子式アセンブリが、前記内部チャネル内を前記遠位位置から前記近位位置まで少なくとも部分的に近位に移動するように構成されるように、前記入れ子式アセンブリが、前記内部チャネル内に少なくとも部分的に位置付けられる、請求項１５５に記載のシステム。
【請求項１５７】
前記入れ子式アセンブリが前記遠位位置にあるときに、前記センサの前記第１の部分が前記基部の前記内部チャネル内に位置付けられ、前記センサの前記第２の部分が前記基部に対して遠位に位置付けられ、
前記入れ子式アセンブリが前記近位位置にあるときに、前記センサの前記第１および第２の部分が前記基部の前記内部チャネル内に位置付けられる、請求項１５６に記載のシステム。
【請求項１５８】
前記入れ子式アセンブリが、第１のセクションおよび第２のセクションを備え、前記入れ子式アセンブリが、前記基部に対して入れ子にして、前記センサを格納するように構成されるように、前記第１のセクションが、前記第２のセクションに摺動可能に結合され、前記第２のセクションが、前記基部の内部チャネルに摺動可能に結合される、請求項１５５に記載のシステム。
【請求項１５９】
前記内部チャネルが、前記第２のセクションの第２のオーバーハングに干渉して、前記第２のセクションの少なくとも一部分を前記内部空間チャネル内に保持するように構成された第１のオーバーハングを備える、請求項１５８に記載のシステム。
【請求項１６０】
前記第２のセクションが、前記第１のセクションの第４のオーバーハングに干渉して、前記第１のセクションが前記第２のセクションに対して近位に移動することができる距離を制限するように構成された第３のオーバーハングを備える、請求項１５９に記載のシステム。
【請求項１６１】
ばねおよび係止機構をさらに備え、前記係止機構が、前記入れ子式アセンブリを前記遠位位置に固定するように構成され、前記係止機構が、前記基部の第１のオーバーハングおよび前記第１のセクションの第２のオーバーハングを備え、
前記第１および第２のオーバーハングが、前記基部に対する前記第１のセクションの第１の角度位置において、前記第１のオーバーハングが前記第２のオーバーハングに干渉して、前記基部に対する前記第１のセクションの近位進行を制限するように構成され、および、
前記基部に対する前記第１のセクションの第２の角度位置において、前記ばねが前記入れ子式アセンブリを前記近位位置まで押すように構成されるように、前記第１のオーバーハングが前記基部に対する前記第１のセクションの前記近位進行を制限しない、請求項１５８に記載のシステム。
【請求項１６２】
前記基部が、前記基部に対する前記第２のセクションの第１の近位進行を制限するように構成された第１のオーバーハングを備え、前記基部が、前記入れ子式アセンブリが前記遠位位置に保持されるよう前記第１のセクションの近位運動を妨げるように構成された第２のオーバーハングを備える、請求項１５８に記載のシステム。
【請求項１６３】
前記基部が、第１のチャネルを備え、前記第２のセクションが、前記第２のセクションに対する、および前記基部に対する前記第１のセクションの第２の角運動を可能にする間、前記第１のチャネルが、前記基部に対する前記第２のセクションの第１の角運動を制限するように、前記第２のセクションが、前記第１のチャネル内に位置付けられた半径方向外方の突起を備える、請求項１５８に記載のシステム。
【請求項１６４】
前記センサが、前記センサの皮下部分を前記センサの接続部分に導電的に結合させるコイルを備え、前記センサの前記接続部分が、前記基部の内側に位置付けられ、前記センサの前記皮下部分を前記センサシステムの通信モジュールに通信的に結合させる、請求項１５５に記載のシステム。
【請求項１６５】
前記近位位置において、前記センサの前記皮下部分が、前記センサの前記コイルの中心領域内に位置付けられる、請求項１６４に記載のシステム。
【請求項１６６】
前記センサの前記コイルが、付勢力を印加して、前記入れ子式アセンブリを前記近位位置の方に押す、請求項１６４に記載のシステム。
【請求項１６７】
前記基部に摺動可能に結合された筐体をさらに備え、前記筐体が遠位位置から前記近位位置まで移動して、前記センサの第２の部分を格納するように構成されるように、前記センサの少なくとも第１の部分が、前記筺体の一部分と前記基部の遠位側部との間に位置付けられる、請求項３７に記載のシステム。
【請求項１６８】
前記基部が、近位に面する開口部を有する内部チャネルを備え、前記筐体が前記内部チャネルにおいて前記遠位位置から前記近位位置まで少なくとも部分的に近位に移動して、前記センサの前記第２の部分を前記内部チャネルの中へ格納するように構成されるように、前記筐体が、前記内部チャネル内に少なくとも部分的に位置付けられる、請求項１６７に記載のシステム。
【請求項１６９】
前記センサが展開された後に、前記センサの遠位端部を前記基部の中へ格納するように構成されたばねをさらに備える、請求項３７、１６７、または１６８のいずれかに記載のシステム。
【請求項１７０】
前記基部に結合され、また、前記基部に対して近位に位置付けられたキャップをさらに備え、前記キャップを前記基部に対して近位に移動させることで、前記センサを格納するように、前記センサの第１の部分が前記キャップに結合される、請求項３７に記載のシステム。
【請求項１７１】
前記キャップが、遠位位置と近位位置との間で移動可能であり、前記遠位位置において、前記センサの第２の部分が前記基部に対して遠位に置付けられ、前記近位位置において、前記センサの前記第２の部分が前記基部に対して近位に位置付けられ、インターロックが、前記遠位位置において、前記キャップを取り外し可能に固定する、請求項１７０に記載のシステム。
【請求項１７２】
前記外周部の前記外側部分が、遠位に面する壁を提供して、ユーザが前記キャップを前記遠位位置から前記近位位置まで移動させるときに、前記ユーザが前記キャップを把持することを可能にするように、前記キャップの外周部の少なくとも一部分が、前記基部よりも前記第２の部分の中心軸に対して半径方向外方に遠くに突出する、請求項１７１に記載のシステム。
【請求項１７３】
前記キャップと前記基部とのリンケージをさらに備え、前記リンケージが、前記キャップが前記基部に対して近位に移動することができる距離を制限する、請求項１７１または１７２のいずれかに記載のシステム。
【請求項１７４】
前記リンケージが、拡張可能部分を備え、該拡張可能部分が、少なくとも部分的に展開し、前記キャップを前記遠位位置から前記近位位置まで移動させて、前記センサの前記第２の部分を前記ひだ状の拡張可能部分の中へ格納することを可能にするように構成される、請求項１７３に記載のシステム。
【請求項１７５】
前記拡張可能部分が、ベローズを備える、請求項１７３に記載のシステム。
【請求項１７６】
前記キャップが、前記伝送機を近位に移動させることで前記センサを格納するように、前記伝送機に結合される、請求項１６８〜１６５のいずれかに記載のシステム。
【請求項１７７】
前記システムが、前記システムの近位端部から前記基部の遠位側部に配向された中心軸を備え、前記センサの遠位部分が、前記遠位部分が前記システムの前記中心軸に対して垂直の±４５度以内に配向される緩和状態を備え、前記緩和状態が、前記遠位部分が人物を貫通する可能性を低減させるように構成される、請求項３７に記載のシステム。
【請求項１７８】
前記センサの前記遠位部分が、前記遠位部分が遠位に配向されるように、前記中心軸に平行の±２０度以内に配向された拘束状態を備え、前記拘束状態が、前記緩和状態よりも高い機械的エネルギーを有する、請求項１７７に記載のシステム。
【請求項１７９】
前記中心軸に平行の±２０度以内に配向されたチャネルをさらに備え、前記センサのセクションが、前記チャネルが前記センサの前記遠位部分を前記拘束状態に配向するように、前記チャネル内に位置付けられる、請求項１７８に記載のシステム。
【請求項１８０】
前記チャネルが、スロットを備え、前記センサの前記遠位部分の付勢が、前記センサの前記遠位部分を前記チャネル内で維持することを容易にするように構成されるように、前記センサの前記遠位部分が、前記スロットから離れて付勢される、請求項１７９に記載のシステム。
【請求項１８１】
前記チャネルを有する入れ子式アプリケータをさらに備え、前記アプリケータが、前記センサの前記遠位部分を前記拘束状態に配向するよう構成されるように、前記基部に取り外し可能に結合され、次いで、前記センサの前記遠位部分が前記緩和状態に進入することができるように、前記アプリケータが前記基部から結合解除されるように構成される、請求項１７９に記載のシステム。
【請求項１８２】
遠位部分および近位部分を有する入れ子式アプリケータをさらに備え、前記アプリケータの前記近位部分が、前記アプリケータの前記遠位部分に対して遠位に移動して、前記センサの前記遠位部分を前記皮膚の中へ挿入するように構成され、
前記アプリケータの前記遠位部分が、Ｃ字形状のチャネルを備え、前記センサのセクションが、前記Ｃ字形状のチャネルが前記センサの前記遠位部分を前記拘束状態に配向するように、前記Ｃ字形状のチャネル内に位置付けられ、前記アプリケータが、前記アプリケータの前記近位部分が前記Ｃ字形状のチャネルに対して遠位に移動して、前記センサの前記遠位部分を前記皮膚の中へ挿入するように構成される、請求項１７８に記載のシステム。
【請求項１８３】
前記センサが前記皮膚の中へ挿入されるときに、前記基部が前記Ｃ字形状のチャネルに対して、および前記アプリケータの前記遠位部分に対して遠位に移動するように構成されるように、前記基部が前記アプリケータの前記近位部分に結合される、請求項１８２に記載のシステム。
【請求項１８４】
前記センサの非軸方向力に抵抗するように構成された折り畳み可能な支持部材をさらに備える、請求項３７に記載のシステム。
【請求項１８５】
前記折り畳み可能な支持部材が、近位端部、遠位端部、および前記近位端部から前記遠位端部まで測定される長さを備え、前記システムが、前記センサが近位位置から遠位位置まで移動することに応じて、前記長さを低減させるように構成される、請求項１８４に記載のシステム。
【請求項１８６】
前記折り畳み可能な支持部材が、チャネルを備え、前記センサの一部分が、前記チャネルを通過し、前記チャネルが、前記センサが近位位置から遠位位置まで移動するときの前記センサの座屈力に抵抗するように構成される、請求項１８５に記載のシステム。
【請求項１８７】
前記折り畳み可能な支持部材が、チャネルを有する発泡体ブロックを備え、前記センサの一部分が、前記チャネルを通過する、請求項１８５に記載のシステム。
【請求項１８８】
前記折り畳み可能な支持部材が、チャネルを有するベローズを備え、前記センサの一部分が、前記チャネルを通過する、請求項１８５に記載のシステム。
【請求項１８９】
前記折り畳み可能な支持部材に結合されたタブをさらに備え、前記システムが、前記タブを作動させることで前記折り畳み可能な支持部材を折り畳むように、かつ前記センサの少なくとも一部分を前記基部に対して遠位に移動させるように構成される、請求項１８５〜１８８のいずれかに記載のシステム。
【請求項１９０】
前記基部に結合された発泡体および前記発泡体によって支持されるチャネルをさらに備え、前記センサの少なくとも一部分が、前記チャネル内に位置付けられる、請求項３７に記載のシステム。
【請求項１９１】
前記センサの前記一部分が、中心軸を備え、前記チャネルが、前記中心軸に対する前記センサの前記一部分の水平変位に抵抗するように構成され、前記発泡体が、前記システムが前記センサを近位位置から遠位位置まで移動させることに応じて圧縮するように構成される、請求項１９０に記載のシステム。
【請求項１９２】
前記基部が、遠位部分および近位部分を備え、前記システムが、前記システムが前記センサを近位位置から遠位位置まで移動させることに応じて圧縮するように構成された壁を有する、チャネルを備え、前記チャネルが、前記センサの一部分が前記チャネル内に位置付けられるように前記基部の前記遠位部分と前記近位部分との間に少なくとも部分的に位置付けられ、前記チャネルの前記壁が、前記センサの前記一部分の水平変位に抵抗するように構成される、請求項３７に記載のシステム。
【請求項１９３】
前記壁が、前記近位部分が前記基部の前記遠位部分に向かって遠位に移動することに応じて圧縮するように構成された発泡体を備える、請求項１９２に記載のシステム。
【請求項１９４】
前記壁が、第１の材料を有する近位セクションと、第２の材料を有する中間セクションと、第３の材料を有する遠位セクションと、を備える、請求項１９２または１９３のいずれかに記載のシステム。
【請求項１９５】
前記中間セクションが前記水平変位に抵抗するように構成されるように、前記第２の材料が、前記第１および第３の材料よりも剛性が高い、請求項１９４に記載のシステム。
【請求項１９６】
前記中間セクションが前記水平変位に抵抗するように構成されるように、前記第２の材料が、前記第１および第３の材料よりも硬い、請求項１９４または１９５のいずれかに記載のシステム。
【請求項１９７】
前記第２の材料が、前記第１および第３の材料よりも圧縮性が低い、請求項１９５または１９６のいずれかに記載のシステム。
【請求項１９８】
前記システムが前記センサを前記近位位置から前記遠位位置まで移動させることに応じて、前記基部の前記近位部分を前記基部の前記遠位部分に固定するように構成されたインターロックをさらに備える、請求項１９２〜１９７のいずれかに記載のシステム。
【請求項１９９】
前記基部に結合されたベローズをさらに備え、前記センサの少なくとも一部分が、前記ベローズの内部領域内に位置付けられる、請求項３７に記載のシステム。
【請求項２００】
前記センサの前記一部分が、中心軸を備え、前記ベローズが、前記中心軸に対して前記一部分の水平変位に抵抗するように構成され、前記ベローズが、前記システムが前記センサを近位位置から遠位位置まで移動させることに応じて圧縮するように構成される、請求項１９９に記載のシステム。
【請求項２０１】
前記基部に結合され、前記ベローズを圧縮状態に固定するように構成されたインターロックをさらに備える、請求項１９９または２００のいずれかに記載のシステム。
【請求項２０２】
前記基部の遠位部分および近位部分をさらに備え、前記ベローズが、前記遠位部分を前記近位部分に結合させ、前記システムが、前記取り外し可能な干渉部材が前記システムが前記センサを前記近位位置から前記遠位位置まで移動させることを阻止するように構成される、前記遠位部分と前記近位部分との間に位置付けられた取り外し可能な干渉部材をさらに備える、請求項１９９〜２０１のいずれかに記載のシステム。
【請求項２０３】
前記センサの少なくとも一部分が前記スロット内に位置付けられるように構成されたプルタブおよびスロットをさらに備え、前記システムが、前記プルタブを引っ張ることで前記システムに前記センサを近位位置から遠位位置まで移動させるように構成される、請求項３７に記載のシステム。
【請求項２０４】
前記プルタブを引っ張ることに応じて前記センサの前記一部分を遠位に押すように構成されるように、前記スロット内に位置付けられ、かつ前記プルタブに結合された順応性シートをさらに備える、請求項２０３に記載のシステム。
【請求項２０５】
前記基部に結合された筐体をさらに備え、前記筐体が、前記スロットを備え、かつ前記プルタブを引っ張ることに応じて前記順応性シートに前記センサの前記一部分を遠位に押させるように構成される、請求項２０４に記載のシステム。
【請求項２０６】
前記スロットが、前記センサの前記一部分が前記スロットを遠位に出て、前記ホストの皮下組織に進入することを可能にするように構成された、遠位に面する開口部を備える、請求項２０３〜２０５のいずれかに記載のシステム。
【請求項２０７】
前記センサの非軸方向力に抵抗するように構成された案内部材をさらに備える、請求項３７に記載のシステム。
【請求項２０８】
前記案内部材が、前記センサに解放可能に結合された係合特徴を備え、前記係合特徴が、前記センサが近位位置から遠位位置まで移動することに応じて前記センサから結合解除するように構成される、請求項２０７に記載のシステム。
【請求項２０９】
前記案内部材が、第１の部分および第２の部分を備え、前記案内部材の前記第１および第２の部分が、前記センサの座屈力に抵抗するように構成されるように、前記センサの少なくとも一部分が、前記案内部材の前記第１および第２の部分の間に位置付けられる、請求項２０７に記載のシステム。
【請求項２１０】
前記第１の部分が、前記システムが前記センサを近位位置から遠位位置まで移動させることに応じて、前記案内部材の前記第２の部分に対して移動するように構成される、請求項２０９に記載のシステム。
【請求項２１１】
前記案内部材が、前記第２の部分に対する前記第１の部分の変位が前記センサを前記近位位置から前記遠位位置まで移動させることを可能にするように構成される、請求項２１０に記載のシステム。
【請求項２１２】
前記センサの前記一部分が、中心軸を備え、前記第１および第２の部分が、チャネルを形成し、前記センサの前記一部分が、前記チャネル内に位置付けられ、前記チャネルが、前記中心軸に対して垂直な方向における前記センサの前記一部分の変位に抵抗するように構成される、請求項２０９に記載のシステム。
【請求項２１３】
前記システムが前記センサを近位位置から遠位位置まで移動させることに応じて、少なくとも部分的に分離するように構成される第１の側部および第２の側部を有するチャネルをさらに備える、請求項３７に記載のシステム。
【請求項２１４】
前記チャネルが少なくとも部分的に分離して、前記センサを前記近位位置から前記遠位位置まで移動させるように構成されるように、前記センサの一部分が、前記チャネル内に位置付けられる、請求項２１３に記載のシステム。
【請求項２１５】
前記センサの前記一部分が、中心軸を備え、前記チャネルが、前記中心軸に対して垂直な方向における前記センサの前記一部分の変位に抵抗するように構成される、請求項２１４に記載のシステム。
【請求項２１６】
前記センサが、前記基部に摺動可能に結合された筐体に結合され、前記システムが、前記筐体を遠位方向に対して垂直の±２０度以内の第１の方向に移動させることに応じて前記センサの一部分を前記基部の前記遠位側部から離れて移動させるように構成される、請求項３７に記載のシステム。
【請求項２１７】
前記基部に摺動可能に結合された筐体をさらに備え、前記基部が、湾曲および角度付きのうちの少なくとも１つであるチャネルを備え、前記センサの一部分が前記チャネル内に位置付けられ、前記チャネルが、前記筐体を前記基部に対して移動させることに応じて前記センサの前記一部分を偏向させて、前記一部分を遠位に再方向付けするように構成される、請求項３７に記載のシステム。
【請求項２１８】
第１のセクションおよび第２のセクションを有するセンサ経路をさらに備え、前記第１のセクションが、遠位方向に対して垂直の±２０度以内に配向され、前記第２のセクションは、前記遠位方向に平行の±４５度以内に配向され、前記システムが、前記センサを偏向させて、前記センサに前記センサ経路をたどらせるように構成される、請求項２１７に記載のシステム。
【請求項２１９】
前記基部が、第１の部分および第２の部分を備え、前記第１の部分が、前記第２の部分を前記皮膚に結合させるように構成され、前記第２の部分が、前記第１の部分に摺動可能に結合され、前記基部が、前記第２の部分が遠位方向に対して垂直の±２０度以内の第１の方向に移動することで、前記センサの遠位先端部を前記遠位方向に平行の±４５度以内の第２の方向に移動させるように構成される、請求項３７に記載のシステム。
【請求項２２０】
前記センサが、遠位セクションおよび近位セクションを備え、前記近位セクションが、前記基部の前記第２の部分に強固に結合され、前記遠位セクションが、前記基部の前記第１の部分のチャネルを通過する、請求項２１９に記載のシステム。
【請求項２２１】
前記チャネルが、前記センサの前記一部分が遠位に再方向付けされるように、前記センサの少なくとも一部分を偏向するように構成された半径を備える、請求項２２０に記載のシステム。
【請求項２２２】
前記センサが、グルコースセンサであり、前記第２の部分が前記伝送機を前記基部の前記第１の部分に摺動可能に結合するように、前記伝送機が前記基部の前記第２の部分に結合される、請求項２２１に記載のシステム。
【請求項２２３】
前記第２の部分を前記基部の前記第１の部分に摺動可能に結合する少なくとも１つのレールをさらに備える、請求項２２０〜２２２のいずれかに記載のシステム。
【請求項２２４】
前記基部に結合された取り外し可能なアプリケータをさらに備え、前記アプリケータが、前記センサの一部分が近位位置から遠位位置まで移動するときに、前記センサの前記一部分を湾曲経路に沿って案内するように構成された湾曲チャネルを備える、請求項３７に記載のシステム。
【請求項２２５】
前記アプリケータが、前記湾曲チャネルを通して前記湾曲経路に沿って前記センサの前記一部分を移動させるように構成された板ばねを備える、請求項２２４に記載のシステム。
【請求項２２６】
前記基部に結合された湾曲チャネルをさらに備え、前記センサの湾曲部分が、前記湾曲チャネル内に位置付けられ、前記湾曲チャネルが、前記システムが前記湾曲部分を前記近位位置から遠位位置まで移動させるときに、前記湾曲部分の座屈力に抵抗するように構成される、請求項３７に記載のシステム。
【請求項２２７】
前記湾曲部分を前記近位位置から前記遠位位置まで移動させるように構成された、さらにばねである、請求項２２６に記載のシステム。
【請求項２２８】
前記ばねが、撓曲状態の板ばねである、請求項２２７に記載のシステム。
【請求項２２９】
前記板ばねを前記撓曲状態で解放可能に保持するように構成されたインターロックをさらに備え、前記システムが、前記インターロックを解放することに応じて、前記湾曲部分を前記近位位置から前記遠位位置まで移動させるように構成される、請求項２２８に記載のシステム。
【請求項２３０】
前記インターロックに結合されたプルタブをさらに備え、前記システムが、前記プルタブを引っ張ることに応じて、前記ばねが前記湾曲部分を前記近位位置から前記遠位位置まで移動させることを可能にするために前記インターロックを係合解除するように構成される、請求項２２９に記載のシステム。
【請求項２３１】
前記湾曲チャネルを有する取り外し可能なアプリケータをさらに備え、前記アプリケータが、前記湾曲部分を前記近位位置から前記遠位位置まで移動させるのを容易にするように構成される、請求項２２６〜２３０のいずれかに記載のシステム。
【請求項２３２】
前記基部に結合された第１のアームおよび壁をさらに備え、前記システムが近位位置から遠位位置まで前記一部分を移動させるときに、前記第１のアームが前記センサの座屈力に抵抗するように構成されるように、前記センサの一部分が、前記第１のアームと前記壁の間に固定される、請求項３７に記載のシステム。
【請求項２３３】
前記第１のアームの少なくとも一部分が移動して、前記システムが前記センサの前記一部分を前記近位位置から前記遠位位置まで移動させることを可能にするように構成されるように、前記第１のアームが、前記基部に移動可能に結合される、請求項２３２に記載のシステム。
【請求項２３４】
前記第１のアームおよび前記壁のうちの少なくとも１つが、チャネルを形成し、前記チャネルが、前記座屈力に抵抗するように構成されるように、前記センサの前記一部分が、前記チャネル内に少なくとも部分的に位置付けられる、請求項２３２または２３３のいずれかに記載のシステム。
【請求項２３５】
前記第１のアームを前記壁から離れて移動させて、前記システムが前記センサの前記一部分を前記近位位置から前記遠位位置まで移動させることを可能にするように構成された、遠位突起をさらに備える、請求項２３２〜２３４のいずれかに記載のシステム。
【請求項２３６】
前記センサの前記一部分が、中心軸を備え、前記第１のアームが、前記中心軸に対して垂直の±４５度以内の方向に突出する、請求項２３２〜２３５のいずれかに記載のシステム。
【請求項２３７】
前記基部に結合された入れ子式アセンブリを有する取り外し可能なアプリケータをさらに備え、前記入れ子式アセンブリが、前記センサの第１のセクションの第１の座屈力に抵抗するように構成された第１の一組のトングを備える、請求項３７に記載のシステム。
【請求項２３８】
前記入れ子式アセンブリが、前記センサの第２のセクションの第２の座屈力に抵抗するように構成された第２の一組のトングを備え、前記入れ子式アセンブリが、前記第１の一組のトングの間の第１の領域の中へ、および前記第２の一組のトングの間の第２の領域の中へ遠位に移動して、前記第１および第２の一組のトングを拡張するように構成された遠位突起を備える、請求項２３７に記載のシステム。
【請求項２３９】
前記基部に結合され、一対の付勢部材を有する、取り外し可能なアプリケータをさらに備え、前記一対の付勢部材が、前記センサの座屈力に抵抗するように構成されるように、前記センサの一部分が、前記一対の付勢部材の間の領域内に位置付けられる、請求項３７に記載のシステム。
【請求項２４０】
前記一対の付勢部材が、前記センサの遠位端部が前記アプリケータの遠位端部に対して遠位に位置付けられる十分に遠位に前記一対の付勢部材を移動させることに応じて、前記一対の付勢部材が拡張することを可能にするように構成されたチャネルによって、圧縮状態で保持される、請求項２３９に記載のシステム。
【請求項２４１】
前記一対の付勢部材が、一組のトングを備える、請求項２３９または２４０のいずれかに記載のシステム。
【請求項２４２】
遠位に延在する第１のアームおよび第２のアームをさらに備え、前記第１および第２のアームが、前記センサの座屈力に抵抗するように構成されるように、前記センサの一部分が前記第１および第２のアームの間に位置付けられる、請求項３７に記載のシステム。
【請求項２４３】
前記第１および第２のアームが、前記システムのチャネル内に位置付けられ、前記チャネルが、前記第１および第２のアームを圧縮状態に保持する、請求項２４２に記載のシステム。
【請求項２４４】
前記チャネルが、前記第１および第２のアームを遠位に移動させることで前記第１および第２のアームを互いに離れて広げて、前記システムが前記センサの前記一部分を近位位置から遠位位置まで移動させることを容易にするように構成される、請求項２４３のシステム。
【請求項２４５】
遠位に延在し、閉状態を有するように構成された第１のアームおよび第２のアームをさらに備え、該閉状態において、前記第１および第２のアームが、前記第１および第２のアームの間に位置付けられた前記センサの一部分の座屈力に抵抗し、
前記第１および第２のアームが、前記システムが前記センサの前記一部分を近位位置から遠位位置まで移動させることを可能にするための開状態を有するように構成される、請求項３７に記載のシステム。
【請求項２４６】
前記基部に結合されたチューブをさらに備え、該チューブが、前記チューブの近位部分から前記チューブの遠位部分までスロットを有し、前記チューブが、前記センサの座屈力に抵抗するように構成され、前記スロットが、前記センサの第１の部分を前記チューブの外側に遠位に移動させ、一方で、前記センサの第２の部分を前記チューブの内側に遠位に移動させるように構成される、請求項３７に記載のシステム。
【請求項２４７】
前記基部に結合された取り外し可能なアプリケータをさらに備え、前記システムが、前記センサの遠位端部によって前記皮膚に穿孔するように前記基部を前記チューブに対して遠位に移動するように構成されるように、前記アプリケータが前記チューブを前記基部に結合させる、請求項２４６に記載のシステム。
【請求項２４８】
前記チューブが、前記スロットの第１の側部および前記スロットの第２の側部を備え、前記スロットの前記第１および第２の側部が、前記センサの前記第１の部分を遠位に移動させることに応じて折れて開くように構成されたリンケージによって共に結合される、請求項２４６または２４７のいずれかに記載のシステム。
【請求項２４９】
前記チューブが、チューブの中心軸に沿って測定したときに、少なくとも４ミリメートルの長さである請求項２４６〜２４８のいずれかに記載のシステム。
【請求項２５０】
前記センサの座屈力に抵抗するように構成されたチャネルを有するアプリケータをさらに備え、前記センサの遠位部分が、前記チャネルの内側に位置付けられ、前記センサの近位部分が、前記チャネルの外側に位置付けられ、前記センサの中間部分が、前記センサの前記遠位および近位部分を結合し、前記センサの前記中間部分が、前記チャネルのスロット内に位置付けられる、請求項３７に記載のシステム。
【請求項２５１】
前記スロットが、前記センサが近位位置から遠位位置まで移動するときに、前記センサの前記中間部分が前記スロットを通して遠位に移動することを可能にするように構成される、請求項２５０に記載のシステム。
【請求項２５２】
前記チャネルが、前記センサの前記遠位部分を前記皮膚に向かって案内するように構成されるように、前記チャネルが、遠位に配向された中心軸を備える、請求項２５１に記載のシステム。
【請求項２５３】
前記スロットが、前記中心軸から半径方向外方に配向される、請求項２５０〜２５２のいずれかに記載のシステム。
【請求項２５４】
前記スロットが、前記スロットの第１の側部を前記スロットの第２の側部に結合する少なくとも１つのリンケージを備え、前記少なくとも１つのリンケージが、前記スロットを通して前記センサの前記中間部分を遠位に移動させることに応じて折れるように構成される、請求項２５０〜２５３のいずれかに記載のシステム。
【請求項２５５】
前記スロットが、前記スロットを通して前記センサの前記中間部分を遠位に移動させることに応じて拡張するように構成される、請求項２５０〜２５４のいずれかに記載のシステム。
【請求項２５６】
前記基部に結合された入れ子式アセンブリをさらに備え、前記入れ子式アセンブリが、遠位部分、前記遠位部分に摺動可能に結合された近位部分、および前記近位部分と前記基部との間に圧縮されたばねを備え、前記ばねが、前記システムが前記基部を前記近位部分からラッチ係合解除することに応じて前記基部および前記センサを遠位に押すように構成されるように、前記近位部分が前記センサを第１の近位開始位置に解放可能に固定する、請求項３７に記載のシステム。
【請求項２５７】
前記近位部分が、前記基部を第２の近位初期位置に解放可能に固定するように構成されたラッチを備える、請求項２５６に記載のシステム。
【請求項２５８】
前記ラッチが、前記近位部分を前記遠位部分に対して遠位移動させて前記ばねが前記基部および前記センサを遠位に押すことを可能にすることに応じて、前記基部を解放するように構成される、請求項２５７に記載のシステム。
【請求項２５９】
前記センサが、第１の経路に沿って前記第１の近位開始位置から第１の遠位終了位置まで移動するように構成され、前記近位部分が、第２の経路に沿って第３の近位開始位置から第３の遠位終了位置まで移動するように構成され、前記センサの前記第１の経路が、前記近位部分の前記第２の経路よりも少なくとも４０パーセント長い、請求項２５７に記載のシステム。
【請求項２６０】
前記システムが、前記近位部分が前記第１の距離よりも少なくとも５０パーセント短い第２の距離だけ移動することに応じて、前記センサに第１の距離だけ移動させるように構成される、請求項２５９のシステム。
【請求項２６１】
前記近位部分が、前記遠位部分の孔を通過し、かつ前記センサを前記第１の近位開始位置に固定するよう前記基部に結合される内方突起を有する遠位突出アームを備える、請求項２５９に記載のシステム。
【請求項２６２】
前記システムが、前記近位部分を前記遠位部分に対して遠位に移動させることで、前記遠位突出アームを外方へ屈曲させ、前記内方突起を前記基部から解放して、前記ばねが前記センサの少なくとも一部分を前記皮膚の中へ押すことを可能にするように構成される、請求項２６１に記載のシステム。
【請求項２６３】
前記システムが、前記近位部分を第２の距離だけ移動させて前記基部をラッチ係合解除することに応じて、前記センサを第１の距離だけ移動させるように構成され、前記第１の距離が、前記システムが前記近位部分の第１の運動を前記センサのより大きい第２の運動に増大させるように構成されるように、前記第２の距離の少なくとも２倍の長さである、請求項２６１に記載のシステム。
【請求項２６４】
前記遠位部分が、前記ばねが前記基部を遠位に押すときに、前記基部を配向するように構成されたチャネルを備える、請求項２６１に記載のシステム。
【請求項２６５】
前記基部に回転可能に結合された第１の筐体、および前記第１の筐体の一部分と前記センサとの間に圧縮されたばねをさらに備え、前記システムが、前記センサを前記第１の筐体からラッチ係合解除して、前記ばねが、前記第１の筐体を前記基部に対して回転させることに応じて、前記センサを遠位に移動させることを可能にするように構成される、請求項３７に記載のシステム。
【請求項２６６】
前記第１の筐体が、第１の中心軸を備え、前記センサが、前記皮膚に穿孔するように構成された一部分を備え、前記一部分が、第２の中心軸を備え、前記第１の中心軸が、前記第２の中心軸に平行の±２０度以内に配向される、請求項２６５に記載のシステム。
【請求項２６７】
前記ばねが、遠位に拡張して前記センサを移動させるように構成された螺旋ばねおよび円錐ばねのうちの少なくとも１つを備える、請求項２６５または２６６に記載のシステム。
【請求項２６８】
前記ばねが、前記第１の筐体を前記基部に対して回転させることに応じて、前記第２の筐体および前記センサを前記基部および前記第１の筐体に対して遠位に押すように構成されるように、前記基部に回転可能に結合された第１の筐体、前記センサに結合された第２の筐体、および前記第１の筐体の近位端部と前記センサとの間に圧縮されたばねをさらに備える、請求項３７に記載のシステム。
【請求項２６９】
前記第２の筐体が、前記第１の筐体の内部領域内に位置付けられ、前記第１の接着剤が、前記基部を前記皮膚に固定して、前記第１の筐体が前記基部に対して、および前記第２の筐体に対して回転することを可能にするように構成される、請求項２６８に記載のシステム。
【請求項２７０】
前記第１の筐体が、第１の中心軸を備え、前記センサが、前記皮膚に穿孔するように構成された一部分を備え、前記一部分が、第２の中心軸を備え、前記第１の中心軸が、前記第２の中心軸に平行の±１０度以内に配向される、請求項２６９に記載のシステム。
【請求項２７１】
前記ばねが、前記第１の筐体を前記基部に対して回転させることに応じて拡張するように構成された円錐ばねを備える、請求項２６８に記載のシステム。
【請求項２７２】
前記第１の筐体と前記第２の筐体との間に機械的インターロックをさらに備え、前記センサが近位開始位置にあるように、前記機械的インターロックが前記ばねを圧縮状態に解放可能に保持するように構成される、請求項２６８に記載のシステム。
【請求項２７３】
前記機械的インターロックが、前記第２の筐体の第２の突起の遠位運動に干渉する前記第１の筐体の第１の突起を備える、請求項２７２に記載のシステム。
【請求項２７４】
前記機械的インターロックが、前記第１の突起が前記第２の突起に対して回転することで前記第２の突起が前記第１の突起から遠位に落ち、それによって、前記第２の筐体が前記第１の筐体に対して遠位に移動することを可能にするように構成される、請求項２７３のシステム。
【請求項２７５】
前記第１の突起が、半径方向外方に配向され、前記第２の突起が、半径方向内方に配向される、請求項２７３に記載のシステム。
【請求項２７６】
前記機械的インターロックが、前記第１の筐体が前記基部に対して回転することは前記リッジを前記溝の外に移動させるためのトルク閾値を克服することを必要とするように構成されるリッジおよび溝を備える、請求項２７２に記載のシステム。
【請求項２７７】
前記第２の筐体と前記基部との間のインターフェースが、前記第１の筐体の前記基部に対する回転中に前記第２の筐体の前記基部に対する回転を制限するように構成された、溝内に位置付けられたリッジを備える、請求項２６８に記載のシステム。
【請求項２７８】
前記インターフェースが、前記第２の筐体の近位部分から前記第２の筐体の遠位部分まで配向される、請求項２７７に記載のシステム。
【請求項２７９】
前記基部に結合された取り外し可能なアプリケータをさらに備え、前記アプリケータが、第１および第２の本体を遠位に押すように構成された回転筐体を備え、第２の接着剤が、前記基部を前記第１の本体に結合し、前記第１の本体が近位に移動して前記第１の本体を前記基部から結合解除する間、前記第２の本体が、前記基部を遠位位置に保持するように構成される、請求項３７に記載のシステム。
【請求項２８０】
前記回転筐体の回転運動を阻止するように構成された係止機構をさらに備え、前記システムが、前記回転筐体の直線移動に応じて前記係止機構を係合解除するように構成される、請求項２７９に記載のシステム。
【請求項２８１】
前記基部に結合された取り外し可能なアプリケータをさらに備え、前記アプリケータが、
第１の筐体と、
前記第１の筐体に回転可能に結合された第２の筐体と、
ねじりばねであって、前記ねじりばねが、前記第１の筐体に対して前記第２の筐体を回転させるように構成されるように、前記第１の筐体に結合された第１の部分および前記第２の筐体に結合された第２の部分を有する、ねじりばねと、
第１の本体であって、前記第１の本体が、前記第２の筐体が前記第１の筐体に対して回転することに応じて、前記センサを近位開始位置から遠位終了位置まで直線的に押すように構成されるように、前記第１の筐体に摺動可能に結合され、また、前記第２の筐体に結合される、第１の本体と、
第２の本体であって、前記第２の本体が、前記センサが前記遠位終了位置に到達した後に、前記システムが前記第１の本体を前記基部から結合解除するときに、前記センサの近位運動を阻止するように構成されるように、前記第１の筐体に摺動可能に結合され、また、前記第２の筐体に結合される、第２の本体と、
を備える、請求項３７に記載のシステム。
【請求項２８２】
前記第２の接着剤が、前記第１の本体を前記基部に結合させ、前記第１および第２の本体が、前記第２の筐体が前記第１の筐体に対して回転することに応じて、直線的かつ遠位に移動するように構成される、請求項２８１に記載のシステム。
【請求項２８３】
前記第２の本体が、前記第２の筐体の前記第１の筐体に対する回転が前記基部から前記第２の接着剤を結合解除して、前記第１の本体が前記基部に対して、および前記第２の本体に対して近位に移動することを可能にするときに、前記センサの前記近位運動を阻止するように構成される、請求項２８２に記載のシステム。
【請求項２８４】
前記第１の本体が、第１の線形チャネルに結合され、第１の突起が、前記第１の線形チャネルを前記第２の筐体に結合させ、前記第１の線形チャネルが、前記第２の筐体の前記第１の筐体に対する第１の回転運動が前記第１の本体の前記第１の筐体に対する第１の遠位直線運動を生じさせるように構成される、請求項２８２に記載のシステム。
【請求項２８５】
前記第２の本体が、湾曲部分を有する第２のチャネルに結合され、前記第１の突起が、前記第２のチャンネルを前記第２の筐体に結合させ、前記第２のチャンネルが、前記第１の筐体に対する前記第２の筐体の前記第１の回転運動が前記第１の筐体に対する前記第２の本体の第２の遠位直線運動を生じさせるように構成される、請求項２８２に記載のシステム。
【請求項２８６】
前記第２のチャネルの前記湾曲部分が、継続的な回転運動が前記第１の本体を近位に移動させることによって前記第２の接着剤を前記基部から結合解除するときに、前記センサが前記遠位終了位置に到達した後の前記第１の筐体に対する前記第２の筐体の前記継続的な回転運動が前記第２の本体の近位運動を生じさせないように構成される、請求項２８５に記載のシステム。
【請求項２８７】
前記第２の筐体が、第２の突起によって前記第１の筐体に結合され、該第２の突起を中心に、前記第２の筐体が前記第１の筐体に対して回転するように構成される、請求項２８１に記載のシステム。
【請求項２８８】
前記第２の筐体が前記第２の突起に沿って第１の位置から第２の位置まで移動するように構成されるように、前記第２の筐体が、前記第２の突起に摺動可能に結合される、請求項２８７に記載のシステム。
【請求項２８９】
前記第１の位置において、第３の突起が前記第１の筐体に対する前記第２の筐体の回転運動を阻止して、前記センサの遠位運動を妨げる、請求項２８８に記載のシステム。
【請求項２９０】
前記第１の筐体が、前記第２の筐体を前記第１の位置から前記第２の位置まで移動させるように構成されたボタンを備え、該第２の位置において、前記第２の筐体が前記第１の筐体に対して回転して、前記センサを遠位に移動させるように構成される、請求項２８９に記載のシステム。
【請求項２９１】
前記基部が、フレックスアームによって遠位部分に結合された近位部分を備える、請求項３７に記載のシステム。
【請求項２９２】
前記フレックスアームが、前記近位部分を前記遠位部分に対して遠位に移動させて前記センサの少なくとも一部分を前記皮膚の中へ挿入することに応じて、前記近位部分を前記遠位部分に対して回転させるように構成される、請求項２９１に記載のシステム。
【請求項２９３】
前記近位部分が、前記伝送機を前記遠位部分に結合させる、請求項２９１または２９２のいずれかに記載のシステム。
【請求項２９４】
前記フレックスアームが、少なくとも１つのリビングヒンジを備える、請求項２９１〜２９３のいずれかに記載のシステム。
【請求項２９５】
前記フレックスアームが、前記センサを遠位に移動させることに応じて、前記近位部分を前記遠位部分に対して回転させるように構成される、請求項２９４に記載のシステム。
【請求項２９６】
前記フレックスアームが、前記センサの遠位端部の周囲に離間配置される、請求項２９１〜２９５のいずれかに記載のシステム。
【請求項２９７】
前記フレックスアームが、前記遠位端部が近位開始位置から遠位終了位置まで移動するときに、前記遠位端部を回転させるように構成される、請求項２９６に記載のシステム。
【請求項２９８】
前記取り外し可能な干渉部材が、前記システムが前記センサを近位開始位置から遠位終了位置まで移動させることを阻止するように構成されるように、前記遠位部分と前記近位部分の間に位置付けられた取り外し可能な干渉部材をさらに備える、請求項２９１〜２９７のいずれかに記載のシステム。
【請求項２９９】
前記基部が、第１のアームおよび第２のアームによって遠位部分に結合された近位部分を備え、前記センサの遠位端部分が、中心軸を備え、前記第１のアームが、前記中心軸に対して垂直の±４５度の第１の角度で配向され、前記第２のアームが、前記中心軸に対して垂直の±４５度の第２の角度で配向される、請求項３７に記載のシステム。
【請求項３００】
前記第１および第２のアームが、前記センサの前記遠位端部分を近位開始位置から遠位終了位置まで移動させることに応じて、前記近位部分を前記遠位部分に対して回転させるように構成される、請求項２９９に記載のシステム。
【請求項３０１】
前記第２のアームが、前記第１のアームから離れて傾斜する、請求項２９９または３００のいずれかに記載のシステム。
【請求項３０２】
前記基部が、前記第２の部分を前記第１の部分に向かって枢動させることで前記センサを近位開始位置から遠位終了位置まで移動させるように構成されるように、ヒンジによって結合された第１の部分および第２の部分を備える、請求項３７に記載のシステム。
【請求項３０３】
前記第２の部分が、前記伝送機を前記第１の部分に結合し、前記第１の部分が、前記第１の接着剤を前記第２の部分に結合する、請求項３０２に記載のシステム。
【請求項３０４】
前記基部が、前記第１の部分と前記第２の部分との間の旋回角度を減少させることで、前記センサの遠位端部を前記基部の前記遠位側部の孔から移動させて、前記遠位端部が前記皮膚に穿孔することを容易にするように構成される、請求項３０２または３０３のいずれかに記載のシステム。
【請求項３０５】
前記システムが、前記旋回角度を減少させることに応じて、前記センサの一部分を前記第１および第２の部分の間の領域から前記基部の前記孔を通して遠位に移動させるように構成されるように、前記センサの近位セグメントが、前記第２の部分に結合される、請求項３０４に記載のシステム。
【請求項３０６】
前記基部が、左側半分および右側半分を備え、前記左側半分が、前記基部の前記孔を備え、前記右側半分が、前記ヒンジを備える、請求項３０４に記載のシステム。
【請求項３０７】
前記ヒンジが、スリーブに回転可能に結合されたピンを備え、前記スリーブが、前記第２の部分が前記第１の部分に対して回転するときに前記ピンを保持するように構成される、請求項３０２または３０４のいずれかに記載のシステム。
【請求項３０８】
前記第２の部分を前記第１の部分に対して枢動させることを容易にするように構成されたばねをさらに備える、請求項３０２に記載のシステム。
【請求項３０９】
前記ばねが、トルクを前記ヒンジの周りに印加するように構成されたねじりばねである、請求項３０８に記載のシステム。
【請求項３１０】
前記ばねが、トルクを前記ヒンジの周りに印加するように構成された板ばねである、請求項３０８に記載のシステム。
【請求項３１１】
前記基部に結合された取り外し可能なアプリケータをさらに備え、前記アプリケータが、
筐体と、
ヒンジ軸を有するヒンジによって前記筐体に回転可能に結合された第１の本体と、
前記ヒンジ軸を中心に前記筐体に回転可能に結合された第２の本体と、
前記第１の本体を第１の回転方向に回転させて、前記センサを近位開始位置から遠位終了位置まで移動させるように構成された第１のばねと、
前記第２の本体を前記第１の回転方向と反対の第２の回転方向に回転させるように構成された第２のばねと、
を備える、請求項３７に記載のシステム。
【請求項３１２】
前記第２の本体が、前記第１の本体が前記第１の回転方向に回転するときに、前記基部を前記筐体に結合するように構成される、請求項３１１に記載のシステム。
【請求項３１３】
前記第１の本体が、前記センサを前記遠位終了位置に保持するように構成され、一方で、前記第２の本体が、前記第２の回転方向に回転することによって前記基部を前記アプリケータから結合解除する、請求項３１１または３１２のいずれかに記載のシステム。
【請求項３１４】
前記第１の本体が、前記第２の本体および前記基部を前記第１の回転方向に移動させるように構成されるように、前記第２の本体を前記基部に解放可能に結合する第１の機械的インターロックをさらに備える、請求項３１１に記載のシステム。
【請求項３１５】
前記第１の本体が、前記基部と前記第２の本体との間に少なくとも部分的に位置付けられ、前記第１の機械的インターロックが、前記第１の本体を前記基部と前記第２の本体との間に少なくとも部分的に固定する、第３のフレックスアームを備える、請求項３１４に記載のシステム。
【請求項３１６】
前記機械的インターロックが、前記第１の本体が前記第２の本体を前記第１の回転方向に移動させることに応じて、前記基部から結合解除して、前記第２の本体が前記第２の回転方向に回転することを可能にするように構成される、請求項３１４または３１５のいずれかに記載のシステム。
【請求項３１７】
前記筐体が、前記第２の本体が第２の回転方向に回転する間に、前記筐体が前記第１の本体を遠位位置に保持するように構成された第２の機械的インターロックを備える、請求項３１６に記載のシステム。
【請求項３１８】
前記第２の機械的インターロックが、前記第１の本体の少なくとも一部分に結合させるように構成された第４のフレックスアームを備える、請求項３１７に記載のシステム。
【請求項３１９】
前記センサが前記近位開始位置にあるように、前記第１の本体を前記筐体に結合させる第５のフレックスアームをさらに備え、前記第５のフレックスアームが、前記第１のばねの回転力に抵抗するように構成される、請求項３１４に記載のシステム。
【請求項３２０】
前記第５のフレックスアームの一部分が、前記一部分が作動タブを備えるように前記筐体の外部から突出し、前記第５のフレックスアームが、前記作動タブを移動させることに応じて、前記筐体から結合解除して、前記第１の本体が回転することを可能にするように構成される、請求項３１９に記載のシステム。
【請求項３２１】
前記センサが、中心軸、および前記中心軸と一致する平面プロファイルを有する遠位端部分を備え、前記遠位端部分の前記平面プロファイルが、放物線状である、請求項３７に記載のシステム。
【請求項３２２】
前記センサの前記遠位端部分が、膜でコーティングされ、前記センサの前記遠位先端部が、前記皮膚に穿孔するように構成され、かつ、前記膜の剥離に抵抗するために丸みが付される、請求項３２１に記載のシステム。
【請求項３２３】
前記センサの前記遠位端部分が、膜でコーティングされ、前記放物線状の遠位端部分が、組織の外傷を低減させるために緩やかな直径の増加を提供するように、かつ、前記膜の剥離に抵抗するために湾曲した遠位先端部を提供するように構成される、請求項３２１に記載のシステム。
【請求項３２４】
前記放物線状の遠位端部分の傾斜が、線形微分を含む、請求項３２１〜３２３のいずれかに記載のシステム。
【請求項３２５】
前記センサのセグメントが、前記皮膚に挿入されるように構成され、また、第１の最大幅を備え、前記放物線状の遠位端部分が、前記第１の最大幅の少なくとも５０パーセントである第２の最大幅を備える、請求項３２１〜３２４のいずれかに記載のシステム。
【請求項３２６】
前記遠位端部分が、前記センサシステムがグルコース指示を測定することを可能にするように構成された膜によってコーティングされる、請求項３２４、３２４、または３２５のいずれかに記載のシステム。
【請求項３２７】
前記膜が、前記膜の平均厚さに対する変動が±３０パーセント未満である厚さを備える、請求項３２６に記載のシステム。
【請求項３２８】
前記放物線状の遠位端部分が、遠位セクションおよび近位セクションを備え、前記遠位セクションが、前記中心軸に対して第１の角度を備え、前記近位セクションが、前記中心軸に対して第２の角度を備え、前記第１の角度が、前記第１の角度が前記膜の剥離に抵抗するよう構成されるように前記第２の角度よりも少なくとも２倍大きく、前記第２の角度が、前記プロファイルの幅を緩やかに増加させるよう構成される、請求項３２６に記載のシステム。
【請求項３２９】
前記センサが、中心軸、および前記中心軸と一致する平面プロファイルを有する遠位端部分を備え、前記センサの前記遠位先端部が、前記平面プロファイルが第１の湾曲側部を第２の湾曲側部に結合させる湾曲遠位端部を備えるように、湾曲状にされる、請求項３７に記載のシステム。
【請求項３３０】
前記センサの前記遠位端部分が、膜でコーティングされ、前記湾曲遠位端部が、前記膜の剥離に抵抗するように構成される、請求項３２９に記載のシステム。
【請求項３３１】
前記第１および第２の湾曲側部が、剥離に抵抗するために前記遠位先端部の滑らかな移行を提供するように、および前記遠位先端部の第１の直径から前記遠位端部分の最大直径への緩やかな移行を提供するように構成される、請求項３３０に記載のシステム。
【請求項３３２】
前記センサが、導電コアおよび導電層を有するグルコースセンサであり、該導電コアおよび導電層が、システムが前記導電コアと前記導電層との間に電圧を印加してグルコース指示を測定することを可能にするように構成される、請求項３２１、３２９、３３５、３３７、３３９、３４５、３４９、３６０、３６１、３６２、３６３、３６５、３６９、３７１、または３７７のいずれかに記載のシステム。
【請求項３３３】
前記センサが、前記導電コアの第１のセクションの周囲に位置付けられた第１の電気絶縁層を備え、前記センサが、前記導電コアの第２のセクションの周囲に位置付けられた第２の電気絶縁層を備え、
前記導電層が、前記第１の絶縁層から半径方向外方に位置付けられ、前記第１の絶縁層が、前記第２の絶縁層から離間されて、前記システムが前記導電コアと前記導電層との間に前記電圧を印加することを可能にするように構成された隙間を形成する、請求項３３２に記載のシステム。
【請求項３３４】
前記センサが、前記導電コアの遠位端部を覆う電気絶縁キャップを備える、請求項３３３に記載のシステム。
【請求項３３５】
前記センサが、丸みのある遠位先端部を伴う円錐である遠位端部分を備える、請求項３７に記載のシステム。
【請求項３３６】
前記丸みのある遠位先端部が、前記遠位端部分をコーティングする膜の剥離に抵抗するように構成され、前記遠位端部分が、前記皮膚に穿孔することを容易にするために円錐である、請求項３３５に記載のシステム。
【請求項３３７】
前記センサが、鈍化させた先端部を伴う円錐である遠位端部分を備える、請求項３７に記載のシステム。
【請求項３３８】
前記鈍化させた先端部が、前記遠位端部分をコーティングする膜の剥離に抵抗するように構成され、前記遠位端部分が、前記皮膚に穿孔することを容易にするために円錐である、請求項３３７に記載のシステム。
【請求項３３９】
前記センサが、中心軸、および前記中心軸と一致する平面プロファイルを有する遠位端部分を備え、前記センサの遠位先端部が、前記平面プロファイルが第１の直線状の側部を第２の直線状の側部に結合させる湾曲遠位端部を備えるように、湾曲状にされる、請求項３７に記載のシステム。
【請求項３４０】
前記遠位先端部が前記膜の剥離に抵抗するように構成されるように、前記遠位端部分が膜によってコーティングされ、前記遠位先端部が湾曲状である、請求項３３９に記載のシステム。
【請求項３４１】
前記第１および第２の側部が、前記遠位端部分の直径を直線的に増加させて、前記遠位端部分を前記皮膚の中へ挿入することによって生じる組織の外傷を低減させるように構成されるように、前記第１および第２の側部が直線状である、請求項３４０に記載のシステム。
【請求項３４２】
前記湾曲遠位端部が、前記湾曲遠位端部をコーティングする膜の剥離に抵抗するのに十分大きく構成され、また、前記皮膚に穿孔することと関連付けられた患者の不快感を低減させるのに十分小さく構成されるように、前記湾曲遠位端部が、１０マイクロメートルを超え、かつ３５マイクロメートル未満である半径を備える、請求項３３９に記載のシステム。
【請求項３４３】
前記湾曲遠位端部が、膜の剥離に抵抗するのに十分大きく構成され、該膜が、前記湾曲遠位端部をコーティングし、また、前記皮膚に穿孔することと関連付けられた患者の不快感を低減させるのに十分小さく構成されるように、前記湾曲遠位端部が、１０マイクロメートルを超え、かつ３５マイクロメートル未満である最大幅を備える、請求項３３９に記載のシステム。
【請求項３４４】
前記角度が、前記皮膚に穿孔することと関連付けられた患者の不快感を低減させるように構成されるように、前記第１および第２の直線状側部の間の角度が、１５度を超え、かつ２５度未満である、請求項３３９に記載のシステム。
【請求項３４５】
前記センサが、中心軸、および前記中心軸と一致する平面プロファイルを有する遠位端部分を備え、
前記平面プロファイルが、第２の側部に結合された第１の側部を有する左側部分を備え、前記平面プロファイルが、第４の側部に結合された第３の側部を有する右側部分を備え、
前記端部分の近位セクションが、前記端部分の遠位セクションよりも緩やかな幅の増加を提供するように、前記第１の側部と前記第３の側部との間の第１の角度が、前記第２の側部と前記第４の側部との間の第２の角度よりも小さい、請求項３７に記載のシステム。
【請求項３４６】
前記第１、第２、第３、および第４の側部が、直線状である、請求項３４５のシステム。
【請求項３４７】
前記第２の側部を前記第４の側部に結合させる湾曲遠位端部をさらに備え、前記湾曲遠位端部が、前記センサの前記遠位端部分をコーティングする膜の剥離に抵抗するように構成される、請求項３４５または３４６のいずれかに記載のシステム。
【請求項３４８】
前記センサが、前記センサの前記遠位端部分をコーティングする膜を備えるグルコースセンサであり、前記遠位端部分が、前記膜の剥離に抵抗し、組織の外傷を低減させ、また、前記皮膚に穿孔することによって生じる患者の不快感を低減させるように構成される、請求項３４５〜３４７のいずれかに記載のシステム。
【請求項３４９】
前記第１のファセットが、前記皮膚に穿孔することを容易にするように構成されるように、前記センサが、中心軸、および前記中心軸に対して２５度未満の第１の角度で配向された第１のファセットを有する遠位端部分を備える、請求項３７に記載のシステム。
【請求項３５０】
前記センサの前記遠位端部分が、前記中心軸に対して２５度未満の第２の角度で配向された第２のファセットを備える、請求項３４９に記載のシステム。
【請求項３５１】
前記第１のファセットが、前記第２のファセットに対して第３の角度で配向され、前記第３の角度が、１０度を超え、かつ２５度未満である、請求項３５０に記載のシステム。
【請求項３５２】
前記第１および第２のファセットが、前記皮膚に穿孔することを容易にするように構成されたウェッジを形成する、請求項３５１に記載のシステム。
【請求項３５３】
前記センサの前記遠位端部分が、膜によってコーティングされ、前記丸みのあるリッジが、前記膜の剥離に抵抗するように構成されるように、丸みのあるリッジが、前記第１のファセットを前記第２のファセットに結合させる、請求項３５１に記載のシステム。
【請求項３５４】
前記センサの前記遠位端部分が、前記中心軸に対して２５度未満の第４の角度で配向された第３のファセットを備える、請求項３５０に記載のシステム。
【請求項３５５】
前記第１、第２、および第３のファセットが、前記皮膚に穿孔することを容易にするように構成された三角錐を形成する、請求項３５４に記載のシステム。
【請求項３５６】
前記センサの前記遠位端部分が、膜によってコーティングされ、前記三角錐が、前記膜の剥離に抵抗するように構成された丸みのある遠位先端部を備える、請求項３５５に記載のシステム。
【請求項３５７】
第１の丸みのあるリッジが、前記第１のファセットを前記第２のファセットに結合させ、第２の丸みのあるリッジが、前記第２のファセットを前記第３のファセットに結合させ、前記第１および第２の丸みのあるリッジが、前記センサの前記遠位端部分を前記ホストの中へ挿入することによって生じる組織の外傷を低減させるように構成される、請求項３５４に記載のシステム。
【請求項３５８】
前記センサの前記遠位端部分が、前記中心軸に対して２５度未満の第５の角度で配向された第４のファセットを備える、請求項３５４に記載のシステム。
【請求項３５９】
前記第１、第２、第３、および第４のファセットが、前記皮膚に穿孔することを容易にするように構成された四角錐を形成する、請求項３５８に記載のシステム。
【請求項３６０】
前記センサが、膜によってコーティングされた導電遠位端部分を備え、前記導電遠位端部分が、第１の段部に対する前記膜の近位運動に抵抗するように構成された前記第１の段部を備える、請求項３７に記載のシステム。
【請求項３６１】
前記センサが、前記膜によってコーティングされた遠位先端部を有する、テーパー付き端部セクションを備え、前記テーパー付き端部セクションが、第１の段部に対する前記膜の近位運動に抵抗するように構成された前記第１の段部を備える、請求項３７に記載のシステム。
【請求項３６２】
前記センサが、前記膜によってコーティングされ、遠位先端部を有する、テーパー付き端部セクションを備え、前記センサが、前記テーパー付き端部セクションの±１ミリメートル以内に位置付けられた第１の段部を備え、前記第１の段部が、前記第１の段部に対する前記膜の近位運動に抵抗するように構成される、請求項３７に記載のシステム。
【請求項３６３】
前記センサが、膜によってコーティングされ、第１の段部を備え、前記センサが、前記ホストの組織の中へ挿入するように構成された溝を備え、前記第１の段部が、前記溝に対して遠位に位置付けられ、前記第１の段部が、前記第１の段部に対する前記膜の近位運動に抵抗するように構成される、請求項３７に記載のシステム。
【請求項３６４】
前記第１の段部が、前記センサの前記一部分の中心軸に対して垂直の±２５度以内に配向された表面を備える、請求項３６０〜３６３のいずれかに記載のシステム。
【請求項３６５】
前記センサが、絶縁層によって第２の導電層から電気的に絶縁された第１の導電層を備え、前記導電遠位端部分が、前記ホストの組織を介して前記第２の導電層に導電的に結合されるように構成されるように、前記第１の導電層が、前記導電遠位端部分に導電的に結合される、請求項３６０〜３６４のいずれかに記載のシステム。
【請求項３６６】
前記センサが、膜によってコーティングされた一部分を備え、前記センサの前記一部分が、絶縁層によって第２の導電層から電気的に絶縁された第１の導電層を備え、前記第１の導電層が、前記ホストの組織を介して前記第２の導電層に電気的に結合されるように構成され、前記第１の導電層が、前記第２の導電層よりもさらに遠位に延在し、前記第１の導電層が、第１の段部に対する前記膜の近位運動に抵抗するように構成された前記第１の段部を備え、前記第１の段部が、前記第２の導電層よりもさらに遠位に位置付けられる、請求項３７に記載のシステム。
【請求項３６７】
前記センサの遠位部分が、第１の段部、および前記第１の段部に対して近位に離間配置された第２の段部を備え、前記センサの前記遠位部分が、膜によってコーティングされ、前記第１および第２の段部が、遠位に面し、前記第１の段部が、前記第１の段部に対する膜の近位運動に抵抗するように構成される、請求項３７に記載のシステム。
【請求項３６８】
前記第１の段部が、前記センサの前記一部分の中心軸に対して垂直の±２５度以内に配向された表面を備える、請求項３６６または３６７のいずれかに記載のシステム。
【請求項３６９】
前記第１の段部が、前記一センサの前記一部分の中心軸に対して垂直の±１５度以内に配向された表面を備える、請求項３６６または３６７のいずれかに記載のシステム。
【請求項３７０】
前記表面が、前記膜の近位運動に応じて前記膜内に圧縮力を生じさせることによって前記表面に対する前記膜の前記近位運動を妨げるように構成された、干渉特徴を構成する、請求項３６８または３６９のいずれかに記載のシステム。
【請求項３７１】
前記センサが、膜によってコーティングされた遠位端部分を備え、前記遠位端部分が、前記センサの導電コアと導電層との間に隙間を備え、前記隙間が、前記導電コアと前記導電層との間の皮下電流を可能にするように構成され、
前記遠位端部分が、前記隙間に対して遠位に位置付けられ、また、前記段部に対する前記膜の近位運動に抵抗するように構成された前記ステップを備える、請求項３７に記載のシステム。
【請求項３７２】
前記段部が、前記遠位端部分の中心軸に対して垂直の±２５度以内に配向された表面を備える、請求項３７１に記載のシステム。
【請求項３７３】
前記表面が、前記膜の近位運動に応じて前記膜内に圧縮力を生じさせることによって、前記表面に対する前記膜の近位運動を妨げるように構成された、干渉特徴を構成する、請求項３７２に記載のシステム。
【請求項３７４】
前記導電コアが、前記段部を備える、請求項３７１〜３７３のいずれかに記載のシステム。
【請求項３７５】
前記導電コアの周囲に位置付けられた絶縁層が、前記段部を形成する、請求項３７１〜３７３のいずれかに記載のシステム。
【請求項３７６】
前記遠位端部分が、前記皮膚に穿孔することを容易にするように構成されるように、前記遠位端部分が、丸みのある遠位先端部、放物線形状、円錐形状、ウェッジ形状、三角錐形状、および四角錐形状のうちの少なくとも１つを備える、請求項３７１〜３７５のいずれかに記載のシステム。
【請求項３７７】
前記センサが、膜によってコーティングされた遠位端部分を備え、
前記センサの前記遠位端部分が、中心軸、遠位先端部、および前記遠位先端部から近位に離れて離間配置された遠位に面する表面を備え、
前記遠位に面する表面が、前記機械的インターロックが前記遠位に面する表面に対する前記膜の近位運動を妨げるように構成されるように、前記膜との機械的インターロックを形成する、請求項３７に記載のシステム。
【請求項３７８】
前記センサが、導電コア、導電層、および前記導電層から前記導電コアを電気的に絶縁するように構成された絶縁層を備え、前記導電コアが、前記絶縁層よりもさらに遠位に延在して、前記導電コアと前記導電層との間に最短の導電経路を形成し、前記遠位に面する表面が、前記最短の導電経路に対して遠位に位置付けられる、請求項３７７に記載のシステム。
【請求項３７９】
前記センサが、前記システムが導電コアと導電層との間に電圧を印加して、分析物指示を測定することを可能にするように構成された、前記導電コアおよび前記導電層を備え、
前記センサが、前記導電コアの第１のセクションの周囲に位置付けられた第１の電気絶縁層、および前記導電コアの第２のセクションの周囲に位置付けられた第２の電気絶縁層を備え、
前記導電層が、前記第１の絶縁層から半径方向外方に位置付けられ、前記第１の絶縁層が、前記第２の絶縁層から離間されて、前記システムが前記導電コアと前記導電層との間に前記電圧を印加することを可能にするように構成された隙間を形成し、
前記遠位に面する表面が、前記隙間に対して遠位に位置付けられる、請求項３７７に記載のシステム。
【請求項３８０】
前記遠位に面する表面が、前記中心軸に対して垂直の±２０度以内に配向される、請求項３７７〜３７９のいずれかに記載のシステム。
【請求項３８１】
明細書および／または図面において実質的に示されるおよび／または説明されるシステム。
【請求項３８２】
明細書および／または図面において実質的に示されるおよび／または説明される方法。
【発明の詳細な説明】
【技術分野】
【０００１】
関連出願の参照による組み込み
出願データシートに特定されるありとあらゆる優先権の主張またはそれに対するあらゆる補正は米国特許法施行規則第１．５７条の下に参照により本明細書に組み込まれる。本出願は、２０１６年１０月３１日に出願された米国仮出願第６２／４１５４１９号の利益を主張する。前述の出願は、参照によりその全体が本明細書に組み込まれ、本明細書において明示的に本明細書の一部をなす。
【０００２】
本明細書で開示される様々な実施形態は、人物の分析物を測定することに関する。特定の実施形態は、経皮分析物測定システムを人物に適用するためのシステムおよび方法に関する。
【背景技術】
【０００３】
真性糖尿病は、膵臓が十分なインスリンを生成することができない（Ｉ型もしくはインスリン依存性）、かつ／またはインスリンが有効でない（２型もしくは非インスリン依存性）障害である。糖尿病状態において、罹患者は、高血糖を患い、これは、微小血管の劣化と関連する一連の生理学的障害、例えば、腎不全、皮膚潰瘍、または眼の硝子体への出血を生じさせ得る。低血糖反応（低血糖）は、インスリンの不注意な過剰摂取、またはインスリンもしくはグルコース低下剤の通常投薬後の極端な運動もしくは不十分な食物摂取によって誘発され得る。
【０００４】
従来的には、糖尿病を患う人物は、自己監視式血中グルコースモニタを担持し、これは、典型的に、不快な指穿刺法を要する。快適さおよび便利さの欠如のため、糖尿病を患う人物は、通常、１日に２〜４回グルコースレベルを測定するだけとなる。残念ながら、そのような時間間隔はあまりに離れて分散されるため、糖尿病を患う人物は、高血糖または低血糖状態を知るのが手遅れになる可能性があり、ときには危険な副作用を招く。グルコースレベルは、あるいは、皮膚上センサアセンブリを含むセンサシステムによって連続的に監視することができる。センサシステムは、測定データを受信機に伝送する伝送機を有することができ、該受信機は、測定値に基づいて、情報を処理し、表示することができる。
【０００５】
センサを人物に適用するプロセスは、そのようなシステムを効果的にし、かつユーザが利用し易くするために重要である。この適用プロセスは、センサアセンブリが、グルコースレベル情報を感知し、グルコースレベル情報を伝送機に通信し、そして、グルコースレベル情報を受信機に伝送することができる状態で、センサアセンブリを人物に取り付けることができるようになる。
【０００６】
分析物センサは、少なくとも部分的に皮下組織の中へ配置することができる。ユーザは、アプリケータを作動させて、分析物センサをその機能的場所に挿入することができる。この経皮挿入は、不完全なセンサ挿入、不適当なセンサ挿入、針の露出、および／または不必要な痛みにつながることがあり得る。したがって、いくつかの事例において、使い易く、かつ比較的痛みを少なくしながら、経皮センサの挿入および取り外しをより確実に可能にするシステムが有利であり得る。
【発明の概要】
【発明が解決しようとする課題】
【０００７】
本明細書で説明される種々のシステムおよび方法は、信頼性が高く、簡単で、痛みを最小にする分析物センサの経皮挿入を可能にする。
【課題を解決するための手段】
【０００８】
いくつかの実施形態は、皮膚上のセンサアセンブリを含む。いくつかの実施形態は、皮膚上のセンサアセンブリを人物の皮膚に適用するためのシステムを含む。センサは、分析物センサ、グルコースセンサ、本明細書で説明されるおよび／もしくは参照によって組み込まれる任意のセンサ、ならびに／または任意の他の適切なセンサとすることができる。
【０００９】
いくつかの実施形態において（すなわち、任意選択であり、また、本明細書で特定される態様および実施形態のいずれかと独立して組み合わせることができる）、分析物濃度を測定するためのセンサシステムは、ホストの皮膚に向かって面するように構成された遠位側部を有する基部と、基部に結合され、基部を皮膚に結合させるように構成された第１の接着剤と、基部に結合され、分析物測定データを伝送するように構成された伝送機と、基部に結合された経皮分析物測定センサと、センサの非軸方向力に抵抗するように構成された折り畳み可能な支持部材であって、折り畳み可能な支持部材が、チャネルを備え、センサの一部分が、チャネルを通過し、チャネルが、センサが近位位置から遠位位置まで移動するときのセンサの座屈力に抵抗するように構成される、折り畳み可能な支持部材と、を備える。
【００１０】
いくつかの実施形態において（すなわち、任意選択であり、また、本明細書で特定される態様および実施形態のいずれかと独立して組み合わせることができる）、分析物濃度を測定するためのセンサシステムは、ホストの皮膚に向かって面するように構成された遠位側部を有する基部と、基部に結合され、基部を皮膚に結合させるように構成された第１の接着剤と、基部に結合され、分析物測定データを伝送するように構成された伝送機と、基部に結合された経皮分析物測定センサと、を備え、センサは、基部を皮膚から取り外した後に、第１の接着剤または基部に対して屈曲されるように構成される。
【００１１】
いくつかの実施形態において（すなわち、任意選択であり、また、本明細書で特定される態様および実施形態のいずれかと独立して組み合わせることができる）、分析物濃度を測定するためのセンサシステムは、ホストの皮膚に向かって面するように構成された遠位側部を有する基部と、基部に結合され、基部を皮膚に結合させるように構成された第１の接着剤と、基部に結合され、分析物測定データを伝送するように構成された伝送機と、基部に結合された経皮分析物測定センサとを備える。
【００１２】
複数の実施形態において（すなわち、任意選択であり、また、本明細書で特定される態様および実施形態のいずれかと独立して組み合わせることができる）、基部は、センサの遠位先端部を基部の内部領域の中へ格納するように構成される。システムは、センサの遠位先端部を基部の内部領域の中へ格納するように構成されたばね（例えば、螺旋ばね、円錐ばね、圧縮ばね、引張ばね、板ばね、ねじりばね）を備えることができる。
【００１３】
いくつかの実施形態において、システムは、（例えば、センサが組織から取り外された後に）センサの遠位先端部を覆うように構成される。
【００１４】
複数の実施形態において、システムは、ラッチを備える。ラッチは、伝送機を基部に結合させるように構成された係止状態を備えることができる。ラッチはまた、基部から伝送機を取り外すことを可能にするように構成された係止解除状態も備えることができる。
【００１５】
いくつかの実施形態において、センサシステムは、皮膚からセンサシステムを取り外すことに応じて、センサの少なくとも一部分を容器の中へ格納するように構成される。センサは、格納可能な遠位先端部を備えることができる。基部は、遠位先端部の格納に応じて、遠位先端部を受容するように構成された内部領域を備える。システムは、遠位先端部を格納するように構成されたばねを備えることができる。ばねは、基部に結合させることができる。
【００１６】
複数の実施形態において、システムは、基部を皮膚に結合させるように構成された第１の接着剤を備える。システムは、基部に対して一部のセンサを屈曲および／または偏向させるように構成された第２の接着剤を備えることができる。
【００１７】
いくつかの実施形態において、センサは、基部に対して遠位に位置付けられたセクションを備える。セクションは、第１の部分および第２の部分を備えることができる。センサの第１の部分は、セクションの皮膚への挿入中に、第２の部分を直線構成に維持することを容易にするように構成することができる。センサの第１の部分は、生体内に位置付けられることに応じて軟化するように構成することができる。
【００１８】
複数の実施形態において、第１の部分は、挿入前の第１の耐座屈性、および生体内に位置付けられて１２時間〜４８時間後の第２の耐座屈性を備える。第２の耐座屈性は、第１の耐座屈性未満とすることができる。第２の耐座屈性は、第１の耐座屈性の少なくとも３０パーセントおよび／または少なくとも７０パーセント未満とすることができる。
【００１９】
いくつかの実施形態において、システムは、プルタブを含むプルタブシステムを備える。プルタブシステムは、プルタブを作動させることに応じてセンサを格納するように構成することができる。
【００２０】
複数の実施形態において、プルタブシステムは、チャネル、およびチャネルをプルタブに結合させる中間部分を備える。プルタブは、基部から離れて突出させることができる。センサの第１の部分は、チャネルを通過することができる。プルタブシステムは、プルタブを引っ張ることでチャネルを移動させて、センサを格納するように構成することができる。
【００２１】
いくつかの実施形態において、チャネルは、孔、スロット、フープ、フック、谷、および／または任意の適切な構造によって形成される。チャネルは、センサを押すおよび／または引っ張るように構成された壁によって形成することができる。チャネルは、一方の側部に開口して、（センサを、開口側部を通してチャネルの中へ挿入することを可能にすることによって）システムを組み立てることを容易にすることができる。
【００２２】
複数の実施形態において、基部は、第２の孔を備えることができる。センサの第２の部分は、第２の孔を通過することができる。プルタブシステムは、プルタブを引っ張ることで、センサの第２の部分を第２の孔からセンサシステムの内部領域の中へ引っ張ることによってセンサを格納するように構成することができる。
【００２３】
いくつかの実施形態において、プルタブシステムは、基部に摺動可能に結合され、よって、プルタブシステムは、皮膚から離れて配向される近位方向に対して垂直の２０度以内（例えば、±２０度以内）および／または４５度以内（例えば、±４５度以内）である第１の方向に摺動するように構成される。（プルタブシステムは、皮膚に向かって配向される遠位方向に対して垂直の±２０度以内および／または±４５度以内である方向に摺動するように構成することができる。）
【００２４】
複数の実施形態において、伝送機は、基部に摺動可能に結合され、よって、伝送機は、近位方向に対して垂直の±２０度以内および／または±４５度以内である第２の方向に摺動するように構成される。第２の方向は、第１の方向に平行の±２０度以内および／または±４５度以内とすることができる。
【００２５】
いくつかの実施形態において、システムは、押しボタンを有する押しボタンシステムを備える。押しボタンシステムは、ボタンを押すことに応じてセンサを格納するように構成することができる。押しボタンシステムの少なくとも一部分は、基部から離れて突出させることができる。押しボタンシステムは、押しボタンシステムの一部分を基部の中へ押圧することで、センサをセンサシステムの内部領域中へ引っ張るおよび／または押すセンサ格納フープまたはフックに係合するように構成することができる。
【００２６】
複数の実施形態において、押しボタンシステムは、チャネル、およびチャネルを押しボタンに結合させる中間部分を備える。押しボタンは、基部から離れて突出させることができる。センサの第１の部分は、チャネルを通過することができる。押しボタンシステムは、ボタンを押すことでチャネルを移動させて、センサを格納するように構成することができる。
【００２７】
いくつかの実施形態において、チャネルは、孔、スロット、および／またはフックによって形成される。チャネルは、センサを押すおよび／または引っ張るように構成された壁によって形成することができる。チャネルは、一方の側部に開口して、（センサを、開口側部を通してチャネルの中へ挿入することを可能にすることによって）システムを組み立てることを容易にすることができる。
【００２８】
複数の実施形態において、基部は、第２の孔を備える。センサの第２の部分は、第２の孔を通過することができる。押しボタンシステムは、センサの第３の部分をＵ字形状にすることによって、センサの第２の部分を第２の孔からセンサシステムの内部領域の中へ引っ張ることによってセンサを格納するように構成することができる。
【００２９】
いくつかの実施形態において、押しボタンシステムは、基部に摺動可能に結合され、よって、押しボタンシステムは、基部の遠位側部から離れて配向される近位方向に対して垂直の±２０度以内および／または±４５度以内である第１の方向に摺動するように構成される。
【００３０】
複数の実施形態において、伝送機は、基部に摺動可能に結合され、よって、伝送機は、近位方向に対して垂直の±２０度以内および／または±４５度以内である第２の方向に摺動するように構成される。第２の方向は、第１の方向に平行の±２０度以内および／または±４５度以内とすることができる。
【００３１】
いくつかの実施形態において、システムは、基部に摺動可能に結合されたばね付勢アームを備え、よって、皮膚からセンサシステムを取り外すことで、アームが基部に対して摺動することに応じてセンサを自動的に格納させる。基部は、第１の方向において皮膚に向かって面するように構成することができる。アームは、第１の方向に対して垂直の±２０度以内および／または±４５度以内である第２の方向に摺動するように構成することができる。センサの少なくとも一部分は、アームの一部分を通過することができ、よって、アームを第２の方向に移動させることで、アームの一部分に、センサをセンサシステムの内部領域（例えば、空洞）の中へ格納させる。
【００３２】
複数の実施形態において、システムは、独立した、または一体成型されたばねおよび（ピン等の）解放可能なインターロック機構を備える。ばねは、圧縮状態および伸長状態（例えば、引き伸ばし状態）のうちの少なくとも１つとすることができ、よって、インターロック特徴を移動させることで（例えば、解放ピンを取り外すことで）、ばねに、センサの少なくとも第１の部分を基部の中へ移動させる。
【００３３】
いくつかの実施形態において、システムは、基部に摺動可能に結合されたアームを備える。アームは、（例えば、孔、スロット、フープ、および／またはフックによって形成された）第１のチャネルを備えることができる。第１のチャネルは、基部の第２の孔と整列させることができ、よって、センサの第２の部分は、第１のチャネルおよび第２の孔を通過する。ばねは、基部の第１の壁とアームの第２の壁との間で圧縮および伸長（例えば、引き伸ばし）のうちの少なくとも１つとすることができる。インターロック特徴（例えば、解放ピン）は、基部の第３の孔を通過することができ、アームの一部分に干渉して、ばねがアームを移動させて、センサを格納することを防止することができる。
【００３４】
複数の実施形態において、インターロック機構（例えば、解放ピン）は、皮膚に適用するように構成された第２の接着剤を有する遠位面を備え、よって、基部を皮膚から取り外すことで、皮膚から第１の接着剤を結合解除するが、皮膚から第２の接着剤を結合解除せず、これは、第３の孔からインターロック特徴（例えば、解放ピン）を取り外させ、それによって、ばねがアームを移動させてセンサを格納することを可能にする。第１の接着剤および第２の接着剤は、２つの独立した接着部材とすることができ、または１つの接着剤の部品とすることができる。第１および第２の接着剤は、順応性接着裏当て部材によって結合させることができる。
【００３５】
いくつかの実施形態において、システムは、ばね付勢アームを備え、該ばね付勢アームは、基部に摺動可能に結合され、また、皮膚からセンサシステムを取り外すことでアームをセンサの第１の部分に接触させて、センサを屈曲させ、よって、センサの第２の部分がアームと基部との間に位置付けられるように構成される。
【００３６】
複数の実施形態において、基部は、第１の方向において皮膚に向かって面するように構成される。センサシステムは、第１の方向に対して垂直の±２０度以内および／または±４５度以内に配向されたばねを備えることができる。ばねは、センサシステムの内部領域内に位置付けることができ、また、アームにセンサの第１の部分と衝突させるように構成することができる。
【００３７】
いくつかの実施形態において、基部は、第１の方向において皮膚に向かって面するように構成される。アームは、第１の方向に対して垂直の±２０度以内である第２の方向に摺動させるように構成され、よって、センサの第２の部分が、第１の方向に対して垂直の±２０度以内に配向される。
【００３８】
複数の実施形態において、センサは、基部の孔を通過する。センサの第１の部分は、基部の孔に対して遠位に位置付けることができる。アームは、センサの第１の部分に向かってばね荷重することができる。アームは、センサの第１の部分に向かって突出する突起を備えることができ、よって、アームを摺動させることで突起をセンサの第１の部分と衝突させ、突起を基部の孔に対して直接遠位に位置付ける。
【００３９】
いくつかの実施形態において、アームの突起は、アームを皮膚に結合させるように構成された第２の接着剤を備え、よって、第２の接着剤は、アームがセンサを屈曲させない第１の位置でアームを保持する。皮膚から第２の接着剤を結合解除することで、アームにセンサを屈曲させることができ、よって、センサの第２の部分がアームと基部との間に位置付けられる。
【００４０】
複数の実施形態において、システムは、ヒンジによって基部に回転可能に結合されたアームを備える。ヒンジは、皮膚から基部を結合解除することでヒンジを回転させ、よって、アームが、センサの少なくとも第１の部分を屈曲させ、センサの少なくとも第２の部分を覆うように構成することができる。システムは、アームに結合されたばね（例えば、ねじりばね）を備えることができ、よって、ばねは、センサの第２の部分に向かう回転方向にアームを付勢する。
【００４１】
いくつかの実施形態において、ヒンジは、センサシステムの内部領域内に位置付けられる。アームは、センサの第２の部分を覆うように構成された一部分を備えることができる。センサシステムは、アームの一部分が内部領域内に位置付けられる第１の状態、およびアームの一部分が基部に対して遠位に位置付けられる第２の状態を備えることができる。
【００４２】
複数の実施形態において、センサシステムは、第１の部分および第２の部分を備える。第２の部分は、ヒンジによって第１の部分に結合され、該ヒンジは、第１の部分と第２の部分との間の旋回角度を増加または減少させることでセンサを格納するように構成される。
【００４３】
いくつかの実施形態において、システムは、ばね（例えば、螺旋ばね、圧縮ばね、引張ばね、板ばね、ねじりばね）を備える。ばねは、（例えば、トリガ機構および／または任意の適切な機構によって解放されると）旋回角度を増加または減少させるように構成することができる。
【００４４】
複数の実施形態において、ヒンジは、スリーブに回転可能に結合されたピンを備え、該スリーブは、第２の部分が第１の部分に対して回転するときにピンを保持するように構成される。
【００４５】
いくつかの実施形態において、基部は、第１の部分および第２の部分を備える。第１の部分は、第１の接着剤を第２の部分に結合させることができる。
【００４６】
複数の実施形態において、基部は、第１の部分を備える。第２の部分は、伝送機を備えることができる。
【００４７】
いくつかの実施形態において、センサの遠位部分は、基部の孔を通過する。センサの近位部分は、第２の部分に結合させることができ、よって、旋回角度を増加または減少させることで、センサの遠位部分を、基部の孔を通して、センサシステムの第１および第２の部分の間の領域の中へ格納する。
【００４８】
複数の実施形態において、基部は、左側半分および右側半分を備える。左側半分は、基部の孔を備えることができる。右側半分は、ヒンジの少なくとも一部分を備えることができる。
【００４９】
いくつかの実施形態において、第２の部分は、ユーザが、遠位に面する表面を把持して、第１の部分に対して第２の部分を回転させるように構成されたリフトタブを備える。リフトタブは、ヒンジから離れて突出する突起を備えることができる。
【００５０】
複数の実施形態において、基部は、第１の部分および第２の部分を備える。基部の第２の部分は、ヒンジによって基部の第１の部分に結合させることができ、該ヒンジは、基部の第１および第２の部分の間の旋回角度を減少させることで、センサの一部分を基部の第１および第２の部分の間に配置するように構成される。ヒンジは、第１の孔に回転可能に結合された第１のピンを備えることができ、該第１の孔は、基部の第１の部分が基部の第２の部分に対して回転するときに第１のピンを保持するように構成される。ヒンジは、第２の孔に回転可能に結合された第２のピンを備えることができ、該第２の孔は、基部の第１の部分が基部の第２の部分に対して回転するときに第２のピンを保持するように構成される。第１のピンは、第１の方向に突出させることができる。第２のピンは、第１の方向に対して反対である第２の方向に突出させることができる。
【００５１】
いくつかの実施形態において、第１の接着剤は、第１のセクションおよび第２のセクションを備える。第１のセクションは、基部の第１の部分に結合させることができ、よって、第１のセクションは、基部の第１の部分を皮膚に接着するように構成される。第２のセクションは、基部の第２の部分に結合させることができ、よって、第２のセクションは、基部の第２の部分を皮膚に接着するように構成される。ヒンジは、第１の接着剤の第１のセクションが第１の接着剤の第２のセクションに向かって面することを可能にするように構成することができ、一方で、センサの一部分は、基部の第１および第２の部分の間に少なくとも部分的に閉じ込められる。
【００５２】
複数の実施形態において、システムは、ヒンジを回転させることに応じて、センサの一部分を屈曲および／または偏向させるように構成される。センサシステムが皮膚から取り外された後に、センサの一部分は、基部の第１および第２の部分の間で屈曲されて、センサの遠位先端部が組織を貫通することから保護する。
【００５３】
いくつかの実施形態において、基部の第１の部分は、基部の第２の部分に対して回転方向にばね荷重され、よって、システムは、回転ばね付勢に応じて旋回角度を減少させるように構成される。システムは、ヒンジに結合されたねじりばねを備えることができ、よって、ねじりばねは、旋回角度を減少させて、基部の第１および第２の部分の間にセンサの一部分を配置するように構成される。
【００５４】
いくつかの実施形態において、システムは、センサの少なくとも一部分を基部に向かって屈曲させるように構成された接着部分を備える。センサの遠位先端部は、基部と接着部分との間に位置付けることができる。システムは、センサの少なくとも一部分を基部に対して折り畳むように構成された接着部分を備えることができる。
【００５５】
複数の実施形態において、システムは、センサの遠位先端部を覆い、第１の接着剤に接着する柔軟シートを備え、よって、センサシステムが皮膚から取り外された後に、柔軟シートは、センサの遠位先端部が組織を貫通することから保護する。
【００５６】
いくつかの実施形態において、第１の接着剤は、柔軟シートを基部に結合させる。柔軟シートは、第１の状態を備えることができ、該第１の状態において、柔軟シートは、折り畳まれ、遠位先端部に対して近位に位置付けられ、遠位先端部を覆わず、また、ユーザが柔軟シートを展開することを可能にするように構成されたタブを形成する。
【００５７】
複数の実施形態において、柔軟シートは、第２の状態を備え、該第２の状態において、柔軟シートは、第１の状態に対して少なくとも部分的に展開され、遠位先端部に対して少なくとも部分的に遠位に位置付けられ、また、センサの遠位先端部は、柔軟シートと第１の接着剤との間に少なくとも部分的に閉じ込められる。
【００５８】
いくつかの実施形態において、システムは、柔軟シートの第１の耐穿刺性よりも高い第２の耐穿刺性を有する第２のシートを備える。第２のシートは、遠位先端部と柔軟シートとの間に位置付けられて、柔軟シートが遠位先端部によって穿刺されることから保護することができる。第２のシートは、柔軟シートが遠位先端部の上に折り畳まれるときに第２のシートが遠位先端部を変形させるように、柔軟シートに結合させることができる。
【００５９】
いくつかの実施形態において、センサの遠位先端部は、柔軟シートと基部との間に少なくとも部分的に閉じ込められ、よって、柔軟シートがセンサの少なくとも一部分を屈曲位置に保持し、柔軟シートが第１の接着剤に接着される。
【００６０】
いくつかの実施形態において、柔軟シートは、第１の状態および第２の状態を備える。第１の状態において、センサシステムが皮膚に結合されたときに、柔軟シートは、第１の接着剤に対して近位に位置付けることができる。第２の状態において、センサの遠位先端部が柔軟シートと基部との間に少なくとも部分的に閉じ込められたときに、柔軟シートは、第１の接着剤に対して遠位に位置付けられることができる。
【００６１】
複数の実施形態において、基部の遠位側部は、センサがホストから取り外された後に、センサの遠位端部を受容するように構成されたスロットを備える。センサの第１の部分は、センサの遠位端部がスロット内に位置付けられるように、屈曲および／または偏向させることができる。センサが屈曲されると、センサの遠位端部は、第１の接着剤に対して近位に位置付けることができる。
【００６２】
複数の実施形態において、基部は、チャネル（例えば、孔）を備える。センサの第２の部分は、孔を通過することができる。スロットは、（例えば、孔およびスロットが流体連通するように）孔に直接結合させることができる。スロットは、孔の中心軸に対して垂直の±２０度以内に配向することができる。
【００６３】
いくつかの実施形態において、センサシステムは、第１の部分および第２の部分を備える。第１の部分は、第１の接着剤を第２の部分に結合させることができる。第２の部分は、近位方向に平行の±２０度以内である回転軸を中心に第１の部分に回転可能に結合させることができ、よって、センサシステムは、第１の部分に対して第２の部分を回転させることに応じて、センサを格納するように構成される。基部は、第１の部分を備えることができる。第２の部分は、伝送機を備えることができる。
【００６４】
複数の実施形態において、システムは、第１の部分と第２の部分との間の内部領域を備える。内部領域は、第１の部分に対して第２の部分を回転させることで第１の部分および第２の部分のうちの少なくとも１つに対して内部領域を移動させるように構成することができる。内部領域は、第１の部分に対して第２の部分を回転させることでセンサの少なくとも一部分を、基部の孔を通して、内部領域の中へ格納するように構成することができる。
【００６５】
いくつかの実施形態において、基部は、遠位に面する孔を備える。センサは、第２の部分に結合された近位部分、および基部の孔を通過する遠位部分を備えることができる。
【００６６】
複数の実施形態において、システムは、ユーザが第１の部分に対して第２の部分を回転させるためのトラクションを提供するように構成された、近位に面するくぼみを備える。システムは、ユーザが第１の部分に対して第２の部分を回転させるためのトラクションを提供するように構成された、近位突起を備えることができる。
【００６７】
いくつかの実施形態において、システムは、センサの遠位端部がホストに進入することを可能にするように構成された第１の状態を有し、また、センサがホストから取り外された後にセンサの遠位端部を覆うように構成された第２の状態を有する、伸長可能なカバーを備える。第１の状態は、収縮状態とすることができる。第２の状態は、伸長状態とすることができる。
【００６８】
複数の実施形態において、カバーは、センサの一部分が位置付けられるチャネルを有する柔軟なシースである。カバーは、チャネルに沿って巻き上げることができる。
【００６９】
いくつかの実施形態において、伸長状態は、緩和状態であり、よって、センサシステムがホストから取り外されることに応じてカバーが格納状態から広げられるように構成される。
【００７０】
複数の実施形態において、格納状態は、伸長状態よりも高い機械的エネルギーを貯蔵し、よって、センサシステムがホストから取り外されることに応じてカバーが格納状態から広げられるように構成される。
【００７１】
いくつかの実施形態において、カバーは、カバーを格納状態から伸長状態まで移動させることを可能にするために少なくとも部分的に展開するように構成されたベローズ（例えば、ひだ状の拡張可能な部分）を備える。ひだ状の拡張可能な部分は、センサの第１の部分が位置付けられるチャネルを備えることができる。拡張可能な部分は、ひだ状の折り畳み可能な部分を備えることができる。カバーは、格納状態においてセンサの第２の部分が通過する遠位孔を備えることができる。
【００７２】
複数の実施形態において、格納状態は、伸長状態よりも高い機械的エネルギーを貯蔵し、よって、センサシステムがホストから取り外されることに応じてひだ状の拡張可能な部分が格納状態から拡張するように構成される。
【００７３】
いくつかの実施形態において、システムは、センサの遠位端部を覆うキャップをさらに備え、よって、センサシステムがホストから取り外された後に、キャップは、遠位端部が人物を貫通することを防止するように構成され、キャップは、基部の遠位側部に結合される。
【００７４】
複数の実施形態において、キャップは、第１の中心軸を有するチャネルおよび／または空洞を備える。基部は、第２の中心軸を有する孔を備えることができる。センサの一部分は、孔を通過し、チャネルの中へ入ることができる。第１の中心軸は、第２の中心軸と平行の２０度以内とすることができる。チャネルの第１の中心軸は、（例えば、第１の中心軸がチャネルの近位端部を超えて延在するときに）基部の孔を通過することができる。
【００７５】
いくつかの実施形態において、システムは、基部に結合されたキャップを備える。キャップは、第１の接着剤の少なくとも大部分を覆うことができる。キャップは、センサの遠位端部を覆うことができ、よって、キャップは、センサシステムがホストから取り外され、そして、キャップが基部に結合された後に、遠位端部が人物を貫通することを防止するように構成される。キャップは、センサシステムの外周部の少なくとも一部分を過ぎて（および／または基部の外周部の少なくとも一部分を過ぎて）近位に突出する側壁を備えることができる。
【００７６】
複数の実施形態において、システムは、内部領域および突起を有するセンサカバーを備える。基部の少なくとも一部分は、センサの遠位端部が基部とセンサカバーとの間に位置付けられるように、センサカバーの内部領域内に位置付けることができる。突起は、突起が伝送機を基部からラッチ係合解除するように、基部の孔内に位置付けることができる。
【００７７】
いくつかの実施形態において、システムは、基部をセンサカバーに結合させることに応じて、伝送機を基部から係止解除するように構成されたセンサカバーを備える。センサカバーは、（例えば、伝送機を基部からラッチ係合解除することによって）基部をセンサカバーに結合させることに応じて、伝送機を基部から結合解除することを可能にするように構成することができる。伝送機は、伝送機が基部から係止解除されると、基部から結合解除されるように構成することができる。
【００７８】
複数の実施形態において、システムは、第１のフレックスアームおよび壁を備える。第１のフレックスアームは、第１の状態を備えることができ、該第１の状態において、第１のフレックスアームは、壁と干渉して、伝送機を基部に係止する。
【００７９】
いくつかの実施形態において、センサカバーは、突起を備え、該突起は、基部をセンサカバーに結合させることで突起に第１のフレックスアームを第２の状態に移動させるように構成され、該第２の状態において、第１のフレックスアームは、壁に干渉せず、よって、第１のフレックスアームは、伝送機を基部に係止しない。
【００８０】
複数の実施形態において、基部は、第１のフレックスアームを第２の状態に偏向させるために突起の少なくとも一部分が通過する孔を備える。
【００８１】
複数の実施形態において、センサカバーは、筐体および第２のフレックスアームを備える。筐体は、内部領域を備えることができる。基部の少なくとも一部分は、筐体の内部領域の内側に位置付けることができる。第２のフレックスアームは、突起を筐体に結合させることができ、よって、第２のフレックスアームは、屈曲し、突起を移動させて、基部の一部分を筐体の内部領域に挿入することを容易にするように構成される。
【００８２】
いくつかの実施形態において、第２のフレックスアームは、基部をセンサカバーに結合させることに応じて遠位方向に移動するように構成される。第１のフレックスアームは、基部をセンサカバーに結合させることに応じて近位方向に移動するように構成することができる。センサの一部分は、基部をセンサカバーに結合させることに応じて屈曲させることができ、よって、センサの遠位端部は、基部とセンサカバーとの間に位置付けられる。
【００８３】
複数の実施形態において、センサカバーは、第１の側部および第２の側部を備える。第１の側部は、第２の側部に対して垂直の±３０度以内に配向することができる。第１の側部は、基部の一部分が挿入される第１の孔を備えることができる。第２の側部は、伝送機の近位表面へのアクセスを提供して、伝送機を基部から取り外すことを容易にするように構成された第２の孔を備えることができる。
【００８４】
いくつかの実施形態において、システムは、レールを備える。レールは、基部を伝送機に摺動可能に結合させることができる。
【００８５】
複数の実施形態において、システムは、基部をセンサカバーに結合させることに応じて基部から伝送機をラッチ係合解除するように構成されたセンサカバーを備える。システムは、伝送機に基部をラッチ係合するように構成された第１のフレックスアームを備えることができる。センサカバーは、第１のフレックスアームを偏向させて、基部から伝送機をラッチ係合解除するように構成された第２のフレックスアームを備えることができる。
【００８６】
いくつかの実施形態において、センサカバーは、遠位に面する壁を備える。基部（例えば、基部の近位側部）に結合された少なくとも一部分は、遠位に面する壁に対して押圧することができ、よって、第２のフレックスアームの突起が基部の孔に押圧されて、第１のフレックスアームを偏向させる。
【００８７】
複数の実施形態において、システムは、基部に結合された入れ子式アセンブリを備える。センサの少なくとも第１の部分は、入れ子式アセンブリの一部分と基部の遠位側部との間に位置付けることができ、よって、入れ子式アセンブリは、遠位位置から近位位置まで移動して、センサの第２の部分をシステムの保護空洞の中へ格納するように構成される。
【００８８】
いくつかの実施形態において、基部は、近位に面する開口部を有する内部チャネルを備える。入れ子式アセンブリは、内部チャネル内に少なくとも部分的に位置付けることができ、よって、入れ子式アセンブリは、内部チャネル内を遠位位置から近位位置まで少なくとも部分的に近位に移動するように構成される。
【００８９】
複数の実施形態において、入れ子式アセンブリが遠位位置にあるときに、センサの第１の部分は、基部の内部チャネル内に位置付けることができ、センサの第２の部分は、基部に対して遠位に位置付けることができる。入れ子式アセンブリが近位位置にあるときに、センサの第１および第２の部分は、基部の内部チャネル内に位置付けることができる。
【００９０】
いくつかの実施形態において、入れ子式アセンブリは、第１のセクションおよび第２のセクションを備える。第１のセクションは、第２のセクションに摺動可能に結合させることができる。第２のセクションは、基部の内部チャネルに摺動可能に結合させることができ、よって、入れ子式アセンブリは、基部に対して入れ子にして、センサを格納するように構成される。
【００９１】
複数の実施形態において、内部チャネルは、（半径方向内方に配向することができる）第１のオーバーハングを備える。第１のオーバーハングは、（半径方向外方に配向することができる）第２のセクションの第２のオーバーハングに干渉して、第２のセクションの少なくとも一部分を内部チャネル内に保持するように構成することができる。
【００９２】
いくつかの実施形態において、第２のセクションは、（半径方向内方に配向することができる）第３のオーバーハングを備える。第３のオーバーハングは、（半径方向外方に配向することができる）第１のセクションの第４のオーバーハングに干渉して、第１のセクションが第２のセクションに対して近位に移動することができる距離を制限するように構成することができる。
【００９３】
複数の実施形態において、システムは、ばねおよび係止機構を備える。係止機構は、入れ子式アセンブリを遠位位置に固定する構成することができる。係止機構は、基部の第１のオーバーハングおよび第１のセクションの第２のオーバーハングを備えることができる。第１および第２のオーバーハングは、基部に対する第１のセクションの第１の角度位置において、第１のオーバーハングが第２のオーバーハングに干渉して、基部に対する第１のセクションの近位進行を制限するように構成することができる。いくつかの実施形態では、基部に対する第１のセクションの第２の角度位置において、第１のオーバーハングは、基部に対する第１のセクションの近位進行を制限せず、よって、ばねは、入れ子式アセンブリを近位位置の方に押す。
【００９４】
いくつかの実施形態において、基部は、基部に対する第２のセクションの第１の近位進行を制限するように構成された第１のオーバーハングを備える。基部は、入れ子式アセンブリが遠位位置に保持されるよう第１のセクションの近位運動を妨げるように構成された第２のオーバーハングを備えることができる。
【００９５】
複数の実施形態において、基部は、第１のチャネルを備える。第２のセクションは、第１のチャネル内に位置付けられた半径方向外方の突起を備えることができ、よって、第１のチャネルは、基部に対する第２のセクションの第１の角度運動を制限し、一方で、第２のセクションは、第２のセクションに対する、および基部に対する第１のセクションの第２の角度運動を可能にする。
【００９６】
いくつかの実施形態において、センサは、センサの皮下部分をセンサの接続部分に通信的に結合させる（および／または電気的に結合させる）変形可能な接続部を備える。センサの接続部分は、基部の内側に位置付けることができ、センサの皮下部分をセンサシステムの通信モジュールに通信的に結合させることができる。
【００９７】
複数の実施形態では、近位位置において、センサの皮下部分は、センサのコイル（例えば、変形可能な接続部）の中心領域内に位置付けることができる。多くの実施形態において、変形可能な接続部は、センサの皮下部分が変形可能な接続部の中心領域内に位置付けられないように構成される。
【００９８】
いくつかの実施形態において、センサの変形可能な接続部は、付勢力を印加しない。複数の実施形態において、センサのコイルは、付勢力を印加して、入れ子式アセンブリを近位位置の方に押すことができる。多くの実施形態において、ばねは、付勢力を印加する。
【００９９】
複数の実施形態において、システムは、基部に摺動可能に結合された筐体を備える。筐体は、基部に対して近位に移動して、センサを格納することができる。
【０１００】
いくつかの実施形態において、センサの少なくとも第１の部分は、筺体の一部分と基部の遠位側部との間に位置付けられ、よって、筐体は、遠位位置から近位位置まで移動して、センサの第２の部分を格納するように構成される。
【０１０１】
複数の実施形態において、基部は、近位に面する開口部を有する内部チャネルを備える。筐体は、内部チャネル内に少なくとも部分的に位置付けることができ、よって、筐体は、内部チャネルにおいて遠位位置から近位位置まで少なくとも部分的に近位に移動して、センサの第２の部分を内部チャネルの中へ格納するように構成される。
【０１０２】
いくつかの実施形態において、システムは、基部に結合され、また、基部に対して近位に位置付けられたキャップを備える。センサの第１の部分は、キャップに結合させることができる。システムは、基部に対してキャップを近位に移動させることでセンサを格納するように構成することができる。
【０１０３】
複数の実施形態において、キャップは、遠位位置と近位位置との間で移動可能である。遠位位置において、センサの第２の部分は、基部に対して遠位に位置付けることができる。近位位置において、センサの第２の部分は、基部に対して近位に位置付けることができる。インターロックは、遠位位置において、キャップを取り外し可能に固定することができる。
【０１０４】
いくつかの実施形態において、キャップの外周部の少なくとも一部分は、基部よりも（第２の部分の中心軸に対して）半径方向外方に遠くに突出し、よって、外周部の外側部分が、遠位に面する壁を提供して、ユーザがキャップを遠位位置から近位位置まで移動させるときに、ユーザがキャップを把持することを可能にする。
【０１０５】
複数の実施形態において、システムは、キャップと基部とのリンケージを備える。リンケージは、キャップが基部に対して近位に移動することができる距離を制限するように構成することができる。
【０１０６】
いくつかの実施形態において、リンケージは、折り畳み可能なひだ状の拡張可能部分を備え、該拡張可能部分は、少なくとも部分的に展開し、キャップを遠位位置から近位位置まで移動させて、センサの第２の部分をひだ状の拡張可能部分の中へ格納するように構成される。キャップは、伝送機を移動させることでセンサを近位に格納するように、伝送機に強固に結合させることができる。
【０１０７】
複数の実施形態において、センサシステムは、分析物指示を測定するように構成される。センサシステムは、ホストの皮膚に向かって面するように構成された遠位側部を有する基部と、基部に結合され、基部を皮膚に結合させるように構成された第１の接着剤と、基部に結合され、分析物測定データを伝送するように構成された伝送機と、基部に結合された経皮分析物測定センサと、を備えることができる。
【０１０８】
いくつかの実施形態において、システムは、センサの非軸方向力に抵抗するように構成された折り畳み可能な支持部材を備える。折り畳み可能な支持部材は、近位端部、遠位端部、および近位端部から遠位端部まで測定される長さを備えることができる。システムは、センサが近位位置から遠位位置まで移動することに応じて、長さを低減させるように構成することができる。
【０１０９】
複数の実施形態において、折り畳み可能な支持部材は、チャネルを備える。センサの少なくとも一部分は、チャネルを通過することができる。チャネルは、センサが近位位置から遠位位置まで移動するときのセンサの座屈力に抵抗するように構成することができる。
【０１１０】
いくつかの実施形態において、折り畳み可能な支持部材は、チャネルを有する発泡体ブロックを備える。センサの少なくとも一部分は、チャネルを通過することができる。
【０１１１】
複数の実施形態において、折り畳み可能な支持部材は、チャネルを有するベローズを備える。センサの一部分は、チャネルを通過する。
【０１１２】
いくつかの実施形態において、システムは、折り畳み可能な支持部材に結合されたタブを備える。システムは、タブを作動させる（例えば、引っ張る、押す、移動させる、押圧する）ことで折り畳み可能な支持部材を折り畳ませ、また、センサの少なくとも一部分を基部に対して遠位に移動させるように構成することができる。
【０１１３】
複数の実施形態において、システムは、基部結合された発泡体部分（例えば、発泡体ブロック）および発泡体部分によって機械的に支持されるチャネルを備える。センサの少なくとも一部分は、チャネル内に位置付けることができる。センサの一部分は、中心軸を備えることができる。チャネルは、中心軸に対するセンサの部分の水平変位に抵抗するように構成することができる。発泡体部分は、システムがセンサを近位位置（例えば、近位開始位置）から遠位位置（例えば、遠位終了位置）まで移動させることに応じて圧縮するように構成することができる。
【０１１４】
いくつかの実施形態において、基部は、遠位部分および近位部分を備える。システムは、システムがセンサを近位位置から遠位位置まで移動させることに応じて圧縮するように構成された壁を有するチャネルを備えることができる。チャネルは、基部の遠位部分と近位部分との間に少なくとも部分的に位置付けることができ、よって、センサの一部分は、チャネル内に位置付けられる。チャネルの壁は、センサの一部分の水平変位に抵抗するように構成することができる。
【０１１５】
複数の実施形態において、壁は、近位部分が基部の遠位部分に向かって遠位に移動することに応じて圧縮するように構成された発泡体を備える。壁は、発泡体以外の折り畳み可能な構造および／または圧縮性材料から作製することができる。
【０１１６】
いくつかの実施形態において、壁は、第１の材料を有する近位セクション、第２の材料を有する中間セクション、および第３の材料を有する遠位セクションを備える。第２の材料は、第１および第３の材料も剛性が高く、よって、中間セクションは、水平変位に抵抗するように構成される。第２の材料は、第１および第３の材料よりも硬く、よって、中間セクションは、水平変位に抵抗するように構成される。第２の材料は、第１および第３の材料よりも圧縮性を低くすることができる。
【０１１７】
複数の実施形態において、システムは、システムがセンサを近位位置から遠位位置まで移動させることに応じて、基部の近位部分を基部の遠位部分に固定するように構成されたインターロック（例えば、機械的インターロック）を備える。
【０１１８】
いくつかの実施形態において、システムは、基部に結合されたベローズを備える。センサの少なくとも一部分は、ベローズの内部領域内に位置付けることができる。センサの一部分は、中心軸を備えることができる。ベローズは、中心軸に対して一部分の水平変位に抵抗するように構成することができる。ベローズは、システムがセンサを近位位置から遠位位置まで移動させることに応じて圧縮するように構成することができる。
【０１１９】
複数の実施形態において、システムは、基部に結合され、ベローズを圧縮状態に固定するように構成されるインターロックを備える。インターロックは、アンダーカットによって形成されたスナップ嵌めとすることができる。
【０１２０】
いくつかの実施形態において、システムは、基部の近位部分および遠位部分を備える。ベローズは、遠位部分を近位部分に結合させることができる。システムは、遠位部分と近位部分との間に位置付けられた取り外し可能な干渉部材（例えば、安全部材）を備えることができ、よって、取り外し可能な干渉部材は、システムがセンサを近位位置（例えば、近位開始位置）から遠位位置（例えば、遠位終了位置）まで移動させることを阻止するように構成される。
【０１２１】
複数の実施形態において、システムは、センサの少なくとも一部分がスロット内に位置付けられるように構成されたプルタブおよびスロットを備える。システムは、プルタブを引っ張ることでシステムにセンサを近位位置から遠位位置まで移動させるように構成することができる。
【０１２２】
いくつかの実施形態において、システムは、スロット内に位置付けられ、また、プルタブに結合された順応性シートを備え、よって、順応性シートは、プルタブを作動させる（例えば、引っ張る）ことに応じてセンサの一部分を遠位に移動させる（例えば、押す、引っ張る）ように構成される。
【０１２３】
複数の実施形態において、システムは、基部に結合された筐体を備える。筐体は、スロットを備えることができ、また、プルタブを引っ張ることに応じて順応性シートにセンサの一部分を遠位に押させるように構成することができる。スロットは、センサの一部分がスロットを遠位に出て、ホストの皮下組織に進入することを可能にするように構成された、遠位に面する開口部を備えることができる。
【０１２４】
いくつかの実施形態において、システムは、センサの非軸方向力に抵抗するように構成された案内部材を備える。案内部材は、センサに解放可能に結合された係合特徴を備えることができる。係合特徴は、センサが近位位置から遠位位置まで移動することに応じてセンサから結合解除するように構成することができる。
【０１２５】
複数の実施形態において、案内部材は、第１の部分および第２の部分を備える。センサの少なくとも一部分は、案内部材の第１および第２の部分の間に位置付けることができ、よって、案内部材の第１および第２の部分は、センサの座屈力に抵抗するように構成される。
【０１２６】
いくつかの実施形態において、第１の部分は、システムがセンサを近位位置から遠位位置まで移動させていることに応じて、案内部材が第２の部分に対して移動するように構成することができる。案内部材は、第２の部分に対する第１の部分の変位がセンサを近位位置から遠位位置まで移動させることを可能にするように構成することができる。
【０１２７】
複数の実施形態において、センサの一部分（すなわち、案内部材の第１および第２の部分の間に位置付けられる）は、中心軸を備える。案内部材の第１および第２の部分は、チャネルを形成することができる。センサの一部分は、チャネル内に位置付けることができる。チャネルは、中心軸に対して垂直な方向におけるセンサの一部分の変位に抵抗するように構成することができる。
【０１２８】
いくつかの実施形態において、システムは、第１の側部および第２の側部を有するチャネルを備え、該第１の側部および第２の側部は、システムがセンサを近位位置から遠位位置まで移動させることに応じて少なくとも部分的に分離するように構成される。センサの一部分は、チャネル内に位置付けることができ、よって、チャネルは、少なくとも部分的に分離して、センサを近位位置から遠位位置まで移動させるように構成される。センサの一部分は、中心軸を備えることができる。チャネルは、中心軸に対して垂直な方向におけるセンサの一部分の変位に抵抗するように構成することができる。
【０１２９】
複数の実施形態において、センサは、基部に摺動可能に結合された筐体に結合される。システムは、筐体を遠位方向に対して垂直の±２０度以内および／または±４５度以内の第１の方向に移動させることに応じて、センサの一部分を基部の遠位側部から離れて移動させるように構成することができる。
【０１３０】
いくつかの実施形態において、システムは、基部に摺動可能に結合された筐体を備える。基部は、湾曲チャネルおよび／または遠位方向に平行の±４５度以内の角度で配向されたチャネルを備えることができる。センサの一部分は、チャネル内に位置付けることができる。チャネルは、筐体を基部に対して移動させることに応じて、センサの一部分を偏向させて、一部分を遠位に再方向付けするように構成することができる。
【０１３１】
複数の実施形態において、センサ経路は、第１のセクションおよび第２のセクションを有する。第１のセクションは、遠位方向に対して垂直の±２０度以内および／または遠位方向に対して垂直の±４５度以内に配向することができる。第２のセクションは、遠位方向に平行の±４５度以内に配向することができる。システムは、センサを偏向させて、センサにセンサ経路をたどらせるように構成することができ、よって、チャネルは、センサをホストの皮膚に向かって再方向付けする。
【０１３２】
いくつかの実施形態において、基部は、第１の部分および第２の部分を備える。第１の部分は、第２の部分を皮膚に結合させるように構成することができる。第２の部分は、第１の部分に摺動可能に結合させることができる。基部は、第２の部分が遠位方向に対して垂直の±２０度以内の（および／または遠位方向に対して垂直の±４５度以内の）第１の方向に移動することで、センサの遠位先端部を遠位方向に平行の±４５度以内の第２の方向に移動させるように構成することができる。
【０１３３】
複数の実施形態において、センサは、遠位セクションおよび近位セクションを備える。近位セクションは、基部の第２の部分に強固に結合させることができる。遠位セクションは、基部の第１の部分のチャネルを通過することができる。チャネルは、センサの少なくとも一部分を偏向させ、よって、センサの一部分がホストの皮膚に向かって遠位に再方向付けされるように構成された半径を備えることができる。
【０１３４】
いくつかの実施形態において、センサは、グルコースセンサならびに／または本明細書で説明されるおよび／もしくは参照によって組み込まれる任意のタイプのセンサである。伝送機は、基部の第２の部分に結合させることができ、よって、第２の部分は、伝送機を基部の第１の部分に摺動可能に結合させる。システムは、第２の部分を基部の第１の部分に摺動可能に結合する少なくとも１つのレールを備えることができる。
【０１３５】
複数の実施形態において、システムは、基部に結合された取り外し可能なアプリケータを備える。アプリケータは、本明細書で説明されるおよび／または参照によって組み込まれる任意のタイプのアプリケータとすることができる。
【０１３６】
いくつかの実施形態において、アプリケータは、センサの一部分が近位位置から遠位位置まで移動するときに、センサの一部分を湾曲経路に沿って案内するように構成された湾曲チャネルを備える。アプリケータは、湾曲チャネルを通して湾曲経路に沿ってセンサの一部分を駆動するように構成された板ばねを備えることができる。
【０１３７】
複数の実施形態において、湾曲チャネルは、基部に結合される。センサの湾曲部分は、湾曲チャネル内に位置付けることができる。湾曲チャネルは、システムが湾曲部分を近位位置から遠位位置まで移動させるときに、湾曲部分の座屈力に抵抗するように構成することができる。アプリケータは、湾曲部分を近位位置から遠位位置まで移動させることを容易にするように構成することができる。
【０１３８】
いくつかの実施形態において、システムは、湾曲部分を近位位置から遠位位置まで移動させるように構成されたばねを備える。ばねは、本明細書で説明されるおよび／または参照によって組み込まれる任意のタイプのばねとすることができる。ばねは、撓曲状態の板ばねとすることができる。
【０１３９】
複数の実施形態において、システムは、ばね（例えば、板ばね）を撓曲状態で解放可能に保持するように構成されたインターロック（例えば、機械的インターロック）を備える。システムは、インターロックを解放することに応じて、湾曲部分を近位位置から遠位位置まで移動させるように構成することができる。システムは、インターロックに結合されたタブ（例えば、プルタブ）を備えることができ、よって、システムは、タブを作動させる（例えば、引っ張る）ことに応じて、インターロックを係合解除して、ばねが湾曲部分を近位位置から遠位位置まで移動させることを可能にするように構成される。
【０１４０】
いくつかの実施形態において、システムは、基部に結合された第１のアームおよび壁を備える。センサの一部分は、第１のアームと壁との間に固定することができ、よって、システムがセンサの一部分を近位位置から遠位位置までを移動させるときに、第１のアームが、センサの座屈力に抵抗するように構成される。
【０１４１】
複数の実施形態において、第１のアームは、基部に移動可能に結合され、よって、第１のアームの少なくとも一部分は、（例えば、基部に対して、アプリケータ筐体に対して）移動して、システムがセンサの一部分を近位位置から遠位位置まで移動させることを可能にするように構成される。
【０１４２】
いくつかの実施形態において、第１のアームおよび壁のうちの少なくとも１つは、チャネルを形成する。センサの一部分は、チャネル内にて少なくとも部分的に位置付けることができ、よって、チャネルは、座屈力に抵抗するように構成される。システムは、第１のアームを壁から離れて移動させて、システムがセンサの一部分を近位位置から遠位位置まで移動させることを可能にするように構成された、遠位突起を備えることができる。センサの一部分は、中心軸を備えることができる。第１のアームは、中心軸に対して垂直の±４５度以内の方向に突出させることができる。
【０１４３】
複数の実施形態において、システムは、基部に取り外し可能に結合された入れ子式アセンブリを有する取り外し可能なアプリケータを備える。入れ子式アセンブリは、センサの第１のセクションの第１の座屈力に抵抗するように構成された第１の一組のトングを備えることができる。
【０１４４】
いくつかの実施形態において、入れ子式アセンブリは、センサの第２のセクションの第２の座屈力に抵抗するように構成された第２の一組のトングを備える。入れ子式アセンブリは、第１の一組のトングの間の第１の領域の中へ、および第２の一組のトングの間の第２の領域の中へ遠位に移動して、第１および第２の一組のトングを拡張するように構成された遠位突起を備えることができる。
【０１４５】
複数の実施形態において、システムは、基部に結合された取り外し可能なアプリケータを備える。アプリケータは、一対の付勢部材（例えば、一組のトング）を有することができる。センサの一部分は、一対の付勢部材の間の領域内に位置付けることができ、よって、一対の付勢部材は、センサの座屈力に抵抗するように構成される。
【０１４６】
いくつかの実施形態において、一対の付勢部材は、センサの遠位端部がアプリケータの遠位端部に対して遠位に位置付けられる十分に遠位に一対の付勢部材を移動させることに応じて、一対の付勢部材が拡張することを可能にするように構成されたチャネルによって、圧縮状態に保持される。一対の付勢部材は、一組のトングとすることができる。
【０１４７】
複数の実施形態において、システムは、遠位に延在する第１のアームおよび第２のアームを備える。センサの一部分は、第１および第２のアームの間に位置付けることができ、よって、第１および第２のアームは、センサの座屈力に抵抗するように構成される。第１および第２のアームは、システムのチャネル内に位置付けることができる。チャネルは、第１および第２のアームを圧縮状態に保持することができる。チャネルは、第１および第２のアームを遠位に移動させることで第１および第２のアームを互いに離れて広げさせて、システムがセンサの一部分を近位位置から遠位位置まで移動させることを容易にするように構成することができる。
【０１４８】
いくつかの実施形態において、システムは、遠位に延在する第１のアームおよび第２のアームを備える。第１および第２のアームは、閉状態を有するように構成することができ、該閉状態において、第１および第２のアームは、第１および第２のアームの間に位置付けられたセンサの一部分の座屈力に抵抗するように構成することができる。第１および第２のアームは、システムがセンサの一部分を近位位置から遠位位置まで移動させることを可能にするための開状態を有するように構成することができる。
【０１４９】
複数の実施形態において、システムは、基部に結合されたチューブを備える。チューブは、チューブの近位部分からチューブの遠位部分までスロットを備えることができる。チューブは、センサの座屈力に抵抗するように構成することができる。スロットは、センサの第１の部分をチューブの外側に遠位に移動させ、一方で、センサの第２の部分をチューブの内側に遠位に移動させるように構成することができる。
【０１５０】
いくつかの実施形態において、システムは、基部に結合された取り外し可能なアプリケータを備える。アプリケータは、チューブを基部に結合させることができ、よって、システムは、基部をチューブに対して遠位に移動させて、センサの遠位端部によって皮膚に穿孔するように構成される。チューブは、スロットの第１の側部およびスロットの第２の側部を備えることができる。スロットの第１および第２の側部は、センサの第１の部分を遠位に移動させることに応じて折れて開くように構成されたリンケージによって共に結合させることができる。チューブは、チューブの中心軸に沿って測定したときに、少なくとも４ミリメートルの長さとすることができる。
【０１５１】
複数の実施形態において、システムは、センサの座屈力に抵抗するように構成されたチャネルを有するアプリケータを備える。センサの遠位部分は、チャネルの内側に位置付けることができる。センサの近位部分は、チャネルの外側に位置付けることができる。センサの中間部分は、センサの遠位および近位部分を結合させることができる。センサの中間部分は、チャネルのスロット内に位置付けることができる。
【０１５２】
いくつかの実施形態において、スロットは、センサが近位位置から遠位位置まで移動するときに、センサの中間部分が、スロットを通して遠位に移動することを可能にするように構成される。チャネルは、遠位に配向された中心軸を備えることができ、よって、チャネルは、センサの遠位部分を皮膚に向かって案内するように構成される。スロットは、中心軸から半径方向外方に配向することができる。
【０１５３】
複数の実施形態において、スロットは、スロットの第１の側部をスロットの第２の側部に結合する少なくとも１つのリンケージを備える。少なくとも１つのリンケージは、センサの中間部分を、スロットを通して遠位に移動させることに応じて折れるように構成することができる。
【０１５４】
いくつかの実施形態において、スロットは、センサの中間部分を、スロットを通して遠位に移動させることに応じて拡張する（例えば、広がる）ように構成される。
【０１５５】
いくつかの実施形態では、入れ子式アセンブリが基部に結合される。入れ子式アセンブリは、遠位部分、遠位部分に摺動可能に結合された近位部分、および近位部分と基部との間に圧縮されたばねを備えることができる。近位部分は、センサを第１の近位開始位置に解放可能に固定することができ、よって、ばねは、システムが基部を近位部分からラッチ係合解除することに応じて、基部およびセンサを遠位に押すように構成される。
【０１５６】
複数の実施形態において、入れ子式アセンブリの近位部分は、基部を第２の近位開始位置の解放可能に固定するように構成されたラッチを備える。ラッチは、近位部分を遠位部分に対して遠位に移動させてばねが基部およびセンサを遠位に押すことを可能にすることに応じて、基部を解放するように構成することができる。
【０１５７】
いくつかの実施形態において、センサは、第１の経路に沿って第１の近位開始位置から第１の遠位終了位置まで移動するように構成される。近位部分は、第２の経路に沿って第３の近位開始位置から第３の遠位終了位置まで移動するように構成することができる。センサの第１の経路は、近位部分の第２の経路よりも少なくとも４０パーセント長くすることができる。
【０１５８】
複数の実施形態において、システムは、近位部分が第１の距離よりも少なくとも５０パーセント短い第２の距離だけ移動することに応じて、センサに第１の距離だけ移動させるように構成される。
【０１５９】
いくつかの実施形態において、近位部分は、遠位部分の孔を通過する内方突起を有する遠位突出アームを備える。内方突起は、基部に結合させて、センサを第１の近位開始位置に固定することができる。
【０１６０】
複数の実施形態において、システムは、近位部分を遠位部分に対して遠位に移動させることで、遠位突出アームを外方へ屈曲させ、内方突起を基部から解放して、ばねがセンサの少なくとも一部分を皮膚の中へ押すことを可能にするように構成される。
【０１６１】
いくつかの実施形態において、システムは、近位部分を第２の距離だけ移動させて基部をラッチ係合解除することに応じて、センサを第１の距離だけ移動させるように構成される。第１の距離は、第２の距離の少なくとも２倍の長さとすることができ、よって、システムは、近位部分の第１の運動をセンサおよび／または基部のより大きい第２の運動に増大させるように構成される。遠位部分は、ばねが基部を遠位に押すときに、基部を配向する構成されるチャネルを備えることができる。
【０１６２】
複数の実施形態において、第１の筐体は、基部に回転可能に結合される。ばねは、第１の筐体の一部分とセンサとの間に圧縮することができる。システムは、センサを第１の筐体からラッチ係合解除して、ばねが、第１の筐体を基部に対して回転させることに応じて、センサを遠位に移動させることを可能にするように構成することができる。
【０１６３】
いくつかの実施形態において、第１の筐体は、第１の中心軸（例えば、第１の筐体の回転軸）を備える。センサは、皮膚に穿孔するように構成された一部分を備えることができる。一部分は、第２の中心軸を備えることができる。第１の中心軸は、第２の中心軸に平行の±２０度以内に配向することができる。
【０１６４】
複数の実施形態において、ばねは、遠位に拡張してセンサを遠位に移動させるように構成された螺旋ばねおよび／または円錐ばねである。第１の筐体は、基部に回転可能に結合させることができる。第２の筐体は、センサに結合させることができる。ばねは、第１の筐体の近位端部とセンサとの間に圧縮することができ、よって、ばねは、第１の筐体を基部に対して回転させることに応じて、第２の筐体およびセンサを基部および第１の筐体に対して遠位に押すように構成される。
【０１６５】
いくつかの実施形態において、第２の筐体は、第１の筐体の内部領域内に位置付けられる。第１の接着剤は、基部を皮膚に固定して、第１の筐体が基部に対して、および第２の筐体に対して回転することを可能にするように構成することができる。
【０１６６】
複数の実施形態において、第１の筐体は、第１の中心軸（例えば、回転軸）を備える。センサは、皮膚に穿孔するように構成された一部分を備えることができる。一部分は、第２の中心軸を備えることができる。第１の中心軸は、第２の中心軸に平行の±１０度以内に配向することができる。
【０１６７】
いくつかの実施形態において、ばねは、第１の筐体を基部に対して回転させることに応じて拡張するように構成された円錐ばねである。システムは、第１の筐体と第２の筐体との間に機械的インターロックを備えることができる。機械的インターロックは、ばねを圧縮状態に解放可能に保持し、よって、センサが近位開始位置であるように構成することができる。機械的インターロックは、第２の筐体の第２の突起の遠位運動に干渉する第１の筐体の第１の突起を備えることができる。
【０１６８】
複数の実施形態において、機械的インターロックは、第１の突起が第２の突起に対して回転することで第２の突起が第１の突起から遠位に落ち、それによって、第２の筐体を第１の筐体に対して遠位移動させることを可能にするように構成される。第１の突起は、半径方向外方に配向することができ、第２の突起は、半径方向内方に配向することができる。第１の突起は、半径方向内方に配向することができ、第２の突起は、半径方向外方に配向することができる。機械的インターロックは、リッジおよび溝を備えることができ、これらは、第１の筐体を基部に対して回転させることでリッジを溝の外に移動させるためのトルク閾値に打ち勝つことを必要とするように構成される。
【０１６９】
いくつかの実施形態において、システムは、第２の筐体と基部との間にインターフェースを備える。インターフェースは、第１の筐体の基部に対する回転中に第２の筐体の基部に対する回転を制限するように構成された、溝内に位置付けられたリッジを備えることができる。インターフェースは、第２の筐体の近位部分から第２の筐体の遠位部分まで配向することができる。
【０１７０】
複数の実施形態では、取り外し可能なアプリケータが基部に結合される。アプリケータは、第１および第２のアームを遠位に押すように構成された回転筐体を備えることができる。第２の接着剤は、基部を第１のアームに結合させることができる。第２のアームは、基部を遠位位置に保持するように構成することができ、一方で、第１のアームは、近位に移動して、第１のアームを基部から結合解除する。
【０１７１】
いくつかの実施形態において、アプリケータは、係止機構が係合解除されるまで、第１のアームおよび／または第２のアームが遠位に移動することを防止するように構成された係止機構を備える。アプリケータは、回転筐体の回転運動を阻止するように構成された係止機構を備えることができる。システムは、回転筐体の直線運動に応じて係止機構を係合解除するように構成することができる。
【０１７２】
複数の実施形態において、システムは、基部に結合された取り外し可能なアプリケータを備える。アプリケータは、第１の筐体、第１の筐体に回転可能に結合された第２の筐体、およびねじりばねを備えることができる。ねじりばねは、第１の筐体に結合された第１の部分および第２の筐体に結合された第２の部分を有することができ、よって、ねじりばねは、第２の筐体を第１の筐体に対して回転させるように構成される。
【０１７３】
いくつかの実施形態において、アプリケータは、第１の筐体に摺動可能に結合され、また、第２の筐体に結合された第１のアームを有し、よって、第１のアームは、第２の筐体が第１の筐体に対して回転することに応じて、センサを近位開始位置から遠位終了位置まで直線的に押すように構成される。
【０１７４】
複数の実施形態において、アプリケータは、第１の筐体に摺動可能に結合され、また、第２の筐体に結合された第２のアームを有し、よって、第２のアームは、センサが遠位終了位置に到達した後に、システムが第１のアームを基部から結合解除するときに、センサの近位運動を阻止するように構成される。
【０１７５】
いくつかの実施形態において、第２の接着剤は、第１のアームを基部に結合させる。第１および第２のアームは、第２の筐体が第１の筐体に対して回転することに応じて、直線的かつ遠位に移動するように構成することができる。
【０１７６】
複数の実施形態において、第２のアームは、第２の筐体の第１の筐体に対する回転が基部から第２の接着剤を結合解除して、第１のアームが基部に対して、および第２のアームに対して近位に移動することを可能にするときに、センサの近位運動を阻止するように構成される。
【０１７７】
いくつかの実施形態において、第１のアームは、第１の線形チャネルに結合される。第１の突起は、第１の線形チャネルを第２の筐体に結合させることができる。第１の線形チャネルは、第２の筐体の第１の筐体に対する第１の回転運動が第１のアームの第１の筐体に対する第１の遠位直線運動を生じさせるように構成することができる。
【０１７８】
複数の実施形態において、第２のアームは、湾曲部分を有する第２のチャネルに結合される。第１の突起は、第２のチャンネルを第２の筐体に結合させることができる。第２のチャンネルは、第２の筐体の第１の筐体に対する第１の回転運動が第２のアームの第１の筐体に対する第２の遠位直線運動を生じさせるように構成することができる。
【０１７９】
いくつかの実施形態において、第２のチャンネルの湾曲部分は、継続的な回転運動が第１のアームを近位に移動させることによって第２の接着剤を基部から結合解除するときに、センサが遠位終了位置に到達した後の第１の筐体に対する第２の筐体の継続的な回転運動が第２のアームの近位運動を生じさせないように構成される。
【０１８０】
複数の実施形態において、第２の筐体は、第２の突起によって第１の筐体に結合され、該第２の突起を中心に、第２の筐体が第１の筐体に対して回転するように構成される。第２の筐体は、第２の突起に摺動可能に結合させることができ、よって、第２の筐体は、第２の突起に沿って第１の位置から第２の位置まで移動するように構成される。第１の位置において、第３の突起は、第１の筐体に対する第２の筐体の回転運動を阻止して、センサの遠位運動を妨げることができる。
【０１８１】
いくつかの実施形態において、システムは、第２の筐体が第１の筐体に対して回転することを可能にするように構成された解放機構を備える。解放機構は、ボタンおよび／または任意の適切なトリガを備えることができる。第１の筐体は、第２の筐体を第１の位置から第２の位置まで移動させるように構成されたボタンを備えることができ、該第２の位置において、第２の筐体は、第１の筐体に対して回転して、センサを遠位に移動させるように構成される。
【０１８２】
複数の実施形態において、基部は、フレックスアームによって遠位部分に結合された近位部分を備え、該フレックスアームは、近位部分を（遠位部分に対して）遠位に移動させてセンサの少なくとも一部分を皮膚の中へ挿入することに応じて、近位部分を遠位部分に対して回転させるように構成される。近位部分は、伝送機を遠位部分に結合させることができる。
【０１８３】
いくつかの実施形態において、フレックスアームは、センサを遠位に移動させることに応じて近位部分を遠位部分に対して回転させるように構成された、少なくとも１つのリビングヒンジを備える。フレックスアームは、センサの遠位端部の周囲に離間配置することができ、よって、フレックスアームは、遠位端部が近位開始位置から遠位終了位置まで移動するときに、遠位端部を回転させるように構成される。
【０１８４】
複数の実施形態では、取り外し可能な干渉部材が遠位部分と近位部分との間に位置付けられ、よって、取り外し可能な干渉部材は、システムがセンサを近位開始位置から遠位終了位置まで移動させることを阻止するように構成される。干渉部材を取り外すことで、システムがセンサを遠位終了位置に移動させることを可能にすることができる。
【０１８５】
いくつかの実施形態において、基部は、第１のアームおよび第２のアームによって遠位部分に結合された近位部分を備える。センサの遠位端部分は、中心軸を備える。第１のアームは、中心軸に対して垂直の±４５度の第１の角度で配向することができる。第２のアームは、中心軸に対して垂直の±４５度の第２の角度で配向することができる。
【０１８６】
複数の実施形態において、第１および第２のアームは、近位部分が遠位部分に向かって移動するときに、近位部分を遠位部分に対して直線的に案内するように構成される。第１および第２のアームは、センサの遠位端部分を近位開始位置から遠位終了位置まで移動させることに応じて、近位部分を遠位部分に対して回転させるように構成することができる。第２のアームは、第１のアームから離れて傾斜させることができ、よって、第１および第２のアームは、システムがセンサを近位開始位置から遠位終了位置まで移動させるときに、センサの遠位端部分を回転させるように構成される。
【０１８７】
いくつかの実施形態において、基部は、ヒンジによって結合された第１の部分および第２の部分を備え、よって、第２の部分を第１の部分に向かって枢動させることでセンサを近位開始位置から遠位終了位置まで移動させるように構成される。第２の部分は、伝送機を第１の部分に結合させることができる。第１の部分は、第１の接着剤を第２の部分に結合させることができる。
【０１８８】
複数の実施形態において、基部は、第１の部分と第２の部分との間の旋回角度を減少させることで、センサの遠位端部を基部の遠位側部の孔から移動させて、遠位端部が皮膚に穿孔することを容易にするように構成することができる。センサの近位セグメントは、第２の部分に結合させることができ、よって、システムは、旋回角度を減少させることに応じて、センサの一部分を第１および第２の部分の間の領域から基部の孔を通して遠位に移動させるように構成することができる。
【０１８９】
いくつかの実施形態において、基部は、左側半分および右側半分を備える。左側半分は、基部の孔を備えることができる。右側半分は、ヒンジを備えることができる（よって、孔およびヒンジは、基部の異なる半部に位置付けられる）。ヒンジは、スリーブに回転可能に結合されたピンを備えることができ、該スリーブは、第２の部分が第１の部分に対して回転するときにピンを保持するように構成される。
【０１９０】
複数の実施形態において、基部は、ヒンジによって結合された第１の部分および第２の部分を備え、よって、第２の部分を第１の部分に向かって枢動させることでセンサを近位開始位置から遠位終了位置まで移動させるように構成される。ばねは、基部に結合させることができる。ばねは、第２の部分を第１の部分に対して枢動することを容易にするように構成することができる。ばねは、ねじりばね、板ばね、ならびに／または本明細書で説明されるおよび／もしくは参照によって組み込まれる任意の他のタイプのばねとすることができる。ばねは、トルクをヒンジの周りに印加するように構成することができる。
【０１９１】
いくつかの実施形態において、システムは、取り外し可能なアプリケータを備える。アプリケータは、筐体と、ヒンジ軸を有するヒンジによって筐体に回転可能に結合された第１のアームと、ヒンジ軸を中心に筐体に回転可能に結合された第２のアームと、第１のアームを第１の回転方向に回転させて、センサを近位開始位置から遠位終了位置まで移動させるように構成された第１のばねと、第２のアームを第１の回転方向と反対の第２の回転方向に回転させるように構成された第２のばねと、を備えることができる。
【０１９２】
複数の実施形態において、第２のアームは、第１のアームが第１の回転方向に回転するときに、基部を筐体に結合させるように構成される。第１のアームは、センサを遠位終了位置の保持するように構成することができ、一方で、第２のアームは、第２の回転方向に回転することによって基部をアプリケータから結合解除する。
【０１９３】
いくつかの実施形態において、アプリケータは、第２のアームを基部に解放可能に結合させる第１の機械的インターロックを備え、よって、第１のアームは、第２のアームおよび基部を第１の回転方向に移動させるように構成される。第１のアームは、基部と第２のアームとの間に少なくとも部分的に位置付けることができる。第１の機械的インターロックは、第１のアームを基部と第２のアームとの間に少なくとも部分的に固定する、第３のフレックスアームを備えることができる。第１の機械的インターロックは、第１のアームが第２のアームを第１の回転方向の移動させることに応じて、基部から結合解除して、第２のアームが第２の回転方向に回転することを可能にするように構成することができる。
【０１９４】
複数の実施形態において、筐体（またはアプリケータの別の部分）は、第１のアームを遠位位置に保持し、一方で、第２のアームが第２の回転方向に回転するように構成された、第２の機械的インターロックを備える。第２の機械的インターロックは、第１のアームの少なくとも一部分に結合させるように構成された第４のフレックスアームを備えることができる。
【０１９５】
いくつかの実施形態において、アプリケータは、センサが近位開始位置にあるように、第１のアーム（および／または第２のアーム）を筐体に結合させる第５のフレックスアームを備える。第５のフレックスアームは、第１のばねの回転力に抵抗するように構成することができる。第５のフレックスアームは、一部分が作動タブおよび／または作動レバーを備えるように筐体の外部から突出させることができる。第５のフレックスアームは、作動タブおよび／または作動レバーを移動させることに応じて、筐体から結合解除して、第１のアームが回転することを可能にするように構成することができる。
【０１９６】
いくつかの実施形態において、センサシステムは、分析物濃度を測定するように構成される。センサシステムは、ホストの皮膚に向かって面するように構成された遠位側部を有する基部と、基部に結合され、基部を皮膚に結合させるように構成された第１の接着剤と、基部に結合され、分析物測定データを伝送するように構成された伝送機と、基部に結合された経皮分析物測定センサと、を備えることができる。
【０１９７】
複数の実施形態において、センサは、中心軸、および中心軸と一致する平面プロファイルを有する遠位端部分を備える。遠位端部分の平面プロファイルは、放物線状とすることができる。
【０１９８】
いくつかの実施形態において、センサの遠位端部分は、膜でコーティングされる。センサの遠位先端部は、皮膚に穿孔するように構成することができ、また、膜の剥離に抵抗するように丸みを付すことができる。
【０１９９】
複数の実施形態において、センサの遠位端部分は、膜でコーティングされる。放物線状の遠位端部分は、組織の外傷を低減させるために緩やかな直径の増加を提供するように、また、膜の剥離に抵抗するために湾曲した遠位先端部を提供するように構成することができる。放物線状の遠位端部分の傾斜は、線形微分を含むことができる。
【０２００】
いくつかの実施形態において、センサのセグメントは、皮膚に挿入されるように構成される。セグメントは、第１の最大幅を備えることができる。放物線状の遠位端部分は、第１の最大幅の少なくとも５０パーセントである第２の最大幅を備えることができる。
【０２０１】
複数の実施形態において、遠位端部分は、センサシステムがグルコース指示を測定することを可能にするように構成された膜によってコーティングされる。膜は、膜の平均厚さに対する変動が±３０パーセント未満である厚さを備えることができる。
【０２０２】
いくつかの実施形態において、放物線状の遠位端部分は、遠位セクションおよび近位セクションを備える。遠位セクションは、中心軸に対して第１の角度を備えることができる。近位セクションは、中心軸に対して第２の角度を備えることができる。第１の角度は、第１の角度が膜の剥離に抵抗するよう構成されるように第２の角度よりも少なくとも２倍大きく、第２の角度は、プロファイルの幅を緩やかに増加させるよう構成される。
【０２０３】
複数の実施形態において、センサは、中心軸、および中心軸と一致する平面プロファイルを有する遠位端部分を備える。センサの遠位先端部は、平面プロファイルが第１の湾曲側部を第２の湾曲側部に結合させる湾曲遠位端部を備えるように曲線状することができる。
【０２０４】
いくつかの実施形態において、センサの遠位端部分は、膜でコーティングされる。湾曲遠位端部は、膜の剥離に抵抗するように構成することができる。第１の湾曲側部および第２の湾曲側部は、剥離に抵抗するために遠位先端部からの滑らかな移行を提供するように、および遠位先端部の第１の直径から遠位端部分の最大直径への緩やかな移行を提供するように構成することができる。
【０２０５】
複数の実施形態において、センサは、導電コアおよび導電層を有するグルコースセンサであり、該導電コアおよび導電層は、システムが導電コアと導電層との間に電圧を印加してグルコース指示を測定することを可能にするように構成される。
【０２０６】
いくつかの実施形態において、センサは、導電コアの第１のセクションの周囲に位置付けられた第１の電気絶縁層を備える。センサは、導電コアに関する第２のセクションの周囲に位置付けられた第２の電気絶縁層を備えることができる。導電層は、第１の絶縁層から半径方向外方に位置付けることができる。第１の絶縁層は、第２の絶縁層から離間され、システムが導電コアと導電層との間に電圧を印加することを可能にするように構成された隙間を形成する。センサは、導電コアの遠位端部を覆う電気絶縁キャップを備えることができる。
【０２０７】
複数の実施形態において、センサは、丸みのある遠位先端部を伴う円錐である遠位端部分を備える。丸みのある遠位先端部は、遠位端部分をコーティングする膜の剥離に抵抗するように構成することができる。遠位端部分は、皮膚に穿孔することを容易にするために円錐とすることができる。
【０２０８】
いくつかの実施形態において、センサは、鈍化させた先端部を伴う円錐である遠位端部分を備える。鈍化させた先端部は、遠位端部分をコーティングする膜の剥離に抵抗するように構成することができる。
【０２０９】
複数の実施形態において、センサは、中心軸、および中心軸と一致する平面プロファイルを有する遠位端部分を備える。センサの遠位先端部は、平面プロファイルが第１の直線状側部を第２の直線状側部に結合させる湾曲遠位端部を備えるように、湾曲状にすることができる。
【０２１０】
いくつかの実施形態において、遠位端部分は、膜によってコーティングすることができる。遠位先端部は、湾曲状にすることができ、よって、遠位先端部は、膜の剥離に抵抗するように構成される。第１および第２の側部は、直線状とすることができ、よって、側部は、遠位端部分の直径を直線的に増加させて、遠位端部分を皮膚に挿入することによって生じる組織の外傷を低減させるように構成される。
【０２１１】
複数の実施形態において、湾曲遠位端部は、１０マイクロメートルを超え、かつ３５マイクロメートル未満である半径を備え、よって、湾曲遠位端部は、湾曲遠位端部をコーティングする膜の剥離に抵抗するのに十分大きくなるように、また、皮膚に穿孔することと関連付けられた患者の不快感を低減させるのに十分小さくなるように構成される。
【０２１２】
複数の実施形態において、湾曲遠位端部は、１０マイクロメートルを超え、かつ３５マイクロメートル未満である最大幅を備え、よって、湾曲遠位端部は、湾曲遠位端部をコーティングする膜の剥離に抵抗するのに十分大きくなるように、また、皮膚に穿孔することと関連付けられた患者の不快感を低減させるのに十分小さくなるように構成される。第１および第２の直線状側部の間の角度は、１５度を超え、かつ２５度未満とすることができ、よって、角度は、皮膚に穿孔することと関連付けられた患者の不快感を低減させるように構成される。
【０２１３】
複数の実施形態において、センサは、中心軸、および中心軸と一致する平面プロファイルを有する遠位端部分を備える。平面プロファイルは、第２の側部に結合された第１の側部を有する左側部分を備えることができる。平面プロファイルは、第４の側部に結合された第３の側部を有する右側部分を備えることができる。第１の側部と第３の側部との間の第１の角度は、第２の側部と第４の側部との間の第２の角度よりも小さくすることができ、よって、端部分の近位セクションは、端部分の遠位セクションよりも緩やかな幅の増加を提供する。第１、第２、第３、および第４の側部は、直線状にすることができる。第１、第２、第３、および第４の側部は、湾曲状にすることができる。
【０２１４】
いくつかの実施形態において、湾曲遠位端部は、第２の側部を第４の側部に結合させる。湾曲遠位端部は、センサの遠位端部分をコーティングする膜の剥離に抵抗するように構成することができる。
【０２１５】
複数の実施形態において、センサは、センサの遠位端部分をコーティングする膜を備えるグルコースセンサである。遠位端部分は、膜の剥離に抵抗するように、組織の外傷を低減させるように、および／または皮膚に穿孔することによって生じる患者の不快感を低減させるように構成することができる。
【０２１６】
いくつかの実施形態において、センサは、中心軸、および中心軸に対して２５度未満の第１の角度で配向された第１のファセットを有する遠位端部分を備え、よって、第１のファセットは、皮膚に穿孔することを容易にするように構成される。センサの遠位端部分は、中心軸に対して２５度未満の第２の角度で配向された第２のファセットを備えることができる。第１のファセットは、第２のファセットに対して第３の角度で配向することができる。第３の角度は、１０度を超え、かつ２５度未満とすることができる。
【０２１７】
複数の実施形態において、第１および第２のファセットは、皮膚に穿孔することを容易にするように構成されたウェッジを形成する。センサの遠位端部分は、膜によってコーティングすることができる。丸みのあるリッジは、第１のファセットを第２のファセットに結合させることができ、よって、丸みのあるリッジは、膜の剥離に抵抗するように構成される。
【０２１８】
いくつかの実施形態において、センサの遠位端部分は、中心軸に対して２５度未満の第４の角度で配向された第３のファセットを備える。第１、第２、および第３のファセットは、皮膚に穿孔することを容易にするように構成された三角錐を形成することができる。センサの遠位端部分は、膜によってコーティングすることができる。三角錐は、膜の剥離に抵抗するように構成された丸みのある遠位先端部を備えることができる。
【０２１９】
複数の実施形態において、第１の丸みのあるリッジは、第１のファセットを第２のファセットに結合させる。第２の丸みのあるリッジは、第２のファセットを第３のファセットに結合させることができる。第１の丸みのあるリッジおよび第２の丸みのあるリッジは、センサの遠位端部分をホストに挿入することによって生じる組織の外傷を低減させるように構成することができる。
【０２２０】
いくつかの実施形態において、センサの遠位端部分は、中心軸に対して２５度未満の第５の角度で配向された第４のファセットを備える。第１、第２、第３、および第４のファセットは、皮膚に穿孔することを容易にするように構成された四角錐を形成することができる。
【０２２１】
いくつかの実施形態において、センサは、膜によってコーティングされた導電遠位端部分を備える。導電遠位端部分は、第１の段部に対する膜の近位運動に抵抗するように構成された第１の段部を備えることができる。
【０２２２】
複数の実施形態において、センサは、膜によってコーティングされ、遠位先端部を有する、テーパー付き端部セクションを備える。テーパー付き端部セクションは、第１の段部に対する膜の近位運動に抵抗するように構成された第１の段部を備えることができる。
【０２２３】
いくつかの実施形態において、センサは、膜によってコーティングされたテーパー付き端部セクションを備える。テーパー付き端部セクションは、センサの遠位先端部を備える。センサは、テーパー付き端部セクションの±１ミリメートル以内および／または±２．１ミリメートル以内に位置付けられた第１の段部を備える。第１の段部は、第１の段部に対する膜の近位運動に抵抗するように構成することができる。
【０２２４】
複数の実施形態において、センサは、膜によってコーティングされる。センサの一部分は、第１の段部を備えることができる。センサは、ホストの組織の中へ挿入するように構成された溝を備えることができる。第１の段部は、溝に対して遠位に位置付けることができる。第１の段部は、第１の段部に対する膜の近位運動に抵抗するように構成することができる。
【０２２５】
複数の実施形態において、センサは、膜によってコーティングされた部分を備える。センサの部分は、絶縁層によって第２の導電層から電気的に絶縁された第１の導電層を備えることができる。第１の導電層は、ホストの組織を介して第２の導電層に電気的に結合されるように構成することができる。第１の導電層は、第２の導電層よりもさらに遠位に延在させることができる。第１の導電層は、第１の段部に対する膜の近位運動に抵抗するように構成された第１の段部を備えることができる。第１の段部は、第２の導電層よりもさらに遠位に位置付けることができる。
【０２２６】
いくつかの実施形態において、センサの遠位部分は、第１の段部および第２の段部を備える。第２の段部は、第１の段部に対して近位に離間配置することができる。センサの遠位部分は、膜によってコーティングすることができる。第１の段部および第２の段部は、遠位に面する。第１の段部は、第１の段部に対する膜の近位運動に抵抗するように構成することができる。
【０２２７】
複数の実施形態において、第１の段部は、センサの一部分の中心軸に対して垂直の±２５度以内に配向された表面を備える。第１の段部は、センサの一部分の中心軸に対して垂直の±１５度以内に配向された表面を備えることができる。表面は、膜の近位運動に応じて膜内に圧縮力を生じさせることによって表面に対する膜の近位運動を妨げるように構成された、干渉特徴を形成することができる。
【０２２８】
いくつかの実施形態において、センサは、絶縁層によって第２の導電層から電気的に絶縁された第１の導電層を備えることができる。第１の導電層は、導電遠位端部分に導電的に結合させることができ、よって、導電遠位端部分は、ホストの組織を介して第２の導電層に導電的に結合させるように構成される。
【０２２９】
複数の実施形態において、センサは、膜によってコーティングされた遠位端部分を備える。遠位端部分は、センサの導電コアと導電層との間に隙間を備えることができる。隙間は、導電コアと導電層の間の皮下電流を可能にするように構成することができる。遠位端部分は、隙間に対して遠位に位置付けられ、また、段部に対する膜の近位運動に抵抗するように構成された段部を備えることができる。
【０２３０】
いくつかの実施形態において、段部は、遠位端部分の中心軸に対して垂直の±２５度以内に配向された表面を備えることができる。表面は、膜の近位運動に応じて膜内に圧縮力を生じさせることによって表面に対する膜の近位運動を妨げるように構成された、干渉特徴を形成することができる。導電コアは、段部を備えることができる。導電コアの周囲に位置付けられた絶縁層は、段部を形成することができる。
【０２３１】
複数の実施形態において、遠位端部分は、丸みのある遠位先端部、放物線形状、円錐形状、ウェッジ形状、三角錐形状、および四角錐形状のうちの少なくとも１つを備え、よって、遠位端部分は、皮膚に穿孔することを容易にするように構成される。
【０２３２】
いくつかの実施形態において、センサは、膜によってコーティングされた遠位端部分を備える。センサの遠位端部分は、中心軸、遠位先端部、および遠位先端部から近位に離れて離間配置された遠位に面する表面を備えることができる。遠位に面する表面は、膜との機械的インターロックを形成することができ、よって、機械的インターロックが、遠位に面する表面に対する膜の近位運動を妨げるように構成される。
【０２３３】
複数の実施形態において、センサは、導電コア、導電層、および導電層から導電コアを電気的に絶縁するように構成された絶縁層を備えることができる。導電コアは、絶縁層よりもさらに遠位に延在して、導電コアと導電層との間に最短の伝導経路を形成することができる。遠位に面する表面は、最短の導電経路に対して遠位に位置付けることができる。
【０２３４】
いくつかの実施形態において、センサは、システムが導電コアと導電層との間に電圧を印加して、分析物指示を測定することを可能にするように構成された導電コアおよび導電層を備える。センサは、導電コアの第１のセクションの周囲に位置付けられた第１の電気絶縁層、および導電コアの第２のセクションの周囲に位置付けられた第２の電気絶縁層を備えることができる。導電層は、第１の絶縁層から半径方向外方に位置付けることができる。第１の絶縁層は、第２の絶縁層から離間され、システムが導電コアと導電層との間に電圧を印加することを可能にするように構成された隙間を形成する。遠位に面する表面は、隙間に対して遠位に位置付けることができる。遠位に面する表面は、中心軸に対して垂直の±２０度以内に配向することができる。
【０２３５】
本明細書に示される態様の特徴のいずれも、本明細書に特定される全ての他の態様および実施形態に適用可能である。その上、一実施形態の特徴のいずれかを、いかなる形であれ、本明細書で説明される他の実施形態と部分的にまたは全体的に独立して組み合わせることができる（例えば、１つ、２つ、３つ、またはそれ以上の実施形態を、全体的または部分的に組み合わせることが可能であり得る。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０２３６】
これらのおよび他の特徴、態様、および利点は、図面を参照しながら下で説明され、該図面は、本発明を例示することを意図するものであって、限定するものではない。図面中、同じ参照符号は、類似する実施形態の全体を通して一貫して、対応する特徴を示す。
【図面の簡単な説明】
【０２３７】
【図１】いくつかの実施形態による、分析物センサシステムの概略図である。
【図２】いくつかの実施形態による、センサシステムの斜視図である。
【図３】いくつかの実施形態による、図２の線３−３に沿った断面図である。
【図４】いくつかの実施形態による、アームが移動したことを除いて図３に類似する断面図である。
【図５】いくつかの実施形態による、システムの斜視図である。
【図６】いくつかの実施形態による、図５の線６−６に沿った断面図である。
【図７】いくつかの実施形態による、センサが格納されたことを除いて図６に示されるものと同じ断面図である。
【図８】いくつかの実施形態による、ばね付勢アームを有するシステムの斜視図である。
【図９】いくつかの実施形態による、図８に示される斜視図の断面図である。
【図１０】いくつかの実施形態による、センサが格納されたことを除いて図９に例示されるものと同じ断面図である。
【図１１】いくつかの実施形態による、ばね付勢アームを有する一実施形態の斜視図である。
【図１２】いくつかの実施形態による、図１１に示される実施形態の断面斜視図である。
【図１３】いくつかの実施形態による、アームが基部に対して移動したことを除く、図１２に示される実施形態の断面斜視図である。
【図１４】いくつかの実施形態による、基部に回転可能に結合させたアームを有するシステムの斜視図である。
【図１５】いくつかの実施形態による、図１４に示されるシステムの側断面図である。
【図１６】いくつかの実施形態による、図１４に示されるシステムの斜視図である。
【図１７】いくつかの実施形態による、センサを格納するように構成されたヒンジを含むシステムの斜視図である。
【図１８】いくつかの実施形態による、センサ格納前の状態であるシステムの側断面図である。
【図１９】いくつかの実施形態による、センサ格納後の状態であるシステムの側断面図である。
【図２０】いくつかの実施形態による、第１の部分および第２の部分を備える基部の斜視図である。
【図２１】いくつかの実施形態による、図２０に例示される第１の部分が回転した後の基部の斜視図である。
【図２２ａ】いくつかの実施形態による、図２０に例示されるシステムの上面図である。
【図２２ｂ】いくつかの実施形態による、図２０に例示されるシステムの側面図である。
【図２３】いくつかの実施形態による、柔軟シートを含むセンサシステムの斜視図である。
【図２４】いくつかの実施形態による、柔軟シートを含むセンサシステムの斜視図である。
【図２５】いくつかの実施形態による、柔軟シートを展開するときの柔軟シートの斜視図である。
【図２６】いくつかの実施形態による、柔軟シートの側面図である。
【図２７】いくつかの実施形態による、柔軟シートがセンサ先端部を覆うときの柔軟シートの斜視図である。
【図２８】いくつかの実施形態による、センサを格納するように構成されたシステムの上面図である。
【図２９】いくつかの実施形態による、図２８に例示されるシステムの斜視図である。
【図３０】いくつかの実施形態による、センサが筐体の中へ格納された後のシステムの斜視図である。
【図３１】いくつかの実施形態による、伸長可能なセンサカバーを備えるシステムの側面図である。
【図３２】いくつかの実施形態による、伸長可能なセンサカバーを備えるシステムの側面図である。
【図３３】いくつかの実施形態による、システム２０２ｋの斜視図である。
【図３４】いくつかの実施形態による、システム２０２ｋの斜視図である。
【図３５】いくつかの実施形態による、システムの斜視図である。
【図３６】いくつかの実施形態による、図３５に示されるシステムの側断面図である。
【図３７】いくつかの実施形態による、システムの側面図である。
【図３８】いくつかの実施形態による、ツールに向かって移動するセンサシステムの斜視図である。
【図３９】いくつかの実施形態による、ツールに向かって移動するセンサシステムの斜視断面図である。
【図４０】いくつかの実施形態による、システムの側断面図である。
【図４１】いくつかの実施形態による、システムの斜視図である。
【図４２】いくつかの実施形態による、システムの斜視図である。
【図４３】いくつかの実施形態による、システムの上面図である。
【図４４】いくつかの実施形態による、図４３の線４４−４４に沿った斜視断面図である。
【図４５】いくつかの実施形態による、斜視断面図である。
【図４６】いくつかの実施形態による、図４３の線４６−４６に沿った側断面図である。
【図４７】いくつかの実施形態による、図４６に示される断面の斜視図である。
【図４８】いくつかの実施形態による、システムの斜視図である。
【図４９】いくつかの実施形態による、システムの側断面図である。
【図５０】いくつかの実施形態による、システムの側断面図である。
【図５１】いくつかの実施形態による、付勢センサを有するシステムの側断面図である。
【図５２】いくつかの実施形態による、入れ子式アプリケータの側断面図である。
【図５３】いくつかの実施形態による、入れ子式アプリケータの側断面図である。
【図５４】いくつかの実施形態による、方程式である。
【図５５】いくつかの実施形態による、方程式である。
【図５６】いくつかの実施形態による、方程式である。
【図５７】いくつかの実施形態による、折り畳み可能な支持体を有するシステムの斜視図である。
【図５８】いくつかの実施形態による、システムの側面図である。
【図５９】いくつかの実施形態による、システムの側面図である。
【図６０】いくつかの実施形態による、システムの斜視図である。
【図６１】いくつかの実施形態による、ベローズを折り畳む前のシステムの側面図である。
【図６２】いくつかの実施形態による、側断面図である。
【図６３】いくつかの実施形態による、側断面図である。
【図６４】いくつかの実施形態による、側断面図である。
【図６５】いくつかの実施形態による、側断面図である。
【図６６】いくつかの実施形態による、筐体の側面図である。
【図６７】いくつかの実施形態による、筐体を伴わないシステムの斜視図である。
【図６８】いくつかの実施形態による、システムの斜視図である。
【図６９】いくつかの実施形態による、システムの側断面図である。
【図７０】いくつかの実施形態による、システムの側断面図である。
【図７１】いくつかの実施形態による、システムの斜視図である。
【図７２】いくつかの実施形態による、システムの斜視断面図である。
【図７３】いくつかの実施形態による、システムの側断面図である。
【図７４】いくつかの実施形態による、基部の側面図である。
【図７５】いくつかの実施形態による、入れ子式アプリケータの斜視断面図である。
【図７６】いくつかの実施形態による、システムの側断面図である。
【図７７】いくつかの実施形態による、システムの側断面図である。
【図７８】いくつかの実施形態による、システムの斜視図である。
【図７９】いくつかの実施形態による、システムの側断面図である。
【図８０】いくつかの実施形態による、システムの側断面図である。
【図８１】いくつかの実施形態による、システムの側断面図である。
【図８２】いくつかの実施形態による、システムの斜視図である。
【図８３】いくつかの実施形態による、システムの側断面図である。
【図８４】いくつかの実施形態による、図８２に示される斜視図の部分斜視図である。
【図８５】いくつかの実施形態による、アプリケータの斜視図である。
【図８６】いくつかの実施形態による、システムの側断面図である。
【図８７】いくつかの実施形態による、システムの側断面図である。
【図８８】いくつかの実施形態による、システムの側断面図である。
【図８９】いくつかの実施形態による、システムの斜視図である。
【図９０】いくつかの実施形態による、システムの一部分の斜視図である。
【図９１】いくつかの実施形態による、システムの上面断面図である。
【図９２】いくつかの実施形態による、システムの斜視側断面図である。
【図９３】いくつかの実施形態による、システムの斜視側断面図である。
【図９４】いくつかの実施形態による、アプリケータの側面図である。
【図９５】いくつかの実施形態による、システムの斜視断面図である。
【図９６】いくつかの実施形態による、システムの斜視断面図である。
【図９７】いくつかの実施形態による、システムの斜視断面図である。
【図９８】いくつかの実施形態による、システムの斜視断面図である。
【図９９】いくつかの実施形態による、システムの一部分の側面図である。
【図１００】いくつかの実施形態による、システムの一部分の側面図である。
【図１０１】いくつかの実施形態による、システムの斜視図である。
【図１０２】いくつかの実施形態による、システムの側断面図である。
【図１０３】いくつかの実施形態による、システムの斜視図である。
【図１０４】いくつかの実施形態による、システムの斜視図である。
【図１０５】いくつかの実施形態による、システムの斜視図である。
【図１０６】いくつかの実施形態による、システムの斜視図である。
【図１０７】いくつかの実施形態による、センサ挿入チャートおよびセンサの遠位部分を例示する図である。
【図１０８】いくつかの実施形態による、センサの遠位部分の側面図である。
【図１０９】いくつかの実施形態による、センサの遠位部分の斜視図である。
【図１１０】いくつかの実施形態による、センサの遠位部分の側面図である。
【図１１１】いくつかの実施形態による、センサの遠位部分の斜視図である。
【図１１２】いくつかの実施形態による、センサの遠位部分の側面図である。
【図１１３】いくつかの実施形態による、センサの遠位部分の底面図である。
【図１１４】いくつかの実施形態による、センサの遠位部分の斜視図である。
【図１１５】いくつかの実施形態による、センサの遠位部分の側面図である。
【図１１６】いくつかの実施形態による、センサの遠位部分の側面図である。
【図１１７】いくつかの実施形態による、センサの遠位部分の側面図である。
【図１１８】いくつかの実施形態による、センサの遠位部分の側面図である。
【図１１９】いくつかの実施形態による、センサの遠位部分の底面図である。
【図１２０】いくつかの実施形態による、センサの遠位部分の斜視図である。
【図１２１】いくつかの実施形態による、センサの底面図である。
【図１２２】いくつかの実施形態による、センサの遠位部分の斜視図である。
【図１２３】いくつかの実施形態による、センサの遠位部分の斜視図である。
【図１２４】いくつかの実施形態による、センサの遠位部分の側面図である。
【図１２５】いくつかの実施形態による、図１２４の線１２５−１２５に沿った断面図である。
【図１２６】いくつかの実施形態による、図１１６の線１２６−１２６に沿った断面図である。
【発明を実施するための形態】
【０２３８】
特定の実施形態および実施例が下で開示されるが、本発明の主題は、具体的に開示される実施形態を超えて、他の代替の実施形態および／または使用にも、ならびにその修正物および同等物にも及ぶ。したがって、本明細書に添付される特許請求の範囲に記載の範囲は、下で説明される特定の実施形態のいずれによっても限定されない。例えば、本明細書で開示される任意の方法またはプロセスにおいて、方法またはプロセスの活動または動作を任意の適切なシーケンスで行うことができ、また、必ずしも、開示される任意の特定のシーケンスに限定されるわけではない。様々な動作は、特定の実施形態を理解する際に役立ち得る方式で、複数の個別の動作として１つずつ説明される場合があるが、説明の順序は、これらの動作が順序依存であることを意味するものと解釈するべきではない。加えて、本明細書に記載される構造、システム、および／またはデバイスは、一体的な構成要素として、または別個の構成要素として具現化することができる。
【０２３９】
様々な実施形態を比較する目的で、これらの実施形態の特定の態様および利点が説明される。必ずしも、全てのそのような態様または利点が、任意の特定の実施形態によって達成されるわけではない。したがって、例えば、様々な実施形態を、必ずしも本明細書で教示または提案される得る他の態様または利点を達成するわけではないが、本明細書で教示される１つの利点または一群の利点を達成または最適化する方式で実行することができる。
【０２４０】
システムの序論
米国特許出願公開第２０１３／０２６７８１１Ａ１号は、その内容全体が参照により本明細書に組み込まれ、図１がホスト（例えば、人物）に取り付けた連続分析物センサシステム１００のどのような概略図であるかを説明する。分析物センサシステム１００は、（ホストから遠隔に位置付けることができる）他のデバイス１１０〜１１３と通信する。皮膚上センサアセンブリ６００を備える経皮分析物センサシステム１０２は、互いに対して動くことができるいくつかの部品を有する使い捨て筐体であってもよい基部（図示せず）によって、ホストの皮膚に結合される。
【０２４１】
図１の状況で説明される特徴のいずれかは、本明細書で特定される全ての態様および実施形態に適用することができる。例えば、図１の状況で説明される実施形態を、図２〜１２６の状況で説明される実施形態と組み合わせることができる。さらに、一実施形態の特徴のいずれかは、何らかの方法で、本明細書で説明される他の実施形態と部分的または全体的に独立して組み合わせ可能である（例えば、１つ、２つ、または３つ以上の実施形態が全体的または部分的に組み合わせ可能であり得る）。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０２４２】
ここで図１を参照すると、システム１０２は、経皮分析物センサ２００と、分析物情報を受信者に無線で伝送するための電子装置ユニット（互換的に「センサ電子装置」または「伝送機」と称される）５００と、を含む。伝送機は、基部に（例えば、ユーザによって）取り外し可能に結合され得る。いくつかの実施形態では、伝送機は、取り外し可能ではない（例えば、ユーザによって）。伝送機は、基部に組み込まれ得る（例えば、工場において）。
【０２４３】
受信機は、システム１０２に対して遠隔に位置付けることができる。いくつかの実施形態において、受信機は、ホスト等の人物に情報を表示することができる、表示画面を含む。例示的な受信機としては、スマートフォン、スマートウォッチ、タブレットコンピュータ、ラップトップコンピュータ、およびデスクトップコンピュータ等のコンピュータが挙げられる。いくつかの実施形態では、受信機は、Ａｐｐｌｅ  Ｉｎｃ．製のＡｐｐｌｅ  Ｗａｔｃｈ、ｉＰｈｏｎｅ（登録商標）、およびｉＰａｄ（登録商標）であってもよい。さらなる実施形態において、システム１０２は、輸液デバイス等の薬物送達デバイスを患者の皮膚に適用する際に使用するように構成することができる。そのような実施形態において、システムは、センサの代わりに、またはそれに加えて、カテーテルを含むことができ、カテーテルは、患者の体内に液状薬剤または他の流体を送達するように構成された輸液ポンプに接続される。実施形態において、カテーテルは、例えば本明細書で説明されるようにセンサを展開するのとほぼ同じ方式で皮膚の中へ展開することができる。
【０２４４】
いくつかの実施形態において、受信機は、電子装置ユニット５００に機械的に結合されて、受信機が電子装置ユニット５００からデータ（例えば、分析物データ）を受信することを可能にする。ユーザの利便性を高めるために、いくつかの実施形態において、受信機は、電子装置ユニット５００に機械的に結合することを必要とせず、それでも、長距離にわたって（例えば、受信機が電子装置ユニット５００から数フィート、さらには数マイルにあるときに）電子装置ユニット５００からデータを受信することができる。
【０２４５】
使用中には、センサ２００の感知部分をホストの皮膚の下に配置することができ、センサ２００の接点部分を電子装置ユニット５００に電気的に接続することができる。電子装置ユニット５００は、ホストの皮膚に固着させた粘着剤パッチに取り付けられた筐体（例えば、基部）と係合させることができる。
【０２４６】
皮膚上アセンブリ６００は、好都合で安全な適用を提供するように適合されるアプリケータを使用してホストに取り付けることができる。そのようなアプリケータはまた、電子装置ユニット５００を基部に取り付けるために、ホストの皮膚を通してセンサ２００を挿入するために、および／またはセンサ２００を電子装置ユニット５００に接続するために使用することもできる。電子装置ユニット５００が基部と係合され、センサ２００が皮膚の中へ挿入された（そして、電子装置ユニット５００に接続された）時点で、センサアセンブリは、アプリケータから切り離すことができる。
【０２４７】
連続分析物センサシステム１００は、分析物の濃度を示す出力信号を提供するセンサ構成を含むことができる。出力信号（例えば、未加工データ流、フィルタ処理したデータ、平滑化したデータ、および／または別様に、変換したセンサデータ等のセンサデータを含む）は、受信機に送信される。
【０２４８】
いくつかの実施形態において、分析物センサシステム１００は、米国特許出願公開第２０１１／００２７１２７Ａ１号で説明されるように、経皮グルコースセンサを含み、その内容全体が参照により本明細書に組み込まれる。いくつかの実施形態において、センサシステム１００は、（例えば、米国特許第６，５６５，５０９号で説明されるように、米国特許第６，５７９，６９０号で説明されるように、米国特許第６，４８４，０４６号で説明されるように）連続グルコースセンサを含み、また、経皮センサを備える。米国特許第６，５６５，５０９号、米国特許第６，５７９，６９０号、および米国特許第６，４８４，０４６号の内容は、参照によりそれらの全体が本明細書に組み込まれる。
【０２４９】
いくつかの実施形態において、センサシステム１００は、（例えば、米国特許第６，５１２，９３９号で説明されるように）連続グルコースセンサを含み、また、補充可能な皮下センサを備える。いくつかの実施形態において、センサシステム１００は、（例えば、米国特許第６，４７７，３９５号で説明されるように、米国特許第６，４２４，８４７号で説明されるように）連続グルコースセンサを含み、また、血管内センサを備える。米国特許第６，５１２，９３９号、米国特許第６，４７７，３９５号、および米国特許第６，４２４，８４７号の内容は、参照によりそれらの全体が本明細書に組み込まれる。
【０２５０】
本明細書で説明される実施形態と共に使用することに適した様々な信号処理技術およびグルコース監視システムの実施形態は、米国特許出願公開第２００５／０２０３３６０Ａ１号および米国特許出願公開第２００９／０１９２７４５Ａ１号で説明され、その内容は、参照によりそれらの全体が本明細書に組み込まれる。センサは、センサを皮膚上で維持することができる筐体を通して延在させることができ、また、センサの、電子装置ユニット５００内に提供することができる、センサ電子装置への電気的接続部を提供することができる。
【０２５１】
いくつかの実施形態において、センサは、ワイヤから形成されるか、またはワイヤの形態である。ワイヤの遠位端部は、（ワイヤをホストの組織の中へ挿入することを容易にするために）鋭利にして円錐形状を形成することができる。センサは、露出した細長い導電性コア（例えば、金属ワイヤ）または各々が導電性である場合もあり、もしくはそうでない場合もある１層、２層、３層、４層、５層、もしくはそれ以上の層の材料で被覆した細長い導電性コア等の、細長い導電体を含むことができる。細長いセンサは、長くかつ細く、それでもなお可撓性かつ強固であり得る。例えば、いくつかの実施形態において、細長い導電体の最小寸法（例えば、直径）は、０．１インチ未満、０．０７５インチ未満、０．０５インチ未満、０．０２５インチ未満、０．０１インチ未満、０．００４インチ未満、および／または、０．００２インチ未満である。
【０２５２】
センサは、円形断面を有することができる。いくつかの実施形態において、センサおよび／または細長い導電体の断面は、卵形状、長方形、三角形、多角体、星形状、Ｃ字形状、Ｔ字形状、Ｘ字形状、Ｙ字形状、不規則形状、または同類の形状とすることができる。いくつかの実施形態では、導電性ワイヤ電極がコアとして用いられる。そのような電極には、（例えば、電気的絶縁のために提供される介在絶縁層によって）１つまたは２つの追加的な導電層を追加することができる。導電層は、任意の適切な材料で構成することができる。特定の実施形態では、ポリマーまたは他の結合剤中に導電性粒子（すなわち、導電性材料の粒子）を含む導電層を用いることが望ましくなり得る。
【０２５３】
いくつかの実施形態において、細長い導電体を形成するために使用される材料（例えば、ステンレス鋼、チタン、タンタル、プラチナ、プラチナ−イリジウム、イリジウム、特定のポリマー、および／または同類の材料）は、強固かつ硬質にすることができ、したがって、破損に耐えることができる。例えば、いくつかの実施形態において、細長い導電体の最大引張強度は、８０ｋＰｓｉを超えかつ５００ｋＰｓｉ未満であり、および／または細長い導電体のヤング率は、１６０ＧＰａを超えかつ２２０ＧＰａ未満である。いくつかの実施形態では、細長い導電体の降伏強度は、６０ｋＰｓｉを超えかつ２２００ｋＰｓｉ未満であり得る。
【０２５４】
電子装置ユニット５００は、センサ２００に解放可能に結合させることができる。電子装置ユニット５００は、連続分析物センサデータの測定および処理と関連付けられる電子回路を含むことができる。電子装置ユニット５００は、センサデータの処理および較正と関連付けられるアルゴリズムを行うように構成することができる。例えば、電子装置ユニット５００は、その内容全体が参照により本明細書に組み込まれる、米国特許出願公開第２００９／０２４０１２０Ａ１号および米国特許出願公開第２０１２／００７８０７１Ａ１号で説明されるように、センサ電子装置モジュールの機能の様々な態様を提供することができる。電子装置ユニット５００は、分析物センサ２００等のグルコースセンサを介して分析物のレベルの測定を可能にする、ハードウェア、ファームウェア、および／またはソフトウェアを含むことができる。
【０２５５】
例えば、電子装置ユニット５００は、ポテンショスタット、センサ２００に電力を供給するための電源、信号処理構成要素、データ記憶構成要素、ならびに電子装置ユニット５００と１つ以上の受信機、リピータ、および／またはデバイス１１０〜１１３等の表示デバイスとの間の一方向または双方向のデータ通信のための通信モジュール（例えば、テレメトリモジュール）を含むことができる。電子機器は、プリント回路基板（ＰＣＢ）または同様のものに固定することができ、かつ様々な形態をとることができる。電子装置は、特定用途向け集積回路（ＡＳＩＣ）、マイクロコントローラ、および／またはプロセッサ等の、集積回路（ＩＣ）の形態をとることができる。電子装置ユニット５００は、データの記憶、データストリームの分析、分析物センサデータの較正、分析物値の推定、推定した分析物値と時間に応じて測定した分析物値との比較、推定した分析物値の変動の分析、および同類のこと等の、センサ情報を処理するように構成されたセンサ電子装置を含むことができる。センサ分析物データを処理するためのシステムおよび方法の例は、米国特許第７，３１０，５４４号、米国特許第６，９３１，３２７号、米国特許出願公開第２００５／００４３５９８Ａ１号、米国特許出願公開第２００７／００３２７０６Ａ１号、米国特許出願公開第２００７／００１６３８１Ａ１号、米国特許出願公開第２００５／００３３２５４Ａ１号、米国特許出願公開第２００５／０２０３３６０Ａ１号、米国特許出願公開第２００５／０１５４２７１Ａ１号、米国特許出願公開第２００５／０１９２５５７Ａ１号、米国特許出願公開第２００６／０２２２５６６Ａ１、米国特許出願公開第２００７／０２０３９６６Ａ１号、および米国特許出願公開第２００７／０２０８２４５Ａ１号に記載されており、その内容は、参照によりそれらの全体が本明細書に組み込まれる。
【０２５６】
キーフォブリピータ１１０、医療用デバイス受信機１１１（例えば、インスリン送達デバイスおよび／または専用のグルコースセンサ受信機）、スマートフォン１１２、ポータブルコンピュータ１１３、および同類のもの等の、１つ以上のリピータ、受信機、および／または表示デバイスは、（例えば、電子装置ユニット５００からデータを受信するために）電子装置ユニット５００に通信可能に結合させることができる。電子装置ユニット５００は、伝送機と称することもできる。いくつかの実施形態において、デバイス１１０〜１１３は、電子装置ユニット５００にデータを伝送する。センサデータは、センサ電子装置ユニット５００から、キーフォブリピータ１１０、医療用デバイス受信機１１１、スマートフォン１１２、ポータブルコンピュータ１１３、および同類のもの、のうちの１つ以上に伝送することができる。いくつかの実施形態において、分析物値は、表示デバイスに表示される。
【０２５７】
電子装置ユニット５００は、任意の適切な通信プロトコルを介して、デバイス１１０〜１１３および／または任意の数の追加的なデバイスと通信することができる。例示的な通信プロトコルとしては、無線周波数、Ｂｌｕｅｔｏｏｔｈ（登録商標）、ユニバーサルシリアルバス、ＩＥＥＥ８０２．１１、８０２．１５、８０２．２０、８０２．２２、および他の８０２通信プロトコルを含む、無線ローカルエリアネットワーク（ＷＬＡＮ）通信規格のうちのいずれか、ＺｉｇＢｅｅ、無線（例えば、セルラ）電気通信、ページングネットワーク通信、磁気誘導、衛星データ通信、ならびに／または独自の通信プロトコルが挙げられる。
【０２５８】
追加のセンサ情報は、米国特許第７，４９７，８２７号および米国特許第８，８２８，２０１号に記載されている。米国特許第７，４９７，８２７号および米国特許第８，８２８，２０１号の内容全体は、参照により本明細書に組み込まれる。
【０２５９】
本明細書で示され、かつ／または説明される任意のセンサは、分析物センサ、グルコースセンサ、および／または任意の他の適切なセンサとすることができる。任意の実施形態の状況において説明されるセンサは、本明細書で説明され、かつ／または参照により組み込まれる任意のセンサとすることができる。本明細書で示される、または説明されるセンサは、任意の分析物を感知し、測定し、検出し、および／または該分析物と相互作用するように構成することができる。
【０２６０】
本明細書で使用される場合、「分析物」という用語は、広義の用語であり、その通常の、かつ慣例的な意味が当業者に示されるものであり（かつ特別な、またはカスタマイズされた意味に限定されるものではなく）、さらに、分析することができる生体液（例えば、血液、間質液、脳脊髄液、リンパ液、尿、汗、唾液等）中の物質または化学成分を指すが、これらに限定されない。分析物としては、自然発生物質、人工物質、代謝物質、または反応生成物を挙げることができる。
【０２６１】
いくつかの実施形態において、感知領域、デバイス、システム、および方法による測定のための分析物は、グルコースである。しかしながら、他の分析物も同様に企図され、ケトン体、アセチルＣｏＡ、アカルボキシプロトロンビン、アシルカルニチン、アデニンホスホリボシルトランスフェラーゼ、アデノシンデアミナーゼ、アルブミン、アルファ−フェトプロテイン、アミノ酸プロファイル（アルギニン（クレブス回路）、ヒスチジン／ウロカニン酸、ホモシステイン、フェニルアラニン／チロシン、トリプトファン）、アンドレノステンジオン、アンチピリン、アラビニトールエナンチオマー、アルギナーゼ、ベンゾイルエクゴニン（コカイン）、ビオチニダーゼ、ビオプテリン、ｃ反応性タンパク質、カルニチン、カルノシナーゼ、ＣＤ４、セルロプラスミン、ケノデオキシコール酸、クロロキン、コレステロール、コリンエステラーゼ、コルチゾール、テストステロン、コリン、クレアチンキナーゼ、クレアチンキナーゼＭＭアイソザイム、サイクロスポリンＡ、ｄ−ペニシラミン、デ−エチルクロロキン、デヒドロエピアンドロステロンサルフェート、ＤＮＡ（アセチル化多型、アルコール脱水素酵素、α１−抗トリプシン、嚢胞性線維症、デュシェンヌ型／ベッカー型筋ジストロフィー、分析物−６−リン酸デヒドロゲナーゼ、ヘモグロビンＡ、ヘモグロビンＳ、ヘモグロビンＣ、ヘモグロビンＤ、ヘモグロビンＥ、ヘモグロビンＦ、Ｄパンジャブ、β−サラセミア、Ｂ型肝炎ウイルス、ＨＣＭＶ、ＨＩＶ−１、ＨＴＬＶ−１、レーベル遺伝性視神経症、ＭＣＡＤ、ＲＮＡ、ＰＫＵ、三日熱マラリア原虫、性分化、２１−デオキシコルチゾール）、デスブチルハロファントリン、ジヒドロプテリジン還元酵素、ジフテリア／破傷風抗毒素、赤血球アルギナーゼ、赤血球プロトポルフィリン、エステラーゼＤ、脂肪酸／アシルグリシン、トリグリセリド、グリセロール、遊離β−ヒト絨毛性ゴナドトロピン、遊離赤血球ポルフィリン、遊離チロキシン（ＦＴ４）、遊離トリ−ヨードチロニン（ＦＴ３）、フマリルアセトアセターゼ、ガラクトース／ｇａｌ−１−リン酸塩、ガラクトース−１−リン酸ウリジルトランスフェラーゼ、ゲンタマイシン、分析物−６−リン酸デヒドロゲナーゼ、グルタチオン、グルタチオンペリオキシダーゼ、グリココール酸、グリコシル化ヘモグロビン、ハロファントリン、ヘモグロビン変異体、ヘキソサミニダーゼＡ、ヒト赤血球炭酸脱水酵素Ｉ、１７−α−ヒドロキシプロゲステロン、ヒポキサンチンホスホリボシルトランスフェラーゼ、免疫反応性トリプシン、乳酸塩、鉛、リポタンパク質（（ａ）、Ｂ／Ａ−１、β）、リゾチーム、メフロキン、ネチルマイシン、フェノバルビトン、フェニトイン、フィタン酸／プリスタン酸、プロゲステロン、プロラクチン、プロリダーゼ、プリンヌクレオシドホスホリラーゼ、キニン、位トリ−ヨードチロニン（ｒＴ３）、セレン、血清膵臓リパーゼ、シソマイシン、ソマトメジンＣ、特異的抗体（アデノウイルス、抗核抗体、抗ゼータ抗体、アルボウイルス、オーエスキー病ウイルス、デング熱ウイルス、メジナ虫、単包条虫、赤痢アメーバ、エンテロウイルス、ランブル鞭毛虫（Ｇｉａｒｄｉａ  ｄｕｏｄｅｎａｌｉｓａ）、ヘリコバクターピロリ、Ｂ型肝炎ウイルス、ヘルペスウイルス、ＨＩＶ−１、ＩｇＥ（アトピー性疾患）、インフルエンザウイルス、ドノバンリーシュマニア、レプトスピラ、麻疹／流行性耳下腺炎／風疹、らい菌、肺炎マイコプラズマ、ミオグロビン、回旋糸状虫、パラインフルエンザウイルス、熱帯熱マラリア原虫、ポリオウイルス、緑膿菌、呼吸系発疹ウイルス、リケッチア（ツツガムシ病）、マンソン住血吸虫、トキソプラズマ原虫、梅毒トレポネーマ（Ｔｒｅｐｅｎｏｍａ  ｐａｌｌｉｄｉｕｍ）、クルーズ／ランゲルトリパノソーマ、水疱性口炎ウイルス（ｖｅｓｉｃｕｌａｒ  ｓｔｏｍａｔｉｓ  ｖｉｒｕｓ）、バンクロフト糸状虫、黄熱病ウイルス）、特異的抗原（Ｂ型肝炎ウイルス、ＨＩＶ−１）、アセトン（例えば、スクシニルアセトン）、アセト酢酸、スルファドキシン、テオフィリン、チロトロピン（ＴＳＨ）、チロキシン（Ｔ４）、チロキシン結合グロブリン、微量元素、トランスフェリン、ＵＤＰ−ガラクトース−４−エピメラーゼ、尿素、ウロポルフィリノーゲンＩシンターゼ、ビタミンＡ、白血球、および亜鉛プロトポルフィリンが挙げられるが、これらに限定されない。
【０２６２】
血液または腸液中に天然に存在する塩、糖、タンパク質、脂質、ビタミン、およびホルモンもまた、特定の実施形態において分析物を構成し得る。分析物は、生体液中に天然に存在し得るか、または内生的であり得、例えば、代謝産物、ホルモン、抗原、抗体等であり得る。あるいは、分析物は、体内に導入され得るか、または外生的であり得、例えば、撮像のための造影剤、放射性同位体、化学薬剤、フルオロカーボン系合成血液、または薬物もしくは薬学的組成物であり、インスリン、グルカゴン、エタノール、大麻（マリファナ、テトラヒドロカンナビノール、ハシッシュ）、吸入剤（亜酸化窒素、亜硝酸アミル、亜硝酸ブチル、塩化炭化水素、炭化水素）、コカイン（クラックコカイン）、興奮剤（アンフェタミン、メタンフェタミン、Ｒｉｔａｌｉｎ、Ｃｙｌｅｒｔ、Ｐｒｅｌｕｄｉｎ、Ｄｉｄｒｅｘ、ＰｒｅＳｔａｔｅ、Ｖｏｒａｎｉｌ、Ｓａｎｄｒｅｘ、Ｐｌｅｇｉｎｅ）、抑制剤（バルビツール酸塩、メタカロン、Ｖａｌｉｕｍ、Ｌｉｂｒｉｕｍ、Ｍｉｌｔｏｗｎ、Ｓｅｒａｘ、Ｅｑｕａｎｉｌ、Ｔｒａｎｘｅｎｅ等の精神安定剤）、幻覚剤（フェンシクリジン、リセルグ酸、メスカリン、ペヨーテ、シロシビン）、麻薬（ヘロイン、コデイン、モルヒネ、アヘン、メペリジン、Ｐｅｒｃｏｃｅｔ、Ｐｅｒｃｏｄａｎ、Ｔｕｓｓｉｏｎｅｘ、Ｆｅｎｔａｎｙｌ、Ｄａｒｖｏｎ、Ｔａｌｗｉｎ、Ｌｏｍｏｔｉｌ）、デザイナードラッグ（フェンタニル、メペリジン、アンフェタミン、メタンフェタミン、およびフェンシクリジンの類似体、例えば、Ｅｃｓｔａｓｙ）、タンパク質同化ステロイド、ならびにニコチンが挙げられるが、これらに限定されない。薬物および医薬組成物の代謝産物もまた、考えられる分析物である。例えば、アスコルビン酸、尿酸、ドーパミン、ノルアドレナリン、３−メトキシチラミン（３ＭＴ）、３，４−ジヒドロキシフェニル酢酸（ＤＯＰＡＣ）、ホモバニリン酸（ＨＶＡ）、５−ヒドロキシトリプタミン（５ＨＴ）、および５−ヒドロキシインドール酢酸（ＦＨＩＡＡ）等の、神経化学物質および体内で生成される他の化学物質等の分析物もまた、分析することができる。
【０２６３】
実施形態は、センサをホストの組織に挿入するのを容易にするために針を使用することができる。いくつかの実施形態は、針なしで例示されているが、針を含む他の針の実施形態と組み合わせることができる。いくつかの実施形態は、針を使用しないが、センサおよび／またはホストの皮膚を穿孔するのを容易にするように構成された別の部分を含む。各実施形態は、針を使用するように構成することができ、また、針を使用しないように構成することができる。
【０２６４】
本明細書に記載される多くの実施形態は、粘着剤を使用する。粘着剤の１つの目的は、基部、センサモジュール、および／またはセンサをホストに（例えば、ホストの皮膚に）結合させることができることである。粘着剤は、皮膚に粘着させるように構成することができる。粘着剤は、（例えば、粘着剤と基部との間に位置付けられた）パッドを含むことができる。粘着剤パッドの情報を含む追加的な粘着剤の情報は、２０１５年８月２５日に出願された米国特許出願第１４／８３５，６０３号で説明される。米国特許出願第１４  ／  ８３５，６０３号の内容全体は、参照により本明細書に組み込まれる。
【０２６５】
米国特許出願公開第２０１３／０２６７８１１Ａ１号、２０１５年５月１５日に出願された米国特許出願第６２／１６５，８３７号、および２０１５年１０月２１日に出願された米国特許出願第６２／２４４，５２０号は、アプリケータシステムの実施形態に関する詳細を含む。米国特許出願公開第２０１３／０２６７８１１Ａ１号、米国特許出願第６２／１６５，８３７号、および米国特許出願第６２／２４４，５２０号の内容全体は、参照により本明細書に組み込まれる。米国特許出願公開第２００９／００７６３６０Ａ１号の内容全体は、参照により本明細書に組み込まれる。
【０２６６】
米国特許出願公開第２０１１／００７７４９０Ａ１号、米国特許出願公開２０１４／０１０７４５０Ａ１号、および米国特許出願公開第２０１４／０２１３８６６Ａ１号は、いくつかの針なしの実施形態を記載している。米国特許出願公開第２０１１／００７７４９０Ａ１号、米国特許出願公開第２０１４／０１０７４５０Ａ１号、および米国特許出願公開第２０１４／０２１３８６６Ａ１号の内容全体は、参照により本明細書に組み込まれる。
【０２６７】
以下の出願の内容全体は、参照により本明細書に組み込まれる：２０１０年９月２９日に出願され、Ｔｒａｎｓｃｕｔａｎｅｏｕｓ  Ａｎａｌｙｔｅ  Ｓｅｎｓｏｒと題する、米国特許出願第１２／８９３，８５０号。以下の出願の内容全体は、参照により本明細書に組み込まれる：２０１４年４月１０日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ，  ａｎｄ  Ｒｅｌａｔｅｄ  Ｍｅｔｈｏｄｓと題する、米国特許出願第１４／２５０，３２０号。以下の出願の内容全体は、参照により本明細書に組み込まれる：２０１３年２月２８日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ，  ａｎｄ  Ｒｅｌａｔｅｄ  Ｍｅｔｈｏｄｓと題する、米国特許出願第１３／７８０，８０８号。
【０２６８】
本明細書で使用される場合、「基部」という用語は、非常に広義に使用され、単一構成要素に限定されず、多くの構成要素を含むことができる。基部は、互いに対して動く構成要素を含むことができる。基部は、遠位部分と近位部分とを含むことができる。伝送機は、基部の近位部分、基部の遠位部分、および／または基部の任意の部分に結合され得る。伝送機は、基部に組み込まれ得る。伝送機は、基部に取り外し可能に結合され得る。伝送機は、分析物測定データ（例えば、分析物表示）を受信機に伝送するように構成され得る。
【０２６９】
本明細書で使用される場合、「パス」は、動きを必要としない方法で使用される。例えば、センサは、動くことなく（例えば、チャネル内に位置することによって）チャネルを通過することができる。
【０２７０】
本明細書で使用される場合、経皮分析物測定センサ（例えば、センサ）は、皮下部分および組織に入るように構成されていない部分を含むことができる。センサの第１のセグメントは、ホストの外側にあり得、センサの第２セグメントは、ホストの内側にあり得る。センサの少なくとも一部分がホストに入るように構成され得るため、センサは、経皮センサとすることができる。センサは、多くの層、伝導体、絶縁体、膜、および構成要素を有するセンサアセンブリとすることができる。
【０２７１】
いくつかの実施形態は、１つ以上のバネを備える。これらのバネは、ねじりバネ、板バネ、螺旋バネ、円錐バネ、圧縮バネ、引張バネ、一体成型変形体、フレックスアーム、任意の適切な種類のバネもしくはバネの組み合わせ、本明細書に記載される任意のバネ、および／または参照により組み込まれる任意のバネとすることができる。いくつかの実施形態は、特定の種類のバネを有して示されているが、ある種類のバネを別の種類のバネに置き換えることによって、実施形態を作成することができる。
【０２７２】
図１〜１２６は、分析物表示を測定するように構成され得るセンサシステムまたはセンサシステムの少なくとも一部分を示す。センサシステムは、ホストの皮膚に面するように構成された遠位側を有する基部、基部に結合され、基部を皮膚に結合するように構成された第１の粘着剤、基部に結合され、分析物測定データを伝送するように構成された伝送機、および／または基部に結合された経皮分析物測定センサを備えることができる。多くの図面は、不必要な冗長性を低減し、特定の特徴に関連する説明の明瞭性を高めるために、（本明細書に記載される全ての特徴ではなくむしろ）特定の特徴に焦点を当てている。しかしながら、各特徴は、本明細書に含まれる図面の状況で説明され、かつ／または参照により組み込まれる他の全ての特徴と組み合わされ得る。
【０２７３】
先鋭保護
分析物データを測定することは、しばしば、分析物センサを皮下組織に挿入することを伴う。いくつかの実施形態は、センサを皮下組織に挿入するのを容易にするために針を使用する。いくつかの実施形態は、針の補助なしに皮下組織に挿入されるように構成されたセンサを有する。各実施形態は、針の有無にかかわらず構成され得る。
【０２７４】
いったんセンサが組織から取り外されると、センサは、ウイルス、細菌、および他の病原体を組織から、センサによって不注意に穿孔された別の人物に移す可能性があるバイオハザードになる。別の望ましくない副作用は、ユーザが誤って自分自身を穿孔する可能性があることである。したがって、場合によっては、人々を「使用済み」センサ（および／または針）から保護するシステムおよび方法にとっては有利である。
【０２７５】
化学溶液
いくつかの実施形態では、センサの少なくとも一部分は、生体内で軟化するように構成され、これにより、センサが組織から取り外された時点で、センサが十分に座屈しやすくなり、センサが誤った意図しない穿孔の実質的なリスクを引き起こさない（センサのカラムが皮膚を容易に穿孔するのに十分な強度がないため）。
【０２７６】
コーティングがセンサに適用され得る。コーティングは、センサを補強して、センサの最大座屈荷重を増加させるように構成され得る。コーティングは、組織内に位置することに応じて軟化および／または溶解するように構成され得る。結果として、コーティングは、センサがもはや組織を穿孔するように構成されなくなるほど、生体内曝露の期間後に柔らかくなり、かつ／または溶解することができる。
【０２７７】
いくつかの実施形態では、センサのワイヤ（および／またはセンサの別の部分）は、コーティングが軟化および／または溶解した後に組織を穿孔するのに十分に鋭利なままであるが、コーティングの軟化および／または溶解により、センサは、センサがもはや組織を穿孔するように構成されなくなるほど十分に座屈しやすくなる。換言すれば、組織を穿孔するのではなくむしろ、センサが座屈する。
【０２７８】
いくつかの実施形態では、センサの鋭利な遠位端は、生体内で軟化および／または溶解する材料で作られる。結果として、センサは、最初は皮膚を穿孔するのに十分鋭利であるが、いったん鋭利な遠位端が軟化および／または溶解すると、センサはもはや皮膚を穿孔するように構成されなくなる。換言すれば、センサの遠位端は、生体内での曝露に応じて鈍くなる（例えば、あまり鋭くなくなる）。遠位先端部の断面積は、皮膚を穿孔するのに必要な力がワイヤの座屈強度よりも大きくなるように増加する。
【０２７９】
いくつかの実施形態は、座屈力に対してセンサを支持するように構成された構造体を含む。支持構造体は、センサと並んで位置付けられ得る。センサは、支持構造体のチャネルを通過することができる。センサは、支持構造体のチャネル内に少なくとも部分的に含まれ得る。
【０２８０】
支持構造体は、管状、Ｃ字形状、円筒形状、および／またはセンサの座屈の防止に役立つのに適した任意の他の形状を有することができる。支持構造体は、支持構造体が生体内で硬さが低くなるように、生体内で軟化および／または溶解する材料から作製され得る。この変化は、間質液への流体曝露（例えば、水和）または上昇した温度の結果であり得る。
【０２８１】
本明細書で使用される場合、「Ｃ字形状」という用語は、広義に使用され、構造体が、Ｃ字形がＵ字形、Ｖ字形、および他の同様の形状を含むことができるように、開放側を有することを意味する。
【０２８２】
センサと支持構造体との間の結合部は、生体内で軟化および／または溶解する材料から作製され得る。結果として、支持構造体は、センサが組織内に最初に挿入されたときに座屈に抵抗するように構成され得るが、次いでより低い座屈抵抗能力を有することができる。
【０２８３】
支持構造体および／またはセンサは、鋭利な先端部を備えることができる。鋭利な先端部は、ホストの皮膚を穿孔するように構成され得る。
【０２８４】
軟化および／または溶解材料の目的は、挿入を容易にするために、カラム強度および／または座屈抵抗をセンサに加えることであり得る。材料は、機械的に（例えば、管内に拘束される等）、または化学的に（例えば、粘着剤）、センサに結合され得る。
【０２８５】
材料は、以下の機構のうちの１つ以上を介して、誤った穿孔のリスクを低減することができる。材料は、皮膚を穿孔するのに十分剛性にセンサを保持することが不可能である状態まで分解することができる。生体内曝露は、二次材料をもはや皮膚を穿孔するのに十分鋭利ではなくすることができる（例えば、遠位先端部において）。センサおよび支持構造体が分離するように、および／または支持構造体がもはやセンサを硬質および／またはほぼ直線状の状態に保持するように構成されなくなるように、材料は、軟化および／または溶解することができる。
【０２８６】
以下の出願（その内容全体は参照により本明細書に組み込まれる）は、軟化および溶解材料に関する情報を含む：２０１４年４月１０日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ，ａｎｄ  Ｒｅｌａｔｅｄ  Ｍｅｔｈｏｄｓと題する、米国特許出願第１４／２５０，３２０号。
【０２８７】
コーティング材料および／または支持構造体材料は、生分解性材料および／またはホストへの挿入時に溶解する材料であってもよい。例えば、材料は、塩、金属塩、糖、合成ポリマー、糊または粘着剤（シアノアクリレート等）、ポリ乳酸（ＰＬＡ）、ポリグリコール酸、ポリ乳酸−コ−グリコール酸（ＰＬＧＡ）、ポリ無水物、ポリホスファゼン、または３７±１０℃のガラス転移温度を有する任意の材料のうちの少なくとも１つを含む。
【０２８８】
図２は、センサシステム２０２ａの斜視図を示す。図３は、図２の線３−３に沿った断面図を示す。ここで図３を参照すると、センサ２０６ａは、基部２０４ａに対して遠位に配置されたセクションを備えることができる。センサ２０６ａのそのセクションは、第１の部分２５５と第２の部分２５６とを備えることができる。センサ２０６ａの第１の部分２５５は、皮膚へのセクションの挿入中、第２の部分２５６を直線状の構成で維持することを容易にするように構成され得る。センサ２０６ａの第１部分２５５は、生体内に配置されたことに応じて軟化するように構成され得る。
【０２８９】
第１の部分２５５は、挿入前の第１の座屈抵抗と、生体内に配置された１時間、１２時間、および／または４８時間後の第２の座屈抵抗と、を含むことができる。第２の座屈抵抗は、第１の座屈抵抗よりも小さくなることができる。第２の座屈抵抗は、第１の座屈抵抗よりも少なくとも３０％、および／または少なくとも７０％小さくなることができる。
【０２９０】
図１２６は、図１１６の線１２６−１２６に沿った断面図を示す。本明細書で説明され、かつ／または参照により組み込まれるセンサのいずれも、図１２６の状況で説明される特徴を含むことができる。図１２６の状況で説明される特徴は、不必要な冗長性を回避するために、各センサの実施形態の状況では説明されない。
【０２９１】
図１２６は、センサ６１６の一部分（例えば、６９２ｃ、６８３ａ、６９１ａ、６９０ａ、センサコア、センサ層、センサ支持構造体）が生体内で軟化するように構成された実施形態を示す。この部分は、センサ６１６がホストの組織から取り外された時点で、センサ６１６が十分に座屈しやすくなり、センサ６１６が別の人物を穿孔する実質的なリスクを引き起こさないように、生体内で十分に軟化することができる。
【０２９２】
センサ６１６は、第１の導電層６９０ａ（例えば、プラチナ）と、第１の絶縁層６９２ｃ（例えば、ポリウレタンコーティング）と、第２の導電層６９１ａ（例えば、銀／塩化銀コーティング）と、を備えることができる。第１の絶縁層６９２ｃは、第１の導電層６９０ａと第２の導電層６９１ａとの間の直接的導電性を遮断することができる（例えば、第１の導電層６９０ａおよび第２の導電層６９１ａが、図１２５の状況で説明されるように、ホストの組織および／または体液のみによって電気的に結合されるように）。センサ６１６は、外側膜６８３ａを備えることができる。
【０２９３】
絶縁層６９２ａは、生体内に配置されたことに応じて軟化するように配合され得る。絶縁層６９２ａ（および／またはセンサ６１６の他の部分）の軟化は、センサ６１６をより座屈しやすくし、したがって（例えば、間違った人物の）皮膚を誤って穿孔する傾向がより少なくなる。
【０２９４】
摺動アーム
いったんセンサが組織から取り外されると、センサは、別の人物の皮膚を誤って穿孔する可能性がある。いくつかの実施形態は、センサの少なくとも一部分を格納することによって（例えば、センサが皮膚から取り外されるとき、および／またはセンサが皮膚から取り外された後）、この潜在的な危険を克服する。いくつかの実施形態は、センサの遠位部分を被覆して、センサが取り外された後に人物を穿刺することからセンサを保護する。
【０２９５】
いくつかの実施形態は、基部に摺動可能に結合されたアームを備える。アームは、センサの遠位部分を格納するように、および／またはセンサの遠位部分を被覆するように構成され得る。
【０２９６】
水平プルタブ
「使用済み」センサが人物の皮膚を不注意に穿孔することを防ぐ１つの方法は、センサを（例えば、システムの内部空洞内に）格納することである。システム（例えば、ウェアラブルおよび／またはアプリケータ）は、皮膚にほぼ平行に摺動するように構成された部分を含むことができる。この部分を摺動させると、センサを格納することができる。摺動する部分は、プルタブおよび／または伝送機であってもよい。例えば、プルタブを引っ張り、かつ／または伝送機を取り外すと、システムがセンサを格納することができる。
【０２９７】
図２〜４は、基部２０４ａに摺動可能に結合されたアーム２０３を含む、センサシステム２０２ａを示す。アーム２０３を矢印２０５によって示される方向に摺動させると、センサ２０６ａを格納して、センサ２０６ａが人物を穿孔するのを防止することができる。
【０２９８】
図２は、センサシステム２０２ａの斜視図を示す。図３は、図２の線３−３に沿った断面図を示す。図４もまた、センサ２０６ａを格納するために、アーム２０３が図２の矢印２０５によって示される方向に動いたことを除いて、図３と同様の断面図を示す。
【０２９９】
ここで図２〜図４を参照すると、いくつかの実施形態は、分析物濃度を測定するためのセンサシステム２０２ａを備える。センサシステム２０２ａは、ホストの皮膚に面するように構成された遠位側２０７ａを有する基部２０４ａを備えることができる。図３および図４は、近位方向２０８（例えば、皮膚から離れた）および遠位方向２０９（例えば、皮膚に向かった）を示す。
【０３００】
センサシステム２０２ａは、基部２０４ａに結合され、基部２０４ａを皮膚に結合するように構成された第１の粘着剤２１０、基部２０４ａに結合され、分析物測定データを伝送するように構成された伝送機２１１ａ、および／または基部２０４ａに結合された経皮分析物測定センサ２０６ａを備えることができる。
【０３０１】
システムは、プルタブ２１４を含むプルタブシステム２１３を備えることができる。プルタブシステム２１３は、プルタブ２１４を基部２０４ａに対して動かすことに応じて、センサ２０６ａを格納するように構成され得る。
【０３０２】
プルタブシステム２１３は、チャネル２１５と、チャネル２１５をプルタブ２１４に結合する中間部分２１６と、を備えることができる。プルタブ２１４は、基部２０４ａから離れるように突出することができる。センサ２０６ａの第１の部分は、チャネル２１５を通過することができる。プルタブシステム２１３は、プルタブ２１４を引っ張ることによって、チャネル２１５を動かして、センサ２０６ａを格納するように構成され得る。
【０３０３】
チャネル２１５は、穴、スロット、および／またはフックによって形成され得る。チャネル２１５は、センサ２０６ａを押し、かつ／または引っ張るように構成された壁によって形成され得る。チャネル２１５は、システムの組み立てを容易にするために（センサ２０６ａが開放側を通ってチャネル２１５に挿入されることを可能にすることによって）、一方の側で開放していることができる。
【０３０４】
基部２０４ａは、チャネル（例えば、第２の孔２１９）を備えることができる。センサ２０６ａの第２の部分は、第２の穴２１９を通過することができる。プルタブシステム２１３は、プルタブを引っ張って、センサ２０６ａの第２の部分を第２の穴２１９から、かつセンサシステム２０２ａの内部領域２２０内へと引っ張ることによって、センサ２０６ａを格納するように構成され得る。
【０３０５】
プルタブシステム２１３が、皮膚から離れて配向された近位方向２０８に対して垂直の２０度以内（例えば、±２０度以内）および／または４５度以内（例えば、±４５度以内）である、第１の方向２０５に摺動するように構成されるように、プルタブシステム２１３は、基部２０４ａに摺動可能に結合され得る。（プルタブシステム２１３は、皮膚に向かって配向された遠位方向２０９に対して垂直の±２０度以内および／または±４５度以内である方向２０５に摺動するように構成され得る。）
【０３０６】
伝送機２１１ａが、近位方向２０８に対して垂直の±２０度以内および／または±４５度以内である、第２の方向２２１に摺動するように構成されるように、伝送機２１１ａは、基部２０４ａに摺動可能に結合され得る。第２の方向２２１は、第１の方向２０５に対して平行の±２０度以内および／または±４５度以内であってもよい。（いくつかの実施形態では、伝送機は、ユーザによって、または工場における基部への永久的な取り付けによって、基部に結合される。）
【０３０７】
水平プッシュタブまたはボタン
図５〜７に示される実施形態はまた、センサ２０６ｂが皮膚を穿孔することを防止するために（例えば、センサ２０６ｂがホストから取り外された後に）、センサ２０６ｂを格納するように構成されている。
【０３０８】
プルタブを使用するよりもむしろ、図５〜７に示される実施形態は、プッシュタブまたは電子ボタンであってもよいボタン２２２を含む。システム２０２ｂは、ボタン２２２（例えば、プッシュタブ）を外側筐体に押し込むことによって、センサ２０６ｂが外側筐体内に格納されるように構成され得る。したがって、システム２０２ｂは、センサ２０６ｂを（例えば、システム２０２ｂの内部空洞内に）格納することによって、「使用済み」センサ２０６ｂが人物の皮膚を不注意に穿孔することを防ぐ。
【０３０９】
図５は、システム２０２ｂの斜視図を図示する。図６は、図５の線６−６に沿った断面図を示す。図６は、センサシステム２０２ｂの内部領域に格納される前のセンサ２０６ｂを示す。図７は、センサ２０６ｂがシステム２０２ｂ内に格納されたことを除いて、図６に示されたのと同じ断面図を示す。
【０３１０】
ここで図５〜７を参照すると、システム２０２ｂは、プッシュボタン２２２を有するプッシュボタンシステムを備えることができる。プッシュボタンシステムは、ボタン２２２を押すことに応じて（例えば、図５の矢印２２３によって示される方向に）、センサ２０６ｂを格納するように構成され得る。いくつかの実施形態では、ボタン２２２は、機械的に作動されるのではなくむしろ、電気的に作動される。
【０３１１】
プッシュボタンシステムの少なくとも一部分２２５は、基部２０４ｂから離れて突出することができる。プッシュボタンシステムは、プッシュボタンシステムの部分２２５を基部２０４ｂに押し込むことによって、センサ２０６ｂをセンサシステム２０２ｂの内部領域に引き込む、および／または押し込むセンサ格納フープまたはフック２２６と係合するように構成され得る。
【０３１２】
プッシュボタンシステムは、チャネル２２７と、チャネル２２７をプッシュボタン２２２に結合する中間部分２２８と、をさらに備えることができる。プッシュボタン２２２は、基部２０４ｂから離れて突出することができる。センサ２０６ｂの第１の部分は、チャネル２２７を通過することができる。プッシュボタンシステムは、ボタン２２２を押すことによって、チャネル２２７を動かして、センサ２０６ｂを格納するように構成され得る。
【０３１３】
チャネル２２７は、穴、スロット、および／またはフック２２６によって形成され得る。チャネル２２７は、センサ２０６ｂを押し、かつ／または引っ張るように構成された壁によって形成され得る。チャネル２２７は、システム２０２ｂの組み立てを容易にするために（センサ２０６ｂが開放側を通ってチャネル２２７に挿入されることを可能にすることによって）、一方の側で開放していることができる。
【０３１４】
基部２０４ｂは、第２の穴２２９によって形成された第２のチャネルを備えることができる。センサ２０６ｂの第２の部分は、第２の穴２２９を通過することができる。ボタン２２２を押して、センサ２０６ｂの第３の部分にＵ字形および／または蛇行形状を形成させることによって、センサ２０６ｂの第２の部分を第２の穴２２９から、かつセンサシステム２０２ｂの内部領域内へと引っ張ることによって、センサ２０６ｂを格納するように、プッシュボタンシステムが構成され得る。
【０３１５】
プッシュボタンシステムが、基部２０４ｂの遠位側から離れて配向された近位方向に対して垂直の±２０度以内および／または±４５度以内である、第１の方向２２３に摺動するように構成されるように、プッシュボタンシステムは、基部２０４ｂに摺動可能に結合され得る。（近位方向は、遠位方向２０９に対して反対である。）
【０３１６】
プッシュボタンシステムは、第１のアーム（例えば、チャネル２２７を含む部分）と、第１のアームをプッシュボタン２２２に結合する中間部分２２８と、を備えることができる。プッシュボタン２２２は、基部２０４ｂから離れて突出することができる。センサ２０６ｂの第１の部分は、第１のアームのチャネル２２７を通過することができる（例えば、図６に示されるように）。プッシュボタンシステムは、ボタンを押すことによって、第１のアームを動かして、センサ２０６ｂを格納するように構成され得る（例えば、図７に示されるように）。
【０３１７】
伝送機２１１ｂが、近位方向に対して垂直の±２０度以内および／または±４５度以内である、第２の方向２３０に摺動するように構成されるように、伝送機２１１ｂは、基部２０４ｂに摺動可能に結合され得る。第２の方向２３０は、第１の方向２２３に対して平行の±２０度以内および／または±４５度以内であってもよい。
【０３１８】
いくつかの実施形態では、システム２０２ｂを皮膚に結合する第１の粘着剤２１０は、人物が第１の粘着剤２１０を皮膚から剥がすのを助けるように構成されたタブ２３１を有することができる。この粘着剤除去タブ２３１は、プッシュタブ２２２によって少なくとも部分的に被覆されて、粘着剤除去タブ２３１を使用して皮膚から第１の粘着剤２１０を剥がす前に、ユーザがプッシュタブ２２２を外側筐体に押し込むように促すことができる。
【０３１９】
トリガ−摺動アーム
いくつかの実施形態は、センサをシステムの内部領域に自動的に格納する。例えば、システムを皮膚から分離すると、センサが自動的に後退する。自動格納は、追加のステップを実施するよう覚えている人物に依存しないため、有利である。例えば、システムは、人物が皮膚からシステムの少なくとも一部を分離することに応じて、センサを格納することができる。
【０３２０】
実施形態は、トリガを備えることができる。トリガを作動させると、センサが（例えば、システムの内部空洞内に）格納され得る。
【０３２１】
トリガは、皮膚から基部を分離することによって、ピンを動かし、かつ／または取り外して、圧縮されたバネおよび／または伸長されたバネ（例えば、延伸されたバネ）を解放するように、バネ荷重され得る。バネは、システムがピンを動かすことに応じてバネの力を解放するように構成されるように、高エネルギー状態にあり得る。バネは、本明細書で説明され、かつ／または参照により組み込まれる任意の種類のバネであってもよい。バネは、板バネ、フレックスアーム（例えば、一体成形フレックスアーム）、円錐バネ、および／もしくは任意の適切な種類のバネ、ならびに／または複数のバネの組み合わせであってもよい。
【０３２２】
バネを解放すると、バネ力によってセンサがシステムの内部領域に格納され得る。バネを解放することによって引き起こされる動きは、押す動作および／または引っ張る動作を引き起こして、センサを格納することができる。
【０３２３】
システムは、基部を皮膚に結合するための第１の粘着剤を有することができる。システムはまた、解放ピンを皮膚に結合する第２の粘着剤を有することができる。結果として、皮膚から基部を分離すると、解放ピンを基部から引っ張り出し、かつ／または少なくとも部分的に基部から引っ張って離すことができる（解放ピンが引き続き皮膚に粘着しているため）。いくつかの実施形態では、第１および第２の粘着剤は、同じ本体上にあってもよい。
【０３２４】
いくつかの実施形態では、ピンは、基部が皮膚から分離された後でさえ、基部に結合されたままであるように構成され得る。例えば、ピンは、限られた距離入れ子になり、アンダーカット特徴部によって保持されるように構成され得る。したがって、ポストは、バネを解放する位置まで動いている間は、基部に取り付けられたままであってもよい。
【０３２５】
図８は、アーム２３３の解放に応じてセンサ２０６ｃを格納するように構成されたバネ荷重アーム２３３を有する、一実施形態の斜視図を示す。アーム２３３がセンサ２０６ｃを格納する前に、アーム２３３を開始位置に保持するために、解放機構（例えば、ピン２３５）が使用され得る。図９は、図８に示された斜視図からの断面図を示す。図９中、アーム２３３は、高エネルギー状態にある（バネ２３４に貯蔵されたエネルギーのため）。ピン２３５を動かすと、バネ２３４が解放され、アーム２３３を駆動してセンサ２０６ｃを格納する（図１０に示されるように）。
【０３２６】
ここで図８〜１０を参照すると、いくつかの実施形態は、センサシステム２０２ｃを皮膚から取り外すことによって、センサ２０６ｃが、基部２０４ｃに対して摺動するアーム２３３に応じて自動的に格納されるように、基部２０４ｃに摺動可能に結合されたバネ荷重アーム２３３を備える。
【０３２７】
基部２０４ｃは、第１の方向２０９（例えば、遠位方向）で皮膚に面するように構成され得る。アーム２３３は、第１の方向２０９に対して垂直の±２０度以内および／または±４５度以内である第２の方向２３７に摺動するように構成され得る。センサ２０６ｃの少なくとも一部分は、アーム２３３の部分２３８を通過することができ、これにより、アーム２３３を第２の方向２３７に動かすことによって、アーム２３３の部分２３８は、センサ２０６ｃをセンサシステム２０２ｃの内部領域２３９（例えば、空洞）に格納する。
【０３２８】
いくつかの実施形態は、バネ２３４と解放ピン２３５とを備える。バネ２３４は、圧縮状態および伸長状態（例えば、延伸状態）のうちの少なくとも１つであってもよく、これにより、解放ピン２３５を取り外すことによって、バネ２３４は、センサ２０６ｃの少なくとも第１の部分を基部２０４ｃ内に動かす。
【０３２９】
いくつかの実施形態は、基部２０４ｃに摺動可能に結合されたアーム２３３を備える。アーム２３３は、第１のチャネル２３８（例えば、穴、スロット、および／またはフックによって形成された）を備えることができる。第１のチャネル２３８は、センサ２０６ｃの第２の部分が第１のチャネル２３８および第２の穴を通過するように、基部２０４ｃの第２のチャネル２４２（例えば、第２の穴）と整列し得る。バネ２３４は、基部２０４ｃの第１の壁とアーム２３３の第２の壁との間で圧縮および伸長（例えば、延伸）のうちの少なくとも１つの状態であってもよい。解放ピン２３５は、基部２０４ｃの第３のチャネル２４３（例えば、第３の穴）を通過することができ、アーム２３３の一部分に干渉して、バネ２３４がアーム２３３を動かして、センサ２０６ｃを格納することを防止することができる。
【０３３０】
解放ピン２３５は、皮膚に適用されるように構成された第２の粘着剤２４０を有する遠位面を備えることができ、これにより、皮膚から基部２０４ｃを取り外すことによって、第１の粘着剤を皮膚から分離するが、第２の粘着剤２４０を皮膚から分離せず、これによって、解放ピン２３５は第３の穴から取り外され、それによりバネ２３４がアーム２３３を動かしてセンサ２０６ｃを格納する。いくつかの実施形態では、ピン２３５は、基部２０４ｃに対して動くが、ピン２３５がアーム２３３を解放してセンサ２０６ｃをシステム２０２ｃに格納した後、基部２０４ｃに結合されたままである。
【０３３１】
バネ２３４は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０３３２】
伝送機２１１ｃは、基部２０４ｃに取り外し可能に結合され得、かつ／または基部２０４ｃに組み込まれ得る。基部２０４ｃは、センサ２０６ｃおよび／または伝送機２１１ｃに電力を供給するように構成されたバッテリ４３０を備えることができる。
【０３３３】
トリガ−外部アーム
いくつかの実施形態は、センサの遠位部分を屈曲および偏向させるように構成されたバネ荷重アームを含む。結果として、バネ荷重アームは、センサが人物の皮膚を穿孔することを防止することができる。
【０３３４】
アームは、（いくつかの実施形態で使用されるように、遠位方向にほぼ平行ではなくむしろ）遠位方向にほぼ垂直に摺動することができる。摺動アームは、システムの筐体の少なくとも部分的に外側に配置され得る。
【０３３５】
トリガを作動させると、システムは、遠位部分がもはや皮膚を穿孔することができないように、センサの遠位部分を屈曲および偏向させることができる。センサの遠位部分は、摺動アーム（トリガ機構によって作動される）と基部との間に保持され得る。粘着剤は、トリガを開始位置に固定することができ、これにより、皮膚から粘着剤を分離することによって、トリガが作動してセンサの遠位部分を屈曲させる。
【０３３６】
図１１は、センサ２０６ｄがホストの組織から取り外された後に、センサ２０６ｄが人物を不注意に穿孔することを防止するために、基部２０４ｄの遠位側２０７ｄに対してセンサ２０６ｄの一部分を屈曲させるように構成されたバネ荷重アーム２４８を有する、一実施形態の斜視図を示す。図１２は、図１１に示される実施形態の断面斜視図を示す。図１２中、アーム２４８は、まだセンサ２０６ｄを屈曲させていない。例えば、図１２に示されるセンサ構成は、センサ２０６ｄがホストの組織内に少なくとも部分的に配置されている場合であってもよい。図１３は、アーム２４８が基部２０４ｄに対して動いてセンサ２０６ｄを屈曲させている以外は、図１１に示される実施形態の断面斜視図を示す。図１３中、伝送機２１１ｄは、基部２０４ｄから分離されている。
【０３３７】
ここで図１１〜１３を参照すると、いくつかの実施形態は、基部２０４ｄに摺動可能に結合され、皮膚からセンサシステム２０２ｄを取り外すことによって、アーム２４８がセンサ２０６ｄの第１の部分に衝突し、センサ２０６ｄを屈曲させて、これにより、センサ２０６ｄの第２の部分がアーム２４８と基部２０４ｄとの間に配置されるように構成された、バネ荷重アーム２４８を備える（例えば、図１３に示されるように）。
【０３３８】
基部２０４ｄは、第１の方向２０９（例えば、遠位方向）で皮膚に面するように構成され得る。センサシステム２０２ｄは、第１の方向２０９に対して垂直の±２０度以内および／または±４５度以内に配向されたバネ２３４ｄを備えることができる。バネ２３４ｄは、センサシステム２０２ｄの内部領域内に配置され得、アーム２４８をセンサ２０６ｄの第１の部分に衝突させるように構成され得る。
【０３３９】
バネ２３４ｄは、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０３４０】
基部２０４ｄは、第１の方向２０９で皮膚に面するように構成され得る。アーム２４８は、第１の方向２０９に対して垂直の±２０度以内である第２の方向２４９に摺動するように構成され得え、これにより、センサ２０６ｄの第２の部分は、第１の方向２０９に対して垂直の±２０度以内に配向される。
【０３４１】
センサ２０６ｄは、基部２０４ｄのチャネル２５１（例えば、穴）を通過することができる。センサ２０６ｄの第１の部分は、基部２０４ｄの穴に対して遠位に配置され得る。アーム２４８は、センサ２０６ｄの第１の部分に向かってバネ荷重され得る。アーム２４８は、センサ２０６ｄの第１の部分に向かって突出する突出部２５２を備えることができ、これにより、アーム２４８を摺動させて、突出部２５２をセンサ２０６ｄの第１の部分に衝突させ、突出部２５２を基部２０４ｄのチャネル２５１（例えば、穴）に対して直接遠位に位置付ける。
【０３４２】
アーム２４８の突出部は、アーム２４８を皮膚に結合するように構成された第２の粘着剤２５３を備えることができ、これにより、第２の粘着剤２５３は、アーム２４８がセンサ２４６を屈曲させない第１の位置に、アーム２４８を保持する。第２の粘着剤２５３を皮膚から分離すると、アーム２４８がセンサ２０６ｄを屈曲させることができ、これにより、センサ２０６ｄの第２の部分がアーム２４８と基部２０４ｄとの間に配置される。
【０３４３】
回転アーム
いくつかの実施形態は、基部に回転可能に結合されたアームを備える。回転アームは、センサ（および／または針）が皮膚を穿孔するリスクを引き起こすことを防止することができる。
【０３４４】
回転アームは、センサの遠位部分を格納するように、および／またはセンサの遠位部分を被覆して、人物を不注意に穿孔することからセンサを保護するように構成され得る。回転アームは、手動でトリガされ得か、または自動的にトリガされ得る。いくつかの実施形態では、アームは、皮膚から基部を分離することに応じて自動的に回転する。
【０３４５】
バネフラップ
いくつかの実施形態は、皮膚からシステムを分離することによって、アームがセンサの遠位部分に向かって回転するようにアームを解放するように、基部に回転可能に結合されたアームを含む。アームは、センサを屈曲させ、かつ／またはセンサの遠位部分をアームと基部との間に捕捉して、センサが意図せずに皮膚を穿孔することを防ぐことができる。
【０３４６】
アームは、センサの遠位部分に向かってアームを回転させるように構成されたバネによって駆動され得る（例えば、直接的または間接的に押され得る、直接的または間接的に引っ張られ得る）。バネは、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０３４７】
システムは、皮膚がアームの回転に干渉する第１の状態を有することができる。いったんシステムが皮膚から分離されると、アームは、自由に回転してセンサを屈曲させることができる。例えば、皮膚および／またはロック機構がもはやバネを拘束しなくなると、バネ力は、アームを回転させることができる。
【０３４８】
図１４は、ヒンジ２６１によって基部２０４ｅに回転可能に結合されたアーム２６０を有する、システム２０２ｅの斜視図を示す。図１５は、図１４に示されるシステム２０２ｅの側面断面図を示す。回転アーム２６０を明確に見ることを容易にするために、伝送機２１１ｅは、図１４および図１５では隠されている。任意選択的に取り外し可能な伝送機２１１ｅが、図１６に示されている。図１６は、システム２０２ｅの斜視図を図示する。
【０３４９】
ここで図１４〜１６を参照すると、アーム２６０は、アーム２６０がヒンジ２６１を中心に矢印２６５によって示される方向に回転するように構成されるように、バネ荷重され得る。図１５は、センサ２０６ｅの部分２６４を示す。部分２６４は、遠位側２０７ｅに対して遠位に配置される。この部分２６４の少なくとも１つのセクションは、アーム２６０の回転によって屈曲および／または偏向し得、これにより、このセクションがアーム２６０と遠位側２０７ｅとの間に配置される（例えば、図１６に示されるように）。
【０３５０】
アーム２６０は、アーム２６０が基部２０４ｅの凹部内に配置される開始位置を有することができる（例えば、図１４および１５に示されるように）。アーム２６０は、アーム２６０が、皮膚を貫通することからセンサ２０６ｅを保護する終了位置を有することができる（例えば、図１６に示されるように）。
【０３５１】
ヒンジ２６１は、基部２０４ｅを皮膚から分離することによって、アーム２６０がセンサ２０６ｅの少なくとも第１の部分を屈曲させ、センサ２０６ｅの少なくとも第２の部分を被覆するように、ヒンジ２６１を回転させるように構成され得る。
【０３５２】
システム２０２ｅは、ねじりバネ２６２がセンサ２０６ｅの第２部分に向かって回転方向２６５にアーム２６０を付勢するように、アーム２６０に結合されたねじりバネ２６２を備えることができる。
【０３５３】
ヒンジ２６１は、センサシステム２０２ｅの内部領域内に配置され得る（図１４および１５に示されるように）。アーム２６０は、センサ２０６ｅの第２の部分を被覆するように構成された部分を備えることができる。センサシステム２０２ｅは、アーム２６０の一部分が内部領域内に配置された第１の状態を含むことができる（図１４および１５に示されるように）。伝送機２１１ｅは、図１４および１５では隠されているが、アーム２６０の一部分は、図１４および１５の内部領域内に配置されている。センサシステム２０２ｅは、アーム２６０の一部分が基部２０４ｅに対して遠位に配置される第２の状態を含むことができる（図１６に示されるように）。
【０３５４】
枢動システム
いくつかの実施形態では、センサを格納して、皮膚を穿孔することからセンサを保護するために、ヒンジが使用される。ヒンジの動きは、センサをホストの組織から外へ、かつシステムの第１の部品とシステムの第２の部品との間の領域内に引っ張ることができる。
【０３５５】
システムは、ユーザがシステムの近位部分を容易に動かしてヒンジを回転させることを可能にするように構成されたリフトタブを備えることができる。この回転は、近位部分をシステムの遠位部分に対して枢動させて、センサを格納することができる。
【０３５６】
図１７は、センサ２０６ｆを格納するように構成されたヒンジ２７０を含む、システム２０２ｆの斜視図を示す。図１８は、センサ格納前の状態のシステム２０２ｆの側面断面図を示す。図１９は、センサ格納後の状態のシステム２０２ｆの側面断面図を示す。
【０３５７】
ここで図１７〜１９を参照すると、いくつかのシステム２０２ｆは、ヒンジ２７０によって第２の部分２７３に結合された第１の部分２７２を備える。第１の部分２７２を第２の部分２７３に対して枢動させることによって、センサ２０６ｆを格納して、センサ２０６ｆが別の人物の皮膚を穿孔することを防ぐことができる。第２の部分２７３は、第１の部分２７２と第２の部分２７３との間の枢動角２７１を増加させて、センサ２０６ｆを格納するように構成されたヒンジ２７０によって、第１の部分２７２に結合され得る。
【０３５８】
センサシステム２０２ｆは、基部２０４ｆと、伝送機２１１ｆと、遠位側２０７ｆと、を備えることができる。バネ２７５（例えば、らせんバネ、圧縮バネ、引張バネ、板バネ、ねじりバネ）は、（例えば、いったんトリガ機構および／または任意の適切な機構によって解放されると）枢動角２７１を増加させるように構成され得る。
【０３５９】
バネ２７５は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０３６０】
ヒンジ２７０は、第２の部分２７３が第１の部分２７２に対して回転すると、ピン２７６を保持するように構成されたスリーブ２７７に回転可能に結合されたピン２７６を備えることができる。本明細書で使用される場合、「スリーブ」という用語は、広義に使用され、枢動中に他の部分を保持するために別の部分に適合するように設計された管状部品、中空軸、および／またはブッシングを意味することができる。スリーブは、開放端の平らなまたは管状の包装またはカバーであってもよい。いくつかのスリーブは、円筒形状または完全な円筒ではない（例えば、スリーブは、スロットを有することができる）。
【０３６１】
基部２０４ｆは、第１の部分２７２と第２の部分２７３とを備えることができる。第１の部分２７２は、第１の粘着剤２１０を第２の部分２７３に結合することができる。
【０３６２】
基部２０４ｆは、第１の部分２７２を備えることができる。第２の部分２７３は、伝送機２１１ｆを備えることができる。
【０３６３】
センサ２０６ｆの遠位部分は、基部２０４ｆのチャネル２７８（例えば、穴）を通過することができる。センサ２０６ｆの近位部分は、第２の部分２７３に結合され得、これにより、枢動角２７１の増加によって、基部２０４ｆのチャネル２７８を通して、かつセンサシステム２０２ｆの第１の部分２７２と第２の部分２７３との間の領域内へと、センサ２０６ｆの遠位部分を格納する。
【０３６４】
基部２０４ｆは、左半分２７９と右半分２８０とを備えることができる。左半分２７９は、基部２０４ｆのチャネル２７８を備えることができる。右半分２８０は、ヒンジ２７０の少なくとも一部分を備えることができる。
【０３６５】
第２の部分２７３は、ユーザが第１の部分２７２に対して第２の部分２７３を回転させるために遠位に面する表面２８２を把持することを可能にするように構成されたリフトタブ２８１を備えることができる。リフトタブ２８１は、ヒンジ２７０から離れて突出する突出部を備えることができる。リフトタブは、第１の部分および第２の部分を解放可能に結合するフレックスアームに結合されてもよい。リフトタブに力を加えると、分離を作動させ得る。
【０３６６】
ヒンジ付き基部プレート
いくつかの実施形態では、システムは、センサが別の人物を穿孔するのを防ぐためにセンサ上で折り畳まれるように構成されたヒンジ付き基部を備える。ユーザは、センサ上で基部の一方の側を折り畳むことができる。バネは、センサ上で基部の一方の側を動かすことができる。
【０３６７】
図２０は、第１の部分２９４と第２の部分２９５とを備える基部２０４ｇの斜視図を示す。基部２０４ｇの第１の部分２９４は、基部２０４ｇの第２の部分に対して回転して、センサ２０６ｇの遠位部分を遮蔽し、センサ２０６ｇが人物を穿孔することを防止するように構成される。第１の部分２９４は、図２０の矢印２９１によって示される方向に、ヒンジ２９７を中心に回転することができる。
【０３６８】
図２１は、第１の部分２９４が第２の部分２９５に対して約９０度回転した後の基部２０４ｇの斜視図を示す。第１の部分２９４は、図２２ａおよび２２ｂに示される状態に達するように、矢印２９２によって示される方向に回転し続けることができる。
【０３６９】
図２２ａは、システム２０２ｇの上面図を示す。図２２ｂは、システム２０２ｇの側面図を示す。図２２ａおよび２２ｂ中、センサ２０６ｇは、基部２０４ｇの第１の部分２９４によって皮膚を穿刺することから保護される。
【０３７０】
ここで図２０〜２２ｂを参照すると、基部２０４ｇは、第１の部分２９４と第２の部分２９５とを備えることができる。基部２０４ｇの第２の部分２９５は、基部２０４ｇの第１の部分２９４と第２の部分２９５との間の枢動角を減少させることによって、基部２０４ｇの第１の部分２９４と第２の部分２９４との間にセンサ２０６ｇの一部分を配置するように構成されたヒンジ２９７によって、基部２０４ｇの第１の部分２９４に結合され得る。伝送機２１１ｇは、基部２０４ｇに結合され得る。
【０３７１】
ヒンジ２９７は、基部２０４ｇの第１の部分２９４が基部２０４ｇの第２の部分２９５に対して回転すると、第１のピンを保持するように構成された第１の穴に回転可能に結合された第１のピンを備えることができる。
【０３７２】
ヒンジ２９７は、基部２０４ｇの第１の部分２９４が基部２０４ｇの第２の部分２９５に対して回転すると、第２のピンを保持するように構成された第２の穴に回転可能に結合された第２のピンを備えることができる。第１のピンは、第１の方向に突出することができる。第２のピンは、第１の方向に対して反対の第２の方向に突出することができる。
【０３７３】
第１の粘着剤は、第１のセクション２９０ｂと、基部２０４ｇの遠位側２０７ｇに結合された第２のセクション２９０ａと、を備えることができる。第１のセクション２９０ｂは、基部２０４ｇの第１の部分２９４に結合され得、これにより、第１のセクション２９０ｂは、基部２０４ｇの第１の部分２９４を皮膚に粘着するように構成される。第２のセクション２９０ａは、基部２０４ｇの第２の部分２９５に結合され得、これにより、第２のセクション２９０ａは、基部２０４ｇの第２の部分２９５を皮膚に粘着するように構成される。ヒンジ２９７は、センサ２０６ｇの部分が基部２０４ｇの第１の部分２９４と第２の部分２９５との間に少なくとも部分的に閉じ込められる一方で、第１の粘着剤の第１のセクション２９０ｂが第１の粘着剤の第２のセクション２９０ａに面することを可能にするように構成され得る。
【０３７４】
システム２０２ｇは、ヒンジ２９７の回転に応じてセンサ２０６ｇの部分を屈曲させるように構成され得る。センサ２０６ｇの部分は、センサシステム２０２ｇが皮膚から取り外された後に、センサ２０６ｇの遠位先端部が組織を貫通することを防ぐために、基部２０４ｇの第１の部分２９４と第２の部分２９５との間で屈曲し得る。
【０３７５】
基部２０４ｇの第１の部分２９４は、基部２０４ｇの第２の部分２９５に対して回転バネ荷重され得、これにより、システム２０２ｇは、回転バネ付勢に応じて枢動角を減少させるように構成される。
【０３７６】
システム２０２ｇは、ヒンジ２９７に結合されたねじりバネ２９８を備えることができ、これにより、ねじりバネ２９８は、センサ２０６ｇの部分を基部２０４ｇの第１の部分２９４と第２の部分２９５との間に配置するために、枢動角を減少させるように構成される。
【０３７７】
バネ２９８は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０３７８】
センサ上でのパッチの折り畳み
センサが危険であることを防止する１つの方法は、センサ上で粘着剤の一部分を折り畳むことである。例えば、粘着剤は、基部を皮膚に結合するために典型的に使用される、より大きい面積を有することができる。より大きい面積の一部分は、センサ上で折り畳まれ得る。
【０３７９】
いくつかの実施形態では、システムは、センサが組織から取り外された後に、センサ上で折り畳まれるように構成された変形しやすく柔軟なシートを備えることができる。センサを遮蔽するために使用される前に、シートは、コンパクトに折り畳まれ得る。センサ上でシートを展開することは、シートを広げることを含むことができる。
【０３８０】
シートは、ホイル等の耐穿刺性材料を含むことができる。このようにして、シートが、折り畳むことが非常に容易であり得る一方で、耐穿刺性材料は、センサの遠位先端部が耐穿刺性材料を穿孔することを防止するように最適化され得る。
【０３８１】
いくつかの実施形態では、シートは、正常動作条件中にセンサがシートを穿刺することを阻止する耐穿刺性を有する。結果として、追加の耐穿刺性材料は必要ない。
【０３８２】
図２３は、センサ２０６ｈの遠位先端部を被覆するように構成された柔軟なシート３００を含む、センサシステム２０２ｈの斜視図を示す。図２４は、柔軟なシート３００が保管位置で折り畳まれたときの状態のシステム２０２ｈの別の斜視図を示す。図２５は、柔軟なシート３００が広げられているときの柔軟なシート３００の斜視図を示す。柔軟なシート３００が図２６に示される側面図に示される状態に達するまで、柔軟なシート３００は、センサ２０６ｈの遠位先端部に向かって動き続ける。次いで、柔軟なシート３００がセンサ２０６ｈの遠位先端部を被覆するまで、柔軟なシート３００は、センサ２０６ｈの遠位先端部に向かって動き続けることができる（図２７に示される斜視図に示されるように）。
【０３８３】
ここで図２３〜２７を参照すると、システム２０２ｈは、センサ２０６ｈの少なくとも一部分を基部２０４ｈに向かって屈曲させるように構成されたシート３００の粘着剤部分を備えることができる。センサ２０６ｈの遠位先端部は、基部２０４ｈと粘着剤部分との間に配置され得る。伝送機２１１ｈは、基部２０４ｈに結合され得る。
【０３８４】
システム２０２ｈは、センサ２０６ｈの遠位先端部を被覆し、第１の粘着剤２１０ｈに粘着する柔軟なシート３００を備えることができ、これにより、柔軟なシート３００は、センサシステム２０２ｈが皮膚から取り外された後にセンサ２０６ｈの遠位先端部が組織を貫通することを防ぐ。柔軟なシート３００は、基部２０４ｈの遠位側２０７ｈに結合され得る（例えば、図２７に示されるように）。
【０３８５】
第１の粘着剤２１０ｈは、柔軟なシート３００を基部２０４ｈに結合することができる。柔軟なシート３００は、柔軟なシート３００が折り畳まれ、遠位先端部に対して近位に配置され、遠位先端部を被覆せず、ユーザが柔軟なシート３００を開くことを可能にするように構成されたタブを形成する、第１の状態を含むことができる（例えば、図２３および２４に示されるように）。
【０３８６】
柔軟なシート３００は、柔軟なシート３００が第１の状態に対して少なくとも部分的に広げられ、遠位先端部に対して少なくとも部分的に遠位に配置され、センサ２０６ｈの遠位先端部が、柔軟なシート３００と第１の粘着剤２１０ｈとの間に少なくとも部分的に閉じ込められる、第２の状態を含むことができる（例えば、図２７に示されるように）。
【０３８７】
システム２０２ｈは、柔軟なシート３００の第１の耐穿刺性よりも大きい第２の耐穿刺性を有する第２のシート３０１を備えることができる。第２のシート３０１は、遠位先端部と柔軟シート３００との間に配置されて、遠位先端部によって穿刺されることから柔軟なシート３００を保護する。第２のシート３０１は、柔軟なシート３００が遠位先端部上で折り畳まれたときに、第２のシート３０１が遠位先端部を変形させるように、柔軟なシート３００に結合され得る。
【０３８８】
センサ２０６ｈの遠位先端部は、柔軟なシート３００と基部２０４ｈとの間に少なくとも部分的に閉じ込められ得、これにより、柔軟なシート３００は、センサ２０６ｈの少なくとも一部分を屈曲位置に保持し、柔軟なシート３００は、第１の粘着剤２１０ｈに粘着される。
【０３８９】
柔軟なシート３００は、第１の状態と第２の状態とを含むことができる。第１の状態では、柔軟なシート３００は、センサシステム２０２ｈが皮膚に結合されたときに、第１の粘着剤２１０ｈに対して近位に配置され得る。第２の状態では、柔軟なシート３００は、センサ２０６ｈの遠位先端部が柔軟なシート３００と基部２０４ｈとの間に少なくとも部分的に閉じ込められたときに、第１の粘着剤２１０ｈに対して遠位に配置され得る。本明細書で使用される場合、「柔軟な」という用語は、屈曲することおよび折り畳まれることのうちの少なくとも１つが可能であることを意味する。シートはまた、変形しやすくてもよい。
【０３９０】
センサを保持するための保護スロット
基部の遠位側は、センサが組織から取り外された後にセンサの遠位端を保持するように構成されたスロットを含むことができる。センサの遠位端は、手動でスロットに押し込まれ得る。
【０３９１】
センサは、センサの遠位端をスロット内に保持するように永久的に変形することができる。いったんセンサの遠位端がスロット内に配置されると、センサは、別の人物を穿孔することを防止される。いくつかの実施形態では、センサは、少なくとも部分的にスロットに入るように弾性的に変形する。
【０３９２】
ここで図２４を参照すると、基部２０４ｈの遠位側２０７ｈは、センサ２０６ｈがホストから取り外された後にセンサ２０６ｈの遠位端を受容するように構成されたスロット３０２を備えることができる。センサ２０６ｈの第１の部分は、センサ２０６ｈの遠位端がスロット３０２内に配置されるように、屈曲および／または偏向し得る。いったんセンサ２０６ｈが屈曲すると、センサ２０６ｈの遠位端は、第１の粘着剤２１０ｈに対して近位に配置され得る。
【０３９３】
基部２０４ｈ（図２３にラベル表示される）は、チャネル３０３（例えば、穴）を備えることができる。センサ２０６ｈの第２の部分は、チャネル３０３を通過することができる。スロット３０２は、（例えば、チャネル３０３およびスロット３０２が流体連通しているように）チャネル３０３に直接結合され得る。スロット３０２は、チャネル３０３の中心軸に垂直の±２０度以内で配向され得る。
【０３９４】
スピン格納
センサが皮膚を穿孔することを防止するために、センサを格納する多くの方法がある。いくつかの実施形態では、システムの一部分は、センサをシステムの内部空洞内に格納する（例えば、「巻き込む」）ように、（基部に対して）回転することができる。
【０３９５】
回転する部分は、伝送機を備えることができる。回転する部分は、回転部分を第１の粘着剤に結合する基部の一部分に対して半径方向に内向きまたは外向きに配置され得る、スピンダイヤルであってもよい。回転部分は、ユーザが回転部分を把持することを可能にするための牽引機構（例えば、ディボット、突出部、粗い表面仕上げ）を含むことができる。
【０３９６】
図２８は、センサ２０６ｉを「巻き上げる」ように構成されたシステム２０２ｉの上面図を示す。図２９は、システム２０６ｉの斜視図を図示する。図２９中、センサは展開されている（例えば、遠位側２０７ｉから遠位に延在し、ホストの組織内に配置される）。図３０は、センサ２０６ｉが筐体内に格納された後のシステム２０６ｉの斜視図を示す。
【０３９７】
ここで図２８〜３０を参照すると、センサシステム２０２ｉは、第１の部分３１０と第２の部分３１１とを備えることができる。第１の部分３１０は、第１の粘着剤２１０ｉを第２の部分３１１に結合することができる。第２の部分３１１は、近位方向に対して平行の±２０度である回転軸を中心に、第１の部分３１０に対して回転可能に結合され得、これにより、センサシステム２０２ｉは、第１の部分３１０に対して第２の部分３１１を回転させることに応じて、センサ２０６ｉを格納するように構成される。基部２０４ｉは、第１の部分３１０を備えることができる。第２の部分３１１は、伝送機２１１ｉを備えることができる。センサ２０６ｉは、基部２０４ｉの遠位側２０７ｉを出ることができる。
【０３９８】
システム２０２ｉは、第１の部分３１０と第２の部分３１１との間に内部領域３１２を備えることができる。内部領域３１２は、第１の部分３１０に対して第２の部分３１１をスピンさせることによって、第１の部分３１０および第２の部分３１１のうちの少なくとも１つに対して内部領域３１２を動かすように構成され得る。内部領域３１２は、第１の部分３１０に対して第２の部分３１１をスピンさせることによって、センサ２０６ｉの少なくとも一部分が、基部２０４ｉのチャネル３１３（例えば、穴）を通って内部領域３１２に格納されるように構成され得る。
【０３９９】
基部２０４ｉは、遠位方向に面する穴３１３を備えることができる。センサ２０６ｉは、第２の部分３１１に結合された近位部分と、基部２０４ｉの穴３１３を通過する遠位部分と、を備えることができる（例えば、図２９に示されるように）。
【０４００】
システム２０２ｉは、第１の部分３１０に対して第２の部分３１１を回転させるためにユーザに牽引力を提供するように構成された、近位に面する窪み３１４を備えることができる。システム２０２ｉは、ユーザが第１の部分３１０に対して第２の部分３１１を回転させるための牽引力を提供するように構成された近位突出部３１５を備えることができる。
【０４０１】
センサカバー
センサが組織を不注意に穿孔することを防ぐ１つの方法は、センサを（例えば、使用前または使用後に）被覆することである。システムは、センサの遠位先端部がカバーと基部の遠位側との間に配置されるように、基部に結合されたカバーを備えることができる。センサカバーは多くの異なる形状を有することができる。カバーは、センサの遠位先端部がカバーの内部領域に配置されるように基部に結合され得る。
【０４０２】
カバー（例えば、シュラウド）は、基部の遠位側に結合され得る。いったんセンサが組織から取り外されると、カバーは、手動で、センサ上で開かれ得る。いくつかの実施形態では、カバーの弛緩状態は、組織（またはシステムの一部）がもはやカバーが開くことを妨げていないとカバーが自動的に開くような、開いた状態である。カバーは、センサの一部分を被覆するように構成されたシュラウドであってもよい。
【０４０３】
図３１および３２は、伸長可能なセンサカバー３１８を備えるシステム２０２ｊの側面図を示す。システム２０２ｊは、伝送機２１１ｊと基部２０４ｊとを備えることができる。基部２０４ｊは、基部２０４ｊをホストの皮膚に結合するように構成された粘着剤２１０を有する遠位側２０７ｊを備えることができる。
【０４０４】
伸長可能なカバー３１８は、センサ２０６ｊの遠位端がホストに入ることを可能にするように構成された収縮状態（例えば、図３１に示される格納状態）を有する。伸長可能なカバー３１８は、センサ２０６ｊがホストから取り外された後にセンサ２０６ｊの遠位端を被覆３１８するように構成された伸長状態（例えば、図３２に示されるような）を有する。
【０４０５】
本明細書で使用される場合、「格納される」という用語は、広義に使用され、動かされる、引っ張られる、および／または引き戻されることを意味することができる。カバーはまた、収縮され得る（例えば、より小さくまたは短くされる）。
【０４０６】
カバー３１８は、センサ２０６ｊの一部分が配置されたチャネル３１９を有する柔軟なシースであってもよい。カバー３１８は、チャネル３１９に沿って巻き上げられ得る。
【０４０７】
いくつかの実施形態では、伸長状態は、センサシステム２０２ｊがホストから取り外されたことに応じて、カバー３１８が格納状態から開くように構成されるような、弛緩状態である。
【０４０８】
格納状態は、センサシステム２０２ｊがホストから取り外されたことに応じて、カバー３１８が格納状態から開くように構成されるような伸長状態よりも高い蓄積機械エネルギーを有することができる。
【０４０９】
いくつかの実施形態では、ベローズが、収縮状態から拡張してセンサの遠位端を被覆するように構成される。ベローズは、皮膚を穿孔することからセンサの遠位端を保護するのを助けることができる。
【０４１０】
図３３および３４は、基部２０４ｋと、伝送機２１１ｋと、センサ２０６ｋと、粘着剤２１０と、遠位側２０７ｋと、を備えるシステム２０２ｋの一部となり得る、別の種類のセンサカバー３１８ｋを示す。カバー３１８ｋは、少なくとも部分的に広がって、カバー３１８ｋが収縮状態から伸長状態に動くことを可能にするように構成されたベローズ（例えば、プリーツ付き拡張可能部分３２２）を備えることができる。プリーツ付き拡張可能部分３２２は、崩壊してセンサ２０６ｋの遠位端を露出させるように構成され得る。拡張可能部分３２２は、プリーツ付き折り畳み可能部分を備えることができる。
【０４１１】
図３３および３４は、システム２０２ｋの斜視図を示す。図３３中、カバー３１８ｋは、センサ２０６ｋを被覆するために伸長状態にある。図３４中、カバー３１８ｋは、格納状態にある（例えば、基部２０４ｋがホストの皮膚に結合されているとき）。カバー３１８ｋの格納状態において、センサ２０６ｋの遠位端は、カバー３１８ｋの遠位端に対して遠位に配置される。
【０４１２】
プリーツ付き拡張可能部分３２２は、センサ２０６ｋの第１の部分が配置されるチャネル３１９ｋを備えることができる。カバー３１８ｋは、センサ２０６ｋの第２の部分が格納状態で通過する遠位の穴３２３を備えることができる。
【０４１３】
格納状態は、センサシステム２０２ｋがホストから取り外されたことに応じて、ひだ付き拡張可能部分３２２が格納状態から拡張するように構成されるような伸長状態よりも高い蓄積機械エネルギーを有することができる。形成されたチャネル３１９ｋは、センサ２０６ｋを同軸カラム内に拘束し得る。
【０４１４】
管またはシリコーンストッパ等のキャップが、センサの遠位端上に配置され得、基部に結合され得る。キャップは、皮膚を穿孔することからセンサを保護することができる。
【０４１５】
キャップは、組織内に配置されるように構成されたセンサの部分のすぐ周囲の小さい領域を被覆するシンブルのように形状決定され得る。いくつかの実施形態では、キャップははるかに大きく、基部の周辺部に結合することができる。場合によっては、より大きいキャップが、人々が扱うのにより容易である。
【０４１６】
図３５は、システム２０２ｍの斜視図を示す。システム２０２ｍは、センサシステム２０２ｍがホストから取り外され、キャップ３２５が基部２０４ｍの遠位側２０７ｍの結合された後に、キャップ３２５が、遠位端が人物を貫通することを防止するように構成されるように、センサ２０６ｍの遠位端を被覆するキャップ３２５を備えることができる。伝送機２１１ｍは、基部２０４ｍに結合され得る。
【０４１７】
図３６は、図３５に示されるシステム２０２ｍの側面断面図を示す。図３７は、システム２０２ｍの側面図を示す。図３７中、キャップ３２５は取り外されている。
【０４１８】
ここで図３５〜３７を参照すると、キャップ３２５は、チャネル３１９ｍおよび／または第１の中心軸を有する空洞を備えることができる。基部２０４ｍは、第２の中心軸を有する穴３２７を備えることができる。センサ２０６ｍの一部分は、穴３２７を通ってチャネル３１９ｍに入ることができる。第１の中心軸は、第２の中心軸に対して平行の２０度以内にあってもよい。チャネル３１９ｍの第１の中心軸は、基部２０４ｍの穴３２７を通過することができる（例えば、第１の中心軸がチャネル３１９ｍの近位端を越えて延在するとき）。
【０４１９】
図３５および３６は、比較的小さなキャップ３２５を示す。図３７は、はるかに大きいキャップ３７を示す。ここで図３７を参照すると、システム２０２ｍは、基部２０４ｍに結合されたキャップ３２６を備えることができる。キャップ３２６は、第１の粘着剤２１０の少なくとも大部分を被覆することができる。キャップ３２６は、センサシステム２０２ｍがホストから取り外され、キャップ３２６が基部２０４ｍに結合された後に、キャップ３２６が、遠位端が人物を貫通することを防止するように構成されるように、センサ２０６ｍの遠位端を被覆することができる。
【０４２０】
キャップ３２６は、センサシステム２０２ｍの外周部の少なくとも一部分を過ぎて（かつ／または基部２０４ｍの外周部の少なくとも一部分を過ぎて）近位に突出する側壁３２８を備えることができる。キャップ３２６は、空であってもよく、または容易に穿孔可能な（例えば、貫通可能な）材料（例えば、発泡体）で充填されてもよい。材料は、摩擦によってキャップ３２６を定位置に保持するのを助けることができる。
【０４２１】
センサカバー−ロック解除デバイス
伝送機は、基部に結合され得る。ツールが、伝送機を基部から分離するのを容易にするように構成され得る。ツールはまた、センサの遠位端を被覆して、センサが人物を不注意に穿孔することを防止することができる。したがって、ツールは、２つの目的、すなわち伝送機の分離および「使用済み」センサの被覆を果たすことができる。
【０４２２】
ツールは、挿入デバイスおよび／または交換用センサのパッケージングの一部分であってもよい。いくつかの実施形態では、ツールは、交換用センサと共に包装される。
【０４２３】
ユーザは、しばしば、自分の伝送機を再利用することを望む。ユーザが別の基部との再使用のために自分の伝送機を切り離すことを可能にするツールもまた、センサを被覆する。したがって、システムは、ユーザが自分の伝送機を再利用するために自分のセンサを被覆することを義務付けている。ツールの二重の目的は、ツールがセンサのみを被覆した（が、伝送機をロック解除しなかった）場合よりも、ツールの一貫した使用を促進する。
【０４２４】
フレックスアームは、伝送機を基部に結合することができる。ツールは、（伝送機を基部から分離するために）フレックスアームをラッチ解除するために、基部の穴に入る突出部を含むことができる。センサは、ツールの内部領域内で遮蔽され得る。
【０４２５】
図３８〜４１は、伝送機を基部から分離するのを容易にするように構成されたツールを示す。ツールはまた、センサの遠位端を被覆して、センサが人物を不注意に穿孔することを防止することができる。
【０４２６】
図３８は、センサシステム２０２ｎがツールに向かって動いているときであるが、センサシステム２０２ｎがツールに少なくとも部分的に挿入される前の斜視図を示す。図３９は、ツールに向かって動いている感覚システム２０２ｎの斜視断面図を示す。
【０４２７】
図４０は、伝送機２１１ｎを基部２０４ｎからラッチ解除して、センサ２０６ｎを被覆するために、ツールと「ドッキング」されたセンサシステム２０２ｎの側面断面図を示す。いったん伝送機２１１ｎが基部２０４ｎからラッチ解除されると、伝送機２１１ｎは、基部２０４ｎから離れて、かつツールの外に動くことができる（例えば、図４１の斜視図に示されるように）。
【０４２８】
いったん伝送機２１１ｎが基部２０４ｎからラッチ解除されると、ユーザは、伝送機２１１ｎを基部２０４ｎから手動で分離するための力を加えることができる。いくつかの実施形態では、いったん伝送機２１１ｎが基部２０４ｎからラッチ解除されると、伝送機２１１ｎはセンサシステム２０２ｎをツールに挿入することに応じて、自動的に基部２０４ｎから分離し、基部２０４ｎから離れて動き、かつ／または基部２０４ｎに対して動く。ツールは、伝送機をツールから離れて付勢することによって、自動分離を支援するバネまたは偏向部材を含んでもよい。
【０４２９】
いくつかの実施形態は、内部領域３３１と突出部３３３とを有するセンサカバー３３０を備える。基部２０４ｎの少なくとも一部分は、センサ２０６ｎの遠位端が基部２０４ｎとセンサカバー３３０との間に配置されるように、センサカバー３３０の内部領域３３１内に配置され得る。突出部３３３は、突出部３３３が基部２０４ｎから伝送機２１１ｎをラッチ解除するように、基部２０４ｎのチャネル３３４（例えば、穴）内に配置され得る。
【０４３０】
システム２０２ｎは、基部２０４ｎをセンサカバー３３０に結合することに応じて、伝送機２１１ｎを基部２０４ｎからロック解除するように構成されたセンサカバー３３０を備えることができる。いったん伝送機２１１ｎが基部２０４ｎからロック解除されると、伝送機２１１ｎは、基部２０４ｎから分離されるように構成され得る。
【０４３１】
システム２０２ｎは、第１のフレックスアーム３３５と壁３３６とを備えることができる。第１のフレックスアーム３３５および壁３３６は、ラッチアセンブリを形成することができる。第１のフレックスアーム３３５は、第１のフレックスアーム３３５が壁３３６に干渉して、伝送機２１１ｎを基部２０４ｎにロックする第１の状態を含むことができる。
【０４３２】
センサカバー３３０は、基部２０４ｎをセンサカバー３３０に結合することによって、突出部３３３が、第１のフレックスアーム３３５が伝送機２１１ｎを基部２０４ｎにロックしないように第１のフレックスアーム３３５が壁３３６に干渉しない第２の状態に、第１のフレックスアーム３３５が動かされるように構成された、突出部３３３を備えることができる。
【０４３３】
基部２０４ｎは、基部２０４ｎの遠位側２０７ｎにチャネル３３４（例えば、穴）を備えることができる。突出部３３３の少なくとも一部分は、穴を通過して、第１のフレックスアーム３３５を第２の状態に偏向させることができる。遠位側２０７ｎは、基部２０４ｎをホストの皮膚に結合するための粘着剤２１０を備えることができる。
【０４３４】
センサカバー３３０は、筐体３３８と第２のフレックスアーム３３９とを備えることができる。筐体３３８は、内部領域３３１を備えることができる。基部２０４ｎの少なくとも一部分は、筐体３３８の内部領域３３１の内側に配置され得る。第２のフレックスアーム３３９は、突出部３３３を筐体３３８に結合することができ、これにより、第２のフレックスアーム３３９は、屈曲して突出部３３３を移動させて、基部２０４ｎの一部分を筐体３３８の内部領域３３１に挿入するのを容易にするように構成される。
【０４３５】
第２のフレックスアーム３３９は、基部２０４ｎをセンサカバー３３０に結合することに応じて、遠位方向に動くように構成され得る。第１のフレックスアーム３３５は、基部２０４ｎをセンサカバー３３０に結合することに応じて、近位方向に動くように構成され得る。センサ２０６ｎの一部分は、センサ２０６ｎの遠位端が基部２０４ｎとセンサカバー３３０との間に配置されるように、基部２０４ｎをセンサカバー３３０に結合することに応じて屈曲し得る。
【０４３６】
センサカバー３３０は、第１の側面３４０と第２の側面３４１とを備えることができる（図４０にラベル表示される）。第１の側面は、第２の側面に対して垂直の±３０度以内で配向され得る。第１の側面は、基部２０４ｎの一部分が挿入される第１のチャネル３４３（例えば、第１の穴）を備えることができる。第２の側面は、伝送機２１１ｎの近位表面３４２へのアクセスを提供して、伝送機２１１ｎを基部２０４ｎから取り外すのを容易にするように構成された第２のチャネル３４４（例えば、第２の穴）を備えることができる。（第１のチャネル３４３および第２のチャネル３４４は、図４１にラベル表示される）。
【０４３７】
システム２０２ｎは、レール３４７を備えることができる。レール３４７は、基部２０４ｎを伝送機２１１ｎに摺動可能に結合することができる。
【０４３８】
システム２０２ｎは、基部２０４ｎをセンサカバー３３０に結合することに応じて、伝送機２１１ｎを基部２０４ｎからラッチ解除するように構成されたセンサカバー３３０を備えることができる。システム２０２ｎは、基部２０４ｎを伝送機２１１ｎにラッチするように構成された第１のフレックスアーム３３５を備えることができる。センサカバー３３０は、第１のフレックスアーム３３５を偏向させて、伝送機２１１ｎを基部２０４ｎからラッチ解除するように構成された第２のフレックスアーム３３９を備えることができる。
【０４３９】
センサカバー３３０は、遠位に面する壁３３６を備えることができる。基部２０４ｎに結合された少なくとも一部分（例えば、基部２０４ｎの近位側）は、遠位に面する壁３３６に押し付けられ、これにより、第２のフレックスアーム３３９の突出部３３３は、基部２０４ｎのチャネル３３４（例えば、穴）に押し付けられて、第１のフレックスアーム３３５を偏向させる。
【０４４０】
入れ子式アセンブリ
図４２〜４７は、（例えば、センサ２０６ｐが展開された後に）センサ２０６ｐの遠位端を基部２０４ｐに格納するように構成されたバネ３５０を備える、システム２０２ｐを示す。いったんセンサ２０６ｐが格納されると、センサ２０６ｐは、別の人物の皮膚を穿孔することができない。
【０４４１】
バネ３５０は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０４４２】
システム２０２ｐは、遠位に動いてセンサ２０６ｐを挿入し、近位に動いてセンサ２０６ｐを格納するように構成されたアセンブリ３５１を備えることができる。アセンブリ３５１は、ホストの組織３５２内にセンサ２０６ｐを保持するように構成された遠位位置にロックされ得る（例えば、図４６に示されるように）。アセンブリ３５１は、バネ３５０がセンサ２０６ｐを基部２０４ｐの内部領域３５３内へと近位に動かすことを可能にするために、ロック解除することができる。いくつかの実施形態では、アセンブリ３５１を基部２０４ｐに対して回転させると、アセンブリ３５１はロック解除され、近位に動く。アセンブリ３５１は、入れ子式アセンブリであってもよい。
【０４４３】
図４２は、システム２０２ｐの斜視図を図示する。図４３は、システム２０２ｐの平面図を示す。図４４は、図４３の線４４−４４に沿った斜視断面図を示す。図４４中、アセンブリ３５１は、近位位置に配置されている。図４５は、アセンブリ３５１がセンサ２０６ｐを展開状態にして遠位位置に配置されていることを除いて、図４４と同じ斜視断面図を示す。図４６は、図４３の線４６−４６に沿った側面断面図を示す。図４６中、アセンブリ３５１は、遠位位置に配置されている。図４７は、図４６に示される断面の斜視図を示す。図４７中、特定の特徴を明確に表示できるように、多くの構成要素が隠されている。
【０４４４】
ここで図４２〜４７を参照すると、伝送機２１１ｐは、基部２０４ｐに組み込まれ得る。伝送機２１１ｐは、バッテリを備えることができる（例えば、バッテリが基部２０４ｐに組み込まれるように）。伝送機２１１ｐは、リモートコンピューティングデバイスと通信するように構成された通信システムを備えることができる。
【０４４５】
伝送機２１１ｐは、基部２０４ｐから取り外し可能であってもよく、または基部２０４ｐに永久的に結合され得る。基部２０４ｐは、遠位側２０７ｐを備えることができる。粘着剤２１０ｐは、遠位側２０７ｐをホストの皮膚３５２に結合することができる。
【０４４６】
バネ３５０は、近位方向２０８の±３０度以内、および／またはセンサ２０６ｐの遠位端の中心軸の±３０度以内の方向３５５に、基部２０４ｐのチャネル３５４（例えば、穴）を通ってセンサ２０６ｐを格納することができる。
【０４４７】
システム２０２ｐは、（例えば、センサ２０６ｐが組織内に配置されるように構成されている）遠位位置に、バネ３５０およびセンサ２０６ｐを固定するように構成されたロック機構を含むことができる。ロック機構を（基部２０４ｐに対して）遠位に押すと、センサ２０６ｐを遠位に動かし、センサ２０６ｐを組織に挿入し、ロック機構を遠位状態に固定することができる。
【０４４８】
ロック機構を２回目に遠位に押し、取り外し可能なプルタブを動かし、半径方向に偏向するアームを手動で作動させ、かつ／またはロック機構を（基部２０４ｐに対して）回転させると、ロック機構が解放されて、バネ３５０が近位に動き、センサ２０６ｐを組織の外に近位に、かつシステム２０２ｐの保護空洞３５３内に格納することを可能にすることができる。
【０４４９】
システム２０２ｐは、基部２０４ｐに結合された入れ子式アセンブリ３５１を備えることができる。センサ２０６ｐの少なくとも第１の部分は、入れ子式アセンブリ３５１の一部分と基部２０４ｐの遠位側２０７ｐとの間に配置され得、これにより、入れ子式アセンブリ３５１は、遠位位置から近位位置に動いて、センサ２０６ｐの第２の部分をシステム２０２ｐの保護空洞３５３に格納するように構成される。
【０４５０】
基部２０４ｐは、近位に面する開口部を有する内部チャネル３５７を備えることができる。入れ子式アセンブリ３５１は、内部チャネル３５７に少なくとも部分的に配置され得、これにより、入れ子式アセンブリ３５１は、遠位位置から近位位置へと少なくとも部分的に内部チャネル３５７内で近位に動くように構成される。
【０４５１】
入れ子式アセンブリ３５１が遠位位置にあるとき、センサ２０６ｐの第１の部分は、基部２０４ｐの内部チャネル３５７内に配置され得、センサ２０６ｐの第２の部分は、基部２０４ｐに対して遠位に配置され得る。入れ子式アセンブリ３５１が近位位置にあるとき、センサ２０６ｐの第１および第２の部分は、基部２０４ｐの内部チャネル３５７内に配置され得る。
【０４５２】
入れ子式アセンブリ３５１は、第１のセクション３５８と第２のセクション３５９とを備えることができる。第１のセクション３５８は、第２のセクション３５９に摺動可能に結合され得る。第２のセクション３５９は、基部２０４ｐの内部チャネル３５７に摺動可能に結合され得、これにより、入れ子式アセンブリ３５１は、センサ２０６ｐを格納するために基部２０４ｐに対して入れ子になるように構成される。
【０４５３】
内部チャネル３５７は、（半径方向に内向き、半径方向に外向き、かつ／または任意の適切な方向に配向され得る）第１のオーバーハング３６０を備えることができる。第１のオーバーハング３６０は、第２のセクション３５９の（半径方向に外向き、半径方向に内向き、かつ／または任意の適切な方向に配向され得る）第２のオーバーハング３６１に干渉して、第２のセクション３５９の少なくとも一部分を内部チャネル３５７内に保持するように構成され得る。第１のオーバーハング３６０および第２のオーバーハング３６１は、アセンブリ３５１を基部２０４ｐに結合するように構成されたインターロックを形成することができる。（第１のオーバーハング３６０および第２のオーバーハング３６１は、図４４にラベル表示される。）
【０４５４】
第２のセクション３５９は、第３のオーバーハング３６３（半径方向に内向きに配向され得る）を備えることができる。第３のオーバーハング３６３は、第１のセクション３５８が第２のセクション３５９に対して近位に動くことができる距離を制限するために、第１のセクション３５８の第４のオーバーハング３６４（半径方向に外向きに配向され得る）に干渉するように構成され得る。（第３のオーバーハング３６３および第４のオーバーハング３６４は、図４４にラベル表示される。）第３のオーバーハング３６３および第４のオーバーハング３６４は、第１のセクション３５８を第２のセクション３５９に結合するように構成されたインターロックを形成することができる。
【０４５５】
システム２０２ｐは、バネ３５０とロック機構とを備えることができる。ロック機構は、入れ子式アセンブリ３５１を遠位位置にロックするように構成され得る。ロック機構は、基部２０４ｐの第１のオーバーハング３６８（図４４にラベル表示される）と、第１のセクション３５８の第２のオーバーハング３６９と、を備えることができる。第１および第２のオーバーハングは、基部２０４ｐに対する第１のセクション３５８の第１の角度位置において、第１のオーバーハング３６８が第２のオーバーハング３６９に干渉して、基部２０４ｐに対する第１のセクション３５８の近位移動を制限するように構成され得る。いくつかの実施形態では、基部２０４ｐに対する第１のセクション３５８の第２の角度位置において、第１のオーバーハング３６８は、基部２０４ｐに対する第１のセクション３５８の近位移動を制限せず、これにより、バネ３５０は、入れ子式アセンブリ３５１を近位位置に押す。基部２０４ｐに対して第１のセクション３５８を回転させることによって、第１のセクション３５８の開放領域３７０（図４７にラベル表示される）内に第１のオーバーハング３６８を配置することができ、それは、第１のセクション３５８が基部２０４ｐに対して近位に動くことを可能にすることができる。
【０４５６】
基部２０４ｐは、基部２０４ｐに対する第２のセクション３５９の第１の近位移動を制限するように構成された第１のオーバーハング３６０を備えることができる。基部２０４ｐは、入れ子式アセンブリ３５１が遠位位置に保持されるように、第１のセクション３５８の近位の動きを妨げるように構成された第２のオーバーハング３６８を備えることができる。
【０４５７】
基部２０４ｐは、第１のチャネル３７２を備えることができる。第２のセクション３５９は、第１のチャネル３７２内に配置された半径方向に外向きの突出部３７３を備えることができ、これにより、第１のチャネル３７２が基部２０４ｐに対する第２のセクション３５９の第１の角運動を制限する一方で、第２のセクション３５９は、第２のセクション３５９に対する、かつ基部２０４ｐに対する第１のセクション３５８の第２の角運動を可能にする。
【０４５８】
センサ２０６ｐは、センサ２０６ｐの皮下部分をセンサ２０６ｐの接続部分に通信可能に結合する（および／または電気的に結合する）変形可能な接続部３７５を備えることができる。（変形可能な接続部３７５は、図４７にラベル表示される。）センサ２０６ｐの接続部分は、基部２０４ｐの内側に配置され得、センサ２０６ｐの皮下部分をセンサシステム２０２ｐの通信モジュールに通信可能に結合することができる。
【０４５９】
近位位置において、センサ２０６ｐの皮下部分は、センサ２０６ｐのコイル（例えば、変形可能な接続部）の中心領域内に配置され得る。多くの実施形態では、変形可能な接続部３７５は、センサ２０６ｐの皮下部分が変形可能な接続部の中心領域に配置されないように構成される。
【０４６０】
いくつかの実施形態では、センサ２０６ｐの変形可能な接続部３７５は、付勢力を加えない。いくつかの実施形態では、センサ２０６ｐのコイルは、付勢力を加えて、入れ子式アセンブリ３５１を近位位置に押すことができる。多くの実施形態では、バネ３５０が付勢力を加える。
【０４６１】
システム２０２ｐは、基部２０４ｐに摺動可能に結合された筐体（例えば、アセンブリ３５１）を備えることができる。筐体は、基部２０４ｐに対して近位に動いて、センサ２０６ｐを格納することができる。
【０４６２】
センサ２０６ｐの少なくとも第１の部分は、筐体の一部分と基部２０４ｐの遠位側２０７ｐとの間に配置され得、これにより、筐体は、遠位位置から近位位置に動いて、センサ２０６ｐの第２の部分を格納するように構成される。
【０４６３】
基部２０４ｐは、近位に面する開口部を有する内部チャネル３５７を備えることができる。筐体は、内部チャネル３５７内に少なくとも部分的に配置され得、これにより、筐体は、遠位位置から近位位置に、少なくとも部分的に内部チャネル３５７内で近位に動いて、センサ２０６ｐの第２の部分を内部チャネル３５７に格納するように構成される。
【０４６４】
頂部キャップ
図４８〜５０は、頂部キャップ３８１を備えるシステム２０２ｑを示す。頂部キャップ３８１は、ユーザが頂部キャップ３８１を「把持」して、頂部キャップ３８１を近位に（例えば、近位方向の矢印２０８によって示されるように）引っ張ることを可能にする、半径方向に外向きのオーバーハングを備えることができる。頂部キャップ３８１を基部２０４ｑに対して近位に動かすことによって、センサ２０６ｑを頂部キャップ３８１と基部２０４ｑとの間の領域に格納することができる。いったんセンサ２０６ｑが格納されると、システム２０２ｑは、センサ２０６ｑが物を穿孔することを防止する。
【０４６５】
図４８は、システム２０２ｑの斜視図を図示する。図４９は、圧縮（例えば、崩壊）状態のシステム２０２ｑの側面断面図を示す。頂部キャップ３８１を基部２０４ｑに対して近位に動かすことによって、拡張状態のシステム２０２ｑの側面断面図である図５０に示されるように、センサ２０６ｑを拡張可能な筐体（例えば、ベローズ）に格納することができる。
【０４６６】
ここで図４８〜５０を参照すると、センサ２０６ｑの近位部分は、キャップ３８１に結合され得、これにより、キャップ３８１を基部２０４ｑから引き離すことによって、センサ２０６ｑの遠位部分を基部２０４ｑとキャップ３８１との間の領域に引き込む（例えば、図５０に示されるように）。いったん遠位部分がシステム２０２ｑの空洞３８２内に配置されると、センサ２０６ｑは、別の人物の皮膚を穿孔することができない。ベローズは、近位キャップ３８１を基部２０４ｑに結合することができる。
【０４６７】
キャップ３８１は、基部２０４ｑの近位部分であってもよい。基部２０４ｑはまた、基部２０４ｑの近位部分を粘着剤２１０ｑおよび／またはホストの皮膚に結合する遠位部分も含むことができる。粘着剤２１０ｑは、基部２０４ｑの遠位側２０７ｅに結合され得る。
【０４６８】
システム２０２ｑは、基部２０４ｑに結合され、基部２０４ｑに対して近位に配置されたキャップ３８１を備えることができる。センサ２０６ｑの第１の部分は、キャップ３８１に結合され得る。システム２０２ｑは、キャップ３８１を基部２０４ｑに対して近位に動かすことによって、センサ２０６ｑを格納するように構成され得る。
【０４６９】
キャップ３８１は、遠位位置（例えば、図４９に示されるような）と近位位置（例えば、図５０に示されるような）との間で可動であってもよい。遠位位置において、センサ２０６ｑの第２の部分は、基部２０４ｑに対して遠位に配置され得る。近位位置において、センサ２０６ｑの第２の部分は、基部２０４ｑに対して近位に配置され得る。インターロック３８４は、キャップ３８１を遠位位置に取り外し可能に固定することができる。
【０４７０】
キャップ３８１の外周部３８５の少なくとも一部分は、基部２０４ｑよりも（第２の部分の中心軸に対して）さらに遠く半径方向に外向きに突出することができ、これにより、外周３８５の外側部分は、遠位に面する壁３８６を提供して、ユーザがキャップ３８１を遠位位置から近位位置に動かすときに、ユーザがキャップ３８１を把持することを可能にする。
【０４７１】
システム２０２ｑは、キャップ３８１と基部２０４ｑとの間にリンケージ３８８を備えることができる。リンケージ３８８は、キャップ３８１が基部２０４ｑに対して近位に動くことができる距離を制限するように構成され得る。
【０４７２】
リンケージ３８８は、センサ２０６ｑの第２部分をプリーツ付きの崩壊可能かつ拡張可能な部分３８９に格納するために、キャップ３８１が遠位位置から近位位置に動くことを可能にするように少なくとも部分的に広がるように構成されたプリーツ付きの崩壊可能かつ拡張可能な部分３８９（例えば、ベローズ）を備えることができる。キャップ３８１は、伝送機２１１ｑを動かすことによってセンサ２０６ｑを近位に格納するように、伝送機２１１ｑに強固に結合（および／または取り外し可能に結合）され得る。
【０４７３】
付勢されたセンサ
センサは、センサの遠位部分の弛緩状態が遠位方向にほぼ垂直になるように付勢され得る。結果として、センサが組織から取り外されると、センサは、自動的にその最低エネルギー状態に向かって屈曲する（例えば、センサが遠位ではなく側部を指すように）。この配向において、センサは、別の人物の皮膚を穿孔する可能性がほとんどない。
【０４７４】
センサ、針、ならびに／またはセンサおよび／もしくは針に結合された固定構造体は、アプリケータによる挿入のために弾性変形し得る。アプリケータは、センサが遠位に向けられている配向でセンサの遠位部分を保持することができる。結果として、付勢されたセンサは、アプリケータによって挿入配向に保持され得る。いったんアプリケータおよび任意の他の障害物（例えば、組織）が除去されると、付勢されたセンサおよび／または針は、自動的にその緩和状態に向かって動くことができる。
【０４７５】
図５１は、付勢されたセンサ２０６ｒを有するシステム２０２ｒの側面断面図を示す。図５１中、センサ２０６ｒは、弛緩状態（または、少なくとも、センサ２０６ｒが遠位を指す方向に保持されている場合よりも低いエネルギー状態）にある。
【０４７６】
図５２は、遠位に配向された状態（例えば、拘束状態）にセンサ２０６ｒを保持するように構成された入れ子式アプリケータ４０２の側面断面図を示す。アプリケータ４０２は、センサ２０６ｒが図５１に示されるセンサ２０６ｒの状態に戻ることを防止するように構成されたチャネル４０３を備える。
【０４７７】
アプリケータ４０２の近位部分を遠位に（例えば、遠位方向２０９に）動かすことによって、センサ２０６ｒをホストの組織３５２内に動かす。いったんアプリケータ４０２が遠位終了位置に達すると（例えば、図５３に示されるように）、組織３５２が、図５１に示されるセンサ２０６ｒの配向に動くセンサ２０６ｒに抵抗するため、アプリケータ４０２は取り外され得る。図５３は、アプリケータ４０２がセンサ２０６ｒから取り外される前の展開状態にあるセンサ２０６ｒの側面断面図を示す。
【０４７８】
アプリケータ４０２は、基部２０４ｒから分離され得る。基部２０４ｒを組織３５２から取り外すことによって、センサ２０６ｒが図５１に示される状態に戻ることを可能にする。図５１に示されるように、センサ２０６ｒの一部分は、基部２０４ｒの保護スロット３０２ｒ内に配置されている。（保護スロット３０２は、図２４にも示される。）伝送機２１１ｒは、基部２０４ｒに結合され得る。粘着剤２１０は、基部２０４ｒをホストの組織３５２に結合することができる。
【０４７９】
いくつかの実施形態では、システム２０２ｒは、システム２０２ｒの近位端から基部２０４ｒの遠位側２０７ｒに配向された中心軸４０４を備える。センサ２０６ｒの遠位部分は、遠位部分がシステム２０２ｒの中心軸４０４に対して垂直の±４５度以内で配向された弛緩状態を含むことができ、これにより、弛緩状態は、遠位部分が人物を貫通する可能性を低減するように構成される（例えば、図５１に示されるように）。
【０４８０】
センサ２０６ｒの遠位部分は、中心軸４０４（図５１にラベル表示される）に対して平行の±２０度以内で配向された拘束状態を含むことができ、これにより、遠位部分は、遠位に配向される（例えば、図５２に示されるように）。拘束状態は、弛緩状態よりも高い蓄積された機械的エネルギーを有する。
【０４８１】
システム２０２ｒは、中心軸４０４（図５１にラベル表示される）に対して平行の±２０度以内で配向されたチャネル４０３を備えることができる。センサ２０６ｒの一セクションがチャネル４０３内に配置され得、これにより、チャネル４０３は、センサ２０６ｒの遠位部分を拘束状態で配向する（図５２に示されるように）。
【０４８２】
図５２に示されるように、チャネル４０３は、スロット３０２ｒを備えることができる。センサ２０６ｒの遠位部分は、スロット３０２ｒから離れて付勢され得、これにより、センサ２０６ｒの遠位部分の付勢は、チャネル４０３内にセンサ２０６ｒの遠位部分を維持することを容易にするように構成される。センサ２０６ｒは、直接離れて、かつ／またはスロット３０２ｒから少なくとも部分的に離れた方向に付勢され得る。本明細書で使用される場合、「離れて」とは必ずしも「直接離れて」を意味するものではない。
【０４８３】
システム２０２ｒは、チャネル４０３を有する入れ子式アプリケータ４０２を備えることができる。アプリケータ４０２は、基部２０４ｒに取り外し可能に結合（および／または永久的に結合）され得、これにより、アプリケータ４０２は、センサ２０６ｒの遠位部分を拘束状態で配向するように構成される。アプリケータ４０２は、基部２０４ｒから分離されるように構成され得、これにより、センサ２０６ｒの遠位部分は、弛緩状態に入ることが可能である。
【０４８４】
システム２０２ｒは、遠位部分４０５と近位部分４０６とを有する入れ子式アプリケータ４０２を備えることができる。アプリケータ４０２の近位部分４０６は、アプリケータ４０２の遠位部分４０５に対して遠位に動いて、センサ２０６ｒの遠位部分を皮膚に挿入するように構成され得る。
【０４８５】
アプリケータ４０２の遠位部分４０５は、Ｃ字形チャネル４０３を備えることができる（例えば、図５２に示されるように）。センサ２０６ｒの一セクションがＣ字形チャネル４０３内に配置され得、これにより、Ｃ字形チャネル４０３は、センサ２０６ｒの遠位部分を拘束状態で配向する。アプリケータ４０２は、アプリケータ４０２の近位部分４０６がＣ字形チャネル４０３に対して遠位に動いて、センサ２０６ｒの遠位部分を皮膚に挿入するように構成され得る。
【０４８６】
基部２０４ｒは、アプリケータ４０２の近位部分４０６に結合され得、これにより、センサ２０６ｒが皮膚に挿入されると、基部２０４ｒは、Ｃ字形チャネル４０３に対して、かつアプリケータ４０２の遠位部分４０５に対して遠位に動くように構成される。
【０４８７】
図２〜５３の状況で説明される特徴のいずれかは、本明細書で特定される全ての態様および実施形態に適用することができる。例えば、図２〜５３の状況で説明される実施形態は、図１および図５４〜１２６の状況で説明される実施形態と組み合わせることができる。さらに、一実施形態の特徴のいずれかは、何らかの方法で、本明細書で説明される他の実施形態と部分的または全体的に独立して組み合わせ可能である（例えば、１つ、２つ、または３つ以上の実施形態が全体的または部分的に組み合わせ可能であり得る）。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０４８８】
座屈支持体
分析物データを測定することは、しばしば、分析物センサを皮下組織に挿入することを伴う。いくつかの実施形態は、センサを皮下組織に挿入するのを容易にするために針を使用する。いくつかの実施形態は、針の補助なしに皮下組織に挿入されるように構成されたセンサを有する。（実施形態は、針の有無にかかわらず使用され得る。）
【０４８９】
センサを人物に挿入すると、皮膚および皮下組織のセンサ挿入に対する抵抗のためにセンサが座屈する可能性がある。例えば、センサは、センサの遠位先端部が皮膚を穿刺しようとするとき、および／または遠位先端部が皮膚を穿刺した後でセンサが人物内へとより深く動かされているときに座屈することができる。多くのシステムは、センサを人物に挿入するのを助けるために針を使用することによって、この問題を解決する。しかしながら、針は、長期的な患者の不快感を引き起こす可能性があり、したがって、典型的には取り外される（センサを少なくとも部分的に人物の中に残しながら）。
【０４９０】
いくつかの実施形態では、針を使用することにはいくつかの欠点があり得る。例えば、針を格納することは、余分なステップ、時間、および／またはハードウェアを必要とする場合がある。加えて、針の存在は、センサを挿入するために必要なものよりも大きい創傷を生じさせる可能性がある。例えば、センサを挿入するために針によって生じる創傷は、針なしでセンサを挿入するために生じる創傷よりも大きい場合がある。したがって、場合によっては、センサを人物に挿入するために針を使用する必要性を排除するシステムおよび方法が有利である。
【０４９１】
いくつかの実施形態では、針を使用しないシステムおよび方法を可能にするための１つの鍵は、センサ座屈を排除することである。センサ座屈を排除するシステムは、典型的には針を必要としない。したがって、場合によっては、センサを人物に挿入するために針が必要ないように、センサ座屈を排除するシステムおよび方法が必要とされている。
【０４９２】
以下の出願の全内容は、参照により本明細書に組み込まれる：２０１０年９月２９日に出願され、Ｔｒａｎｓｃｕｔａｎｅｏｕｓ  Ａｎａｌｙｔｅ  Ｓｅｎｓｏｒと題する、米国特許出願第１２／８９３，８５０号、２０１４年４月１０日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ，ａｎｄ  Ｒｅｌａｔｅｄ  Ｍｅｔｈｏｄｓと題する、米国特許出願第１４／２５０，３２０号、２０１３年２月２８日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ，ａｎｄ  Ｒｅｌａｔｅｄ  Ｍｅｔｈｏｄｓと題する、米国特許出願第１３／７８０，８０８号、および２０１５年１０月２１日に出願され、Ｔｒａｎｓｃｕｔａｎｅｏｕｓ  Ａｎａｌｙｔｅ  Ｓｅｎｓｏｒｓ，Ａｐｐｌｉｃａｔｏｒｓ  Ｔｈｅｒｅｆｏｒ，ａｎｄ  Ａｓｓｏｃｉａｔｅｄ  Ｍｅｔｈｏｄｓと題する、米国特許出願第６２／２４４５２０号。
【０４９３】
材料の種類および寸法
いくつかの実施形態は、座屈に対して十分な抵抗を有する材料から作製されたセンサを使用することによって、無針センサ挿入を可能にする。例えば、センサ材料は、高い弾性係数および／または高い曲げ剛性を有することができる。これらの実施形態は、センサ座屈の可能性を低減することができるが、それらはまた、生体内の患者の不快感を引き起こす可能性もある（剛性のセンサはあまり座屈しにくいが、慢性的な使用中に患者にとって不快になるほど剛性である可能性があるため）。
【０４９４】
いくつかの実施形態は、センサを座屈しにくくする寸法のセンサを使用することによって、無針センサ挿入を可能にする。いくつかの実施形態は、センサの短い長さおよび／または大きい幅（例えば、直径）により座屈しにくいセンサを有する。
【０４９５】
センサ（例えば、自己挿入型センサ）を挿入するために力が加えられると、座屈は、皮膚の貫通前、その間、および／または後に起こり得る。座屈に対するセンサの抵抗は、典型的には、材料特性および幾何学的形状（例えば、全体的な形状、断面の幾何学的形状、梁の厚さ、梁の長さ）等のいくつかの変数に依存する。梁の真直度ならびに荷重からの誘導モーメント等の微妙な要素は、センサの座屈性能に大きな影響を与える可能性がある。
【０４９６】
センサの最大座屈荷重は、オイラーモデルを使用して予測され得る（図５４に示される）。幅広い種類のカラム形状および支持体シナリオを表すために、オイラーモデルの変数が使用され得る。
Ｆ＝最大力または限界力（カラム上の垂直荷重）
Ｅ＝弾性係数
Ｉ＝ロッドの断面の面積慣性モーメント
Ｌ＝カラムの支持されていない長さ
Ｋ＝カラム有効長さ係数。その値はカラムの端部支持体の条件に依存する。
【０４９７】
一方の端部が固定され、もう一方の端部が自由に横方向に動くためには、Ｋ＝２．０。ＫＬは、カラムの有効長さである。
【０４９８】
センサは、円形断面を有することがあり、その場合、ロッドの断面の面積慣性モーメントは、図５５および５６に示される式によって近似され得る。
【０４９９】
オイラーモデルから分かるように、円形の断面を有する梁の最大座屈荷重は、半径の４乗に比例して増加する（所与の材料に対して）。ビームの最大座屈荷重は、長さの２乗で割られる。結果として、長さを２倍にすると、長さを２倍にする前の座屈荷重のわずか２５％である最大座屈荷重をもたらす（特定の支持条件に対して）。
【０５００】
座屈に抵抗するセンサの能力は、典型的に唯一の考慮事項ではない。センサは、センサが患者の少なくとも部分的に内側に配置されたときに患者の不快感を引き起こすことを避けるのに十分な可撓性を保持しなければならないことがある。センサはまた、分析物表示を確実に測定するために、皮膚表面下に十分深く到達しなければならない（例えば、間質液中のグルコースを測定するために）。挿入中に座屈するセンサは、皮膚を貫通することができない。挿入後に座屈するセンサは、不確かな分析物測定を引き起こす可能性がある。
【０５０１】
いくつかの実施形態では、センサは、０．００４インチより大きく、かつ／または０．０１５インチ未満の直径を含む。いくつかの実施形態では、センサは、非円形の断面を含むが、０．００４インチより大きく、かつ／または０．０１５インチ未満の幅を有する。センサは、（皮膚表面下）２ｍｍよりも大きく、かつ／または８ｍｍ未満の挿入深度を含むことができる。
【０５０２】
崩壊可能な支持体
長く細いセンサは、患者の不快感を最小限に抑えることができるが、座屈の影響を非常に受けやすい可能性がある。いくつかの実施形態は、センサが患者に挿入されるときにセンサの横方向の動きに抵抗するように構成された支持構造体を備える。しかしながら、１つの課題は、センサの遠位の動きを阻止せずにセンサの座屈力に抵抗する支持構造体を作り出すことである。換言すれば、挿入中にセンサが座屈しないようにセンサを保持する支持構造体は、センサが遠位に動くときにセンサの妨げになる可能性がある。したがって、場合によっては、センサの遠位の動きを妨げずに座屈に抵抗する支持構造体が必要である。
【０５０３】
いくつかの実施形態は、センサの非軸方向の力に抵抗するように構成された崩壊可能な支持部材を含む。崩壊可能な支持部材は、座屈力に抵抗することができ、また、圧縮、偏向、および／または解放して、センサを遠位に動かくことを可能にすることができる。
【０５０４】
いくつかの実施形態では、システムは、センサの非軸方向の力に抵抗するように構成された崩壊可能な支持部材を備える。崩壊可能な支持部材は、近位端と、遠位端と、近位端から遠位端まで測定された長さと、を含むことができる。システムは、センサを近位位置から遠位位置に動かすことに応じて長さを短縮するように構成され得る。
【０５０５】
本明細書で使用される場合、軸方向の力は、センサの中心軸を圧縮または引張状態で配置する。非軸方向の力は、中心軸に沿った方向以外の方向に作用する。
【０５０６】
いくつかの実施形態では、崩壊可能な支持部材は、チャネルを備える。センサの少なくとも一部分は、チャネルを通過することができる。チャネルは、センサが近位位置から遠位位置に動くときにセンサの座屈力に抵抗するように構成され得る。
【０５０７】
崩壊可能な発泡体
図５７は、センサ２０６ｓの座屈に抵抗する崩壊可能な支持体を有する、システム２０２ｓの斜視図を示す。崩壊可能な支持体は、チャネル４１３を有する崩壊可能なブロック４１２であってもよい。センサ２０６ｓは、チャネル４１３を通過することができ、これにより、チャネル４１３が座屈力に抵抗する一方で、崩壊可能なブロック４１２は、圧縮してセンサ２０６ｓが遠位に動くことを可能にする。
【０５０８】
図５８は、崩壊可能なブロック４１２を圧縮する前の状態のシステム２０２ｓの側面図を示す。図５９は、崩壊可能なブロック４１２を圧縮してセンサ２０６ｓを展開した後の状態のシステム２０２ｓの側面図を示す。
【０５０９】
チャネル４１３は、チャネル４１３がブロック４１２を通過するように、基部の近位部分４１１から始まり、基部の遠位部分２０４ｓで終わっている。ブロック４１２は、立方体、円筒、円錐、および／または任意の適切な形状であってもよい。
【０５１０】
図５８は、システム２０２ｓの遠位側２０７ｓを示す。粘着剤２１０ｓは、遠位側２０７ｓをホストの皮膚に結合することができる。図５８はまた、遠位方向２０９および近位方向２０８を示す。
【０５１１】
基部の近位部分４１１が基部の遠位部分２０４ｓに向かって（例えば、矢印２０９によって示される方向に）動くことができる一方で、ブロック４１２は、センサ２０６ｓの座屈を防止する。ブロック４１２は、圧縮して、システム２０２ｓがセンサ２０６ｓを展開することを可能にすることができる。伝送機２１１ｓは、基部の近位部分４１１に結合され得る。
【０５１２】
崩壊可能なブロック４１２の１つの利点は、ブロック４１２がセンサ２０６ｓの座屈を防止するように、構造体が堅牢な横方向支持を提供することである。例えば、図５８は、横方向４１４を示す。センサ２０６ｓがこの横方向４１４に動き始めると、センサ２０６ｓのさらなる横方向の動きは、チャネル４１３の壁によって阻止される。（チャネル４１３は、管の内側のように見え得る。）
【０５１３】
別の利点は、ブロック４１２の構造が高度に圧縮可能でもあり、これにより、ブロック４１２の高さが劇的に減少して、システム２０２ｓがセンサ２０６ｓを遠位に動かすことを可能にすることができることである。
【０５１４】
ここで図５７〜５９を参照すると、ブロック４１２は、発泡体および／または任意の他の適切な材料から作製され得る。発泡体は、開放または閉鎖セル発泡体であってもよい。開放セル発泡体は、高度に圧縮可能であり得る。高い圧縮性は、圧縮状態のシステム２０２ｓの最小高さを低減することができる。各発泡体は、圧縮比（すなわち、発泡体の非圧縮高さと発泡体の圧縮高さとの間の比）を可能にする。いくつかの実施形態では、発泡体の圧縮高さは、発泡体の非圧縮高さの少なくとも１パーセント、少なくとも１０パーセント、少なくとも２０パーセント、２５パーセント未満、３５パーセント未満、および／または５０パーセント未満である。
【０５１５】
発泡体は、異方性または等方性であってもよい。発泡体は、ポリウレタン、ポリスチレン、ポリマー、シリコーン、および／または任意の適切な材料を含む広範囲の材料を使用することができる。
【０５１６】
システム２０２ｓは、基部２０４ｓに結合された発泡体と、発泡体によって機械的に支持されたチャネル４１３と、を備えることができる。センサ２０６ｓの少なくとも一部分は、チャネル４１３内に配置され得る。センサ２０６ｓの一部分は、中心軸を含むことができる。チャネル４１３は、中心軸に対するセンサ２０６ｓの一部分の横方向変位に抵抗するように構成され得る。発泡体は、システム２０２ｓが近位位置（例えば、図５８に示されるような）から遠位位置（例えば、図５９に示されるような）にセンサ２０６ｓを動かすことに応じて、圧縮するように構成され得る。
【０５１７】
いくつかの実施形態では、基部は、遠位部分２０４ｓと近位部分４１１とを備える。システム２０２ｓは、センサ２０６ｓを近位位置から遠位位置に動かすシステム２０２ｓに応じて圧縮するように構成された壁を有する、チャネル４１３を備えることができる。チャネル４１３は、基部の遠位部分２０４ｓと近位部分４１１との間に少なくとも部分的に配置され得、これにより、センサ２０６ｓの一部分は、チャネル４１３に配置される。チャネル４１３の壁は、センサ２０６ｓの一部分の横方向変位に抵抗するように構成され得る。この横方向変位は、チャネル４１３内に配置されるセンサ２０６ｓの一部分の中心軸に沿って、遠位方向２０９に対して画定される。
【０５１８】
いくつかの実施形態では、壁は、近位部分４１１を基部の遠位部分２０４ｓに向かって遠位に動かすことに応じて圧縮するように構成された発泡体を備える。壁は、崩壊可能な構造体および／または発泡体以外の圧縮可能な材料から作製され得る。
【０５１９】
発泡体ブロック４１２は、より硬質の、かつ／またはより圧縮性の低い材料から作製された１つ以上の中間層を有することができる。発泡体ブロック４１２の層は、互いに粘着することができる。中間層４１６は、より硬質の発泡体であってもよい。中間層４１６は、中間層４１６が２５パーセント未満圧縮する一方で、発泡体が少なくとも５０％圧縮するようなプラスチック、シリコーン、熱可塑性エラストマー（「ＴＰＥ」）、および／またはエラストマーであってもよい。
【０５２０】
中間層４１６は、近位層４１７と遠位層４１８との間に配置され得る。中間層４１６は、遠位層４１８および近位層４１７とは異なる材料を有することができる。中間層４１６は、より高い密度を有することができ、より圧縮性が低くあり得、より硬くあり得（例えば、ショアＡスケールで測定されるように）、より高い弾性係数を有することができ、より剛性であり得、かつ／または遠位層４１８および／もしくは近位層４１７よりも硬質であり得る。中間層４１６が閉鎖セル構造を有することができる一方で、遠位層４１８および／または近位層４１７は、開放セル構造を有することができる。
【０５２１】
いくつかの実施形態では、壁は、第１の材料を有する近位セクション（例えば、近位層４１７の一部分）と、第２の材料を有する中間セクション（例えば、中間層４１６の一部分）と、第３の材料を有する遠位部分（例えば、遠位層４１８の一部分）と、を備える。第２の材料は、第１および第３の材料よりも硬質であり得、これにより、中間セクションは、横方向変位に抵抗するように構成される。第２の材料は、第１および第３の材料よりも剛性であり得、これにより、中間セクションは、横方向変位に抵抗するように構成される。第２の材料は、第１および第３の材料よりも圧縮性が低くあり得る。
【０５２２】
いくつかの実施形態では、システム２０２ｓは、システム２０２ｓがセンサ２０６ｓを近位位置から遠位位置に動かすことに応じて、基部の近位部分４１１を基部の遠位部分２０４ｓに固定するように構成されたインターロック４２０（例えば、機械的インターロック）を備える。
【０５２３】
機械的インターロック４２０は、システム２０２ｓを圧縮状態に固定することができる（図５９に示されるように）。機械的インターロック４２０は、アーム、およびアンダーカットまたはチャネル４１３と結合するスナップ嵌めを含むことができる。チャネル４１３は、穴、パススルー、またはスロットによって形成され得る。
【０５２４】
崩壊可能なベローズ
図６０〜６３は、センサ２０６ｔの座屈に抵抗する崩壊可能な支持体を有する、システム２０２ｔを示す。崩壊可能な支持体は、チャネル４２２を有するベローズ４２１によって形成され得る。センサ２０６ｔの一部分は、ベローズ４２１のチャネル４２２内に配置され得る。センサ２０６ｔは、チャネル４２２を通過することができ、これにより、チャネル４２２が座屈力に抵抗する一方で、ベローズ４２１は、圧縮してセンサ２０６ｔが遠位に動くことを可能にする。粘着剤２１０ｔは、システム２０２ｔを人物に結合することができる。
【０５２５】
図６０は、ベローズ４２１（図６１に示される）を崩壊させる前の状態のシステム２０２ｔの斜視図を示す。図６１は、ベローズ４２１を崩壊させる前の状態のシステム２０２ｔの側面図を示す。図６２は、図６０および６１に示される状態の側面断面図を示す。ベローズ４２１がセンサ２０６ｔの座屈に抵抗する一方で、センサ２０６ｔは、基部２０４ｔに対して遠位方向２０９に動いてベローズ４２１を圧縮することができる。図６３は、ベローズ４２１を崩壊させてセンサ２０６ｔを展開した後の状態の側面断面図を示す。
【０５２６】
ここで図６０〜６３を参照すると、ベローズ４２１は、エラストマー材料、硬質プラスチック、可撓性プラスチック、シリコーン、および／または可撓性ポリマーから作製されたプリーツ付きの拡張可能な部品を備えることができる。ベローズ４２１は、ベローズ４２１が初期高さから、初期高さの５０パーセント未満および／または３５パーセント未満（近位方向２０８で測定される）である圧縮高さまで圧縮することを可能にするために折り畳まれるように構成された、折り畳み可能なセクションを含むことができる。
【０５２７】
システム２０２ｔは、頂部部分（例えば、伝送機２１１ｔ）を基部２０４ｔに向かって誘導して、ベローズ４２１の崩壊を制御するように構成されたアーム４２７を含むことができる。アーム４２７の動きが基部２０４ｔに対する頂部部分の動きおよびベローズ４２１の少なくとも部分的な崩壊に変わるように、ベローズ４２１が崩壊すると、アーム４２７は、頂部部分を支持して位置決めすることができる。アーム４２７は、ベローズ４２１が圧縮されるときに、頂部部分を基部２０４ｔに向かって直線的に誘導するように構成され得るか、または頂部部分を基部２０４ｔに対して回転させるように構成され得る。
【０５２８】
ベローズ４２１は、センサ２０６ｔの少なくとも一部分がベローズ４２１の内部領域（例えば、チャネル４２２）を通過するとき、その部分を横方向に支持するように構成され得る。システム２０２ｔは、システム２０２ｔを初期状態（センサ２０６ｔが少なくとも部分的に人物内に配置されていない）から最終状態（センサ２０６ｔが少なくとも部分的に人物内に配置されている）に動かすことによって、ベローズ４２１が崩壊することができるように構成され得る。
【０５２９】
いくつかの実施形態は、針を含まない。いくつかの実施形態は、ベローズ４２１に格納される針（例えば、参照により組み込まれる実施形態に示されるような）を含む。システム２０２ｔは、ベローズ４２１が拡張される（例えば、針が格納され、かつ／またはセンサ２０６ｔが展開されない）ような弛緩状態を有するバネを含むことができる。アーム４２７は、バネシステムとして作用することができる。
【０５３０】
システム２０２ｔは、ベローズ４２１および／またはバネを圧縮状態で解放可能に保持するように構成された機械的インターロック４２９を含むことができる。機械的インターロック４２９を解除することによって、センサ２０６ｔを皮膚から格納することができ、これにより、基部２０４ｔの遠位側２０７ｔに対して遠位に配置されたセンサ２０６ｔの部分は、システム２０２ｔの内部領域内へと近位に動く。インターロック４２９は、アンダーカットによって形成されたスナップ嵌めであってもよい（例えば、図６３に示されるような）。
【０５３１】
いくつかの実施形態では、システム２０２ｔは、基部２０４ｔに結合されたベローズ４２１を備える。センサ２０６ｔの少なくとも一部分は、ベローズ４２１の内部領域内に配置され得る。センサ２０６ｔの一部分は、中心軸を含むことができる。ベローズ４２１は、中心軸に対する一部分の横方向変位に抵抗するように構成され得る。ベローズ４２１は、センサ２０６ｔを近位位置から遠位位置に動かすシステム２０２ｔに応じて圧縮するように構成され得る。
【０５３２】
システム２０２ｔは、早期のかつ／または不注意なセンサ展開を防止するように構成された、取り外し可能な安全特徴４２４を含むことができる。タブ４２５は、タブ４２５を（例えば、矢印４２６によって示される方向に）動かすことによって、安全特徴４２４を基部２０４ｔに対して動かして、安全特徴４２４を基部２０４ｔから分離するように、安全特徴に結合され得る。安全機構４２４は、Ｃ字形であってもよい。例えば、安全機構４２４は、安全機構４２４が取り外されるときに、ベローズ４２１が開放セクションを通過できることを可能にするように構成された開放セクションを有するフープのような形状にされ得る。
【０５３３】
いくつかの実施形態は、基部２０４ｔの遠位部分と近位部分（伝送機２１１ｔを含むことができる）とを備える。ベローズ４２１は、遠位部分を近位部分に結合することができる。システム２０２ｔは、遠位部分と近位部分との間に配置された取り外し可能な干渉部材４２４（例えば、安全部材）を備えることができ、これにより、取り外し可能な干渉部材４２４は、システム２０２ｔがセンサ２０６ｔを近位位置（例えば、近位開始位置）から遠位位置（例えば、遠位終了位置）に動かすことを阻止するように構成される。
【０５３４】
いくつかの実施形態では、システムは、崩壊可能な支持部材に結合されたタブを備える。システムは、タブを作動させる（例えば、引っ張る、押す、動かす、圧迫する、触れる）ことによって、崩壊可能な支持部材が崩壊し、センサの少なくとも一部分を基部に対して遠位に動かすように構成され得る。
【０５３５】
折り畳まれたフレックスタブ
図６４〜６７は、センサ２０６ｕの座屈に抵抗する崩壊可能な支持体を有する、システム２０２ｕを示す。崩壊可能な支持体は、筐体４４０のスロット４３９（例えば、通路、穴、チャネル）内に配置された変形しやすいシート４３８によって形成され得る。シート４３８を遠位に動かすことによって、センサ２０６ｕを遠位に（例えば、ホストの組織内に）動かすことができる。筐体４４０は、センサ２０６ｕが遠位に（例えば、図６６に示される遠位矢印２０９によって示されるように）動くときにセンサ２０６ｕの座屈力に抵抗するように構成された、スロット４３９を備えることができる。
【０５３６】
図６４は、少なくとも部分的にスロット４３９内に配置されたフレックス回路４３１に電気的に結合され得るバッテリ４３０ｕと伝送機２１１ｕとを含むことができる、システム２０２ｕの斜視図を示す。図６５は、システム２０２ｕの異なる斜視図を示す。シート４３８を、遠位方向２０９（図６６に示される）に対して垂直の±４５度以内である方向に動かすと、スロット４３９内に配置されたシート４３８の一部分を遠位に動かして、センサ２０６ｕを遠位に動かすことができる。例えば、シート４３８は、方向４３２および／または方向４３３に動かされ得、これにより、シート４３８は、センサ２０６ｕを方向４３４（例えば、遠位方向）に動かすことができる。
【０５３７】
基部２０２ｕは、基部２０２ｕをホストの皮膚に結合するように構成された粘着剤２１０ｕを有する遠位側２０７ｕを含むことができる。シート４３８は、粘着剤２１０ｕを基部２０４ｕおよび／または筐体４４０に結合することができる。
【０５３８】
図６６は、スロット４３９を含む筐体４４０の側面図を示す。スロット４３９は、図６６に示されるように、筐体４４０を完全に（例えば、筐体４４０の左側から右側へ）通過することができる。いくつかの実施形態では、スロット４３９は、筐体４４０を完全に通過しない。
【０５３９】
図６７は、筐体４４０なしのシステム２０２ｕの斜視図を示す。シート４３８の近位に突出する部分４３６は、筐体４４０のスロット４３９（図６６に示される）内に嵌合するように構成される。この部分４３６を遠位に動かすことによって、システム２０２ｕは、センサ２０６ｕを遠位に動かす。
【０５４０】
ここで図６４〜６７を参照すると、いくつかの実施形態は、可撓性部材（例えば、シート４３８）に結合された少なくとも１つのタブ４４６、４４７を含む。可撓性部材およびセンサ２０６ｕの一部分は、タブ４４６、４４７を動かすことによって、可撓性部材がセンサ２０６ｕの一部分をスロット４３９から外へ、かつ／または人物の組織内へと動かす、押す、かつ／または引っ張るように、スロット４３９内に配置され得る。
【０５４１】
スロット４３９は、センサ２０６ｕの座屈力に抵抗することによってセンサ２０６ｕを支持することができる。スロット４３９は、遠位に面する開口部４４８（図６６にラベル表示される）を有することができる。スロット４３９は、センサ２０６ｕの生体外部分の少なくとも８０％を支持することができる（例えば、センサ２０６ｕがセンサ展開前に近位開始位置にある場合）。スロット４３９は、取り外し可能なアプリケータであってもよい筐体４４０内に配置され得る。
【０５４２】
システム２０２ｕは、プルタブ４４６、４４７と、センサ２０６ｕの少なくとも一部分がスロット４３９内に配置されるように構成されたスロット４３９と、を備えることができる。システム２０２ｕは、プルタブ４４６、４４７を引っ張ることによって、システム２０２ｕがセンサ２０６ｕを近位位置から遠位位置に動かすように構成され得る。
【０５４３】
システム２０２ｕは、スロット４３９内に配置され、プルタブ４４６、４４７に結合された変形しやすいシート４３８を備えることができ、これにより、変形しやすいシート４３８は、プルタブ４４６、４４７を作動させる（例えば、引っ張る）ことに応じて、センサ２０６ｕの一部分を遠位に動かす（例えば、押す、引っ張る）ように構成される。本明細書で使用される場合、シート４３８がスロット４３９に嵌合するように適合および／または屈曲することができる場合、シート４３８は、「変形しやすい」。
【０５４４】
システム２０２ｕは、基部２０４ｕに結合された筐体４４０を備えることができる。筐体４４０は、スロット４３９を備えることができ、プルタブ４４６、４４７を引っ張ることに応じて、変形しやすいシート４３８がセンサ２０６ｕの一部分を遠位に押すように構成され得る。スロット４３９は、センサ２０６ｕの一部分がスロット４３９から遠位に出て、ホストの皮下組織に入ることを可能にするように構成された、遠位に面する開口部４４８（図６６にラベル表示される）を備えることができる。
【０５４５】
高水準の請求−ガイド部材および分裂チャネル
上記のように、長く細いセンサは、座屈の影響を非常に受けやすい可能性がある。いくつかの実施形態は、センサが患者に挿入されるときにセンサの横方向の動きに抵抗するように構成された支持構造体を備える。しかしながら、１つの課題は、センサの遠位の動きを阻止せずにセンサの座屈力に抵抗する支持構造体を作り出すことである。いくつかの実施形態は、センサが遠位に動くときにセンサの妨げにならないことによって、センサの遠位の動きを阻止することを回避する。
【０５４６】
いくつかの実施形態（例えば、図７４〜８４の状況で説明されるような）では、システムは、センサの非軸方向の力に抵抗するように構成されたガイド部材を備えることができる。したがって、ガイド部材は、座屈に対してセンサを支えることができる。
【０５４７】
ガイド部材は、センサに解放可能に結合された係合機構を備えることができる。係合特徴は、センサを近位位置から遠位位置に動かすことに応じて、センサから分離するように構成され得る。
【０５４８】
いくつかの実施形態では、ガイド部材は、第１の部分と第２の部分とを備える。センサの少なくとも一部分は、ガイド部材の第１部分と第２部分との間に配置され得、これにより、ガイド部材の第１部分および第２部分は、センサの座屈力に抵抗するように構成される。
【０５４９】
いくつかの実施形態では、第１の部分は、システムが近位位置から遠位位置にセンサを動かすことに応じて、ガイド部材の第２の部分に対して動くように構成され得る。ガイド部材は、第１の部分の第２の部分に対する変位が、センサを近位位置から遠位位置に動かすことを可能にするように構成され得る。
【０５５０】
いくつかの実施形態では、（ガイド部材の第１の部分と第２の部分との間に配置された）センサの一部分は、中心軸を含む。ガイド部材の第１および第２の部分は、チャネルを形成することができる。センサの一部分は、チャネル内に配置され得る。チャネルは、中心軸に垂直な方向におけるセンサの一部分の変位に抵抗するように構成され得る。
【０５５１】
分裂チャネル
いくつかの実施形態（例えば、図７４〜８４の状況で説明されるような）では、システムは、システムがセンサを近位位置から遠位位置に動かすことに応じて、少なくとも部分的に分離するように構成された第１の側面と第２の側面とを有するチャネルを備えることができる。センサの一部分は、チャネルが、少なくとも部分的に分離して、センサが近位位置から遠位位置に動くことを可能にするように構成されるように、チャネル内に配置され得る。センサの一部分は、中心軸を含むことができる。チャネルは、中心軸に垂直な方向におけるセンサの一部分の変位に抵抗するように構成され得る。
【０５５２】
スプリンター挿入
図６８〜７０は、ガイド部材（例えば、少なくとも部分的に基部２０４ｖの第１の部分と第２の部分との間に配置されたチャネル）を含む、システム２０２ｖを示す。ガイド部材は、有害な座屈を防止するために、センサ２０６ｖを支持することができる。ガイド部材は、センサ２０６ｖの遠位部分をホストの皮膚内へと偏向させるように構成された、湾曲および／または傾斜部分を含むことができる。結果として、基部２０４ｖの第１の部分に対して基部２０４ｖの第２の部分を動かすことによって、センサ２０６ｖの遠位部分が方向を変えることができる。
【０５５３】
図６８は、システム２０２ｖの斜視図を図示する。基部２０４ｖの第１の部分に対して基部２０４ｖの第２の部分を（例えば、矢印４５１で示されるように）動かすと、センサ２０６ｖがシステム２０２ｖによって偏向し、基部２０４ｖの遠位側２０７ｖから出ることができる。粘着剤２１０は、遠位側２０７ｖをホストの皮膚に結合することができる。
【０５５４】
図６９は、図６８に示されるのと同じ展開前の状態を示す。図６９は、側面断面図を示す。基部２０４ｖの第２の部分を矢印４５２で示される方向に摺動させることによって、センサ２０６ｖを基部２０４ｖの第１の部分と第２の部分との間の内部領域に沿って押す。基部２０４ｖの第２の部分を矢印４５２によって示される方向に摺動させ続けることによって、センサ２０６ｖの遠位部分は、基部２０４ｖの遠位側２０７ｖから突出する（例えば、図７０に示されるように）。図７０は、センサ２０６ｖが展開された状態のシステム２０２ｖの側面断面図を示す。
【０５５５】
ここで図６８〜７０を参照すると、システム２０２ｖの第１の部分は、ほぼ水平に動いて、センサ２０６ｖを基部２０４ｖの遠位側２０７ｖから押し出すことができる。いくつかの実施形態では、システム２０２ｖの第１の部分は、遠位方向２０９に対して垂直の±４５度以内および／または±２５度以内である方向に動くように構成され得る。第１の部分は、第１の部分が基部２０４ｖに摺動可能に結合されるように、レール４５７によって基部２０４ｖに結合され得る。
【０５５６】
湾曲チャネル４５５（スロットであってもよい）は、頂部部分の動きによって、センサ２０６ｖが基部２０４ｖの遠位側２０７ｖから出るように、センサ２０６ｖを偏向させることができる。この移動は、遠位方向２０９に対して垂直の±４５度以内および／または±２５度以内である方向であってもよい。
【０５５７】
センサ２０６ｖは、基部２０４ｖの第１の部分と第２の部分との間に拘束されることによって、不注意に座屈することが防止される。システム２０２ｖは、センサ２０６ｖが展開されたときにセンサ２０６ｖの座屈力に抵抗するように構成されたチャネル４５６を備えることができる。チャネル４５６は、ほぼ直線状であってもよく、湾曲および／または傾斜チャネル４５５と結合され得る。
【０５５８】
いくつかの実施形態では、センサ２０６ｖは、基部２０４ｖに摺動可能に結合された筐体４５４に結合される。システム２０２ｖは、遠位方向２０９に対して垂直の±１０度以内、±２０度以内、±４５度以内、および／または±６０度以内の第１の方向に（例えば、矢印４５２によって示されるように）、筐体４５４を動かすことに応じて、センサ２０６ｖの一部分を基部２０４ｖの遠位側２０７ｖから離れて（かつ皮膚内へと）動かすように構成され得る。
【０５５９】
システム２０２ｖは、基部２０４ｖに摺動可能に結合された筐体４５４を備えることができる。基部２０４ｖは、チャネル４５５（例えば、湾曲チャネル、および／または遠位方向２０９に対して平行の±４５度以内の角度で配向されたチャネル）を備えることができる。センサ２０６ｖの一部分は、チャネル４５５内に配置され得る。センサ２０６ｖは、センサ２０６ｖが皮膚内で展開されるときに、湾曲および／または傾斜チャネル４５５を通って動くことができる。チャネル４５５は、筐体４５４を基部２０４ｖに対して動かすことに応じて、センサ２０６ｖの一部分を偏向させて、その部分を遠位に方向転換させるように構成され得る。
【０５６０】
センサ経路は、第１のセクション４５６と第２のセクション４５５とを有することができる。センサ２０６ｖの少なくとも一部分は、センサ経路の第１のセクション４５６および第２のセクション４５５に沿って動くことができる。第１のセクション４５６は、遠位方向２０９に対して垂直の±２０度以内、および／または遠位方向２０９に対して垂直の±４５度以内で配向され得る。第２のセクション４５５は、遠位方向２０９に対して平行の±４５度以内で配向され得る。システム２０２ｖは、センサ２０６ｖを偏向させることによって、センサ２０６ｖがセンサ経路を進み、これにより、チャネル４５５がセンサ２０６ｖをホストの皮膚に向かって方向転換するように構成され得る。
【０５６１】
基部２０４ｖは、第１の部分（例えば、遠位側２０７ｖを備える部分）と、第２の部分（例えば、送信器２１１ｖを備える部分）と、を備えることができる。第１の部分は、第２の部分を皮膚に結合するように構成され得る。第２の部分は、第１の部分に摺動可能に結合され得る。基部２０４ｖは、遠位方向２０９に対して垂直の±２０度以内（および／または遠位方向２０９に対して垂直の±４５度以内）の第１の方向に（例えば、矢印４５２によって示されるように）、第２の部分を（第１の部分に対して）動かすことによって、センサ２０６ｖの遠位先端部が、遠位方向２０９に対して平行の±４５度以内の第２の方向に動くように構成され得る。
【０５６２】
センサ２０６ｖは、遠位セクションと近位セクションとを備えることができる。近位セクションは、基部２０４ｖの第２の部分に強固に結合され得る。遠位セクションは、基部２０４ｖの第１の部分のチャネル４５５、４５６を通過することができる。チャネル４５５、４５６は、センサ２０６ｖの少なくとも一部分がホストの皮膚に向かって遠位に方向転換されるように、センサ２０６ｖのその部分を偏向させるように構成された半径を備えることができる。
【０５６３】
センサ２０６ｖは、グルコースセンサ、および／または本明細書で説明され、かつ／もしくは参照により組み込まれる任意の種類のセンサであってもよい。伝送機２１１ｖは、第２の部分が伝送機２１１ｖを基部２０４ｖの第１の部分に摺動可能に結合するように、基部２０４ｖの第２の部分に結合され得る。システム２０２ｖは、第２の部分を基部２０４ｖの第１の部分に摺動可能に結合する、少なくとも１つのレール４５７を備えることができる。いくつかの実施形態では、第１および第２の部分は、バネに結合されてもよい。いくつかの実施形態では、摺動部材は、機構を外部の影響から保護するために、内部で覆われてもよい。
【０５６４】
湾曲支持チャネル
図７１〜７３は、ガイド部材（例えば、チャネル４６３）を含むシステム２０２ｗを示す。いくつかの実施形態は、座屈を最小限に抑えるために、センサ２０６ｗをほぼ直線の配向に維持する。しかしながら、他の実施形態（例えば、図７１〜７３に示されるような）は、センサ２０６ｗを湾曲経路に沿って意図的に屈曲させて、良好なセンサ２０６ｗの挿入を実際に容易にする座屈力を可能にする。したがって、システム２０２ｗは、座屈力を既知の反復可能で予測可能な方向に向けることができる。チャネル４６３の壁は、この方向にセンサ２０６ｗを支持して、有害な座屈を防ぐことができる。
【０５６５】
図７１は、システム２０２ｗの斜視図を図示する。図７２は、センサ２０６ｗが展開される前の状態（例えば、センサ２０６ｗが近位開始位置にある場合）のシステム２０２ｗの斜視断面図を示す。図７３は、センサ２０６ｗが展開された後の状態（例えば、センサ２０６ｗが遠位終了位置にある場合）のシステム２０２ｗの側面断面図を示す。
【０５６６】
基部２０４ｗは、アプリケータ４６２に対して遠位に（例えば、図７２の矢印４６１によって示されるように）回転して、センサ２０６ｗを組織内に動かすことができる（例えば、図７３に示されるように）。粘着剤２１０ｗは、基部２０４ｗの遠位側２０７ｗをホストの皮膚に結合することができる。
【０５６７】
システム２０２ｗは、センサ２０６ｗが人物の皮膚内で展開されるときにセンサ２０６ｗを支持するように構成された湾曲チャネル４６３を含むことができる。湾曲チャネル４６３は、基部２０４ｗに取り外し可能に結合されたアプリケータ４６２の一部であってもよい。
【０５６８】
システム２０２ｗは、センサ２０６ｗが（例えば、図７２に示されるように）近位開始位置にあるときに、撓んだ状態にあるバネ４６４（例えば、板バネ４６４）を含むことができる。機械的インターロック４６７（例えば、内向きの突出部）は、バネ４６４を撓んだ状態に保持することができる。機械式インターロック４６７を解除することによって、センサ２０６ｗの一部分が湾曲チャネル４６３を通る湾曲経路を進むときに、バネ４６４がセンサ２０６ｗを遠位位置に押すことが可能になる。突出部を偏向させることによって（例えば、プルタブ４６５を引っ張ることによって、または他の適切な手段によって）、機械的インターロック４６７を解除することができる。
【０５６９】
バネ４６４は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０５７０】
チャネル４６３の湾曲特性は、座屈力の主方向を決定する。結果として、座屈力は、センサ２０６ｗを（チャネル４６３の外にではなくむしろ）チャネル４６３の底部に向かって押す。主にセンサ２０６ｗの断面の一半球上の湾曲チャネル４６３によって提供される支持は、より多くの力がセンサ２０６ｗの遠位先端部に移ることを可能にする。結果は、非常に確実なセンサ２０６ｗの挿入になる。
【０５７１】
システム２０２ｗは、基部２０４ｗに結合された取り外し可能なアプリケータ４６２を備えることができる。基部２０４ｗは、（例えば、他の実施形態に示されるような）伝送機を含むことができる。アプリケータ４６２は、本明細書で説明され、かつ／または参照により組み込まれる任意の種類のアプリケータ４６２であってもよい。
【０５７２】
アプリケータ４６２は、センサ２０６ｗの一部分が近位位置（例えば、図７２に示されるような）から遠位位置（例えば、図７３に示されるような）に動くときに、センサ２０６ｗのその部分を湾曲経路に沿って誘導するように構成された、湾曲チャネル４６３を備えることができる。（いくつかの実施形態では、チャネル４６３は、湾曲ではなくむしろ直線状である）アプリケータ４６２は、湾曲チャネル４６３を通る湾曲経路に沿ってセンサ２０６ｗの一部分を駆動するように構成された板バネ４６４を備えることができる。
【０５７３】
湾曲チャネル４６３は、基部２０４ｗに結合され得る。センサ２０６ｗの湾曲部分は、湾曲チャネル４６３内に配置され得る。湾曲チャネル４６３は、システム２０２ｗが近位位置（例えば、図７２に示されるような）から遠位位置（例えば、図７３に示されるような）に湾曲部分を動かすときに、湾曲部分の座屈力に抵抗するように構成され得る。アプリケータ４６２は、センサ２０６ｗの湾曲部分を近位位置から遠位位置に動かすのを容易にするように構成され得る。
【０５７４】
システム２０２ｗは、センサ２０６ｗの湾曲部分を近位位置から遠位位置に動かすように構成されたバネ４６４を備えることができる。バネ４６４は、本明細書に記載され、かつまたは参照により組み込まれる任意の種類のバネ４６４であってもよい。バネ４６４は、撓んだ状態の板バネであってもよい。
【０５７５】
システム２０２ｗは、撓んだ状態でバネ４６４（例えば、板バネ）を解放可能に保持するように構成されたインターロック４６７（例えば、機械的インターロック）を備えることができる。図７２は、システム２０２ｗの一部分（例えば、バネ４６４の一部分、基部２０４ｗの一部分）の遠位の動きに干渉する、アプリケータ４６２の内向きの突出部を備える、インターロック４６７を示す。
【０５７６】
システム２０２ｗは、インターロック４６７を解除することに応じて、センサ２０６ｗの湾曲部分を近位位置から遠位位置に動かすように構成され得る。システム２０２ｗは、インターロック４６７に結合されたタブ４６５（例えば、プルタブ）を備えることができ、これにより、システム２０２ｗは、インターロック４６７を係合解除して、バネ４６４が、タブ４６５を作動させること（例えば、引っ張ること、押すこと、動かすこと）に応じて、センサ２０６ｗの湾曲部分を近位位置から遠位位置に動かすことを可能にするように構成される。
【０５７７】
センサグリップ−ジッパーの実施形態
いくつかの実施形態は、可動アームを使用して、座屈力に対してセンサを支持する。可動アームは、センサが近位開始位置から遠位終了位置に動くときに妨げにならないように動くことができる。
【０５７８】
可動アームは、多くの異なる形状を有することができる。いくつかの実施形態では、可動アームは、洗濯バサミ、対向するフィンガ、および／または一組のトングのような形状にされ得る。可動アームは、可動アームが、センサが展開されたときにセンサの少なくとも一部分が通過するチャネルを形成する、弛緩状態を有することができる。
【０５７９】
いくつかの実施形態では、可動アームは、アームが互いに離れて広げられた弛緩状態を有する。アプリケータは、アームを一緒に保持して、座屈に対してセンサを支持することができる。
【０５８０】
図７４〜７７は、ガイド部材（例えば、チャネル４７３）を含むシステム２０２ｘを示す。システム２０２ｘは、センサ２０６ｘを近位位置から遠位位置に動かすシステム２０２ｘに応じて少なくとも部分的に分離するように構成された第１の側面と第２の側面とを有する、チャネル４７３を備えることができる。
【０５８１】
図７４は、基部２０４ｘの側面図を示す。伝送機２１１ｘは、基部２０４ｘの内側に配置される。センサ２０６ｘは、基部２０４ｘに結合される。粘着剤２１０ｘは、基部２０４ｘの遠位側２０７ｘに結合され、これにより、粘着剤２１０ｘは、基部２０４ｘをホストの皮膚に結合するように構成される。
【０５８２】
図７５は、基部２０４ｘに取り外し可能に結合された入れ子式アプリケータ４７５の斜視断面図を示す。アプリケータ４７５は、４組のアーム４７４を含む。アーム４７４の各組は、第１のアーム４７４と第２のアーム４７４とを含む。各組の第１のアーム４７４および第２のアーム４７４は、互いに押し付けることができる（これにより、第１のアーム４７４および第２のアーム４７４の弛緩状態は、第１のアーム４７４および第２のアーム４７４の端部部分が互い接触するときである）。第１のアーム４７４および第２のアーム４７４が互いに接触する領域において、アーム４７４は、チャネル４７３を形成することができる。センサ２０６ｘの少なくとも一部分は、チャネル４７３を通過するように構成され得る。チャネル４７３は、センサ２０６ｘの座屈力に抵抗して、センサ２０６ｘが展開されたときにセンサ２０６ｘの一部分をほぼ直線状の構成に維持するのを助けることができる。
【０５８３】
アプリケータ４７５の近位部分４７６は、アプリケータ４７５の近位部分４７６がアプリケータ４７５の遠位部分４７７に向かって動くときに、アーム４７４の各組の間の領域４７９に入るように構成された遠位突出部４７８を含むことができる。遠位突出部４７８がアーム４７４の各組の間の領域４７９に入ると、遠位突出部４７８は、第１のアーム４７４を第２のアーム４７４から離れて動かして、チャネル４７３を開放して、センサ２０６ｘの傾斜部分４６９がアーム４７４の各組の間を通ることを可能にすることができる。
【０５８４】
図７６は、システム２０２ｘが近位開始位置にあるときのシステム２０２ｘの側面断面図を示す。遠位突出部４７８は、システム２０２ｘが遠位方向２０９に（例えば、矢印４７１によって示されるように）基部２０４ｘを動かすと、矢印４７０によって示される方向に動くことができる。
【０５８５】
図７７は、システム２０２ｘがセンサ２０６ｘを遠位に動かしているときのシステム２０２ｘの側面断面図を示す。各アーム４７４の端部部分は、対向するアーム４７４の窪みに面する窪みを含むことができる。アーム４７４の端部部分が互いに接触する（および／または互いに近接する）とき、窪みは、座屈力に対してセンサ２０６ｘを支持するように構成されたチャネル４７３を形成することができる。センサ２０６ｘは、アーム４７４の各組によって形成された各チャネル４７３内に少なくとも部分的に配置され得る。したがって、システムは、複数の同心チャネル４７３を含むことができる。
【０５８６】
第１のチャネルは、第１のチャネルに対して遠位に配置される第２のチャネルを通過する中心軸を有することができる（例えば、図７７に示されるように）。第１のチャネルは、第１の組のアームによって形成され得る。第２のチャネルは、第２の組のアームによって形成され得る。
【０５８７】
ここで図７４〜７７を参照すると、システム２０２ｘは、一対の可動可撓性アーム４７４の複数の組を含むことができる。システム２０２ｘがセンサ２０６ｘを近位開始位置から遠位終了位置に動かすと、システム２０２ｘは、各組のアーム４７４を離して押して、センサ２０６ｘの屈曲部分（例えば、傾斜部分４６９）が各組のアーム４７４を通過することを可能にすることができる。可動アーム４７４の各組は、センサ２０６ｘの屈曲部分が可動アーム４７４の各組に到達する前に開放することができる。
【０５８８】
遠位突出部４７８（例えば、アプリケータ４７５の一部および／またはセンサモジュール支持体の一部）は、可動アーム４７４の各組の間の領域４７９に入って、アーム４７４を拡張状態に撓めることができる。入れ子式アセンブリ４７５は、可動アーム４７４に対して遠位に突出部を動かして、アーム４７４の各組を拡張することができる。
【０５８９】
システム２０２ｘは、第１のアーム４７４と、基部２０４ｘに結合された壁と、を備えることができる。（壁は、第２のアーム４７４の表面であってもよい。）センサ２０６ｘの一部分は、第１のアーム４７４と壁との間に固定され得、これにより、システム２０２ｘがセンサ２０６ｘのその部分を近位位置から遠位位置に動かすと、第１のアーム４７４は、センサ２０６ｘの座屈力に抵抗するように構成される。
【０５９０】
第１のアーム４７４は、基部２０４ｘに移動可能に結合され得、これにより、第１のアーム４７４の少なくとも一部分が動いて（例えば、基部２０４ｘに対して、アプリケータ４７５の筐体に対して）、システム２０２ｘがセンサ２０６ｘの一部分を近位位置から遠位位置に動かすことを可能にするように構成される。
【０５９１】
第１のアーム４７４および壁のうちの少なくとも１つは、チャネル４７３を形成することができる。センサ２０６ｘの一部分は、チャネル４７３内に少なくとも部分的に配置さえ得、これにより、チャネル４７３は、座屈力に抵抗するように構成される。  システム２０２ｘは、第１のアーム４７４を壁から離れて動かして、システム２０２ｘが近位位置から遠位位置にセンサ２０６ｘの一部分を動かすことを可能にするように構成された、遠位突出部４７８を備えることができる。センサ２０６ｘの一部分は、中心軸を含むことができる。第１のアーム４７４は、中心軸に対して垂直の±４５度以内の方向に突出することができる。
【０５９２】
システム２０２ｘは、基部２０４ｘに取り外し可能に結合された入れ子式アセンブリを有する取り外し可能なアプリケータ４７５を備えることができる。入れ子式アセンブリは、センサ２０６ｘの第１のセクションの第１の座屈力に抵抗するように構成された第１の組のトングを備えることができる。
【０５９３】
アーム４７４の各組は、一組のトングを形成することができる。本明細書で使用される場合、「トング」は、広義に使用される。トングは、物体を保持するために使用されるツールを意味することができ、ツールは、一端、ほぼ中間、および／または任意の適切な位置で接続された２つの部品から作られる。トングは、センサを保持することができる。いくつかの実施形態では、トングはチャネルを形成するが、座屈がセンサをトングに接触させるように、センサがわずかに座屈し始めない限り、センサに接触しない可能性がある。
【０５９４】
入れ子式アセンブリは、センサ２０６ｘの第２のセクションの第２の座屈力に抵抗するように構成された第２の組のトング（例えば、アーム４７４の第２の組）を備えることができる。入れ子式アセンブリは、第１の組のトングの間の第１の領域内へと、かつ第２の組のトングの間の第２の領域内へと遠位に動いて、第１および第２の組のトングを拡張するように構成された遠位突出部４７８を備えることができる。
【０５９５】
センサグリップ−クランプの実施形態
いくつかの実施形態では、アームは、遠位方向２０９に対して垂直の±６０度以内の角度で配向される（例えば、図７５〜７７に示されるように）。いくつかの実施形態では、アーム４７４ｙは、遠位方向２０９に対して平行の±４５度の角度で配向される（例えば、図７８〜８１に示されるように）。
【０５９６】
図７８〜８１は、センサ２０６ｙが遠位に動くときにセンサ２０６ｙを支持するように構成されたクランプ４８０を示す。この支持は、センサ２０６ｙが少なくとも部分的にホストに挿入されるときにセンサ２０６ｙが座屈するのを防止することができる。
【０５９７】
クランプ４８０は、センサ２０６ｙの遠位端が皮膚を穿孔した後に開放するように構成され得る。したがって、クランプ４８０は、システム２０２ｙがセンサ挿入のピーク座屈力に打ち勝つまで、座屈力に対してセンサ２０６ｙを支持することができる。クランプ４８０は、センサ２０６ｙの少なくとも一部分を拘束および／または支持する。結果として、クランプ４８０は、センサ２０６ｙの有効カラム長を低減する。本明細書で説明されるように、カラムの長さを低減すると、センサ２０６ｙの座屈抵抗が劇的に増加し得る。
【０５９８】
いくつかの実施形態では、クランプ４８０は、センサ２０６ｙを圧縮するのではなく、代わりに、センサ２０６ｙがクランプ４８０の第１のアーム４７４ｙとクランプ４８０の第２のアーム４７４ｙとの間を遠位に動くことを可能にする。第１および第２のアーム４７４ｙは、センサ２０６ｙが遠位に動くときにセンサ２０６ｙが通過することができる第１のチャネル４８４を形成することができる。他の実施形態は、クランプ４８０がセンサ２０６ｙを解放するまでセンサ２０６ｙを締めることによって、（アーム４７４ｙに対する）センサの動きを防止する。換言すれば、クランプ４８０は、センサ２０６ｙに圧縮力を加えて、センサ２０６ｙを固定するのを助けることができる。
【０５９９】
システム２０２ｙは、第２のチャネル４８３が広がるか、または終わる遠位点に第１および第２のアーム４７４ｙが到達するまで、クランプ４８０の第１および第２のアーム４７４ｙを圧縮状態に保持するように構成された第２のチャネル４８３を備えることができる。この時点で、第１および第２のアーム４７４ｙは、第１および第２のアーム４７４ｙの弛緩状態に向かって互いから離れて動くことができる。（第２のチャネル４８３は、ルーメンであってもよい。）
【０６００】
いくつかの実施形態では、クランプ４８０は、クランプ４８０の最低エネルギー状態が、第１のアーム４７４ｙが第２のアーム４７４ｙに接触したときであるように付勢される。システム２０２ｙは、アーム４７４ｙを互いから離れて偏向させて、クランプ４８０を開放する（かつクランプ４８０をより高いエネルギー状態へと動かす）ように構成された特徴（例えば、アプリケータ４７５ｙの突出部）を含むことができる。したがって、アーム４７４ｙは、ユーザによって加えられる入力により外向きに撓むことができる。
【０６０１】
第１および第２のアーム４７４ｙを互いから離れて動かすことによって、センサ２０６ｙの湾曲セクションを支持する構造が、第１のアーム４７４ｙと第２のアーム４７４ｙとの間で動いて、センサ２０６ｙをより深く人物に押し込み続けることを可能にすることができる。（図７４は、屈曲セクション４６９を示す。）
【０６０２】
図７８は、近位開始位置にあるシステム２０２ｙの斜視図を示す。図７９は、近位開始位置にあるシステム２０２ｙの側面断面図を示す。クランプ４８０は、座屈力に対してセンサ２０６ｙを支持して、センサ２０６ｙの少なくとも一部をほぼ直線状の構成で維持するのを助ける。
【０６０３】
図８０は、近位開始位置と遠位終了位置との間の位置にあるシステム２０２ｙの側面断面図を示す。図８０に示されるように、クランプ４８０は、システム２０２ｙがアプリケータ４７５ｙの遠位部分４７７ｙに対して遠位に基部２０４ｙを動かし続けることを可能にするように開放している。センサ２０６ｙは、すでに皮膚を穿孔している。結果として、センサ２０６ｙは、典型的には、センサ挿入サイクルのピーク座屈力をすでに過ぎている。したがって、いくつかの実施形態では、センサ２０６ｖが皮膚３５２を穿孔した後に、クランプ４８０でセンサ２０６ｙを支持することはもはや必要ではない。
【０６０４】
アプリケータ４７５ｙは、近位部分４７６ｙと遠位部分４７７ｙとを備えることができる。近位部分４７６ｙは、遠位部分４７７ｙに対して動いて（例えば、入れ子になって）、ホストの皮膚に向かってセンサ２０６ｙおよび／または基部２０４ｙを遠位に動かすように構成され得る。
【０６０５】
図８１は、システム２０２ｙが遠位終了位置に近づくときのシステム２０２ｙの側面断面図を示す。いくつかの実施形態では、粘着剤２１０ｙ（図７８にラベル表示される）は、遠位終了位置にある皮膚３５２（図８１に示される）に粘着するように構成される。
【０６０６】
ここで図７８〜８１を参照すると、システム２０２ｙは、基部２０４ｙに結合された取り外し可能なアプリケータ４７５ｙを備えることができる。基部２０４ｙは、伝送機を含むことができる。アプリケータ４７５ｙは、一対の付勢部材（例えば、一組のトング）を有することができる。一対の付勢部材は、互いに対して動くように構成され、センサ２０２ｙの少なくとも一部分の座屈に抵抗するように構成された、一対のアーム４７４ｙであってもよい。
【０６０７】
一対の付勢部材は、第２のアーム４７４ｙに結合された第１のアーム４７４ｙを備え、これにより、アーム４７４ｙは、互いに対して撓むように構成される。センサ２０６ｙの一部分は、一対の付勢部材の間の領域内に配置され得、これにより、一対の付勢部材は、センサ２０６ｙの座屈力に抵抗するように構成される（例えば、図７９に示されるように）。
【０６０８】
一対の付勢部材は、センサ２０６ｙの遠位端がアプリケータ４７５ｙの遠位側４８５（図８０にラベル表示される）に対して遠位に配置されるほど十分遠く遠位に、一対の付勢部材を動かすことに応じて、一対の付勢部材が拡張することを可能にするように構成されたチャネル４８３によって、圧縮状態に保持され得る。一対の付勢部材は、一組のトングであってもよい。
【０６０９】
システム２０２ｙは、遠位に延在する第１のアーム４７４ｙと第２のアーム４７４ｙとを備えることができる。センサ２０６ｙの一部分は、第１のアーム４７４ｙと第２のアーム４７４ｙとの間に配置され得、これにより、第１および第２のアーム４７４ｙは、センサ２０６ｙの座屈力に抵抗するように構成される。第１および第２のアーム４７４ｙは、システム２０２ｙのチャネル４８３内に配置され得る。チャネル４８３は、第１および第２のアーム４７４ｙを圧縮状態に保持することができる。チャネル４８３は、第１および第２のアーム４７４ｙを遠位に動かすことによって、第１および第２のアーム４７４ｙが互いから離れて広がって、システム２０２ｙがセンサ２０６ｙの一部分を近位位置から遠位位置に動かすことを容易にするように構成され得る。
【０６１０】
システム２０２ｙは、遠位に延在する第１のアーム４７４ｙと第２のアーム４７４ｙとを備えることができる。第１および第２のアーム４７４ｙは、第１および第２のアーム４７４ｙが、第１および第２のアーム４７４ｙの間に配置されたセンサ２０６ｙの一部分の座屈力に抵抗する閉鎖状態を有するように構成され得る。第１および第２のアーム４７４ｙは、システム２０２ｙがセンサ２０６ｙの一部分を近位開始位置から遠位終了位置に動かすことを可能にするための開放状態を有するように構成され得る。
【０６１１】
分裂管
図８２〜８４は、ガイド部材（例えば、管４９１）を含むシステム２０２ｚを示す。管４９１は、センサ２０６ｚが組織に挿入されるときにセンサ２０６ｚを支持して、センサ２０６ｚが座屈することを防止することができる。
【０６１２】
システム２０２ｚは、システム２０２ｚが近位位置（例えば、図８３に示されるような）から遠位位置（例えば、図８２および図８４に示されるような）にセンサ２０６ｚを動かすことに応じて、少なくとも部分的に分離するように構成された第１の側面と第２の側面（スロット４９２によって形成される）とを有する、チャネル（例えば、管４９１の）を備える。
【０６１３】
図８２は、遠位位置（例えば、センサ２０６ｚの遠位端がアプリケータ４７５ｚよりも遠く遠位に配置される）にあるシステム２０２ｚの斜視図を示す。図８３は、（例えば、センサ展開前の）近位開始位置にあるシステム２０２ｚの側面断面図を示す。図８４は、図８２に示される斜視図からの部分図を示す。
【０６１４】
ここで図８２〜８４を参照すると、システム２０２ｚは、センサ２０６ｚが近位開始位置（例えば、図８３に示されるような）から遠位終了位置（例えば、図８２および図８４に示されるような）に駆動されると、センサ２０６ｚの少なくとも一部分が動くことができる管４９１を備える。管４９１は、センサ２０６ｚの座屈力に抵抗して、センサ２０６ｚの一部分をほぼ直線状の構成で維持するのを助けることができる。粘着剤２１０ｚは、基部２０４ｚの遠位側２０７ｚをホストの皮膚に結合することができる。
【０６１５】
管４９１は、入れ子式アセンブリの遠位部分４７７ｚの特徴であってもよい。例えば、単一部品が成形され得る。この部品は、管４９１および遠位部分４７７ｚの他の特徴を含むことができる。
【０６１６】
管４９１は、遠位部分４７７ｚまたは入れ子式アセンブリの任意の他の部分に結合される別個の構成要素であってもよい。いくつかの実施形態では、遠位部分４７７ｚは、管４９１を遠位部分４７７ｚに結合するアームを備える。
【０６１７】
管４９１は、（Ａ）センサ２０６ｚモジュールおよび／または基部２０４ｚと（Ｂ）アプリケータ４７５ｚの遠位側４９０との間のセンサ２０６ｚの長さの少なくとも大部分を支持することができる。基部２０４ｚは、（例えば、他の実施形態に示されるような）伝送機を含むことができる。
【０６１８】
アプリケータ４７５ｚは、入れ子式アセンブリ（例えば、アプリケータ４７５ｚ）を備えることができる。管４９１は、入れ子式アセンブリの遠位部分４７７ｚに結合され得る。センサ２０６ｚは、遠位部分４７７ｚに対して遠位に遠位部分４７６ｚを動かすことによって、管４９１のチャネルを通してセンサ２０６ｚの一部分を動かすように、入れ子式アセンブリの近位部分４７６ｚに結合され得る。
【０６１９】
管４９１は、管４９１の中心軸にほぼ平行に配向されたスロット４９２を含むことができる。スロット２９４は、管４９１の遠位端から管４９１の近位端まで延在することができる。いくつかの実施形態では、スロット４９２は、必ずしも管４９１の遠位端から近位端まで延在する必要はないが、少なくとも管４９１の遠位部分から近位部分まで延在する。
【０６２０】
スロット４９２は、センサ２０６ｚの一部分が管４９１のチャネル内で遠位に動くときに、センサ２０６ｚの屈曲部分４６９が遠位に（スロット４９２を介して）動くことを可能にすることができる。いくつかの実施形態では、スロット４９２は、スロット４９２を通って屈曲部分４６９を動かすことによって、スロット４９２が開放する（例えば、管４９１を部分的に開くことによって、スロット４９２の各側面の間のリンケージを破壊することによって）まで、少なくとも部分的に閉鎖された状態で保持される。
【０６２１】
管４９１は、任意の適切なプロセスを使用して製造され得る。管４９１は、押出プロセス（チャネルを形成するためのフープ形状の断面を有する）によって形成され得る。管４９１の側面は、スロット４９２を形成するように切断され得る（例えば、レーザによって、および／または機械的切断ブレードによって）。切断部は、管４９１の遠位端から管４９１の近位端まで延在することができる。いくつかの実施形態では、管４９１の長さの一部分のみが切断される。
【０６２２】
管４９１の側面は、ミシン目が入れられて、システム２０２ｚがセンサ２０６ｚの屈曲部分４６９を遠位に（ミシン目によって脆弱化された管４９１の領域を破壊することによって）動かすことを可能にすることができる。管４９１は、平らなシートを作成し、次いでこのシートを管形状に巻くことによって形成され得る。この構成では、管形状の端部は、重なり合っていてもよく、または間隙を作成してもよい。管４９１は、ポリマー（例えば、ポリイミド）、金属ホイル、シリコーン、および／または任意の適切な材料から作製され得る。
【０６２３】
システム２０２ｚは、システム２０２ｚがセンサ２０６ｚを遠位に動かすときに管４９１を切断して、センサ２０６ｚの屈曲部分４６９が切断縁部の切断経路を通って遠位に動くことを可能にするように構成された切断縁部（例えば、金属またはプラスチックから作製されたブレード）を含むことができる。
【０６２４】
システム２０２ｚは、基部２０４ｚに結合された管４９１を備えることができる。管４９１は、管４９１の近位部分から管４９１の遠位部分までのスロット４９２を備えることができる。管４９１は、センサ２０６ｚの座屈力に抵抗するように構成され得る。スロット４９２は、センサ２０６ｚの第２の部分を管４９１の内側で遠位に動かす一方で、センサ２０６ｚの第１の部分（例えば、４６９）を管４９１の外側で遠位に動かすことを可能にするように構成され得る。
【０６２５】
システム２０２ｚは、基部２０４ｚに結合された取り外し可能なアプリケータ４７５ｚを備えることができる。アプリケータ４７５ｚは、管４９１を基部２０４ｚに結合することができ、これにより、システム２０２ｚは、基部２０４ｚを管４９１に対して遠位に動かして、センサ２０６ｚの遠位端で皮膚を穿孔するように構成される。管４９１は、スロット４９２の第１の側面とスロット４９２の第２の側面とを備えることができる。スロット４９２の第１および第２の側面は、センサ２０６ｚの第１の部分を遠位に動かすことに応じてこじ開けられるように構成されたリンケージ４９３によって一緒に結合され得る。管４９１は、管４９１の中心軸に沿って測定されるように、少なくとも４ミリメートルの長さであってもよい。
【０６２６】
システム２０２ｚは、センサ２０６ｚの座屈力に抵抗するように構成されたチャネル４９４を有するアプリケータ４７５ｚを備えることができる。センサ２０６ｚの遠位部分は、チャネル４９４の内側に配置され得る。センサ２０６ｚの近位部分は、チャネル４９４の外側に配置され得る。センサ２０６ｚの中間部分は、センサ２０６ｚの遠位部分および近位部分を結合することができる。センサ２０６ｚの中間部分は、チャネル４９４のスロット４９２内に配置され得る。
【０６２７】
スロット４９２は、センサ２０６ｚが近位位置から遠位位置に動くときに、センサ２０６ｚの中間部分がスロット４９２を通って遠位に動くことを可能にするように構成され得る。チャネル４９４は、遠位に配向された中心軸を含むことができ、これにより、チャネル４９４は、センサ２０６ｚの遠位部分を皮膚に向かって誘導するように構成される。スロット４９２は、中心軸から半径方向に外向きに配向され得る。
【０６２８】
スロット４９２は、スロット４９２の第１の側面をスロット４９２の第２の側面に結合する少なくとも１つのリンケージ４９３を備えることができる。少なくとも１つのリンケージは、スロット４９２を通して遠位にセンサ２０６ｚの中間部分を動かすことに応じて、破壊するように構成され得る。いくつかの実施形態では、スロット４９２は、スロット４９２を通して遠位にセンサ２０６ｚの中間部分を動かすことに応じて、拡張する（例えば、広がる）ように構成される。
【０６２９】
図５４〜８４の状況で説明される特徴のいずれかは、本明細書で特定される全ての態様および実施形態に適用することができる。例えば、図５４〜８４の状況で説明される実施形態は、図１〜５３および図８５〜１２６の状況で説明される実施形態と組み合わせることができる。さらに、一実施形態の特徴のいずれかは、何らかの方法で、本明細書で説明される他の実施形態と部分的または全体的に独立して組み合わせ可能である（例えば、１つ、２つ、または３つ以上の実施形態が全体的または部分的に組み合わせ可能であり得る）。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０６３０】
追加のアプリケータ
分析物データを測定することは、しばしば、分析物センサを皮下組織に挿入することを伴う。ユーザは、アプリケータを作動させて、分析物センサをその機能的場所（例えば、ホストの組織内）に挿入することができる。この経皮挿入は、不完全なセンサ挿入、不適当なセンサ挿入、および不必要な痛みにつながることがある。
【０６３１】
センサを人物に挿入すると、皮膚および皮下組織のセンサ挿入に対する抵抗のためにセンサが座屈する可能性がある。例えば、センサは、センサの遠位先端部が皮膚を穿刺しようとするとき、および／または遠位先端部が皮膚を穿刺した後でセンサが人物内へとより深く動かされているときに座屈することができる。多くのシステムは、センサを人物に挿入するのを助けるために針を使用することによって、この問題を解決する。しかしながら、針は、長期的な患者の不快感を引き起こす可能性があり、したがって、典型的には取り外される（センサを少なくとも部分的に人物の中に残しながら）。
【０６３２】
針を使用することには、いくつかの欠点がある。例えば、針を格納することは、余分なステップ、時間、および／またはハードウェアを必要とする場合がある。針の内側または横にセンサを配置することによって、より大きい創傷が生じ、したがって生体内でより大きい創傷反応が生じる。したがって、場合によっては、センサを人物に挿入するために針を使用する必要性を排除するシステムおよび方法が必要である。本明細書で説明され、かつ／または参照により組み込まれる多くの実施形態は、ユーザが針を使用せずにセンサを組織に挿入することを可能にする。
【０６３３】
多くの実施形態は、針を含まない。しかしながら、本明細書で説明される実施形態の全ては、任意選択的に、針を使用して、センサを組織に挿入するのを容易にすることができる。いくつかの実施形態では、センサは、針および本明細書で説明される追加の特徴を備える。
【０６３４】
いくつかの実施形態は、人物の組織にセンサを挿入するために、センサの中心軸にほぼ平行な方向のアプリケータの遠位の動きに依存する。本明細書で説明され、かつ／または参照により組み込まれるアプリケータの全ては、本明細書で説明され、かつ／または参照により組み込まれるシステムおよび特徴の全てと一緒に使用され得る。
【０６３５】
予荷重バネ
図８５〜８８は、遠位部分４７７ａａと近位部分４７６ａａとを含むアプリケータ４７５ａａを示す。近位部分４７６ａａは、基部２０４ａａを近位開始位置に保持することができる。近位部分４７６ａａを遠位に動かすことによって、基部２０４ａａをラッチ解除することができ、これにより、圧縮バネ５１３が基部２０４ａａおよびセンサ２０６ａａを遠位に押すことができる。伝送機は、基部２０４ａａに結合され得る。
【０６３６】
バネ５１３は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０６３７】
図８５は、近位開始位置にあるアプリケータ４７５ａａの斜視図を示す。アプリケータ４７５ａａは、近位部分４７６ａａを遠位部分４７７ａａに対して遠位に（例えば、矢印５１２によって示されるように）動かすことによって、近位部分４７６ａａから基部２０４ａａをラッチ解除して、圧縮バネ５１３が基部２０４ａａおよびセンサ２０６ａａを遠位に（例えば、ホストの皮膚３５２内に）動かすことを可能にするように構成される。
【０６３８】
図８６は、近位開始位置にあるシステム２０２ａａの側面断面図を示す。いくつかの実施形態では、バネ５１３は、システム２０２ａａが近位開始位置にあるときに圧縮状態にある。いくつかの実施形態では、アプリケータ４７５ａａの近位部分４７６ａａを遠位部分４７７ａａに対して遠位に動かすによって、バネ５１３を圧縮して、基部２０４ａａおよびセンサ２０６ａａを遠位に動かす力を提供する。矢印２０８は、近位方向を示す。矢印２０９は、遠位方向を示す。
【０６３９】
図８７は、近位部分４７６ａａが遠位部分４７７ａａに対して遠位に動くことに応じて、近位部分４７６ａａが基部２０４ａａを解放するときのシステム２０２ａａの側面断面図を示す。近位部分４７６ａａは、遠位部分４７７ａａに対して遠位に（例えば、矢印５１４によって示されるように）動くことができ、それにより、フレックスアーム５１６が、遠位部分４７７ａａの作動特徴５１７との干渉により、半径方向に外向きに押され得る。フレックスアーム５１６および／または作動特徴５１７は、近位部分４７６ａａが遠位部分４７７ａａに対して遠位に動くことに応じて、フレックスアーム５１６を半径方向に外向きに（または半径方向に内向きに）押すように構成された斜面５１８、５１９を含むことができる。矢印５２２、５２３は、半径方向に外向きに動くアーム５１６を示す。
【０６４０】
近位部分４７６ａａのアーム５１６および／または他の表面（例えば、図８６にラベル表示される近位に面する表面５２５）は、バネ５１３の遠位の力に抵抗することができる。換言すれば、アーム５１６は、アーム５１６および／または近位部分４７６ａａの他の表面基部２０４ａａが基部２０４ａａを解放する（例えば、基部２０４ａａから分離する）まで、基部２０４ａａを近位開始位置に保持することができ、かつ／または基部２０４ａａが遠位終了位置（例えば、図８８に示されるような）に動くことを阻止することができる。図８６中、アーム５１６は、基部２０４ａａが遠位に動くことを阻止する。図８７は、半径方向に外向きに撓んで、基部２０４ａａから分離して、基部２０４ａａがアプリケータ４７５ａａの近位部分４７６ａａおよび遠位部分４７７ａａに対して遠位に（例えば、矢印５２６によって示されるように）動くことを可能にする、アーム５１６を示す。
【０６４１】
図８８は、基部２０４ａａが遠位に移動した後の基部２０４ａａの側面断面図を示す。図８８中、基部２０４ａａは、遠位終了位置にある（例えば、センサ２０６ａａが少なくとも部分的にホストの組織３５２内に配置されるように）。図８６から図８７、そして図８８への進行によって示されるように、基部２０４ａａは、近位部分４７６ａａがはるかに小さい距離を動くことに応じて、第１の距離を動く。近位部分４７６ａａの動きの拡大は、ユーザがセンサの挿入深度を実際の場合よりも小さいものと認識するため（近位部４７６ａａの動きの距離がセンサ挿入深度と等しいと認識するため）、好ましい挿入体験を可能にすることができる。
【０６４２】
粘着剤２１０ａａは、基部２０４ａａの遠位側２０７ａａをホストの皮膚３５２に結合することができる。粘着剤２１０ａａは、任意の適切な形状を有することができる。
【０６４３】
ここで図８５〜８８を参照すると、入れ子式アセンブリ（例えば、アプリケータ４７５ａａ）は、基部２０４ａａに結合され得る。入れ子式アセンブリは、遠位部分４７７ａａと、遠位部分４７７ａａに摺動可能に結合された近位部分４７６ａａと、近位部分４７６ａａと基部２０４ａａとの間で圧縮されたバネ５１３と、を備えることができる。近位部４７６ａａは、第１の近位開始位置にセンサ２０６ａａを解放可能に固定することができ、これにより、バネ５１３は、システム２０２ａａが基部２０４ａａを近位部分４７６ａａからラッチ解除することに応じて、基部２０４ａａおよびセンサ２０６ａａを遠位に押すように構成される。
【０６４４】
近位部分４７６ａａは、第２の近位開始位置に基部２０４ａａを解放可能に固定するように構成されたラッチを備えることができる。ラッチは、アーム５１６、第１の斜面５１８、第２の斜面５１９、作動特徴５１７、近位に面する表面５２５、および／または基部２０４ａａの遠位終了位置に近位である位置に基部２０４ａａを解放可能に固定するように構成された任意の適切な特徴を備えることができる。ラッチは、遠位部分４７７ａａに対して遠位に近位部分４７６ａａを動かすことに応じて基部２０４ａａを解放して、バネ５１３が基部２０４ａａおよびセンサ２０６ａａを遠位に押すことを可能にするように構成され得る。
【０６４５】
上記のように、アプリケータ４７５ａａの比較的小さい動きは、基部２０４ａａおよび／またはセンサ２０６ａａの動きのより大きい動きをもたらすことができる。センサ２０６ａａは、第１の近位開始位置から第１の遠位終了位置まで（例えば、図８６から図８８への進行によって示されるように）、第１の経路に沿って動くように構成され得る。近位部分４７６ａａは、第３の近位開始位置から第３の遠位終了位置まで（例えば、図８６から図８８への進行によって示されるように）、第２の経路に沿って動くように構成され得る。センサ２０６ａａの第１の経路は、近位部分４７６ａａの第２の経路よりも少なくとも２０％長く、かつ／または少なくとも４０％長くてもよい。システム２０２ａａは、近位部分４７６ａａが第１の距離よりも少なくとも５０パーセント短い第２の距離を動くことに応じて、センサ２０６ａａを第１の距離動かすように構成され得る。
【０６４６】
システム２０２ａａは、基部２０４ａａおよび／またはセンサ２０６ａａを解放して，基部２０４ａａおよび／またはセンサ２０６ａａが入れ子式アプリケータ４７５ａａの近位部分４７６ａａおよび／または遠位部分４７７ａａに対して遠位に動くことを可能にするように構成された、アーム５１６を備えることができる。近位部分４７６ａａは、遠位部分４７７ａａの穴５２８（図８６にラベル表示される）を通過する内向きの突出部（例えば、斜面５１８の一部分）を有する、遠位に突出するアーム５１６を備えることができる。穴５２８は、貫通穴であってもよく、または部分穴（例えば、窪み）であってもよい。内向きの突出部は、基部２０４ａａに結合されて、センサ２０６ａａを第１の近位開始位置に固定することができる。
【０６４７】
システム２０２ａａは、近位部分４７６ａａを遠位部分４７７ａａに対して遠位に動かすことによって、遠位に突出するアーム５１６を外向きに撓ませて、基部２０４ａａから内向きの突出部を解放して、バネ５１３がセンサ２０６ａａの少なくとも一部分を皮膚３５２に押し込むことを可能にするように構成され得る。
【０６４８】
システム２０２ａａは、近位部分４７６ａａを第２の距離動かして、基部２０４ａａをラッチ解除することに応じて、センサ２０６ａａを第１の距離動かすように構成され得る。第１の距離は、第２の距離の少なくとも２倍の長さであってもよく、これにより、システム２０２ａａは、近位部分４７６ａａの第１の動きをセンサ２０６ａａおよび／または基部２０４ａａのより大きい第２の動きに拡大するように構成される。遠位部分４７７ａａは、バネ５１３が基部２０４ａａを遠位に押すときに基部２０４ａａを配向するように構成されたチャネル５２９（図８７にラベル表示される）を備えることができる。
【０６４９】
ツイストタック
一部のアプリケータは、アプリケータの一部分の遠位の動きに応じてセンサを遠位に動かす。しかしながら、他のアプリケータは、非遠位の動きに応じてセンサを組織内に動かすことができる。例えば、アプリケータは、アプリケータの一部分の回転に応じてセンサを遠位に動かすことができる。回転は、アプリケータの中心軸を中心にしてもよい。一部のアプリケータは、ダイヤルの回転に応じてセンサを遠位に動かす。ダイヤルは、アプリケータの外部本体の一部であってもよく、または外部本体とは独立して回転することができる。
【０６５０】
図８９〜９３は、基部２０４ａｂに対して外側筐体５３２を回転させることによって、圧縮バネ５３８を解放して、センサ２０６ａｂをホストの皮膚内へと駆動させることができる実施形態を示す。外側筐体５３２は、基部２０４ａｂに取り外し可能に結合されたダイヤルであってもよい。バネ５３８は、より短い圧縮高さを可能にするために円錐バネ５３８であってもよい。
【０６５１】
バネ５３８は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０６５２】
第１の筐体５３２は、基部２０４ａｂに回転可能に結合され得る。第２の筐体５３３は、センサ２０６ａｂに結合され得る。バネ５３８は、第１の筐体５３２の近位端とセンサ２０６ａｂとの間で圧縮され得る。バネ５３８は、基部２０４ａｂに対して第１の筐体５３２を回転させることに応じて、第２の筐体５３３およびセンサ２０６ａｂを基部２０４ａｂおよび第１の筐体５３２に対して遠位に押すように構成され得る。
【０６５３】
図８９は、システム２０２ａｂの斜視図を図示する。システム２０２ａｂは、ユーザが粘着剤２１０ａｂに対してアプリケータ４７５ａｂの第１の筐体５３２を回転させることに応じて（例えば、粘着剤２１０ａｂが皮膚に結合されている場合）、センサ２０６ａｂを皮膚内へと遠位に動かすことができる。
【０６５４】
基部２０４ａｂが粘着剤２１０ａｂによって皮膚に結合されていない限り、粘着剤２１０ａｂおよび／または基部２０４ａｂに対して第１の筐体５３２を回転させる可能性は低いため、システム２０２ａｂは、不注意によるセンサ２０６ａｂの展開を本質的に防ぐ。例えば、システム２０２ａｂが粘着剤２１０ａｂによって皮膚に結合されていない場合、第１の筐体５３２を回転させることによって、粘着剤２１０ａｂ、センサ２０６ａｂ、および基部２０４ａｂも回転する。いくつかの実施形態では、この回転は、センサ２０６ａｂの展開が典型的には、粘着剤２１０ａｂおよび／または基部２０４ａｂに対して第１の筐体５３２を回転させる必要があるため、センサ２０６ａｂを展開しない。
【０６５５】
図９０は、基部２０４ａｂの少なくとも一部分の斜視図を示す。伝送機２１１ａｂは、基部２０４ａｂに結合され得る。伝送機２１１ａｂは、バッテリと、リモートデバイスと通信するように構成された無線通信システムと、を備えることができる。粘着剤２１０ａｂは、基部２０４ａｂをホストの皮膚に結合することができる。
【０６５６】
図９１は、システム２０２ａｂの上面断面図を示す。第１の筐体５３２は、第２の筐体５３３および基部２０４ａｂに対して回転するように（例えば、矢印５４１によって示されるように）構成され得る。
【０６５７】
図９２は、センサ２０６ａｂが近位開始位置にあるシステム２０２ａｂの側面斜視断面図である。図９２に示されるように、バネ５３８は、センサ２０６ａｂが近位開始位置にあるときに圧縮状態（例えば、高エネルギー状態）にあってもよい。いくつかの実施形態では、バネ５３８は、センサ２０６ａｂが近位開始位置にあるときに伸長状態（例えば、高エネルギー状態）にある。
【０６５８】
基部２０４ａｂおよび／または粘着剤２１０ａｂに対して第１の筐体５３２を回転させることによって、バネ５３８が、第２の筐体５３３および／またはセンサ２０６ａｂを遠位終了位置（例えば、図９３に示されるような）まで遠位に動かすことを可能にする。図９３は、システム２０２ａｂの側面斜視断面図である。
【０６５９】
ここで図８９〜９３を参照すると、第１の筐体５３２は、基部２０４ａｂに回転可能に結合され得る。バネ５３８は、第１の筐体５３２の一部分とセンサ２０６ａｂとの間で圧縮され得る。システム２０２ａｂは、基部２０４ａｂおよび／または粘着剤２１０ａｂに対して第１の筐体５３２を回転させることに応じて、センサ２０６ａｂを第１の筐体５３２からラッチ解除して、バネ５３８がセンサ２０６ａｂを遠位に動かすことを可能にするように構成され得る。
【０６６０】
第１の筐体５３２は、第１の中心軸（例えば、第１の筐体５３２の回転軸）を含むことができる。センサ２０６ａｂは、皮膚を穿孔するように構成された一部分を備えることができる。この一部分は、第２の中心軸を含むことができる。第１の中心軸は、第２の中心軸に対して平行の±２０度以内で配向され得る。
【０６６１】
バネ５３８は、遠位に拡張してセンサ２０６ａｂを遠位に動かすように構成された螺旋バネおよび／または円錐バネであってもよい。いくつかの実施形態では、バネ５３８は、本明細書で説明され、かつ／または参照により組み込まれる種類のバネのいずれかである。
【０６６２】
基部２０４ａｂは、第１の部分５３４と第２の部分５３５とを備えることができる。アプリケータ４７５ａｂは、（例えば、第２の部分５３５が粘着剤２１０ａｂによって皮膚に結合されている間に）基部２０４ａｂの第２の部分５３５から取り外されるように構成され得る。アプリケータ４７５ａｂは、基部２０４ａｂの第１の部分５３４を保持することができる（例えば、これにより、基部２０４ａｂの第１の部分５３４がアプリケータ４７５ａｂ内に残る一方で、基部２０４ａｂの第２の部分５３５は、アプリケータ４７５ａｂが基部２０４ａｂの第２の部分５３５から分離された後に皮膚に結合されたままである）。
【０６６３】
伝送機２１１ａｂは、基部２０４ａｂの少なくとも一部分に取り外し可能に結合され得る。いくつかの実施形態では、伝送機２１１ａｂは、基部２０４ａｂに組み込まれる。いくつかの実施形態では、伝送機２１１ａｂは、基部２０４ａｂの一部分である。
【０６６４】
第１の筐体５３２は、基部２０４ａｂに回転可能に結合され得る。第２の筐体５３３は、センサ２０６ａｂに結合され得る。バネ５３８は、第１の筐体５３２の近位端とセンサ２０６ａｂとの間で圧縮され得、これによりバネ５３８は、基部２０４ａｂに対して第１の筐体５３２を回転させることに応じて、第２の筐体５３３およびセンサ２０６ａｂを基部２０４ａｂおよび第１の筐体５３２に対して遠位に押すように構成される。
【０６６５】
第２の筐体５３３は、第１の筐体５３２の内部領域内に配置され得る。第１の粘着剤２１０ａｂは、基部２０４ａｂを皮膚に固定して、第１の筐体５３２が基部２０４ａｂに対して、かつ第２の筐体５３３に対して回転することを可能にするように構成され得る。
【０６６６】
第１の筐体５３２は、第１の中心軸（例えば、回転軸）を含むことができる。センサ２０６ａｂは、皮膚を穿孔するように構成された一部分を備えることができる。この一部分は、第２の中心軸を含むことができる。第１の中心軸は、第２の中心軸に対して平行の±１０度以内および／または±４５度以内で配向され得る。バネ５３８は、基部２０４ａｂに対して第１の筐体５３２を回転させることに応じて拡張するように構成された円錐バネ５３８であってもよい。
【０６６７】
システム２０２ａｂは、第１の筐体５３２と第２の筐体５３３との間の機械的インターロックを備えることができる。機械的インターロックは、バネ５３８を圧縮状態で解放可能に保持するように構成され得、これにより、センサ２０６ａｂは、（例えば、図９２に示されるように）近位開始位置にある。
【０６６８】
機械的インターロックは、第２の筐体５３３の第２の突出部５４３の遠位の動きに干渉する第１の筐体５３２の第１の突出部５４２を備えることができる。機械的インターロックは、第２の突出部５４３に対して第１の突出部５４２を回転させることによって、第２の突出部５４３を第１の突出部５４２から遠位に離れ落として、それにより第２の筐体５３３が第１の筐体５３２に対して遠位に動くことを可能にするように構成され得る。
【０６６９】
第１の突出部５４２は、半径方向に外向きに配向され得、第２の突出部５４３は、半径方向に内向きに配向され得る。（いくつかの実施形態では、第１の突出部５４２は、半径方向に内向きに配向され、第２の突出部５４３は、半径方向に外向きに配向される。）機械的インターロックは、第１の筐体５３２を基部２０４ａｂに対して回転させることが、溝５４６から外に隆起部５４５を動かすためのトルク閾値を超えることを必要とするように構成された、隆起部５４５と溝５４６とを備えることができる。隆起部５４５および溝５４６は、図９３に示される。図９２中、隆起部５４５が溝５４６と係合するが、隆起部５４５および溝５４６は見えない。
【０６７０】
いくつかの実施形態では、システム２０２ａｂは、第１の筐体５３２に対する遠位の力および粘着剤２１０ａｂに対する第１の筐体５３２の回転に応じて、センサ２０６ａｂを挿入し、かつ／またはセンサ２０６ａｂを格納するように構成された安全特徴を備える。したがって、システム２０２ａｂは、遠位の「押し」と（例えば、「押し」の間に加えられる）回転の動きの組み合わせに応じて、センサ２０６ａｂを挿入し、かつ／またはセンサ２０６ａｂを格納するように構成され得る。
【０６７１】
図９１に示されるように、システム２０２ａｂは、第２の筐体５３３と基部２０４ａｂとの間に回転止めインターフェース５４７を備えることができる。インターフェース５４７は、基部２０４ａｂに対して第１の筐体５３２が回転する間に、基部２０４ａｂに対する第２の筐体５３３の回転を制限するように構成された溝５４９内に配置された隆起部５４８を備えることができる。インターフェース５４７は、第２の筐体５３３の近位部分から第２の筐体５３３の遠位部分に配向され得る。
【０６７２】
スコッチヨーク
いくつかのシステムは、センサを挿入するために回転運動を直線運動に変換する。システムは、システムの他の部分が近位に動く間に（例えば、アプリケータをセンサから分離するために）、遠位位置にセンサを保持することができる（例えば、センサが組織に完全に挿入されるように）。したがって、システムは、完全なセンサの挿入がアプリケータの取り外しによって危うくならないことを確実にすることができる。
【０６７３】
図７４は、基部２０４ｘおよびセンサ２０６ｘを示す。図９４〜９９中、基部２０４ｘおよびセンサ２０６ｘは、アプリケータ４７５ａｃに取り外し可能に結合されている。
【０６７４】
アプリケータ４７５ａｃは、センサ２０６ｘをホストの皮膚に挿入するように構成される。アプリケータ４７５ａｃは、回転運動（例えば、バネ力によって生じる）を、センサ２０６ｘを皮膚に挿入する直線運動に変換するように構成され得る。アプリケータ４７５ａｃは、ユーザがボタン５６７（例えば、作動部材）を押すまで、センサ２０６ｘが遠位に動くことを阻止することができる。ボタン５６７は、バネ力を解放して、アプリケータ４７５ａｃがセンサ２０６ｘを挿入するほぼ直線運動に変換する回転運動を生じさせることができる。
【０６７５】
アプリケータ４７５ａｃは、ねじりバネ５６８を解放するように構成されたボタン５６７を含むことができる。ねじりバネ５６８は、システム２０２ａｃがセンサ２０６ｘを皮膚内へと遠位に動かすための直線運動に変換する回転運動を生じさせる。
【０６７６】
バネ５６８は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０６７７】
システム２０２ａｃは、遠位に一緒に動くことができる２つの本体５５７、５５８を含むことができる。２つの本体５５７、５５８は、アームであってもよい。
【０６７８】
いったんセンサ２０６ｘがその遠位終了位置に到達すると、第２の本体５５８がセンサアセンブリを遠位に保持する間に（基部２０４ｘおよび／またはセンサ２０６ｘが第１の本体５５７と近位に動くことを防止するために）、第１の本体５５７は、近位に動く（基部２０４ｘおよび／またはセンサ２０６ｘから第１の本体５５７を分離するために）。
【０６７９】
いくつかの実施形態では、第１の粘着剤２１０ｘは、センサアセンブリを皮膚に結合する。第２の粘着剤５５４は、第１の本体５５７をセンサアセンブリ（例えば、着用可能な分析物モニタ）に結合する。第２の本体５５８は、第１の本体５５７が近位に動くときに、第１の粘着剤２１０ｘが第２の粘着剤５５４に抵抗しなければならないことを防止する。換言すれば、第２の本体５５８がセンサアセンブリの近位の動きを阻止することなく、第１の本体５５７を近位に動かすことによって、第１の粘着剤２１０ｘに実質的な近位の力を加えることができる（それにより、第１の粘着剤２１０ｘが皮膚から分離することができる）。
【０６８０】
いくつかの実施形態では、保持特徴（例えば、可動アーム、クランプアーム、スナップ嵌め）は、第１の本体５５７をセンサアセンブリに結合する。第２の本体５５８は、第１の本体５５７が近位に動くときに、第１の粘着剤２１０ｘが保持特徴に抵抗しなければならないことを防止する。独特な形状は、第２の本体５５８がセンサアセンブリを（遠位位置に）押し下げている間に、第１の本体５５７が近位に動くことを可能にする。
【０６８１】
図９４は、センサ２０６ｘが遠位終了位置（例えば、ホストの組織内）にあるアプリケータ４７５ａｃの側面図を示す。アプリケータ４７５ａｃは、ユーザがボタン５６７を作動する（例えば、押す）ことに応じて、センサ２０６ｘを遠位に動かすことができる。
【０６８２】
図９５〜９８は、センサ２０６ｘの挿入サイクルの様々な瞬間におけるシステム２０２ａｃの斜視断面図を示す。第１の筐体５５１の一部分は、内部特徴を明確に表示できるように、図９５〜９８では隠されている。
【０６８３】
回転筐体５５２の内側に配置されたバネ５６８（図９９に示される）は、回転筐体５５２と第１の筐体５５１との間にねじり力を加える。突出部５６６は、第１の筐体５５１に対する回転筐体５５２の回転の動きを阻止する。図９５は、回転筐体５５２の回転の動きを阻止するために、回転筐体５５２のチャネル内に配置された突出部５６６を示す。
【０６８４】
図９６に示される状態では、ユーザは、回転筐体５５２を突出部５６６から離れて動かすために、ボタン５６７（図９４に示される）をすでに押している。結果として、突出部５６６は、もはや回転筐体のチャネル内にはなく、したがって、突出部５６６は、もはや第１の筐体５５１に対する回転筐体５５２の回転の動きを妨げない。結果として、回転筐体５５２は、第１の筐体５５１に対して回転し、それにより、第１の本体５５７および第２の本体５５８が遠位に（例えば、矢印５７０によって示されるように）動く。第１の本体５５７および／または第２の本体５５８の遠位の動きは、センサ２０６ｘを遠位に（例えば、図９７に示さるように）動かす。
【０６８５】
図９７は、遠位終了位置にあるセンサ２０６ｘを示す。第１の筐体５５１に対する回転筐体５５２の連続的な回転は、第１の本体５５７を近位に（例えば、矢印５７１によって示されるように）動かすが、典型的には、第２のチャネル５６２（図１００に示される）の分岐部分５６３（例えば、近位に湾曲した部分）により、（少なくとも直ちにまたは最初に）第２の本体５５８を近位に動かさない。結果として、第１の本体５５７が基部２０４ｘおよび／またはセンサ２０６ｘから近位に切り離す間に、第２の本体５５８は、基部２０４ｘおよび／またはセンサ２０６ｘの近位の動きを阻止する。図９８は、第１の本体５５７を基部２０４ｘおよび／またはセンサ２０６ｘから分離するために、第１の本体５５７が基部２０４ｘおよび第２の本体５５８に対して近位に移動した後のシステム２０２ａｃを示す。
【０６８６】
図９９は、システム２０２ａｃの一部分の側面図を示す。第１の筐体５５１は、図９９では隠されている。図９９は、図９８に示されるのと同じ状態を示す。
【０６８７】
図１００は、第２の本体５５８の側面図を示す。第２のチャネル５６２の分岐部分５６３は、図１００で明確に見える。いくつかの実施形態では、第２のチャネル５６２は、第１のチャネル５６１の関連部分よりも近位に湾曲する部分を含み、これにより、第１の本体５５７が基部２０４ｘ、センサ２０６ｘ、および／または第２の本体５５８に対して近位に動くときに、第１の本体５５７は、基部２０４ｘおよび／またはセンサ２０６ｘの近位の動きを妨げるように構成される。回転筐体５５２の突出部５６４は、関連部分を特定する。
【０６８８】
ここで図９４〜１００を参照すると、取り外し可能なアプリケータ４７５ａｃは、基部２０４ｘに結合され得る。アプリケータ４７５ａｃは、第１および第２の本体５５７、５５８を遠位に押すように構成された回転筐体５５２を備えることができる。第２の粘着剤５５４は、基部２０４ｘを第１の本体５５７に結合することができる。第１の本体５５７が近位に動いて、第１の本体５５７を基部２０４ｘから分離する間に、第２の本体５５８は、基部２０４ｘを遠位位置に保持するように構成され得る。
【０６８９】
アプリケータ４７５ａｃは、ロック機構が係合解除されるまで、第１の本体５５７および／または第２の本体５５８が遠位に動くことを防止するように構成されたロック機構を備えることができる。ロック機構は、回転筐体５５２の回転の動きを妨げるように構成されたボタン５６７および／または突出部５６６を備えることができる。
【０６９０】
アプリケータ４７５ａｃは、回転筐体５５２の回転の動きを阻止するように構成されたロック機構を備えることができる。システム２０２ａｃは、（例えば、ボタン５６７の作動に応じて）回転筐体５５２の直線の動きに応じて、ロック機構を係合解除するように構成され得る。
【０６９１】
システム２０２ａｃは、基部２０４ｘに結合された取り外し可能なアプリケータ４７５ａｃを備えることができる。アプリケータ４７５ａｃは、第１の筐体５５１と、第１の筐体５５１に回転可能に結合された第２の筐体５５２と、ねじりバネ５６８と、を備えることができる。（いくつかの実施形態は、他の種類のバネを使用する。）ねじりバネ５６８は、第１の筐体５５１に結合された第１の部分と、第２の筐体５５２に結合された第２部分と、を有することができ（例えば、図９９に示されるように）、これにより、ねじりバネ５６８は、第１の筐体５５１に対して第２の筐体５５２を回転させるように構成される。
【０６９２】
アプリケータ４７５ａｃは、第１の筐体５５１に摺動可能に結合され、第２の筐体５５２に結合された第１の本体５５７を有することができ、これにより、第１の本体５５７は、第２の筐体５５２が第１の筐体５５１に対して回転することに応じて、近位開始位置（例えば、図９５に示されるような）から遠位終了位置（例えば、図９７に示されるようにな）にセンサ２０６ｘを直線的に押すように構成される。
【０６９３】
アプリケータ４７５ａｃは、第１の筐体５５１に摺動可能に結合され、第２の筐体５５２に結合された第２の本体５５８を有することができ、これにより、第２の本体５５８は、システム２０２ａｃが第１の本体５５７を基部２０４ｘから分離するときに、センサ２０６ｘが遠位終了位置に到達した後のセンサ２０６ｘの近位の動きを阻止するように構成される。
【０６９４】
第２の粘着剤５５４は、第１の本体５５７を基部２０４ｘに結合することができる。第１および第２のアーム５５７、５５８は、第１の筐体５５１に対して第２の筐体５５２を回転させることに応じて、直線的かつ遠位に動くように構成され得る。
【０６９５】
第２の本体５５８は、第１の筐体５５１に対する第２の筐体５５２の回転が第２の粘着剤５５４を基部２０４ｘから分離するときにセンサ２０６ｘの近位の動きを阻止して、第１の本体５５７が基部２０４ｘに対して、かつ第２の本体５５８に対して近位に動くことを可能にするように構成され得る。
【０６９６】
第１の本体５５７は、第１の直線チャネル５６１に結合され得る。第１の突出部５６４は、第１の直線チャネル５６１を第２の筐体５５２に結合することができる。第１の直線チャネル５６１は、第１の筐体５５１に対する第２の筐体５５２の第１の回転の動きが、第１の筐体５５１に対する第１の本体５５７の第１の遠位直線の動きを生じさせるように構成され得る。
【０６９７】
第２の本体５５８は、分岐部分５６３を有する第２のチャネル５６２に結合され得る。第１の突出部５６４は、第２のチャネル５６２を第２の筐体５５２に結合することができる。第２のチャネル５６２は、第１の筐体５５１に対する第２の筐体５５２の第１の回転の動きが、第１の筐体５５１に対する第２の本体５５８の第２の遠位直線の動きを生じさせるように構成され得る。
【０６９８】
第２のチャネル５６２の分岐部分５６３は、連続的な回転の動きが、第１の本体５５７を近位に動かすことによって、第２の粘着剤５５４を基部２０４ｘから分離するときに、センサ２０６ｘが遠位終了位置に到達した後の第１の筐体５５１に対する第２の筐体５５２の連続的な回転の動きが、第２の本体５５８の近位の動きを生じさせないように構成され得る。
【０６９９】
第２の筐体５５２は、第２の筐体５５２が第１の筐体５５１に対して回転するように構成された第２の突出部５６５（図９９に示される）によって，第１の筐体５５１に結合され得る。第２の筐体５５２は、第２の突出部５６５に摺動可能に結合され得、これにより、第２の筐体５５２は、第１の位置（例えば、図９５に示されるような）から第２の位置（例えば、図９６に示されるような）に、第２の突出部５６５に沿って動くように構成される。第１の位置において、第３の突出部５６６は、第１の筐体５５１に対する第２の筐体５５２の回転の動きを阻止して、センサ２０６ｘの遠位の動きを妨げることができる。
【０７００】
システム２０２ａｃは、解放機構（例えば、ボタン５６７およびボタン５６７によって作動される構成要素）を備えることができる。解放機構は、第２の筐体５５２が第１の筐体５５１に対して回転することを可能にするように構成され得る。解放機構は、ボタン５６７および／または任意の適切なトリガを備えることができる。第１の筐体５５１は、第２の筐体５５２を第１の位置から第２の位置に動かすように構成されたボタン５６７を備えることができ、そこで、第２の筐体５５２は、第１の筐体５５１に対して回転して、センサ２０６ｘを遠位に動かすように構成される。
【０７０１】
フレックス−トルネード
アプリケータは取り外し可能であってもよい（例えば、基部から分離され得る）。いくつかの実施形態では、アプリケータは、センサシステムの永久的な部品である。例えば、本明細書で説明されるアプリケータのいずれも、各システムに永久的に組み込まれ得、これにより、アプリケータを基部から取り外すことは、不必要である。アプリケータの一部は、特定の特徴の明確さを高めるために大きいものとして示される。しかしながら、アプリケータが、数日、数週間、数ヶ月、または数年間にわたってホストが着用するシステムの一部である場合でさえ、アプリケータは、煩雑ではないように小型化され得る。
【０７０２】
図６０〜６３は、一体型アプリケータを含むことができるシステム２０２ｔの一例を示す。別個の取り外し可能なアプリケータは、図６０〜６３に示される実施形態では不必要である。いくつかの実施形態では、アプリケータは、着用可能なデバイスのサイズを最小にするために取り外し可能である。
【０７０３】
アプリケータは、アプリケータの撓みを介して遠位に圧縮するように構成され得る。アプリケータのある特定の部分は、撓みを可能にするように変形しやすくてもよい。この撓みは、アプリケータがセンサを皮膚内へと遠位に動かすことを可能にすることができる。
【０７０４】
以下の特許出願の図８Ａ〜Ｄは、センサを皮膚に挿入するために撓むように構成されたアプリケータの実施形態を示す：２０１０年９月２９日に出願され、Ｔｒａｎｓｃｕｔａｎｅｏｕｓ  Ａｎａｌｙｔｅ  Ｓｅｎｓｏｒと題する、米国特許出願第１２／８９３，８５０号。以下の出願の内容全体は、参照により本明細書に組み込まれる：２０１０年９月２９日に出願され、Ｔｒａｎｓｃｕｔａｎｅｏｕｓ  Ａｎａｌｙｔｅ  Ｓｅｎｓｏｒと題する、米国特許出願第１２／８９３，８５０号。
【０７０５】
図６０〜６３は、撓みを介して遠位に圧縮することができるアプリケータ４７５ｔの実施形態を示す。（図６０〜図６３に示される実施形態に関する追加の詳細は、上に説明されている。）
【０７０６】
システム２０２ｔは、頂部部分（例えば、伝送機２１１ｔ）を基部２０４ｔに向かって誘導するように構成されたアーム４２７を含むことができる。アーム４２７は、アーム４２７が撓んで、システム２０２ｔが圧縮してセンサ２０６ｔを遠位に（例えば、ホストの皮膚内へと）動かすことを可能にするときに、頂部部分を支持して位置決めすることができる。アーム４２７は、システム２０２ｔがセンサ２０６ｔを遠位に動かすときに、頂部部分を基部２０４ｔに向かって直線的に誘導するように構成され得るか、または頂部部分を基部２０４ｔに対して回転させるように構成され得る。図６０〜６３に示されるシステム２０２ｔは、ベローズ４２１の有無にかかわらず使用され得る。
【０７０７】
アプリケータ（例えば、７４５ｔ）は、撓んで、アプリケータが圧縮することを可能にするように構成されたリビングヒンジ４２３（図６１にラベル表示される）を備えることができる。この圧縮の動きは、センサ２０６ｔ（例えば、２０６ｔ）をホストの皮膚内に駆動することができる。
【０７０８】
いくつかの実施形態は、センサ２０６ｔの遠位部分から半径方向に外向きに（例えば、図６２に示されるように）配置された複数のリビングヒンジ４２３を備える。リビングヒンジ４２３は、基部２０４ｔの穴４３５の周辺部の周囲で離間され得、これにより、リビングヒンジ４２３は、穴４３５を通してセンサ２０６ｔの遠位部分を皮膚内へと誘導するのを助けるように構成される。リビングヒンジ４２３は、遠位部分に対する近位部分の直線および／または回転の動きを容易にすることができる。
【０７０９】
リビングヒンジ４２３は、近位部分が遠位部分に向かって動くときに、基部２０４ｔの近位部分（例えば、伝送機２１１ｔ）を基部２０４ｔの遠位部分に対して回転させるように構成され得る。
【０７１０】
リビングヒンジ４２３は、リビングヒンジ４２３が近位開始位置に近位部分を保持し、これにより、センサ２０６ｔが予め展開された状態（ユーザの起動前に）にある、第１の位置（例えば、図６１および６２に示される開始位置）を有することができる。リビングヒンジ４２３は、センサ２０６ｔが展開状態にあり、リビングヒンジ４２３が撓んだ状態にある、第２の位置（例えば、図６３に示されるような）を有することができる。
【０７１１】
遮断構造が取り外される前にセンサ２０６ｔが展開されることを防止するために、遮断構造（例えば、４２４）が、近位部分と遠位部分との間に配置され得る。
【０７１２】
基部２０４ｔは、近位部分４４２に対する遠位の力に応じて、近位部分４４２を遠位部分４４１に向かって動かし誘導することを容易にするように構成されたフレックスアーム４２７によって遠位部分４４１に結合された、近位部分４４２を備えることができる。したがって、フレックスアーム４２７は、センサ２０６ｔの少なくとも一部分を皮膚に挿入することを容易にすることができる。近位部分４４２は、伝送器を遠位部分４４１に結合することができる。
【０７１３】
基部２０４ｔは、近位部分４４２を（遠位部分４４１に対して）遠位に動かすことに応じて、近位部分４４２を遠位部分４４１に対して回転させて、センサ２０６ｔの少なくとも一部分を皮膚に挿入するように構成されたフレックスアーム４２７によって遠位部分４４１に結合された、近位部分４４２を備えることができる。
【０７１４】
フレックスアーム４２７は、フレックスアーム４２７を基部２０４ｔの近位部４４２および遠位部４４１のうちの少なくとも一つに結合する、少なくとも１つのリビングヒンジ４２３を備えることができる。いくつかの実施形態では、リビングヒンジ４２３および／またはアーム４２７は、センサ２０６ｔを遠位に動かすことに応じて、近位部分４４２を遠位部分４４１に対して回転させるように構成される。フレックスアーム４２７は、センサ２０６ｔの遠位端の周囲で離間され得、これにより、遠位端が近位開始位置（例えば、図６２に示されるような）から遠位終了位置（例えば、図６３に示されるような）に動くときに、フレックスアーム４２７が遠位端を回転させるように構成される。
【０７１５】
取り外し可能な干渉部材（例えば、図６０の２４２）が、遠位部分４４１と近位部分４４２との間に配置され得、これにより、取り外し可能な干渉部材は、システム２０２ｔがセンサ２０６ｔを近位開始位置から遠位終了位置に動かすことを阻止するように構成される。干渉部材を取り外すことによって、システム２０２ｔがセンサ２０６ｔを遠位終点位置に動かすことを可能にすることができる。
【０７１６】
基部２０４ｔは、第１のアーム４２７および第２のアーム４２７によって遠位部分４４１に結合された近位部分４４２を備えることができる。センサ２０６ｔの遠位端部分は、中心軸を含む。第１のアーム４２７は、中心軸に対して垂直の±４５度の第１の角度で配向され得る。第２のアーム４２７は、中心軸に対して垂直の±４５度の第２の角度で配向され得る。
【０７１７】
第１および第２のアーム４２７は、近位部分４４２が遠位部分４４１に向かって移動するときに、近位部分４４２を遠位部分４４１に対して直線的に誘導するように構成され得る。第１および第２のアーム４２７は、センサ２０６ｔの遠位端部分を近位開始位置から遠位終了位置に動かすことに応じて、近位部分４４２を遠位部分４４１に対して回転させるように構成され得る。
【０７１８】
第２のアーム４２７は、第１のアーム４２７から傾斜することができ（例えば、図６１に示されるように）、これにより、第１および第２のアーム４２７は、システム２０２ｔがセンサ２０６ｔを近位開始位置から遠位終了位置に動かすときに、センサ２０６ｔの遠位端部分を回転させるように構成される。
【０７１９】
システム２０２ｔは、ベローズ４２１、アーム、および／またはバネを圧縮状態で解放可能に保持するように構成された機械的インターロック４２９を含むことができる。機械的インターロック４２９を解除することによって、センサ２０６ｔを皮膚から格納することができ、これにより、基部２０４ｔの遠位側２０７ｔに対して遠位に配置されたセンサ２０６ｔの部分は、システム２０２ｔの内部領域内へと近位に動く。インターロック４２９は、アンダーカットによって形成されたスナップ嵌めであってもよい（例えば、図６３に示されるような）。
【０７２０】
ヒンジアプリケータ−幅広型
いくつかの実施形態は、回転の動きを使用してセンサを挿入する。いくつかの実施形態は、センサを挿入するためにヒンジ枢動に依存する。回転の動きは、（サイズが小さいために）ユーザに与える脅威がより少ない、構造的に堅牢で薄型のアプリケータを可能にすることができる。
【０７２１】
上記のように、図１７〜１９に示されるシステム２０２ｆは、センサ２０６ｆを格納するために使用され得る。しかしながら、システム２０２ｆはまた、センサ２０６ｆをホストの組織内に挿入するために使用され得る（例えば、第１の部分２７２と第２の部分２７３との間の枢動角度２７１を増加させるのではなく、むしろ減少させることによって）。したがって、システム２０２ｆは、センサ２０６ｆを挿入し、センサ２０６ｆを格納することができる。システム２０２ｆがセンサ２０６ｆを挿入するために使用される場合、図１９は、近位開始位置を示し、図１８は、遠位終了位置を示す。
【０７２２】
センサシステム２０２ｆは、基部２０４ｆと、伝送機２１１ｆと、遠位側２０７ｆと、を備えることができる。バネ２７５（例えば、らせんバネ、圧縮バネ、引張バネ、板バネ、ねじりバネ）は、（例えば、いったんトリガ機構および／または任意の適切な機構によって解放されると）枢動角２７１を減少させて、センサ２０６ｆを挿入するように構成され得る。いくつかの実施形態は、バネ２７５を含まないが、ユーザが第２の部分２７３に遠位の力を加えて、第２の部分２７３を第１の部分２７２に向かって押すことに依存する。
【０７２３】
バネ２７５は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０７２４】
ヒンジ２７０は、第２の部分２７３が第１の部分２７２に対して回転すると、ピン２７６を保持するように構成されたスリーブ２７７に回転可能に結合されたピン２７６を備えることができる。基部２０４ｆは、第１の部分２７２と第２の部分２７３とを備えることができる。第１の部分２７２は、第１の粘着剤２１０を第２の部分２７３に結合することができる。第２の部分２７３は、伝送機２１１ｆを備えることができる。
【０７２５】
第２の部分２７３を第１の部分２７２に向かって枢動させると、センサ２０６ｆを基部２０４ｆの穴２７８から押し出すことができる。いくつかの実施形態は、バネ２７５を使用してヒンジ２７０を枢動する。
【０７２６】
戻り止めは、開始位置にヒンジ２７０を解放可能に固定することができ、これにより、ヒンジ２７０を枢動させることは、トルク閾値または力閾値を超える必要がある。戻り止めは、ヒンジ２７０に内蔵され得る。戻り止めは、第１の部分２７２の第１の表面と第２の部分２７３の第２の表面との間に配置され得る。
【０７２７】
基部２０４ｆは、ヒンジ２７０によって結合された第１の部分２７２と第２の部分２７３とを備えることができ、これにより、第２の部分２７３を第１の部分２７２に向かって枢動させることによって、センサ２０６ｆは、近位開始位置（例えば、図１９に示されるような）から遠位終了位置（例えば、図１８に示されるような）に動く。第２の部分２７３は、伝送機２１１ｆを第１の部分２７２に結合することができる。第１の部分２７２は、粘着剤２１０を第２の部分２７３に結合することができる。
【０７２８】
基部２０４ｆは、第１の部分２７２と第２の部分２７３との間の枢動角２７１を減少させることによって、基部２０４ｆの遠位側２０７ｆの穴２７８から外にセンサ２０６ｆの遠位端を動かして、センサ２０６ｆの遠位端が皮膚を穿孔するのを容易にするように構成され得る。センサ２０６ｆの近位セグメントは、第２の部分２７３に結合され得、これにより、システム２０２ｆは、枢動角２７１を減少させることに応じて、第１の部分２７２と第２の部分２７３との間の領域２８３から外に、次いで基部２０４ｆの穴２７８を通して遠位に、センサ２０６ｆの一部分を動かすように構成され得る。
【０７２９】
基部２０４ｆは、左半分２７９と右半分２８０とを備えることができる。左半分２７９は、基部２０４ｆの穴２７８を備えることができる。右半分２８０は、（穴２７８およびヒンジ２７０が基部２０４ｆの異なる半分に配置されるように）ヒンジ２７０を備えることができる。ヒンジ２７０は、第２の部分２７３が第１の部分２７２に対して回転すると、ピン２７６を保持するように構成されたスリーブ２７７に回転可能に結合されたピン２７６を備えることができる。
【０７３０】
ヒンジアプリケータ−マウストラップ型
回転運動を使用してセンサを挿入および／または格納する実施形態は、１つ、２つ、３つ、またはそれ以上の回転支持体（例えば、アーム、本体）を含むことができる。図１０１〜１０６は、２つの回転支持体を備えるアプリケータ４７５ａｄを示す。
【０７３１】
いくつかのヒンジ５８４の実施形態は、センサ２０６ａｄおよび／または基部２０４ａｄを遠位に（例えば、ホストの皮膚内へと）動かすために回転するように構成された第１の本体５８１（例えば、第１のアーム、第１の支持体）を含む。いくつかの実施形態は、アプリケータ４７５ａｄを基部２０４ａｄおよび／またはセンサ２０６ａｄから分離するために回転するように構成された第２の本体５８２（例えば、第２のアーム、第２の支持体）を含む。
【０７３２】
図１０１は、取り外し可能なアプリケータ４７５ａｄが近位開始位置にあるシステム２０２ａｄの斜視図を示す。タブ５９６を作動させることによって（例えば、タブ５９６を押すこと、および／または動かすことによって）、システム２０２ａｄは、ヒンジ５８４を中心にして本体５８１、５８２を回転させることによって、センサ２０６ａｄを遠位に動かすことができる。
【０７３３】
図１０２は、近位開始位置にあるシステム２０２ａｄの側面断面図を示す。第１のバネ５８５（例えば、板バネ）は、撓んだ状態（例えば、高エネルギー状態）にある。第５のアーム５９５およびタブ５９６は、筐体５８０に結合されて、第１のバネ５８５の回転力（すなわち、トルク）に抵抗する。タブ５９６を係合解除することによって、第１のバネ５８５が、ヒンジ５８４を中心に反時計方向に第１の本体５８１および第２の本体５８２を回転させることを可能にする。
【０７３４】
第２のバネ５８６は、時計方向の回転力（すなわち、トルク）を加える撓んだ状態（例えば、高エネルギー状態）にある。第２の本体５８２は、第２のバネ５８６の時計方向の回転力に抵抗する第３のアーム５９０（図１０３に示される）によって、第１の本体５８１に固定される（第３のアーム５９０および／または第３のアーム５９０の鏡像である別のアームが撓んで、第２の本体５８２を第１の本体５８１から係合解除して、第２の本体５８２が第１の本体５８１から離れて回転することを可能にするまで）。
【０７３５】
各バネ（５８５、５８６）は、ねじりバネ、板バネ、螺旋バネ、円錐バネ、圧縮バネ、引張バネ、一体成型変形体、フレックスアーム、本明細書に記載される任意の種類のバネ、参照により組み込まれる任意の種類のバネ、および／または任意の適切な種類のバネであってもよい。
【０７３６】
アプリケータ４７５ａｄは、遠位部分４７７ａｄを備えることができる。ヒンジ５８４は、第１の本体５８１および第２の本体５８２を、アプリケータ４７５ａｄの遠位部分４７７ａｄに結合することができる。基部２０４ａｄは、伝送機２１１ａｄを備えることができる。
【０７３７】
図１０３は、近位開始位置にあるシステム２０２ａｄの斜視図を示す。筐体５８０は、内部特徴を明確に表示できるように、図１０３〜１０６では隠されている。）第１の本体５８１および第２の本体５８２は、（例えば、ヒンジ５８４の）同じ回転軸を中心に回転することができる。
【０７３８】
図１０４は、近位開始位置にあるシステム２０２ａｄの別の斜視図を示す。第３のアームおよびその反対側５９０は、第１の本体５８１の周囲に到達することができ、これにより、第１の本体５８１は、第２の本体５８２と基部２０４ａｄとの間に少なくとも部分的に配置され、それにより、第２の本体５８２を第１の本体５８１に固定することができる。
【０７３９】
図１０４に示される状態では、第１のバネ５８５（図１０２に示される）は、基部２０４ａｄおよび／またはセンサ２０６ａｄを遠位に動かすように配向された回転力を加える。第１のバネ５８５の回転力は、第５のアーム５９５が筐体５８０に結合されているため（例えば、図１０１および図１０２に示されるように）、相殺される。
【０７４０】
図１０４に示される状態では、第１のバネ５８６（図１０２に示される）は、第２の本体５８２を第１の本体５８１から離れて回転させるように配向された回転力を加える。第２のバネ５８６の回転力は、第３のアーム５９０（第２の本体５８２を基部２０４ａｄに結合して、第２の本体５８２が第１の本体５８１から離れて回転することを阻止する）によって相殺される。
【０７４１】
第５のアーム５９５を筐体５８０から分離することによって（例えば、タブ５９６を作動させることによって）、第１のバネ５８５が、第１の本体５８１、第２の本体５８２、基部２０４ａｄ、およびセンサ２０６ａｄを図１０５に示される状態まで回転させることを可能にする。図１０５に示される状態になると、第３のアームの一部分およびその反対側５９０は、係合解除特徴（例えば、基部２０４ａｄの）に接触する。基部２０４ａｄの係合解除特徴は、第３のアームおよびその反対側５９０を基部２０４ａｄから分離させて、第２の本体５８２を第１の本体５８１から分離し、それにより、第２の本体５８２は、第１の本体５８１から離れて回転するときに、粘着剤２１０ａｄが基部２０４ａｄを皮膚に結合することを可能にする。
【０７４２】
図１０６は、第２の本体５８２が第１の本体５８１から離れて回転し、粘着剤２１０ａｄが基部２０４ａｄをホストの皮膚に結合した後のシステム２０２ａｄの斜視図を示す。図１０６に示される状態では、アプリケータ４７５ａｄは、もはや基部２０４ａｄおよびセンサ２０６ａｄに結合されていない。結果として、アプリケータ４７５ａｄは、基部２０４ａｄおよびセンサ２０６ａｄをホストの皮膚に結合させたまま、近位に動くことができる。
【０７４３】
ここで図１０１〜１０６を参照すると、いくつかのヒンジの実施形態は、少なくとも１つの枢動軸を中心に回転するように構成された２つのアームを使用する。第１の本体５８１は、近位開始位置（例えば、図１０４に示されるような）から遠位終了位置（例えば、図１０６に示されるような）までセンサ２０６ａｄを押すように構成され得る。第１の本体５８１がセンサ２０６ａｄを皮膚に挿入する間に、第２の本体５８２は、基部２０４ａｄおよび／またはセンサ２０６ａｄを第１の本体５８１に固定するように構成され得る。第２の本体５８２は、（例えば、第１の本体５８１がセンサ２０６ａｄを遠位終了位置に保持する間に）基部２０４ａｄおよび／またはセンサ２０６ａｄを解放することもできる。
【０７４４】
本体５８１、５８２の各々は、バネ５８５、５８６（例えば、ねじりバネ、板バネ、一体成形されたフレックスタブ）を有することができる。第１の本体５８１の第１のバネ５８５は、センサ２０６ａｄを挿入する第１の回転方向に第１の本体５８１を回転させるためのエネルギーを提供することができる。第２のバネ５８６は、第２の本体５８２を第２の回転方向（第１の回転方向に対して反対方向である）に回転させるエネルギーを供給して、基部２０４ａｄをアプリケータ４７５ａｄから解放することができる。
【０７４５】
したがって、バネ５８５、５８６は、第２の部分を第１の部分に対して枢動させるのを容易にするように構成され得る。バネ５８５、５８６のいずれかは、ヒンジ５８４を中心にトルクを加えるように構成されたねじりバネ、一体成形されたフレックスタブ、および／または板バネであってもよい。
【０７４６】
システム２０２ａｄは、取り外し可能なアプリケータ４７５ａｄを備えることができる。アプリケータ４７５ａｄは、筐体５８０と、ヒンジ軸を有するヒンジ５８４によって筐体５８０に回転可能に結合された第１の本体５８１と、ヒンジ軸を中心に筐体５８０に回転可能に結合された第２の本体５８２と、第１の本体５８１を第１の回転方向に回転させて、センサ２０６ａｄを近位開始位置から遠位終了位置に動かすように構成された第１のバネ５８５と、第２の本体５８２を第１の回転方向とは反対の第２の回転方向に回転させるように構成された第２のバネ５８６と、を備えることができる。
【０７４７】
第２の本体５８２は、第１の本体５８１が第１の回転方向に回転すると、基部２０４ａｄを筐体５８０に結合するように構成され得る。第２の本体５８２が、第２の回転方向に回転することによって、保持特徴（例えば、アンダーカット、粘着剤）２０４ａｄをアプリケータ４７５ａｄから切り離すことによって、基部を分離する間に、第１の本体５８１は、センサ２０６ａｄを遠位終了位置に保持するように構成され得る。
【０７４８】
アプリケータ４７５ａｄは、第２の本体５８２を基部２０４ａｄに解放可能に結合する第１のインターロック（例えば、第１の機械的インターロック５８９）を備えることができ、これにより、第１の本体５８１は、第１の回転方向に第２の本体５８２および基部２０４ａｄを動かすように構成される。
【０７４９】
第１の本体５８１は、少なくとも部分的に基部２０４ａｄと第２の本体５８２との間に配置され得る。第１の機械的インターロック５８９は、第１の本体５８１を少なくとも部分的に基部２０４ａｄと第２の本体５８２との間に固定する第３のフレックスアーム５９０を備えることができる。第１の機械的インターロック５８９は、第１の本体５８１が第２の本体５８２を第１の回転方向に動かすことに応じて、基部２０４ａｄから分離して、第２の本体５８２が第２の回転方向に回転することを可能にするように構成され得る。
【０７５０】
第２の本体５８２が第２の回転方向に回転する間に、筐体５８０（またはアプリケータ４７５ａｄの別の部分）は、第１の本体５８１を遠位位置に保持するように構成された第２のインターロック（例えば、第２の機械的インターロック５９１）を備えることができる。第２の機械的インターロック５９１は、第１の本体５８１の少なくとも一部分に結合するように構成された左側の第４のフレックスアーム５９４と右側の第４のフレックスアーム５９４とを備えることができる。
【０７５１】
アプリケータ４７５ａｄは、センサ２０６ａｄが近位開始位置にあるように、第１の本体５８１（および／または第２の本体５８２）を筐体５８０に結合する、第５のフレックスアーム５９５を備えることができる。第５のフレックスアーム５９５は、第１のバネ５８５の回転力に抵抗するように構成され得る。第５のフレックスアーム５９５の一部分は、筐体５８０のチャネルを通って突出することができる。チャネルは、筐体５８０の内部および筐体５８０の外部を結合することができる（例えば、接続し、それらの間に配向される）。
【０７５２】
第５のフレックスアーム５９５の一部分は、筐体５８０の外部から突出することができ、これにより、その一部分は、作動タブ５９６および／または作動レバーを備える。第５のフレックスアーム５９５は、筐体５８０から分離して、第１の本体５８１が作動タブ５９６および／または作動レバーを動かすことに応じて回転することを可能にするように構成され得る。第５のフレックスアーム５９５は、電子式、移動式、並進式、および／または摺動式ユーザ作動ボタンによって作動および／またはトリガされてもよい。
【０７５３】
図８５〜１０６の状況で説明される特徴のいずれかは、本明細書で特定される全ての態様および実施形態に適用することができる。例えば、図８５〜１０６の状況で説明される実施形態は、図１〜８４および図１０７〜１２６の状況で説明される実施形態と組み合わせることができる。さらに、一実施形態の特徴のいずれかは、何らかの方法で、本明細書で説明される他の実施形態と部分的または全体的に独立して組み合わせ可能である（例えば、１つ、２つ、または３つ以上の実施形態が全体的または部分的に組み合わせ可能であり得る）。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０７５４】
センサ
本明細書で説明される多くの実施形態は、センサ（例えば、経皮的分析物測定センサ）を備える。多くのセンサの特徴が以下で説明される。センサの実施形態の各々は、図１〜１０６の状況、本明細書の他の箇所で説明され、かつ／または参照により本明細書に組み込まれるようなセンサの各々と共に、かつ／またはその代わりに使用され得る。センサの詳細への不必要な冗長性を回避し、センサの詳細に焦点を合わせやすくするために、多くのセンサの特徴は、各実施形態に対して記載されていないが、代わりに以下で説明されて、読み手が、図１〜１０６の状況、本明細書の他の箇所で説明され、かつ／または参照により組み込まれるようなセンサの各々と共に、かつ／またはその代わりに使用され得る多くのセンサ特徴を理解することを可能にする。
【０７５５】
患者は、センサの遠位部分が皮膚に挿入されるときに痛みを感じるときがある。したがって、場合によっては、この痛みを最小限に抑えるか、または排除さえするシステムおよび方法が必要である。センサの遠位先端部は、皮膚を容易に穿孔する（例えば、低い挿入力を有する）のに十分鋭利でなければならず、それにより、患者が感じる不快感を最小限に抑える。
【０７５６】
センサは、膜コーティングを含むことができる。膜は、鋭利な遠位先端部を被覆することができる。鋭利な遠位先端部は、遠位先端部の皮膚への挿入中またはセンサの生体内使用中に、センサ膜を剥離させる（例えば、剪断する）ことがある。膜ブリーチングを防止し、膜と遠位先端部との間の粘着を維持することは、非常に困難であり得る。遠位先端部の鋭利さを減少させることによって、より堅牢な膜粘着を可能にするが、痛み、挿入力の増加、センサ展開の失敗、および（組織の外傷による）不正確なセンサデータ等の他の欠点をもたらす。
【０７５７】
したがって、場合によっては、組織の外傷を最小限に抑え、膜の剥離を防止すると同時に、患者の痛みを最小限に抑える（例えば、鋭いことによって）システムおよび方法が必要である。本明細書で説明される多くの独特なセンサ先端形状は、これらの一見したところ不適合で矛盾する目標の全てを達成することができる。
【０７５８】
センサは、膜によって少なくとも部分的にコーティングされ得る。以下の特許出願は、膜の詳細を含む：２０１４年４月１０日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ  ａｎｄ  Ｒｅｌａｔｅｄ  Ｍｅｔｈｏｄｓと題する、米国特許出願第１４／２５０，３２０号。米国特許出願第１４／２５０，３２０号の全内容は、参照により本明細書に組み込まれる。
【０７５９】
いくつかの実施形態は、膜の剥離を防ぎながら、低い挿入力および最小限の組織外傷を可能にする新規の幾何学的形状を含む。センサの遠位先端部の鋭利さを低減することは、細胞壁を穿孔する可能性を低減することができる。遠位先端部の鋭利さを低減することは、細胞を切断すること、および／または細胞を穿孔することよりもむしろ、細胞をセンサ挿入経路から押し出すことによって免疫応答を低減することができる。
【０７６０】
センサが組織に挿入されると、センサを組織に挿入するために必要な力が測定され得る。挿入力ピークは、センサが組織（例えば、合成組織、ヒト組織）に挿入される度に識別され得る。図１０７は、４つのセンサのピーク挿入力を示す。センサの各々の形状は、図１０７に示される。第１のセンサ先端部６０１は、第１の棒６０２によって示される第１のピーク挿入力を有する。第２のセンサ先端部６０３は、第２の棒６０４によって示される第２のピーク挿入力を有する。第３のセンサ先端部６０５は、第３の棒６０６によって示される第３のピーク挿入力を有する。第４のセンサチ先端部６０７は、第４の棒６０８によって示される第４のピーク挿入力を有する。
【０７６１】
管を形成し、次いである角度で管の端部部分を取り除いて、ベベル針（中空内部および遠位部分の穴を有する）を作ることによって、第４のセンサ先端部６０７を作製した。他のセンサ先端部６０１、６０３、６０５は、中空内部および遠位部分の穴を含まない。
【０７６２】
最初の３つのセンサ６０１、６０３、６０５は、第４のセンサ６０７よりも劇的に低い挿入力を可能にする。しかしながら、第１のセンサ６０１は、第１のセンサ６０１をコーティングする膜の剥離をもたらす場合が多い、鋭利な遠位先端部を有する。この剥離は、センサシステムが分析物表示を正確に分析する能力を危うくする可能性がある。
【０７６３】
図１０８は、膜によってコーティングされる前の第１の状態にある第１のセンサ６０１を示す。図１０９は、膜によってコーティングされ、次いで組織内で１００回循環された後の第１のセンサ６０１ａを示す。センサ６０１ａの第１の部分６１０は、膜によってコーティングされている。膜は、センサ６０１ａの第２の部分６１１から剥離している。
【０７６４】
図１１０は、膜によってコーティングされる前の第１の状態にある第２のセンサ６０３を示す。図１１１は、膜によってコーティングされ、次いで組織内で１００回循環された後の第２のセンサ６０３ａを示す。図１１１に示されるように、膜は、センサ６０３ａの遠位先端部の独特な形状のために剥離していない。第３のセンサ６０５はまた、効果的に膜の剥離に抵抗する。したがって、第２のセンサ６０３ａおよび第３のセンサ６０５は、第４のセンサ６０７よりもはるかに低い挿入力を達成しながらも、第１のセンサ６０１ａよりもはるかに優れた膜の剥離抵抗を提供する。これらの利点を可能にする特定の幾何学的形状に関する追加の詳細が、以下で説明される。
【０７６５】
放物線状先端部
図１１２は、センサ６１４〜６１８の側面図を示す。図１１３は、センサ６１４〜６１８の底面図を示す。図１１４は、センサ６１４〜６１８の斜視図を示す。センサ６１４〜６１８の近位部分は、図１１２〜１１４では隠されている。
【０７６６】
第１のセンサ６１４および第２のセンサ６１５は、放物線形状を有する遠位端部分を有する。放物線状遠位端部分の傾斜は、線形導関数を含むことができる。放物線形状は、低い挿入力を容易にしながら、膜の剥離に抵抗するのによく適することができる。
【０７６７】
放物線形状の最大幅は、皮膚に挿入されるように構成されたセンサの遠位部分の最大幅の少なくとも５０パーセントであってもよい。いくつかの実施形態では、放物線形状の最大幅は、皮膚に挿入されるように構成されたセンサの遠位部分の最大幅の少なくとも６０パーセント、少なくとも８０パーセント、１００パーセント、９０パーセント未満、および／または１００パーセント未満であってもよい。
【０７６８】
放物線形状は、センサの遠位端部分のほぼ均一な膜コーティングを可能にする。しかしながら、放物線形状は、高価であり、反復可能に製造することが困難であり得る。放物線状の遠位端部分は、遠位端部分の研削、放電機械加工（「ＥＤＭ」）、レーザ切断、および／またはレーザアブレーションによって形成され得るが、精密なプロファイルを得ることは困難であり得る。
【０７６９】
図１１５は、センサ６１５の遠位部分の側面図を示す。センサ６１５は、中心軸６２１と、中心軸６２１と一致する平面プロファイルと、を有する遠位端部分６２０を備える。遠位端部分６２０の平面プロファイルは、放物線状であってもよい（例えば、図１１５に示されるように）。
【０７７０】
いくつかの実施形態では、センサ６１５の遠位端部分６２０は、膜６２２でコーティングされている。センサ６１５の遠位先端部６２３は、皮膚を穿孔するように構成され、膜６２２の剥離に抵抗するように円形であってもよい。
【０７７１】
いくつかの実施形態では、センサ６１５の遠位端部分６２０は、膜６２２でコーティングされている。放物線状の遠位端部分６２０は、組織の外傷を低減するための漸進的な直径の増加を提供し、かつ膜６２２の剥離に抵抗するように構成された湾曲遠位先端部６２３を提供するように構成され得る。
【０７７２】
いくつかの実施形態では、センサ６１５の一セグメントは、皮膚に挿入されるように構成されている。セグメントは、第１の最大幅６２５を含むことができる。放物線状の遠位端部分６２０は、第１の最大幅の少なくとも５０パーセントである第２の最大幅６２６を含むことができる。
【０７７３】
いくつかの実施形態では、遠位端部分６２０は、センサ６１５システムがグルコース表示を測定することを可能にするように構成された膜６２２によってコーティングされている。膜６２２は、膜６２２の平均厚さに対して±３０パーセント未満変化する厚さを含むことができる。
【０７７４】
いくつかの実施形態では、放物線状の遠位端部分６２０は、遠位セクションと近位セクションとを備える。遠位セクションは、中心軸６２１に対して第１の角度を含むことができる。（第１の角度は、線６２７と中心軸６２１との間で測定され得る。）近位セクションは、中心軸６２１に対して第２の角度を含むことができる。（第２の角度は、線６２８と中心軸６２１との間で測定され得る。）第１の角度は、第２の角度の少なくとも２倍であってもよく、これにより、第１の角度は、膜６２２の剥離に抵抗するように構成され、第２の角度は、プロファイルの幅を漸進的に増加させるように構成される。
【０７７５】
いくつかの実施形態では、センサ６１５は、中心軸６２１と、中心軸６２１と一致する平面プロファイルと、を有する遠位端部分６２０を備える。センサ６１５の遠位先端部６２３は、平面プロファイルが、第１の湾曲側６３１を第２の湾曲側６３２に結合する湾曲遠位端６３０を備えるように湾曲し得る。
【０７７６】
いくつかの実施形態では、センサ６１５の遠位端部分６２０は、膜６２２でコーティングされている。湾曲遠位端は、膜６２２の剥離に抵抗するように構成され得る。第１の湾曲側６３１および第２の湾曲側６３２は、剥離に抵抗するために遠位先端部６２３からの滑らかな移行を提供し、かつ遠位先端部６２３の第１の直径から遠位端部分６２０の最大直径６２６への漸進的な移行を提供するように構成され得る。
【０７７７】
鈍い先端部
図１１２〜１１４は、製造が比較的容易である形状を有するセンサ６１６を示す。センサ６１６の遠位端部分６３８のプロファイルは、放物線状および／または円形の遠位先端部６３７によって結合された直線側を有する。直線側が低い挿入力を可能にする一方で、円形の遠位先端部６３７は、膜６３９の剥離に抵抗する。
【０７７８】
センサ６１６の遠位端部分６３８は、円錐形状を形成し、次いで、遠位先端部６３７の端部が放物線状および／または円形の形状を含むまで遠位先端部６３７を研削する（例えば研磨ディスクを用いて）ことによって製造され得る。この実施形態は、（ａ）低い挿入力を有し、（ｂ）膜６３９の剥離に抵抗しながら、製造がはるかに容易かつ反復可能であり得る。
【０７７９】
膜６３９の剥離は、典型的には、遠位先端部６３７で始まり、センサ６１６に沿って近位に伝搬する。鈍い先端部は、挿入方向（例えば、遠位矢印２０９によって示されるような）に対して大きい角度で配向された実質的な表面を提供する。この表面の幾何学的形状は、遠位先端部６３７を皮膚に挿入すると、遠位先端部６３７を被覆する膜６３９を（剪断状態ではなくむしろ）圧縮状態に置くため、遠位先端部６３７における膜６３９の剥離に抵抗する。鈍い先端部はまた、遠位先端部６３７に対する応力集中を劇的に低下させることによって（より尖った先端部と比較して）、膜６３９の剥離に抵抗する。応力は、力を面積で割ったものとして近似され得る。面積がゼロに近づくにつれて、先端部に対する局所的な応力は無限になる。面積を大きくすると、応力は低減する。先端部における膜６３９の剥離に抵抗することはまた、剥離の開始を防止することによって、剥離がセンサ６１６に沿って近位に広がることを妨げる。
【０７８０】
図１１６は、センサ６１６の遠位部分の側面図を示す。センサ６１６の遠位部分は、中心軸６３４と（中心軸６３４によって画定される）プロファイルとを含む。プロファイルは、直線側６３５、６３６と、円形の遠位先端部６３７と、を含むことができる。（遠位先端部６３７の中心軸６３４に沿って取られたプロファイルの）直線側６３５、６３６は、挿入抵抗が非常に小さい形状をもたらし、したがって、低い挿入力を提供する。
【０７８１】
いくつかの実施形態では、側面６３５、６３６は円形であり、遠位先端部６３７は放物線状である。放物線状の先端部は、挿入方向（例えば、遠位矢印２０９によって示されるような）と膜６３９が粘着される表面との間に非常に小さい角度を提供する。結果として、遠位先端部６３７は、堅牢な剥離抵抗を提供する。
【０７８２】
遠位先端部６３７の半径、遠位先端部６３７の放物線の通径、および／または遠位先端部６３７の放物線の最大幅は、２５±１０マイクロメートルであってもよい。プロファイルの直線側６３５、６３６間の角度は、２０度±５度であってもよい。
【０７８３】
センサ６１６は、円形の遠位先端部６３７と共に円錐形である遠位端部分６３８を備えることができる。円形の遠位先端部６３７は、遠位端部分６３８をコーティングする膜６３９の剥離に抵抗するように構成され得る。遠位端部分６３８は、皮膚の穿孔を容易にするために円錐形であってもよい。
【０７８４】
センサ６１６は、鈍い遠位先端部６３７と共に円錐形である遠位端部分６３８を備えることができる。鈍い遠位先端部６３７は、遠位端部６３８をコーティングする膜６３９の剥離に抵抗するように構成され得る。
【０７８５】
センサ６１６は、中心軸６３４と、中心軸６３４と一致する平面プロファイルとを有する遠位端部分６３８を備えることができる。センサ６１６の遠位先端部６３７は、平面プロファイルが、第１の直線側６３５を第２の直線側６３６に結合する湾曲遠位端を備えるように湾曲し得る。
【０７８６】
いくつかの実施形態では、遠位端部分６３８は、膜６３９によってコーティングされ得る。遠位先端部６３７は、遠位先端部６３７が膜６３９の剥離に抵抗するように湾曲し得る。側面６３５、６３６が遠位端部分６３８の直径を直線的に増加させて、遠位端部分６３８を皮膚に挿入することによって生じる組織の外傷を低減するように構成されるように、第１および第２の側面６３５、６３６は、直線であってもよい。
【０７８７】
いくつかの実施形態では、湾曲遠位端は、１０マイクロメートルを超え、３５マイクロメートル未満である半径を含み、これにより、湾曲遠位端は、湾曲遠位端をコーティングする膜６３９の剥離に抵抗するのに十分に大きく、かつ皮膚の穿孔と関連する患者の不快感を低減するのに十分小さくなるように構成される。
【０７８８】
いくつかの実施形態では、湾曲遠位端は、１０マイクロメートルを超え、３５マイクロメートル未満である最大幅を含み、これにより、湾曲遠位端は、湾曲遠位端をコーティングする膜６３９の剥離に抵抗するのに十分に大きく、かつ皮膚の穿孔と関連する患者の不快感を低減するのに十分小さくなるように構成される。第１の直線側６３５と第２の直線側６３６との間の角度は、角度が皮膚の穿孔と関連する患者の不快感を低減するように構成されるように、１５度よりも大きく、２５度未満であってもよい。
【０７８９】
二重角度の先端部
図１１２〜１１４は、二重角度の遠位端部分を含むセンサ６１７、６１８を示す。センサ６１７、６１８の各々は、２つの角度を含むプロファイルを有する。第２の角度は、第１の角度よりも（中心軸に対して）大きくてもよい。第１のセンサ６１７は、鋭利な遠位先端部を備える。第２のセンサ６１８は、膜の剥離に抵抗するために円形の遠位先端部を備える。
【０７９０】
図１１７は、センサ６１８の遠位部分６４２の側面図を示す。センサ６１８の遠位部分６４２は、中心軸６４６と（中心軸６４６によって画定される）プロファイルとを含む。プロファイルの側面６４３、６５０、６４５、６５１は、第１の角度（中心軸６４６に対する）と第２の角度（中心軸６４６に対する）とを含む。第２の角度は、第１の角度よりも大きくてもよく、これにより、第２の角度は、膜６４７の剥離に抵抗するように構成され、第１の角度は、漸進的な直径の増加を提供するように構成される。
【０７９１】
センサ６１８は、中心軸６４６と、中心軸６４６と一致する平面プロファイルと、を有する遠位端部分６４２を備えることができる。平面プロファイルは、第２の側面６５０に結合された第１の側面６４３を有する左側の部分を含むことができる。平面プロファイルは、第４の側面６５１に結合された第３の側面６４５を有する右側の部分を含むことができる。第１の側面６４３と第３の側面６４４５との間の第１の角度は、第２の側面６５０と第４の側面６５１との間の第２の角度より小さくてもよく、これにより、端部部分６４２の近位セクション６４８は、端部部分６４２の遠位セクション６４９よりも漸進的な幅の増加を提供する。第１、第２、第３および第４の側面６４３、６５０、６４５、６５１は、直線状であってもよい。第１、第２、第３および第４の側面６４３、６５０、６４５、６５１は、湾曲していてもよい。
【０７９２】
湾曲遠位端６４４は、第２の側面６５０を第４の側面６５１に結合することができる。湾曲遠位端６４４は、センサ６１８の遠位端部分６４２をコーティングする膜６４７の剥離に抵抗するように構成され得る。
【０７９３】
センサ６１８は、センサ６１８の遠位端部分６４２をコーティングする膜６４７を備えるグルコースセンサ６１８であってもよい。遠位端部分６４２は、膜６４７の剥離に抵抗し、組織の外傷を低減し、かつ／または皮膚を穿孔することによって生じる患者の不快感を低減するように構成され得る。
【０７９４】
ファセット加工された先端部
本明細書で説明されるセンサのいずれかは、ファセット加工され得る（例えば、１つ、２つ、３つ、４つ、５つ、またはそれ以上のファセットを有する）。ファセット加工された実施形態の遠位先端部は、上記の膜の剥離抵抗を達成するために円形であってもよい。
【０７９５】
図１１８〜１２０に示されるセンサ６５３〜６６０の各々は、ファセット加工されている。各ファセットは、平面研削プロセスによって形成され得る。ファセット加工された先端部は、反復可能な製造可能性を可能にし、比較的小さい（それでもなお円形の）遠位先端部を可能にし、遠位先端部からセンサの最大直径までの漸進的な移行を提供する。
【０７９６】
ファセットは、隣接するファセットと交差する平らな表面または湾曲した表面であってもよい。ファセット間の交点は、隆起部を形成することができる。隆起部は、組織の外傷を低減し、膜の剥離抵抗を増加させるために円形であってもよい。
【０７９７】
図１１８は、センサ６５３〜６６０の側面図を示す。図１１９は、センサ６５３〜６６０の底面図を示す。図１２０は、センサ６５３〜６６０の斜視図を示す。センサ６５３〜６６０の近位部分は、図１１８〜１２０では隠されている。
【０７９８】
第１のセンサ６５３は、１つのファセットを有する。第２のセンサ６５４もまた、１つのファセットを有するが、円形の隆起部６６１も含む。第３のセンサ６５５および第４のセンサ６５６はそれぞれ、２つのファセットを有するが、第４のセンサ６５６はまた、円形の遠位先端部および円形の隆起部も含む。第５のセンサ６５７および第６のセンサ６５８はそれぞれ、３つのファセットを有するが、第６のセンサ６５８はまた、円形の遠位先端部および円形の隆起部も含む。第７のセンサ６５９および第８のセンサ６６０はそれぞれ、４つのファセットを有するが、第８のセンサ６６０はまた、円形の遠位先端部および円形の隆起部も含む。
【０７９９】
図１２１は、４つのファセット６６７、６６８、６６９、６７０を備えるセンサ６６０の底面図を示す。図１２２は、センサ６６０の第１の斜視図を示す。図１２３は、センサ６６０の第２の斜視図を示す。センサ６６０の近位部分は、図１２１〜１２３では隠されている。
【０８００】
いくつかの実施形態では、センサ６６０は、中心軸を有する遠位端部分６７１と、中心軸に対して２５度未満の第１の角度で配向された第１のファセット６６７と、を備え、これにより、第１のファセット６６７は、皮膚の穿孔を容易にするように構成される。センサ６６０の遠位端部分６７１は、中心軸に対して２５度未満の第２の角度で配向された第２のファセット６６８を備えることができる。第１のファセット６６７は、第２のファセット６６８に対して第３の角度で配向され得る。第３の角度は、１０度よりも大きく、２５度未満であってもよい。
【０８０１】
いくつかの実施形態では、第１のファセット６６７および第２のファセット（例えば、６６９）は、皮膚の穿孔を容易にするように構成された楔を形成する。センサ６６０の遠位端部分６７１は、膜６７３によってコーティングされ得る。円形の隆起部６７４は、第１のファセット６６７を第２のファセット６６８に結合することができ、これにより、円形の隆起部６７４は、膜６７３の剥離に抵抗するように構成される。
【０８０２】
いくつかの実施形態では、センサ６６０の遠位端部分６７１は、中心軸に対して２５度未満の第４の角度で配向された第３のファセット６６９を備える。第１、第２、および第３のファセットは、皮膚の穿孔を容易にするように構成された三角錐を形成することができる。センサ６６０の遠位端部分６７１は、膜６７３によってコーティングされ得る。三角錐は、膜６７３の剥離に抵抗するように構成された円形の遠位先端部を備えることができる。
【０８０３】
いくつかの実施形態では、第１の円形の隆起部６７４が、第１のファセット６６７を第２のファセット６６８に結合する。第２の円形の隆起部６７５は、第２のファセット６６８を第３のファセット６６９に結合することができる。第１の円形の隆起部６７４および第２の円形の隆起部６７５は、センサ６６０の遠位端部６７１をホストに挿入することによって生じる組織の外傷を低減するように構成され得る。
【０８０４】
いくつかの実施形態では、センサ６６０の遠位端部分６７１は、中心軸に対して２５度未満の第５の角度で配向された第４のファセット６７０を備える。第１、第２、第３、および第４のファセット６６７、６６８、６６９、６７０は、ホストの皮膚の穿孔を容易にするように構成された矩形錐を形成することができる。
【０８０５】
ステップ状の先端部
センサの遠位先端部は、遠位先端部の中心軸にほぼ垂直である表面を提供するための１つ以上のステップを含むことができる。この垂直な表面は、堅牢な膜の剥離保護を提供することができる。たとえ膜の剥離が遠位端で生じたとしても、垂直な表面は、剥離の近位の広がりを止めることができる。垂直な表面は、絶縁体の遠位端によって、かつ／またはセンサの導電性コア（例えば、ワイヤ）にステップを作ることによって形成され得る。
【０８０６】
いくつかの実施形態では、ステップ表面は、センサの中心軸に対して垂直の±３５度以内にある。ステップ表面は、近位絶縁体と遠位絶縁体との間に配置される隙間に対して遠位に配置され得る。
【０８０７】
センサの遠位端は、本明細書で説明され、かつ／または参照により組み込まれる形状のうちのいずれかを有することができる。センサの遠位端は、面取りされ得る、ファセット加工され得る、湾曲し得る、かつ／または放物線状であり得る。
【０８０８】
図１２４は、センサ６８１の側面図を示す。図１２５は、図１２４の線１２５−１２５に沿った断面図を示す。ある特定の特徴の明瞭性を高めるために、いくつかの特徴の寸法は、図１２４および図１２５では誇張されている。センサ６８１の近位部分は、図１２４および図１２５では隠されている。
【０８０９】
ここで図１２４および１２５を参照すると、センサ６８１は、膜６８３によってコーティングされた先細の端部セクション６８５を備えることができる。先細の端部セクション６８５は、センサ６８１の遠位先端部６８６を備える。先細の端部セクション６８５は、第１のステップ７０１に対する膜の近位の動きに抵抗するように構成された第１のステップ７０１を備えることができる。
【０８１０】
図１２４および１２５に示される配向では、先細の端部セクション６８５は下を向き、これにより、先細の端部部分は、穴が、センサ６８１が組織に入るのを可能にするのに十分な大きさになるまで、組織内の穴を拡張する表面を備える。
【０８１１】
センサ６８１に沿って近位方向２０８に動くと、先細の端部セクション６８５は、遠位先端部６８６から直径が増加し、これにより、先細のセクションは、センサ６８１を比較的狭い遠位先端部６８６からより大きい直径を有するセクション６８７に移行させる。
【０８１２】
センサ６８１に沿って遠位方向２０９に移動すると、先細の端部セクション６８５は、センサ６８１の遠位端部分６８２を遠位先端部６８６に向かって徐々に狭める。
【０８１３】
センサ６８１は、膜によってコーティングされた先細の端部セクション６８５を備えることができる。先細の端部セクション６８５は、遠位先端部６８６を備える。センサ６８１は、先細の端部セクション６８５の±１ミリメートル以内および／または±２．１ミリメートル以内に配置された第２のステップ７０２を備えることができる。第２のステップ７０２は、第２のステップ７０２に対する膜の近位の動きに抵抗するように構成され得る。第２のステップ７０２は、導電性コア６９０を少なくとも部分的に包囲する絶縁体６９２ｂによって形成され得る。
【０８１４】
センサ６８１は、膜によってコーティングされ得、第１のステップ７０１を備えることができる。センサ６８１は、ホストの組織内に挿入されるように構成された溝６８８を備えることができる。図１２４および１２５に示されるように、溝６８８は、隣接する近位セクションおよび隣接する遠位セクションよりも狭い（例えば、より小さい直径を有する）。溝６８８は、センサ６８１の遠位先端部６８６の１ミリメートル、３ミリメートル、６ミリメートル、および／または８ミリメートル以内に配置され得る。溝６８８は、基部に対して遠位に配置され得る（例えば、基部がホストの皮膚に結合されている場合）。第１のステップ７０１および／または第２のステップ７０２は、溝６８８に対して遠位に配置され得る。第１のステップ７０１および／または第２のステップ７０２は、第１のステップ７０１および／または第２のステップ７０２に対する膜の近位の動きに抵抗するように構成され得る。
【０８１５】
センサ６８１は、膜６８３によってコーティングされた導電性の遠位端部分６８９を備えることができる。導電性の遠位端部分６８９は、第１のステップ７０１に対する膜６８３の近位の動きに抵抗するように構成された第１のステップ７０１を備えることができる。導電性の遠位端部分６８９は、導電性の金属から作られ得る。遠位端部分６８２は、導電性の遠位端部分６８９と他の特徴（例えば、絶縁体、膜）とを含むことができる。
【０８１６】
センサ６８１は、膜６８３によってコーティングされた一部分を備えることができる。センサ６８１の一部分は、絶縁層６９２ａによって第２の導電層６９１から電気的に絶縁された第１の導電層６９０を備えることができる。第１の導電層６９０は、ホストの組織を介して第２の導電層６９１に電気的に結合されるように構成され得る。第１の導電層６９０は、第２の導電層６９１よりも遠く遠位に延在することができる。第１の導電層６９０は、第１のステップ７０１に対する膜６８３の近位の動きに抵抗するように構成された第１のステップ７０１を備えることができる。第１のステップ７０１は、第２の導電層６９１よりも遠く遠位に配置され得る。
【０８１７】
センサ６８１の遠位部分は、第１のステップ７０１、第２のステップ７０２、および／または第３のステップ７０３を備えることができる。第３のステップ７０３は、溝６８８に対して近位に、かつ／または溝６８８の近位端に配置され得る。第２のステップ７０２および／または第３のステップ７０３は、第１のステップ７０１に対して近位に離間され得る。センサ６８１の遠位部分は、膜６８３によってコーティングされ得る。第１のステップ７０１、第２のステップ７０２、および第３のステップ７０３は、遠位に面することができる。ステップ７０１、７０２、７０３は、膜６８３の近位の動きに抵抗するように構成され得る。
【０８１８】
ステップ７０１、７０２、７０３はそれぞれ、センサ６８１の一部分の中心軸に対して垂直の±２５度以内で配向された表面を備えることができる。ステップ７０１、７０２、７０３はそれぞれ、センサ６８１の一部分の中心軸に対して垂直の±１５度以内で配向された表面を備えることができる。表面は、膜６８３の近位の動きに応じて、膜６８３内に圧縮力を生じさせることによって、表面に対する膜６８３の近位の動きを妨げるように構成された干渉特徴を形成することができる。
【０８１９】
センサ６８１は、絶縁層６９２ａによって第２の導電層６９１から電気的に絶縁された第１の導電層６９０を備えることができる。第１の導電層６９０は、導電性の遠位端部分６８９に導電的に結合され得、これにより、導電性の遠位端部分６８９は、ホストの組織を介して第２の導電層６９１に導電的に結合されるように構成される。
【０８２０】
センサ６８１は、膜６８３によってコーティングされた遠位端部分６８２を備えることができる。遠位端部分６８２は、センサ６８１の導電性コア６９０と導電層６９１との間に間隙６９７を含むことができる。間隙６９７は、導電性コア６９０と導電層６９１との間の皮下電流を可能にするように構成され得る。遠位端部分６８２は、間隙６９７に対して遠位に配置され、ステップに対する膜６８３の近位の動きに抵抗するように構成されたステップ（例えば、７０１、７０２）を備えることができる。
【０８２１】
ステップは、遠位端部分６８２の中心軸に対して垂直の±２５度以内で配向された表面を備えることができる。表面は、遠位先端部６８６および／またはステップに対する膜６８３の近位の動きに応じて、膜６８３内に圧縮力を生じさせることによって、表面に対する膜６８３の近位の動きを妨げるように構成された干渉特徴を形成することができる。導電性コア６９０は、ステップ（例えば、ステップ７０１）を備えることができる。導電性コア６９０の周囲に配置された絶縁層６９２ｂは、ステップ（例えば、ステップ７０２）を形成することができる。
【０８２２】
遠位端部分６８２は、円形の遠位先端部、放物線形状、円錐形状、楔形状、三角錐形状、矩形錐形状、および／または遠位端部分６８２が皮膚の穿孔を容易にするように構成される図１１２〜１２３の状況で説明される形状のうちのいずれかを含むことができる。
【０８２３】
センサ６８１は、膜６８３によってコーティングされた遠位端部分６８２を備えることができる。センサ６８１の遠位端部分６８２は、中心軸と、遠位先端部６８６と、遠位先端部６８６から近位に離間した遠位に面する表面（例えば、ステップ７０１、ステップ７０２）と、を備えることができる。遠位に面する表面は、膜６８３と機械的インターロックを形成することができ、これにより、機械的インターロックは、遠位に面する表面に対する膜６８３の近位の動きを妨げるように構成される。
【０８２４】
本明細書で使用される場合、「機械的インターロック」という用語は、広義に使用される。いくつかの実施形態では、機械的インターロックは、２つの部品を備えることができ、これにより、第２の部品に対する第１の部品の運動は、第２の部品の位置により、第１の部品を圧縮させる（および／または圧縮の動きなしで圧縮力を経験させる）ことができる。結果として、第１の部品の運動は、第２の部品によって拘束される。本明細書で使用される場合、いくつかの実施形態において、機械的インターロックは、アンダーカット、穴、または少なくとも一時的に動きを妨げるように構成された別の特徴に結合されたフレックスアームによって形成されるスナップ嵌め等の解放可能なロック特徴を備えることができる。
【０８２５】
センサ６８１は、導電性コア６９０と、導電層と、導電性コア６９０を導電層から電気的に絶縁するように構成された絶縁層６９２ａと、を備えることができる。導電性コア６９０は、導電性コア６９０と導電層との間に最短の導電経路を形成するために、絶縁層６９２ａよりも遠く遠位に延在することができる。遠位に面する表面は、最短の導電経路に対して遠位に配置され得る（例えば、これにより、第３のステップ７０３が遠位に面する表面ではなく、別のステップ７０１、７０２が遠位に面する表面を備える）。
【０８２６】
本明細書で使用される場合、「延在する」とは、指定された方向に、または特定の距離にわたって継続することを意味するが、特に明記しない限り、典型的には、より長くなることを意味しない。
【０８２７】
センサ６８１は、システム（例えば、本明細書で説明され、かつ／または参照により組み込まれるシステムのいずれか）が、導電性コア６９０と導電層６９１との間に電圧を印加して、分析物表示を測定することを可能にするように構成された導電性コア６９０と導電層６９１とを備えることができる。センサ６８１は、導電性コア６９０の第１のセクションの周囲に配置された第１の電気絶縁層６９２ａと、導電性コア６９０の第２のセクションの周囲に配置された第２の電気絶縁層６９２ｂと、を備えることができる。
【０８２８】
導電層６９１は、第１の絶縁層６９２ａから半径方向に外向きに配置され得る。第１の絶縁層６９２ａは、第２の絶縁層６９２ｂから離間して、システムが導電性コア６９０と導電層６９１との間に電圧を印加することを可能にするように構成された間隙６９７を形成することができる。遠位に面する表面（例えば、７０１、７０２）は、間隙６９７に対して遠位に配置され得る。遠位に面する表面は、センサ６８１の遠位端部分６８２の中心軸に対して垂直の±２０度の範囲内で配向され得る。
【０８２９】
全てのセンサの実施形態に適用可能
いくつかの実施形態では、センサは、システムが導電性コアと導電層との間に電圧を印加して、グルコース表示を測定することを可能にするように構成された、導電性コアと導電層とを有するグルコースセンサである。
【０８３０】
いくつかの実施形態では、センサは、導電性コアの第１のセクションの周囲に配置された第１の電気絶縁層を備える。センサは、導電性コアの第２のセクションの周囲に配置された第２の電気絶縁層を備えることができる。導電層は、第１の絶縁層から半径方向に外向きに配置され得る。第１の絶縁層は、第２の絶縁層から離間して、システムが導電性コアと導電層との間に電圧を印加することを可能にするように構成された間隙を形成することができる。センサは、導電性コアの遠位端を被覆する電気絶縁キャップを備えることができる。
【０８３１】
本明細書で説明されるセンサのいずれも、膜によってコーティングされ得る。膜は、２つ以上の層を備える複合膜であってもよい。膜は、酵素層と抵抗層とを含むことができる。膜はまた、干渉層および／または下層を含むことができる。いくつかの実施形態では、膜の厚さは、約１２〜２０マイクロメートルであってもよい。
【０８３２】
センサは、膜がほぼ均一な外層を形成するように、膜によってコーティングされ得る。膜層は、平均厚さを有することができる。（例えば、先細の端部セクションの、遠位先端部から絶縁層までのセクションの、遠位部分の、遠位先端部からセンサの中心軸に沿って測定して３ミリメートルの長さであるセクションの）膜層の厚さは、膜の平均厚さに対して±３０％未満、±４０％未満、および／または±５０％未満変化し得る。上述のように、以下の特許出願は、膜の詳細を含む：米国特許出願第１４／２５０，３２０号。以下の出願の内容全体は、参照により本明細書に組み込まれる：２０１４年４月１０日に出願され、Ｓｅｎｓｏｒｓ  ｆｏｒ  Ｃｏｎｔｉｎｕｏｕｓ  Ａｎａｌｙｔｅ  Ｍｏｎｉｔｏｒｉｎｇ，ａｎｄ  Ｒｅｌａｔｅｄ  Ｍｅｔｈｏｄｓと題する、米国特許出願第１４／２５０，３２０号。
【０８３３】
本明細書で説明されるセンサのいずれも、１つ以上の電気絶縁層を備えることができる。センサの一セクションは、ホストの皮下体液（例えば、血液）からそのセクションを電気的に絶縁するように構成された１つ以上の絶縁層内に導電性コアを備えることができる。絶縁層は、平面、管状、および／または任意の適切な形状であってもよい。
【０８３４】
本明細書で説明されるセンサのいずれも、電気絶縁キャップ７０６によって電気的に絶縁された導電性コアを有する遠位端部分を備えることができる。ここで図１２５を参照すると、絶縁キャップ７０６は、膜６８３によって少なくとも部分的に被覆され得る。絶縁キャップ７０６は、任意の適切な形状を有することができる。
【０８３５】
絶縁キャップ７０６は、絶縁層６９２ｂに結合され得、かつ／または取り付けられ得、これにより、絶縁キャップ７０６と絶縁層６９２ｂとの間の境界面は、導電性コア６９０の遠位端部分を電気的に絶縁する。
【０８３６】
絶縁キャップ７０６は、センサ６８１の遠位先端部６８６を電気的に絶縁する化学キャップ７０６であってもよい。断熱キャップ７０６は、粘着剤、シアノアクリレート、エポキシ、熱可塑性物質、熱硬化性物質、ポリウレタン、シリコーン、熱可塑性シリコーンポリカーボネートウレタン、熱可塑性ポリカーボネート−ウレタン、アクリロニトリルブタジエンスチレン、ポリ塩化ビニル、および／または任意の適切な電気絶縁材料から作られ得る。
【０８３７】
本明細書で説明されるシステムのいずれも、導電性コア６９０（例えば、ワイヤ、導電層）と、導電性コア６９０に対して半径方向に外向きに配置された導電性層６９１との間に固定電圧を印加することができる。分析物測定は、導電性コア６９０と導電層６９１との間の電流を測定することを含むことができる。分析物測定はまた、測定の他の手順および種類も含むことができる。
【０８３８】
いくつかの実施形態では、センサは、第１の電気絶縁層６９２ａによって少なくとも部分的に被覆された導電性部分６９０を有するグルコースセンサである。第１の電気絶縁層６９２ａは、導電層６９１によって少なくとも部分的に被覆され得る。導電性部分６９０は、遠位先端部を導電層６９１の遠位端よりも遠く遠位に配置することができる。ホストの組織および／または流体は、導電性部分６９０の遠位先端部を導電層６９１に電気的に結合して、システムが導電性部分６９０と導電層６９１との間に電圧を印加することを可能にし、これにより、システムは、導電性部分６９０と導電層６９１との間のグルコースを示す電流を測定することができる。システムは、電気化学反応を利用して分析物測定を容易にすることができる。
【０８３９】
いくつかの実施形態では、センサは、第１の電気絶縁層６９２ａおよび第２の電気絶縁層６９２ｂによって少なくとも部分的に被覆された導電性コア６９０を有するグルコースセンサである。（いくつかの実施形態では、導電性コア６９０の遠位端は、絶縁体７０６によって被覆されている。）第１の電気絶縁層６９２ａは、導電層６９１によって少なくとも部分的に被覆され得る。第１の電気絶縁層６９２ａと第２の電気絶縁層６９２ｂとの間の間隙（例えば、溝６８８の領域内）は、システムが導電性コア６９０と導電層６９１との間に電圧を印加することを可能にし、これにより、システムは、導電性コア６９０と導電層６９１との間のグルコースを示す電流を測定することができる。膜６８３が間隙を被覆するように、アセンブリ（導電性コア６９０、第１の電気絶縁層６９２ａおよび第２の電気絶縁層６９２ｂ、ならびに／または導電層６９１を備える）は、膜６８３でコーティングされ得る。
【０８４０】
図１０７〜１２６の状況で説明される特徴のいずれかは、本明細書で特定される全ての態様および実施形態に適用することができる。例えば、図１０７〜１２６の状況で説明される実施形態は、図１〜１０６の状況で説明される実施形態と組み合わせることができる。さらに、一実施形態の特徴のいずれかは、何らかの方法で、本明細書で説明される他の実施形態と部分的または全体的に独立して組み合わせ可能である（例えば、１つ、２つ、または３つ以上の実施形態が全体的または部分的に組み合わせ可能であり得る）。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０８４１】
解釈
本明細書で説明される工程のいずれも、必須または不可欠ではない。工程のいずれかを調整または修正することができる。他のまたは追加の工程を使用することができる。本明細書のある実施形態、フローチャート、または実施例において説明または図示される工程、プロセス、構造、および／またはデバイスのいずれかの任意の部分は、異なる実施形態、フローチャート、または実施例において説明または図示される工程、プロセス、構造、および／またはデバイスのいずれかの任意の他の部分と組み合わせて、またはそれらの代わりに使用することができる。本明細書で提供される実施形態および実施例は、離散的であること、および互いから分離することを意図しない。
【０８４２】
本明細書で提供される節の見出しおよび小見出しは、非限定的である。節の見出しおよび小見出しは、その見出しおよび小見出しが関係する節において説明される実施形態の全範囲を表すもの、または限定するものではない。例えば、「トピック１」というタイトルの節は、トピック１に関連しない実施形態を含むことができ、他の節において説明される実施形態は、「トピック１」の節内で説明される実施形態に適用し、該実施形態と組み合わせることができる。
【０８４３】
デバイス、システム、実施形態、およびプロセスのいくつかは、コンピュータを使用する。前の節において説明したルーチン、プロセス、方法、およびアルゴリズムの各々は、コンピュータ命令を実行するように構成された１つ以上のコンピュータ、コンピュータプロセッサ、または機械によって実行されるコードモジュールにおいて具現化することができ、それらによって完全にまたは部分的に自動化することができる。コードモジュールは、ハードドライブ、固体メモリ、ラッシュメモリ、光ディスク、および／または同類のもの等の、任意の種類のコンピュータ読み取り可能な非一時的記憶媒体または有形のコンピュータ記憶デバイスに記憶することができる。プロセスおよびアルゴリズムは、特定用途向け回路に部分的または全体的に実装することができる。開示されるプロセスおよびプロセス工程の結果は、例えば揮発性もしくは不揮発性記憶装置等の、任意のタイプの非一時的なコンピュータ記憶装置に永続的にまたは別様に記憶することができる。
【０８４４】
本明細書に示される態様の特徴のいずれも、本明細書に特定される全ての他の態様および実施形態に適用可能である。さらに、一実施形態の特徴のいずれかは、何らかの方法で、本明細書で説明される他の実施形態と部分的または全体的に独立して組み合わせ可能である（例えば、１つ、２つ、または３つ以上の実施形態が全体的または部分的に組み合わせ可能であり得る）。さらに、一実施形態の特徴のいずれかを、他の態様または実施形態に対して任意選択的とすることができる。ある方法の任意の態様または実施形態を、別の態様または実施形態のシステムまたは装置によって行うことができ、あるシステムの任意の態様または実施形態を、別の態様または実施形態の方法を行うように構成することができる。
【０８４５】
上で説明した種々の特徴およびプロセスは、互いとは独立に使用することができ、または種々の方法で組み合わせることができる。全ての可能な組み合わせおよび部分的組み合わせは、本開示の範囲内であることが意図される。加えて、特定の方法、事象、状態、またはプロセスブロックは、いくつかの実現形態において省略することができる。本明細書で説明される方法、工程、およびプロセスはまた、いかなる特定のシーケンスにも限定されず、それらに関連するブロック、工程、または状態は、適切である他のシーケンスで行うことができる。例えば、説明されるタスクまたは事象は、具体的に開示される順序以外の順序で行うことができる。複数の工程を単一のブロックまたは状態に組み合わせることができる。例示的なタスクまたは事象は、直列的に、並列的に、または他の何らかの方式で行うことができる。タスクまたは事象は、開示される例示的な実施形態に追加するか、またはそこから除去することができる。本明細書で説明される例示的なシステムおよび構成要素は、説明されるものと異なるように構成することができる。例えば、要素を、開示された例示的な実施形態に追加する、そこから除去する、またはそれと比較して再配列することができる。
【０８４６】
本明細書で使用される、数ある中でも、「できる（ｃａｎ）」、「かもしれない（ｃｏｕｌｄ）」、「してもよい（ｍｉｇｈｔ）」、「得る（ｍａｙ）」、「例えば（ｅ．ｇ．，）」等の条件付き言語は、別途具体的に提示されない限り、または別様に使用される文脈内で理解されるように、一般に、特定の実施形態が特定の特徴、要素、および／またはステップを含む一方で、他の実施形態がそれらを含まないことを伝えることが意図される。したがって、そのような条件付き言語は、一般に、特徴、要素、および／もしくはステップが、いかなる形であれ１つ以上の実施形態に必要であること、または、著者による入力もしくは表示の有無に関わらず、これらの特徴、要素、もしくはステップが任意の特定の実施形態に含まれていようと、そこで実行されようと、１つ以上の実施形態が、決定するための論理を必然的に含むことを示唆することを意図しない。「備える（ｃｏｍｐｒｉｓｉｎｇ）」、「含む（ｉｎｃｌｕｄｉｎｇ）」、「有する（ｈａｖｉｎｇ）」等の用語は、同義語であり、開放様式で包括的に使用され、追加的な要素、特徴、作用、動作等を排除しない。また、「または（ｏｒ）」という用語は、例えば要素のリストを接続するために使用されるときに、「または」という用語が、そのリストの中の要素の１つ、いくつか、もしくは全てを意味するように、その包括的な意味合いで使用される（また、その排他的な意味では使用されない）。「Ｘ、Ｙ、およびＺのうちの少なくとも１つ」という句等の接続的な言語は、別途具体的に提示されない限り、品目、用語等をＸ、Ｙ、Ｚのいずれかとすることができることを伝えるために一般に使用されるとして、文脈に従って理解される。したがって、そのような接続的な言語は、一般に、特定の実施形態が、Ｘの少なくとも１つ、Ｙの少なくとも１つ、Ｚの少なくとも１つが存在することを必要とすることを示唆することを意図しない。
【０８４７】
「および／または」という用語は、「および」をいくつかの実施形態に適用し、「または」をいくつかの実施形態に適用することを意味する。したがって、Ａ、Ｂ、および／またはＣは、ある文において書かれるＡ、Ｂ、およびＣと置き換えることができ、また別の文において書かれるＡ、Ｂ、またはＣと置き換えることができる。Ａ、Ｂ、および／またはＣは、いくつかの実施形態がＡおよびＢを含むことができ、いくつかの実施形態がＡおよびＣを含むことができ、いくつかの実施形態がＢおよびＣを含むことができ、いくつかの実施形態がＡだけを含むことができ、いくつかの実施形態がＢだけを含むことができ、いくつかの実施形態がＣだけを含むことができ、ならびにいくつかの実施形態がＡ、Ｂ、およびＣを含むことができることを意味する。「および／または」という用語は、不必要な冗長性を回避するために使用される。
【０８４８】
特定の例示的な実施形態を説明してきたが、これらの実施形態は、単なる例として提示されたものであり、本明細書で開示される本発明の範囲を限定することを意図しない。したがって、いかなる上の説明においても、任意の特定の特徴、特性、ステップ、モジュール、またはブロックが必要もしくは不可欠であることを示唆することを意図しない。実際に、本明細書で説明される新しい方法およびシステムは、種々の他の形態で具現化することができ、さらに、本明細書で開示される本発明の趣旨から逸脱することなく、本明細書で説明される方法およびシステムの形態において、種々の省略、置換、および変更を行うことができる。
【０８４９】
説明および例示を容易にするために、いくつかの例では、詳細な説明は、連続したグルコースモニタリング環境の観点から、例示的なシステムおよび方法を記載しているが、本発明の範囲は、その特定の環境に限定されるものではないことが理解されるべきであり、当業者であれば、本明細書に記載されるシステムおよび方法が様々な形態で具体化され得ることを理解するだろう。したがって、本明細書に開示される任意の構造的および／または機能的詳細は、システムおよび方法を限定するものとして解釈されるべきではなく、むしろ、他の状況において有利であり得る、システムおよび方法を実装するための１つ以上の方法を当業者に教示するための代表的な実施形態および／もしくは配列の属性として提供される。
【０８５０】
例えば、限定するものではないが、記載されるモニタリングシステムおよび方法は、１つ以上の検体（例えば、グルコース、乳酸、カリウム、ｐＨ、コレステロール、イソプレン、および／もしくはヘモグロビン）および／またはホストおよび／または別の当事者の、もしくはそれと関連する、他の血液もしくは体液の濃度を測定するセンサを含み得る。
【０８５１】
例として、限定するものではないが、本明細書に記載されるモニタリングシステムおよび方法の実施形態は、指スティック血液サンプリング、血液検体検査ストリップ、非侵襲性センサ、着用可能なモニタ（例えば、スマートブレスレット、スマートウォッチ、スマートリング、スマートネックレスもしくはペンダント、運動モニタ、フィットネルモニタ、健康および／もしくは医療モニタ、クリップオンモニタ等）、接着性モニタ、スマートテキスタイルおよび／もしくは衣服組み込みセンサ、センサを含む靴インサートおよび／もしくはインソール、経皮的（すなわち、経皮）センサ、および／または飲み込まれた、吸入された、もしくは移植可能なセンサを含み得る。
【０８５２】
いくつかの実施形態において、限定されることなく、監視システムおよび方法は、本明細書で説明されるセンサの代わりに、またはこれに加えて、ホストおよび／もしくは別の当事者の、もしくはこれらに関連する情報を測定するための、加速度計、ジャイロスコープ、磁力計、および／もしくはロメーターを含む慣性測定ユニット、運動、高度、位置、および／もしくは場所センサ、バイオメトリックセンサ、例えば光学心拍モニタ、光電式指尖容積脈波（ＰＰＧ）／パルスオキシメーター、蛍光モニタ、およびカメラを含む光学センサ、着用可能な電極、心電図（ＥＫＧまたはＥＣＧ）センサ、脳電図（ＥＥＧ）センサ、および／または筋電図（ＥＭＧ）センサ、化学センサ、例えば伸び、変位、圧力、重量、または衝撃を測定するためのフレキシブルセンサ、ガルバノメトリックセンサ、容量センサ、電界センサ、温度／熱センサ、マイクロホン、振動センサ、超音波センサ、ピエゾ電気／ピエゾ抵抗センサ、および／もしくはトランスデューサ等の、他のセンサを備えることができる。
【符号の説明】
【０８５３】
１００  分析物センサシステム
１０２  経皮分析物センサシステム
１１０  キーフォブリピータ
１１１  医療用デバイス受信機
１１２  スマートフォン
１１３  ポータブルコンピュータ
２００  経皮分析物センサ
３００  柔軟なシート
３３０  センサカバー
５００  電子装置ユニット
６００  皮膚上センサアセンブリ
６０１  センサ
６０３  センサ
６０５  センサ
６０７  センサ
６１５  センサ
６６０  センサ
【図１】
2020501620.tif 000003
【図２】
2020501620.tif 000004
【図３】
2020501620.tif 000005
【図４】
2020501620.tif 000006
【図５】
2020501620.tif 000007
【図６】
2020501620.tif 000008
【図７】
2020501620.tif 000009
【図８】
2020501620.tif 000010
【図９】
2020501620.tif 000011
【図１０】
2020501620.tif 000012
【図１１】
2020501620.tif 000013
【図１２】
2020501620.tif 000014
【図１３】
2020501620.tif 000015
【図１４】
2020501620.tif 000016
【図１５】
2020501620.tif 000017
【図１６】
2020501620.tif 000018
【図１７】
2020501620.tif 000019
【図１８】
2020501620.tif 000020
【図１９】
2020501620.tif 000021
【図２０】
2020501620.tif 000022
【図２１】
2020501620.tif 000023
【図２２ａ】
2020501620.tif 000024
【図２２ｂ】
2020501620.tif 000025
【図２３】
2020501620.tif 000026
【図２４】
2020501620.tif 000027
【図２５】
2020501620.tif 000028
【図２６】
2020501620.tif 000029
【図２７】
2020501620.tif 000030
【図２８】
2020501620.tif 000031
【図２９】
2020501620.tif 000032
【図３０】
2020501620.tif 000033
【図３１】
2020501620.tif 000034
【図３２】
2020501620.tif 000035
【図３３】
2020501620.tif 000036
【図３４】
2020501620.tif 000037
【図３５】
2020501620.tif 000038
【図３６】
2020501620.tif 000039
【図３７】
2020501620.tif 000040
【図３８】
2020501620.tif 000041
【図３９】
2020501620.tif 000042
【図４０】
2020501620.tif 000043
【図４１】
2020501620.tif 000044
【図４２】
2020501620.tif 000045
【図４３】
2020501620.tif 000046
【図４４】
2020501620.tif 000047
【図４５】
2020501620.tif 000048
【図４６】
2020501620.tif 000049
【図４７】
2020501620.tif 000050
【図４８】
2020501620.tif 000051
【図４９】
2020501620.tif 000052
【図５０】
2020501620.tif 000053
【図５１】
2020501620.tif 000054
【図５２】
2020501620.tif 000055
【図５３】
2020501620.tif 000056
【図５４】
2020501620.tif 000057
【図５５】
2020501620.tif 000058
【図５６】
2020501620.tif 000059
【図５７】
2020501620.tif 000060
【図５８】
2020501620.tif 000061
【図５９】
2020501620.tif 000062
【図６０】
2020501620.tif 000063
【図６１】
2020501620.tif 000064
【図６２】
2020501620.tif 000065
【図６３】
2020501620.tif 000066
【図６４】
2020501620.tif 000067
【図６５】
2020501620.tif 000068
【図６６】
2020501620.tif 000069
【図６７】
2020501620.tif 000070
【図６８】
2020501620.tif 000071
【図６９】
2020501620.tif 000072
【図７０】
2020501620.tif 000073
【図７１】
2020501620.tif 000074
【図７２】
2020501620.tif 000075
【図７３】
2020501620.tif 000076
【図７４】
2020501620.tif 000077
【図７５】
2020501620.tif 000078
【図７６】
2020501620.tif 000079
【図７７】
2020501620.tif 000080
【図７８】
2020501620.tif 000081
【図７９】
2020501620.tif 000082
【図８０】
2020501620.tif 000083
【図８１】
2020501620.tif 000084
【図８２】
2020501620.tif 000085
【図８３】
2020501620.tif 000086
【図８４】
2020501620.tif 000087
【図８５】
2020501620.tif 000088
【図８６】
2020501620.tif 000089
【図８７】
2020501620.tif 000090
【図８８】
2020501620.tif 000091
【図８９】
2020501620.tif 000092
【図９０】
2020501620.tif 000093
【図９１】
2020501620.tif 000094
【図９２】
2020501620.tif 000095
【図９３】
2020501620.tif 000096
【図９４】
2020501620.tif 000097
【図９５】
2020501620.tif 000098
【図９６】
2020501620.tif 000099
【図９７】
2020501620.tif 000100
【図９８】
2020501620.tif 000101
【図９９】
2020501620.tif 000102
【図１００】
2020501620.tif 000103
【図１０１】
2020501620.tif 000104
【図１０２】
2020501620.tif 000105
【図１０３】
2020501620.tif 000106
【図１０４】
2020501620.tif 000107
【図１０５】
2020501620.tif 000108
【図１０６】
2020501620.tif 000109
【図１０７】
2020501620.tif 000110
【図１０８】
2020501620.tif 000111
【図１０９】
2020501620.tif 000112
【図１１０】
2020501620.tif 000113
【図１１１】
2020501620.tif 000114
【図１１２】
2020501620.tif 000115
【図１１３】
2020501620.tif 000116
【図１１４】
2020501620.tif 000117
【図１１５】
2020501620.tif 000118
【図１１６】
2020501620.tif 000119
【図１１７】
2020501620.tif 000120
【図１１８】
2020501620.tif 000121
【図１１９】
2020501620.tif 000122
【図１２０】
2020501620.tif 000123
【図１２１】
2020501620.tif 000124
【図１２２】
2020501620.tif 000125
【図１２３】
2020501620.tif 000126
【図１２４】
2020501620.tif 000127
【図１２５】
2020501620.tif 000128
【図１２６】
2020501620.tif 000129
【国際調査報告】
2020501620.tif 000130
2020501620.tif 000131
2020501620.tif 000132
2020501620.tif 000133